(57)【要約】【課題】安全注射器のための好適なシステム及び方法を提供すること。【解決手段】１つの実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、近位端が、ストッパー部材中に少なくとも部分的に挿入されることで、ストッパー部材の格納の際に、針をストッパーと共に近位に引っ張って、内部薬剤チャンバ内に少なくとも部分的に収容するように構成されているアンカー幾何形状を備える、針、を備える。【選択図】図１Ｂ
2020203158.tif 000002
【特許請求の範囲】
【請求項１】
製剤の混合および注射のためのシステムであって、前記システムは、
注射器本体であって、前記注射器本体は、それの近位端にある近位開口部およびそれの遠位端にある遠位薬剤ポートおよび遠位針接合部を画定する、注射器本体と、
前記注射器本体の中に配設された近位および遠位ストッパー部材であって、前記近位および遠位ストッパー部材は、前記近位ストッパー部材と前記遠位ストッパー部材との間に近位薬物チャンバを形成し、前記遠位ストッパー部材と前記注射器本体の前記遠位端との間に遠位薬物チャンバを形成する、近位および遠位ストッパー部材と、
プランジャ内部を画定するプランジャ部材であって、前記プランジャ部材は、前記近位ストッパー部材を前記注射器本体に対して挿入するために手動で操作されるように構成されている、プランジャ部材と
を備え、
前記プランジャ部材は、
前記プランジャ内部の中に配設された針保持機構と、
前記プランジャ内部の中に配設されたエネルギー蓄積部材と、
前記プランジャ内部の中に配設されたエネルギー蓄積部材係止部材と、
前記注射器本体の前記遠位針接合部に連結された針ハブ組立体と
を含み、
前記針組立体は、
針近位端を有する針と、
ハブと、
前記針を前記ハブに連結するように構成された針係止部材と
を含み、
それぞれの近位および遠位薬物チャンバの第１および第２のサイズは、前記注射器本体に対する前記近位および遠位ストッパー部材の移動によって変更することができる、システム。
【請求項２】
前記エネルギー蓄積部材は、前記エネルギー蓄積部材係止部材を係止状態から非係止状態へ転換するために前記注射器本体に対して前記プランジャ部材を操作すると前記針を少なくとも部分的に前記注射器本体の内部に格納するように構成されている、請求項１に記載のシステム。
【請求項３】
前記エネルギー蓄積部材は、前記エネルギー蓄積部材係止部材を係止状態から非係止状態へ転換するために前記注射器本体に対して前記プランジャ部材を操作すると前記針を少なくとも部分的に前記プランジャ内部に格納するように構成されている、請求項１に記載のシステム。
【請求項４】
前記近位および遠位薬物チャンバは、それぞれ、患者に注射する前に混合される薬物の第１および第２の成分を含む、請求項１に記載のシステム。
【請求項５】
前記第１の成分は、流体であり、前記第２の成分は、固体である、請求項４に記載のシステム。
【請求項６】
前記針は、
近位混合開口部と、
遠位混合開口部と
を備える、請求項１に記載のシステム。
【請求項７】
前記針近位端が前記遠位ストッパー部材を遠位に刺し通したときに、前記近位薬物チャンバと前記遠位薬物チャンバとの間に流体通路が形成される、請求項６に記載のシステム。
【請求項８】
前記針は、
近位注入開口部と、
遠位注入開口部と
をさらに備える、請求項６に記載のシステム。
【請求項９】
前記針は、
前記遠位混合開口部と前記近位注入開口部との間で前記針の中に配設された内腔プラグをさらに備える、請求項８に記載のシステム。
【請求項１０】
前記近位および遠位ストッパー部材は、前記針近位端が前記遠位ストッパー部材を突刺する前において前記近位ストッパー部材の遠位移動が前記遠位ストッパー部材を遠位に移動させ、それによって前記針近位端に前記遠位ストッパーを突刺させて、前記針が前記近位薬剤チャンバと前記遠位薬剤チャンバとの間に流体通路を形成するようにするように構成されている、請求項９に記載のシステム。
【請求項１１】
前記流体通路は、前記近位および遠位薬物チャンバの中の第１および第２の成分の混合を可能にする、請求項１０に記載のシステム。
【請求項１２】
前記近位および遠位ストッパー部材は、前記近位ストッパー部材のさらなる遠位移動が前記近位および遠位混合開口部のうちの少なくとも１つまで前記近位および遠位ストッパー部材を遠位に移動させ、それによって、前記近位薬物チャンバから前記遠位薬物チャンバへと成分が移送された後に前記流体通路を閉鎖するようにするように構成されている、請求項１０に記載のシステム。
【請求項１３】
前記近位および遠位ストッパー部材は、前記近位および遠位ストッパー部材のさらにさらなる遠位移動で、混合された薬物が前記近位注入開口部を通り、前記針を通り、そして前記遠位注入開口部から外へ出て前記患者の中へと押し進められるようにするように構成されている、請求項１２に記載のシステム。
【請求項１４】
前記エネルギー蓄積部材は、第１の蓄積モードと第２の解放モードとを有する、請求項１に記載のシステム。
【請求項１５】
非係止部材をさらに備え、前記非係止部材は、前記針近位端が前記非係止部材を移動させることにより前記エネルギー蓄積部材を前記第１のモードから前記第２のモードへ移動させるように構成されている、請求項１４に記載のシステム。
【請求項１６】
前記エネルギー蓄積部材係止部材は、前記エネルギー蓄積部材の前記第１および第２のモードにそれぞれ対応する係止モードおよび非係止モードを有する、請求項１５に記載のシステム。
【請求項１７】
前記遠位ストッパー部材を前記遠位薬物チャンバの前記遠位端に挿入することにより、前記エネルギー蓄積部材係止部材を前記係止モードから前記非係止モードへ転換させ、それにより、前記エネルギー蓄積部材が前記エネルギー蓄積部材によって蓄積されたエネルギーを解放することを可能にし、
前記針の前記近位端が前記非係止部材を移動させることにより、前記エネルギー蓄積部材係止部材を前記係止モードから前記非係止モードへ移動させ、
前記エネルギー蓄積部材係止部材は、前記プランジャ内部の中に実質的に配設されている、請求項１６に記載のシステム。
【請求項１８】
前記針保持機構は、前記遠位ストッパー部材を前記遠位薬物チャンバの前記遠位端へ挿入することにより前記針が前記遠位ストッパー部材を通して近位に引っ張られるように、前記針近位端および前記エネルギー蓄積部材を選択的に連結するように構成されている、請求項１４に記載のシステム。
【請求項１９】
前記注射器本体は、前記針ハブに機械的に連結されるように構成されている遠位外側幾何形状を備える、請求項１に記載のシステム。
【請求項２０】
前記注射器本体遠位外側幾何形状は、ルアーロック接合部を備える、請求項１９に記載のシステム。
【請求項２１】
前記注射器本体遠位外側幾何形状は、ルアーテーパ接合部を備える、請求項１９に記載のシステム。
【請求項２２】
前記針係止部材は、前記針が前記注射器本体に対して移動不可能である係止構成と、前記針が前記注射器本体に対して自由に移動可能である非係止構成とを有する、請求項１に記載のシステム。
【請求項２３】
前記遠位ストッパー部材を前記遠位薬物チャンバの前記遠位端へ挿入することにより、前記針係止部材を前記係止構成から前記非係止構成へ移動させる、請求項２２に記載のシステム。
【請求項２４】
前記エネルギー蓄積部材は、第１の蓄積モードと第２の解放モードとを有し、
前記針係止部材が前記係止構成から前記非係止構成へ移動した後に、前記エネルギー蓄積部材は、前記針を近位に引っ張るために、第１の蓄積モードから第２の解放モードへ移動する、請求項２３に記載のシステム。
【請求項２５】
針非係止部材をさらに備え、前記針非係止部材は、前記係止構成における前記針係止部材に対して前記針非係止部材が遠位に移動させられるときに前記針係止部材を前記係止構成から前記非係止構成へ移動させるように構成され、
前記針および前記針非係止部材は、前記針を遠位に移動させることにより、前記針に、遠位に指向された力を前記針非係止部材に対して印加させ、前記針非係止部材を前記針係止部材に対して遠位に移動させ、それによって前記針係止部材を前記係止構成から前記非係止構成へ移動させるようにするように構成されている、請求項２３に記載のシステム。
【請求項２６】
前記針は、前記注射器本体の前記遠位薬剤ポートを通して挿入可能であるように選択される最大外径を有する、請求項１に記載のシステム。
【請求項２７】
前記注射器本体は、未改質の市販の注射器本体を含む、請求項１に記載のシステム。
【請求項２８】
前記針は、少なくとも１つの放射状に突出している係止表面機構を備える、請求項１に記載のシステム。
【請求項２９】
前記針近位端は、少なくとも１つのアンカー要素に対して近位に位置する少なくとも１つの貫通要素を備える、請求項１に記載のシステム。
【請求項３０】
前記貫通要素は、中実構造を備え、それを通して画定される内腔またはアパーチャーを有さない、請求項２９に記載のシステム。
【請求項３１】
前記針は、カニューレ部材、ハブ部材、および、近位部材を備える、請求項１に記載のシステム。
【請求項３２】
前記近位部材は、近位連結接合部を有し、前記近位部材は、一片の平坦な板金材料、一片の平坦なプラスチック材料、一片の中実な金属材料、または、一片の中実なプラスチック材料を含む、請求項３１に記載のシステム。
【請求項３３】
製剤の混合および注射のためのシステムであって、前記システムは、
注射器本体であって、前記注射器本体は、近位開口部およびそれの遠位端にある遠位針接合部を画定する、注射器本体と、
前記注射器本体の中に配設された近位および遠位ストッパー部材であって、前記近位および遠位ストッパー部材は、前記近位ストッパー部材と前記遠位ストッパー部材との間に近位薬物チャンバを形成し、前記遠位ストッパー部材と前記注射器本体の前記遠位端との間に遠位薬物チャンバを形成する、近位および遠位ストッパー部材と、
プランジャ内部を画定するプランジャ部材であって、前記プランジャ部材は、前記近位ストッパー部材を前記注射器本体に対して挿入するために手動で操作されるように構成されている、プランジャ部材と、
前記注射器本体の前記遠位針接合部に連結された針ハブ組立体と
を備え、
前記針組立体は、針近位端を有する針を含み、
前記遠位ストッパー部材を遠位に移し前記針近位端に前記遠位ストッパー部材を貫通させるための前記プランジャ部材の手動操作によって、前記近位薬物チャンバから前記遠位薬物チャンバへの薬物の移送が開始される、システム。
【請求項３４】
前記針近位端は、前記プランジャが前記遠位薬物チャンバの前記遠位端まで前記近位および遠位ストッパー部材を遠位に移動させるように手動で操作されるときに前記プランジャ内部に入るように構成されている、請求項３３に記載のシステム。
【発明の詳細な説明】
【技術分野】
【０００１】
関連出願データ
本出願は、３５  Ｕ．Ｓ．Ｃ．§１１９の下で、２０１４年４月２４日出願の米国特許仮出願第６１／９８４，０３３号、２０１４年６月１８日出願の米国特許仮出願第６２／０１４，０３５号、２０１４年１０月２日出願の米国特許仮出願第６２／０５９，１１０号、２０１５年１月２０日出願の米国特許仮出願第６２／１０５，７１７号、２０１５年２月１８日出願の米国特許仮出願第６２／１１７，６７２号、及び２０１５年４月２１日出願の米国特許仮出願第６２／１５０，７６１号に対する利益を主張する。前述の出願は、それらの全体が参照により本出願に組み込まれる。
【０００２】
本発明は、概して、流体注入に対する様々なレベルの制御を促進するための注射システム、デバイス、及びプロセス、より具体的には、医療環境における安全注射器に関するシステム及び方法に関する。
【背景技術】
【０００３】
図１Ａ（２）に示すものなどの無数の注射器が医療環境において日々消費されている。典型的な注射器（２）は、管状本体（４）、プランジャ（６）、及び注射針（８）を備える。図１Ｂに示すように、かかる注射器（２）は、流体を患者に注射するだけでなく、流体を、薬剤ボトル、バイアル、袋、または他の薬物収容システム（１０）などの容器からまたは容器へと引き込むまたは放出するためにも利用され得る。実際に、米国などの一部の国における規制上の制約、及び無菌維持の懸念により、特定の患者の環境において見られるような注射器（２）を用いた薬剤ボトル（１０）の使用の際、かかる薬剤ボトルは、単一の患者のみに利用した後に廃棄しなければならないことがあり、ボトル及び残った薬剤廃棄からの医療廃棄物を生み、更にはある特定の重要な薬物の定期的な不足に寄与している。図２Ａを参照すると、３つのルアー型注射器（１２）が示されており、各々は、遠位に配設されたルアー適合幾何形状（１４）を有し、それにより、これらが図２Ｂに示すルアーマニホルド組立体（１６）などの同様の嵌め合い幾何形状を有する他のデバイスと連結し得るようにする。図２Ａの注射器のルアー適合部（１４）は、「雄」ルアー適合部と称してもよく、一方で、図２Ｂ（１８）のものは、「雌」ルアー適合部と称してもよい。ルアー接合部のうちの一方にはねじ山が付いていてもよく（その場合、この構成は「ルアーロック」構成と称してもよい）、それにより２つの側が相対的回転によって連結し得、これを圧縮荷重と組み合わせてもよい。換言すると、ルアーロックの一実施形態では、回転を場合により圧縮と併せて利用して、ねじ山を雄適合部内に係合させ、この雄適合部は、こフランジを雌適合部上に係合させ、デバイスを合わせて流体封止連結に持ち込むように構成されている。別の実施形態では、テーパ状の接合幾何形状を利用して、ねじ山または回転なしで、圧縮を使用したルアー係合を提供してもよい（かかる構成は、「スリップオン」または「円錐」ルアー構成と称してもよい）。かかるルアー連結は操作者にとって比較的安全であるとされるが、薬剤の零れ／漏出、及びルアー連結を提供するための荷重中の部品の破損の危険性がある。一方で針注射構成の使用には、尖った針が人または望ましくない構造に接触するかまたはそれを突き刺してしまう危険性がつきまとう。このため、いわゆる「安全注射器」が開発された。
【０００４】
安全注射器（２０）の一実施形態を図３に示し、ここでは、管状遮蔽部材（２２）がばねで付勢されて、注射器本体（４）に対してロック位置から解放されるときに針（８）を被覆する。安全注射器（２４）の別の実施形態を図４Ａ〜４Ｂに示す。かかる構成では、プランジャ（６）の注射器本体（４）に対する完全挿入後、格納式針（２６）は、図４Ｂに示すように、管状本体（４）内の安全な位置へと戻って格納する（２８、２６）ように構成されている。自身の上に潰れるように構成されているかかる構成は、血液の飛散／エアロゾル化の問題、誤動作し所望の前に始動する可能性があり得る事前荷重エネルギーの安全な貯蔵、ばね圧縮容積内の残留死腔に起因する総投与量の注射を付与することにおける精度の低下、ならびに／または痛み及び患者の不安感に関連し得る格納速度制御の低下に関連し得る。
【０００５】
注射器市場を更に複雑にしているのは、図５Ａ及び５Ｂに示すものなどの充填済み注射器組立体に対する需要の増加であり、これは概して、注射器本体または「薬物封入収容送達システム」（３４）、プランジャ先端、プラグ、またはストッパー（３６）、及びルアー型接合部上に適合し得る遠位封止部またはキャップ（３５）を備える（図５Ａは定位置にあるキャップ３５を示し、図５Ｂはキャップを除去してルアー接合部１４を例示している）。薬剤液が遠位封止部とプランジャ先端（３６）の遠位端（３７）との間の容積または薬剤貯蔵部（４０）中に存在してもよい。プランジャ先端（３６）は、標準的なブチルゴム材料を含んでもよく、生体適合性の滑らかなコーティングなどによって被膜されて、好ましい封止及び関連の注射器本体構造及び材料に対する相対的運動を促進してもよい。図５Ｂ中の注射器本体（３４）の近位端は、「Ｇｅｒｒｅｓｈｅｉｍｅｒ」フランジ構成として知られているものなどの従来の注射器フランジ（３８）を含む。注射器本体（３４）は、好ましくは、ガラスまたはポリマーなどの半透明材料を含む。薬剤チャンバまたは貯蔵部（４０）内の収容容積を形成するために、かつ関連する流体の針を通した排出を支援するために、プランジャ先端（３６）が注射器本体（３４）内に位置付けられ得る。注射器本体は、実質的な円筒形状を画定してもよく（即ち、円形の断面形状を有するプランジャ先端３６が注射器本体に対する封止を確立し得るようにする）、あるいは楕円などの他の断面形状を有するように構成されてもよい。
【０００６】
かかる組立体は、これらが、充填、梱包、ならびに薬剤／薬物接合材料選択及び構成要素使用についての世界の絶えず変化する規制の全てを満たすことができる世界中で小数の製造業者によって、正確な容積で規格化され製造され得るため、望ましい。しかしながら、かかる単純な構成は、概して、単回使用、安全性、自動無効化、及び抗針刺しのための新たな世界基準を満たさないであろう。このため、ある特定の供給業者は、基準の全てまたはその少なくとも一部を１つの解決法により満たそうとする、図５Ｃで取り上げる（４１）などのより「縦断的な」解決法に移動し、多くの異なるシナリオについてこれらの基準を満たそうとした結果、かかる製品は、大きな制限（図３〜４Ｂを参照して上に記載したものの一部を含む）、比較的高い在庫及び利用費用を有し得る。
【０００７】
現在利用可能な構成の欠点を解決する改善した注射システムが必要である。特に、図５Ａ〜５Ｂを参照して記載するものなどの従来のように納品される充填済み注射器組立体の既存かつ比較的良好に制御されたサプライチェーンを利用し得る安全注射器の解決法が必要である。
本発明は、例えば、以下を提供する。
（項目１）
注射のためのシステムであって、
ａ．内部薬剤チャンバを画定する注射器本体及び遠位針接合部と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の前記遠位針接合部に着脱可能に連結し、プランジャ係止部材を係止状態から非係止状態に転換するために、前記プランジャ部材の前記注射器本体に対する操作の際に前記内部薬剤チャンバ中に少なくとも部分的に格納可能であり、前記プランジャ係止部材が、前記注射器本体と前記プランジャ部材との間で相互連結する、針と、を備え、
前記プランジャ係止部材が、実質的に前記プランジャ部材によって画定される内腔内に配設される、システム。
（項目２）
前記注射器本体が、市販の注射器本体を含む、項目１に記載のシステム。
（項目３）
前記注射器本体が、概して円筒形の幾何形状を備える、項目１に記載のシステム。
（項目４）
前記薬剤チャンバが、約０．５ｃｃ〜約５ｃｃの薬剤を収容するように構成されている、項目１に記載のシステム。
（項目５）
前記薬剤チャンバが、０．５ｃｃ、１ｃｃ、２．２５ｃｃ、３ｃｃ、及び５ｃｃから成る群から選択される体積の薬剤を収容するように構成されている、項目４に記載のシステム。
（項目６）
前記注射器本体が、ガラス材料を含む、項目１に記載のシステム。
（項目７）
前記注射器本体が、ポリマー材料を含む、項目１に記載のシステム。
（項目８）
前記ポリマー材料が、ＣＯＰ、ＣＯＣ、ポリエステル、及びポリプロピレンから成る群から選択される、項目７に記載のシステム。
（項目９）
前記注射器本体が、金属を含む、項目１に記載のシステム。
（項目１０）
前記注射器本体が、１つ以上の他のデバイス要素に機械的に連結するように構成されている、遠位外側幾何形状を備える、項目１に記載のシステム。
（項目１１）
前記注射器本体の遠位外側幾何形状が、ルアーロック接合部を含む、項目１０に記載のシステム。
（項目１２）
前記注射器本体の遠位外側幾何形状が、ルアーテーパ接合部を含む、項目１０に記載のシステム。
（項目１３）
前記注射器本体が、遠位薬剤ポートを画定する、項目１に記載のシステム。
（項目１４）
前記針が、前記注射器本体の前記遠位薬剤ポートを通して挿入可能であるように選択さ
れた最大外径を有する、項目１３に記載のシステム。
（項目１５）
前記遠位薬剤ポートが、約１ｍｍの内径を備える、項目１４に記載のシステム。
（項目１６）
前記針が、約３４ゲージ〜約２０ゲージのサイズを有する、項目１５に記載のシステム。
（項目１７）
前記ストッパー部材が、前記針の尖った近位端によって少なくとも部分的に貫通されるように構成されている、項目１に記載のシステム。
（項目１８）
前記針が、前記ストッパー部材中に少なくとも部分的に貫通した後の引き抜きに抵抗するように構成されている、少なくとも１つのアンカー要素を有する、項目１に記載のシステム。
（項目１９）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１８に記載のシステム。
（項目２０）
前記ストッパーが、前記注射器本体と共に実質的に封止するために、前記注射器本体の内側幾何形状に実質的に一致するように選択された外側幾何形状を有する、項目１に記載のシステム。
（項目２１）
前記ストッパーが、クロロブチルゴム、ブロモブチルゴム、及びシリコンゴムから成る群から選択される、エラストマー材料を含む、項目１に記載のシステム。
（項目２２）
薬剤材料を前記ストッパーから隔離するために、前記ストッパーの少なくとも一部に適用された封止剤コーティングを更に備える、項目１に記載のシステム。
（項目２３）
前記封止剤コーティングが、ＰＴＦＥフィルムを含む、項目２２に記載のシステム。
（項目２４）
前記ストッパーと前記注射器本体との間に導入された潤滑剤層を更に備える、項目１に記載のシステム。
（項目２５）
前記潤滑剤層が、シリコン油を含む、項目２４に記載のシステム。
（項目２６）
前記ストッパー部材の遠位部分が、従来の市販のコンプライアントストッパーを含む、項目１に記載のシステム。
（項目２７）
前記ストッパー部材が、針への連結のための陥凹または突出部を持たない未改質の中実コンプライアント部材を備える、項目２６に記載のシステム。
（項目２８）
前記針が、少なくとも１つの放射状に突出している係止表面機構を備える、項目１に記載のシステム。
（項目２９）
前記針の前記近位端が、少なくとも１つのアンカー要素に対して近位に位置する少なくとも１つの貫通要素を備える、項目２８に記載のシステム。
（項目３０）
前記貫通要素が、尖った先端を備える、項目２９に記載のシステム。
（項目３１）
前記貫通要素が、中実構造であって、それを通して画定される内腔またはアパーチャーを持たない、中実構造を備える、項目３０に記載のシステム。
（項目３２）
前記針が、それを通した注射通路を画定し、前記注射通路が、前記針の遠位先端から前記アンカー要素の遠位先端の近位にある場所へと通じるように選択される、項目２９に記載のシステム。
（項目３３）
前記針が、カニューレ部材、ハブ部材、及び近位部材を備える、項目２８に記載のシステム。
（項目３４）
前記カニューレ部材及びハブ部材が、同じ材料片から形成される、項目３３に記載のシステム。
（項目３５）
前記カニューレ部材及びハブ部材が、共に固定して連結して前記針の一部を形成する、別々に形成された要素を備える、項目３３に記載のシステム。
（項目３６）
前記近位部材も、前記カニューレ部材及びハブ部材に固定して連結して前記針の一部を形成する、別々に形成された要素を備える、項目３３に記載のシステム。
（項目３７）
前記ハブ部材が、一片の管材から形成される、項目３５に記載のシステム。
（項目３８）
前記近位部材が、近位連結接合部を有する一片の平坦な板金を含む、項目３３に記載のシステム。
（項目３９）
前記カニューレ部材が、金属を含む、項目３２に記載のシステム。
（項目４０）
前記ハブが、金属またはプラスチック材料を含む、項目３２に記載のシステム。
（項目４１）
前記近位部材、金属またはプラスチック材料、項目３２に記載のシステム。
（項目４２）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１に記載のシステム。
（項目４３）
前記プランジャ部材が、内部容積を画定するプランジャ部材本体を備え、前記エネルギー蓄積部材が、前記プランジャ部材本体の内部容積の実質的に内部に収納されている、項目４２に記載のシステム。
（項目４４）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目４３に記載のシステム。
（項目４５）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目４４に記載のシステム。
（項目４６）
前記所定の挿入位置が、前記ストッパーが前記注射器本体に対して完全な挿入状態で位置付けられる位置である、項目４５に記載のシステム。
（項目４７）
前記エネルギー蓄積部材が、ばねである、項目４２に記載のシステム。
（項目４８）
前記ばねが、ステンレス鋼、炭素鋼、ベリリウム銅合金、ニッケルチタン合金、クロムシリコン合金、及びコバルトニッケル合金から成る群から選択される材料を含む、項目４７に記載のシステム。
（項目４９）
前記ばねが、エラストマー性ポリマーを含む、項目４７に記載のシステム。
（項目５０）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目４９に記載のシステム。
（項目５１）
前記エネルギー蓄積部材が、中実ペレット部材を含む、項目４２に記載のシステム。
（項目５２）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目５１に記載のシステム。
（項目５３）
前記ばねが、単一の概して螺旋形状のコイルを含む、項目４７に記載のシステム。
（項目５４）
前記ばねが、複数の概して螺旋形状のコイルを含む、項目４７に記載のシステム。
（項目５５）
前記複数の概して螺旋形状のコイルを含む前記コイルのうちの少なくとも２つが、同軸上で整列している、項目５４に記載のシステム。
（項目５６）
前記複数の概して螺旋形状のコイルを含む前記コイルのうちの少なくとも２つが、長手方向に平行に整列している、項目５４に記載のシステム。
（項目５７）
前記同軸上で整列した螺旋形状のコイルも、長手方向に平行に整列している、項目５５に記載のシステム。
（項目５８）
前記同軸上かつ長手方向に平行に整列している螺旋形状のコイルが、前記コイルの圧縮時にコイルの干渉を防止するように、互いに対して反対の巻回方向で螺旋状に巻回される、項目５７に記載のシステム。
（項目５９）
前記プランジャの格納が前記相互連結したストッパー部材及び針を格納し、その結果、前記針の少なくとも一部が前記注射器本体の前記内部薬剤チャンバ中に引き込まれる、項目４２に記載のシステム。
（項目６０）
前記プランジャが、前記注射器本体に対する前記プランジャの手動挿入及び格納制御を促進するように構成されている近位サムパッドを備える、項目１に記載のシステム。
（項目６１）
前記プランジャが、前記ストッパー部材中に螺旋状に挿入され、かかる挿入により前記ストッパー部材に連結するように構成されている、プランジャ遠位端ねじ接合部を備える、項目１に記載のシステム。
（項目６２）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１に記載のシステム。
（項目６３）
前記所定の位置が、前記ストッパー部材が前記注射器本体に対して前記プランジャ部材によって完全に挿入されている位置へと前進した位置である、項目６２に記載のシステム。
（項目６４）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目６２に記載のシステム。
（項目６５）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目４４に記載のシステム。
（項目６６）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１に記載のシステム。
（項目６７）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目６６に記載のシステム。
（項目６８）
前記制動部材が、プレートアパーチャー制動部を備える、項目６７に記載のシステム。（項目６９）
前記プレートアパーチャー制動部が一片の板金を含み、それを通してアパーチャーが形成されている、項目６８に記載のシステム。
（項目７０）
前記プランジャが前記注射器本体に対して完全に挿入された後で、前記注射器本体に対する前記プランジャの格納を促進するように構成されている、ばね部材を更に備える、項目６８に記載のシステム。
（項目７１）
前記プレートアパーチャー制動部が、前記ばね部材の少なくとも一部の可塑性変形を誘導することによって、前記第１のモードから前記第２のモードに切り替わるように構成されている、項目７０に記載のシステム。
（項目７２）
前記プランジャ部材の格納が、前記第２のモードにおいて格納始動荷重の適用を通して促進される、項目６７に記載のシステム。
（項目７３）
前記格納始動荷重が、前記制動部材に動作可能に連結したばね部材によって適用される、項目７２に記載のシステム。
（項目７４）
前記格納開始荷重が、前記プランジャ部材と前記注射器本体との間で連結したばね部材によって適用される、項目７２に記載のシステム。
（項目７５）
前記ばね部材が、コイルばね、板ばね、及びエラストマーばね要素から成る群から選択される、項目７３に記載のシステム。
（項目７６）
前記ばね部材が、コイルばね、板ばね、及びエラストマーばね要素から成る群から選択される、項目７４に記載のシステム。
（項目７７）
前記真空荷重が、前記プランジャを前記注射器本体に対して少なくとも部分的に格納するのに十分である、項目６６に記載のシステム。
（項目７８）
前記プランジャの格納が前記相互連結したストッパー部材及び針を格納し、その結果、前記針の少なくとも一部が前記注射器本体の前記内部薬剤チャンバ中に引き込まれる、項目７７に記載のシステム。
（項目７９）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１に記載のシステム。
（項目８０）
前記針被覆部材が、少なくとも１つのスナップオーバー式戻り止め接合部によって前記針に着脱可能に連結する、項目７９に記載のシステム。
（項目８１）
前記針被覆部材が、少なくとも２つのスナップオーバー式戻り止め接合部によって前記針に着脱可能に連結する、項目８０に記載のシステム。
（項目８２）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目８１に記載のシステム。
（項目８３）
スナップオーバー式戻り止め接合部が、前記戻り止めが軸荷重によって機械的に克服されるまで、前記針に対する前記針被覆部材の軸方向運動を防止するように配向されている、項目８１に記載のシステム。
（項目８４）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目７９に記載のシステム。
（項目８５）
薬剤チャンバが、チャンバの長さによって画定され、前記針が、前記チャンバの長さ以上である針の長さによって画定される、項目１に記載のシステム。
（項目８６）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目８５に記載のシステム。
（項目８７）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１に記載のシステム。
（項目８８）
前記プランジャ部材が、前記プランジャ係止部材が非係止状態にあるときに、操作者によって手動で格納されるように構成されている、項目１に記載のシステム。
（項目８９）
前記針の前記遠位端が、前記内部薬剤チャンバ内に構造的にカプセル化されるようになる、項目８８に記載のシステム。
（項目９０）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目８８に記載のシステム。
（項目１）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記ストッパー部材中に少なくとも部分的に挿入されることで、前記ストッパー部材の格納の際に、前記針を前記ストッパーと共に近位に引っ張って、前記内部薬剤チャンバ内に少なくとも部分的に収容するように構成されているアンカー幾何形状を備える、針と、を備える、システム。
（項目２）
前記注射器本体が、市販の注射器本体を含む、項目１に記載のシステム。
（項目３）
前記注射器本体が、概して円筒形の幾何形状を備える、項目１に記載のシステム。
（項目４）
前記薬剤チャンバが、約０．５ｃｃ〜約５ｃｃの薬剤を収容するように構成されている、項目１に記載のシステム。
（項目５）
前記薬剤チャンバが、０．５ｃｃ、１ｃｃ、２．２５ｃｃ、３ｃｃ、及び５ｃｃから成る群から選択される体積の薬剤を収容するように構成されている、項目４に記載のシステム。
（項目６）
前記注射器本体が、ガラス材料を含む、項目１に記載のシステム。
（項目７）
前記注射器本体が、ポリマー材料を含む、項目１に記載のシステム。
（項目８）
前記ポリマー材料が、ＣＯＰ、ＣＯＣ、ポリエステル、及びポリプロピレンから成る群から選択される、項目７に記載のシステム。
（項目９）
前記注射器本体が、金属を含む、項目１に記載のシステム。
（項目１０）
前記注射器本体が、１つ以上の他のデバイス要素に機械的に連結するように構成されている、遠位外側幾何形状を備える、項目１に記載のシステム。
（項目１１）
前記注射器本体の遠位外側幾何形状が、ルアーロック接合部を含む、項目１０に記載のシステム。
（項目１２）
前記注射器本体の遠位外側幾何形状が、ルアーテーパ接合部を含む、項目１０に記載のシステム。
（項目１３）
前記注射器本体が、遠位薬剤ポートを画定する、項目１に記載のシステム。
（項目１４）
前記針が、前記注射器本体の前記遠位薬剤ポートを通して挿入可能であるように選択された最大外径を有する、項目１３に記載のシステム。
（項目１５）
前記遠位薬剤ポートが、約１ｍｍの内径を備える、項目１４に記載のシステム。
（項目１６）
前記針が、約３４ゲージ〜約２０ゲージのサイズを有する、項目１５に記載のシステム。
（項目１７）
前記ストッパー部材が、前記針の尖った近位端によって少なくとも部分的に貫通されるように構成されている、項目１に記載のシステム。
（項目１８）
前記針が、前記ストッパー部材中に少なくとも部分的に貫通した後の引き抜きに抵抗するように構成されている、少なくとも１つのアンカー要素を有する、項目１に記載のシステム。
（項目１９）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１８に記載のシステム。
（項目２０）
前記ストッパーが、前記注射器本体と共に実質的に封止するために、前記注射器本体の内側幾何形状に実質的に一致するように選択された外側幾何形状を有する、項目１に記載のシステム。
（項目２１）
前記ストッパーが、クロロブチルゴム、ブロモブチルゴム、及びシリコンゴムから成る群から選択される、エラストマー材料を含む、項目１に記載のシステム。
（項目２２）
薬剤材料を前記ストッパーから隔離するために、前記ストッパーの少なくとも一部に適用された封止剤コーティングを更に備える、項目１に記載のシステム。
（項目２３）
前記封止剤コーティングが、ＰＴＦＥフィルムを含む、項目２２に記載のシステム。
（項目２４）
前記ストッパーと前記注射器本体との間に導入された潤滑剤層を更に備える、項目１に記載のシステム。
（項目２５）
前記潤滑剤層が、シリコン油を含む、項目２４に記載のシステム。
（項目２６）
前記ストッパー部材の遠位部分が、従来の市販のコンプライアントストッパーを含む、項目１に記載のシステム。
（項目２７）
前記ストッパー部材が、針への連結のための陥凹または突出部を持たない未改質の中実コンプライアント部材を備える、項目２６に記載のシステム。
（項目２８）
前記針が、少なくとも１つの放射状に突出している係止表面機構を備える、項目１に記載のシステム。
（項目２９）
前記針の前記近位端が、少なくとも１つのアンカー要素に対して近位に位置する少なくとも１つの貫通要素を備える、項目２８に記載のシステム。
（項目３０）
前記貫通要素が、尖った先端を備える、項目２９に記載のシステム。
（項目３１）
前記貫通要素が、中実構造であって、それを通して画定される内腔またはアパーチャーを持たない、中実構造を備える、項目３０に記載のシステム。
（項目３２）
前記針が、それを通した注射通路を画定し、前記注射通路が、前記針の遠位先端から前記アンカー要素の遠位先端の近位にある場所へと通じるように選択される、項目２９に記載のシステム。
（項目３３）
前記針が、カニューレ部材、ハブ部材、及び近位部材を備える、項目２８に記載のシステム。
（項目３４）
前記カニューレ部材及びハブ部材が、同じ材料片から形成される、項目３３に記載のシステム。
（項目３５）
前記カニューレ部材及びハブ部材が、共に固定して連結して前記針の一部を形成する、別々に形成された要素を備える、項目３３に記載のシステム。
（項目３６）
前記近位部材も、前記カニューレ部材及びハブ部材に固定して連結して前記針の一部を形成する、別々に形成された要素を備える、項目３３に記載のシステム。
（項目３７）
前記ハブ部材が、一片の管材から形成される、項目３５に記載のシステム。
（項目３８）
前記近位部材が、近位連結接合部を有する一片の平坦な板金を含む、項目３３に記載のシステム。
（項目３９）
前記カニューレ部材が、金属を含む、項目３６に記載のシステム。
（項目４０）
前記ハブが、金属またはプラスチック材料を含む、項目３６に記載のシステム。
（項目４１）
前記近位部材、金属またはプラスチック材料、項目３６に記載のシステム。
（項目４２）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１に記載のシステム。
（項目４３）
前記プランジャ部材が、内部容積を画定するプランジャ部材本体を備え、前記エネルギー蓄積部材が、前記プランジャ部材本体の内部容積の実質的に内部に収納されている、項目４２に記載のシステム。
（項目４４）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目４３に記載のシステム。
（項目４５）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目４４に記載のシステム。
（項目４６）
前記所定の挿入位置が、前記ストッパーが前記注射器本体に対して完全な挿入状態で位置付けられる位置である、項目４５に記載のシステム。
（項目４７）
前記エネルギー蓄積部材が、ばねである、項目４２に記載のシステム。
（項目４８）
前記ばねが、ステンレス鋼、炭素鋼、ベリリウム銅合金、ニッケルチタン合金、クロムシリコン合金、及びコバルトニッケル合金から成る群から選択される材料を含む、項目４７に記載のシステム。
（項目４９）
前記ばねが、エラストマー性ポリマーを含む、項目４７に記載のシステム。
（項目５０）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目４９に記載のシステム。
（項目５１）
前記エネルギー蓄積部材が、中実ペレット部材を含む、項目４２に記載のシステム。
（項目５２）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目５１に記載のシステム。
（項目５３）
前記ばねが、単一の概して螺旋形状のコイルを含む、項目４７に記載のシステム。
（項目５４）
前記ばねが、複数の概して螺旋形状のコイルを含む、項目４７に記載のシステム。
（項目５５）
前記複数の概して螺旋形状のコイルを含む前記コイルのうちの少なくとも２つが、同軸上で整列している、項目５４に記載のシステム。
（項目５６）
前記複数の概して螺旋形状のコイルを含む前記コイルのうちの少なくとも２つが、長手方向に平行に整列している、項目５４に記載のシステム。
（項目５７）
前記同軸上で整列した螺旋形状のコイルも、長手方向に平行に整列している、項目５５に記載のシステム。
（項目５８）
前記同軸上かつ長手方向に平行に整列している螺旋形状のコイルが、前記コイルの圧縮時にコイルの干渉を防止するように、互いに対して反対の巻回方向で螺旋状に巻回される、項目５７に記載のシステム。
（項目５９）
前記プランジャの格納が前記相互連結したストッパー部材及び針を格納し、その結果、前記針の少なくとも一部が前記注射器本体の前記内部薬剤チャンバ中に引き込まれる、項目４２に記載のシステム。
（項目６０）
前記プランジャが、前記注射器本体に対する前記プランジャの手動挿入及び格納制御を促進するように構成されている近位サムパッドを備える、項目１に記載のシステム。
（項目６１）
前記プランジャが、前記ストッパー部材中に螺旋状に挿入され、かかる挿入により前記ストッパー部材に連結するように構成されている、プランジャ遠位端ねじ接合部を備える、項目１に記載のシステム。
（項目６２）
前記プランジャ部材が、前記プランジャ部材の表面に位置付けられた１つ以上のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１に記載のシステム。
（項目６３）
前記所定の位置が、前記ストッパー部材が前記注射器本体に対して前記プランジャ部材によって完全に挿入されている位置へと前進した位置である、項目６２に記載のシステム。
（項目６４）
前記プランジャ部材と前記注射器本体との間で動作可能に連結する係止部材を更に備え、前記係止部が、前記１つ以上のラチェット機構に係合可能な少なくとも１つのラチェット歯、及び前記注射器本体のハンドル部分に係合可能な近位接合部を備える、項目６２に記載のシステム。
（項目６５）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目４４に記載のシステム。
（項目６６）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１に記載のシステム。
（項目６７）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目６６に記載のシステム。
（項目６８）
前記制動部材が、プレートアパーチャー制動部を備える、項目６７に記載のシステム。（項目６９）
前記プレートアパーチャー制動部が一片の板金を含み、それを通してアパーチャーが形成されている、項目６８に記載のシステム。
（項目７０）
前記プランジャが前記注射器本体に対して完全に挿入された後で、前記注射器本体に対する前記プランジャの格納を促進するように構成されている、ばね部材を更に備える、項目６８に記載のシステム。
（項目７１）
前記プレートアパーチャー制動部が、前記ばね部材の少なくとも一部の可塑性変形を誘導することによって、前記第１のモードから前記第２のモードに切り替わるように構成されている、項目７０に記載のシステム。
（項目７２）
前記プランジャ部材の格納が、前記第２のモードにおいて格納始動荷重の適用を通して促進される、項目６７に記載のシステム。
（項目７３）
前記格納始動荷重が、前記制動部材に動作可能に連結したばね部材によって適用される、項目７２に記載のシステム。
（項目７４）
前記格納開始荷重が、前記プランジャ部材と前記注射器本体との間で連結したばね部材によって適用される、項目７２に記載のシステム。
（項目７５）
前記ばね部材が、コイルばね、板ばね、及びエラストマーばね要素から成る群から選択される、項目７３に記載のシステム。
（項目７６）
前記ばね部材が、コイルばね、板ばね、及びエラストマーばね要素から成る群から選択される、項目７４に記載のシステム。
（項目７７）
前記真空荷重が、前記プランジャを前記注射器本体に対して少なくとも部分的に格納するのに十分である、項目６６に記載のシステム。
（項目７８）
前記プランジャの格納が前記相互連結したストッパー部材及び針を格納し、その結果、前記針の少なくとも一部が前記注射器本体の前記内部薬剤チャンバ中に引き込まれる、項目７７に記載のシステム。
（項目７９）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１に記載のシステム。
（項目８０）
前記針被覆部材が、少なくとも１つのスナップオーバー式戻り止め接合部によって前記針に着脱可能に連結する、項目７９に記載のシステム。
（項目８１）
前記針被覆部材が、少なくとも２つのスナップオーバー式戻り止め接合部によって前記針に着脱可能に連結する、項目８０に記載のシステム。
（項目８２）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目８１に記載のシステム。
（項目８３）
スナップオーバー式戻り止め接合部が、前記戻り止めが軸荷重によって機械的に克服されるまで、前記針に対する前記針被覆部材の軸方向運動を防止するように配向されている、項目８１に記載のシステム。
（項目８４）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目７９に記載のシステム。
（項目８５）
薬剤チャンバが、チャンバの長さによって画定され、前記針が、前記チャンバの長さ以上である針の長さによって画定される、項目１に記載のシステム。
（項目８６）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目８５に記載のシステム。
（項目８７）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１に記載のシステム。
（項目８８）
前記プランジャ部材が、前記針の前記遠位端が構造的にカプセル化されるようになり、かつその後の前記針の前記遠位端へのアクセスが防止されるように、操作者によって手動で格納されるように構成されている、項目１に記載のシステム。
（項目８９）
前記針の前記遠位端が、前記内部薬剤チャンバ内に構造的にカプセル化されるようになる、項目８８に記載のシステム。
（項目９０）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目８８に記載のシステム。
（項目９１）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針と、
ｅ．注射器本体及び針に動作可能に連結した連結部材であって、前記針が前記注射器本体に着脱可能に連結する第１の状態と、前記針が前記注射器本体に対して自由に格納できる第２の状態と、を有する、連結部材と、を備える、システム。
（項目９２）
前記連結部材が、前記針が前記注射器本体に対する更なる挿入から機械的に防止される第３の状態を有するように更に構成されている、項目９１に記載のシステム。
（項目９３）
前記注射器本体が、市販の注射器本体を含む、項目９１に記載のシステム。
（項目９４）
前記注射器本体が、概して円筒形の幾何形状を備える、項目９１に記載のシステム。
（項目９５）
前記薬剤チャンバが、約０．５ｃｃ〜約５ｃｃの薬剤を収容するように構成されている、項目９１に記載のシステム。
（項目９６）
前記薬剤チャンバが、０．５ｃｃ、１ｃｃ、２．２５ｃｃ、３ｃｃ、及び５ｃｃから成る群から選択される薬剤の体積を収容するように構成されている、項目９５に記載のシステム。
（項目９７）
前記注射器本体が、ガラス材料を含む、項目９１に記載のシステム。
（項目９８）
前記注射器本体が、ポリマー材料を含む、項目９１に記載のシステム。
（項目９９）
前記ポリマー材料が、ＣＯＰ、ＣＯＣ、ポリエステル、及びポリプロピレンから成る群から選択される、項目９８に記載のシステム。
（項目１００）
前記注射器本体が、金属を含む、項目９１に記載のシステム。
（項目１０１）
前記注射器本体が、１つ以上の他のデバイス要素に機械的に連結するように構成されている、遠位外側幾何形状を備える、項目９１に記載のシステム。
（項目１０２）
前記注射器本体の遠位外側幾何形状が、ルアーロック接合部を含む、項目１０１に記載のシステム。
（項目１０３）
前記注射器本体の遠位外側幾何形状が、ルアーテーパ接合部を含む、項目１０１に記載のシステム。
（項目１０４）
前記注射器本体が、遠位薬剤ポートを画定する、項目９１に記載のシステム。
（項目１０５）
前記針が、前記注射器本体の前記遠位薬剤ポートを通して挿入可能であるように選択された最大外径を有する、項目１０４に記載のシステム。
（項目１０６）
前記遠位薬剤ポートが、約１ｍｍの内径を備える、項目１０５に記載のシステム。
（項目１０７）
前記針が、約３４ゲージ〜約２０ゲージのサイズを有する、項目１０６に記載のシステム。
（項目１０８）
前記ストッパー部材が、前記針の尖った近位端によって少なくとも部分的に貫通されるように構成されている、項目９１に記載のシステム。
（項目１０９）
前記針が、前記ストッパー部材中に少なくとも部分的に貫通した後の引き抜きに抵抗するように構成されている、少なくとも１つのアンカー要素を有する、項目９１に記載のシステム。
（項目１１０）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１０９に記載のシステム。
（項目１１１）
前記ストッパーが、前記注射器本体と共に実質的に封止するために、前記注射器本体の内側幾何形状に実質的に一致するように選択された外側幾何形状を有する、項目１０１に記載のシステム。
（項目１１２）
前記ストッパーが、クロロブチルゴム、ブロモブチルゴム、及びシリコンゴムから成る群から選択される、エラストマー材料を含む、項目９１に記載のシステム。
（項目１１３）
薬剤材料を前記ストッパーから隔離するために、前記ストッパーの少なくとも一部に適用された封止剤コーティングを更に備える、項目９１に記載のシステム。
（項目１１４）
前記封止剤コーティングが、ＰＴＦＥフィルムを含む、項目１１３に記載のシステム。（項目１１５）
前記ストッパーと前記注射器本体との間に導入された潤滑剤層を更に備える、項目９１に記載のシステム。
（項目１１６）
前記潤滑剤層が、シリコン油を含む、項目１１５に記載のシステム。
（項目１１７）
前記ストッパー部材の遠位部分が、従来の市販のコンプライアントストッパーを含む、項目９１に記載のシステム。
（項目１１８）
前記ストッパー部材が、針への連結のための陥凹または突出部を持たない未改質の中実コンプライアント部材を備える、項目１１７に記載のシステム。
（項目１１９）
前記針が、少なくとも１つの放射状に突出している係止表面機構を備える、項目１０１に記載のシステム。
（項目１２０）
前記針の前記近位端が、少なくとも１つのアンカー要素に対して近位に位置する少なくとも１つの貫通要素を備える、項目１１９に記載のシステム。
（項目１２１）
前記貫通要素が、尖った先端を備える、項目１２０に記載のシステム。
（項目１２２）
前記貫通要素が、中実構造であって、それを通して画定される内腔またはアパーチャーを持たない、中実構造を備える、項目１２１に記載のシステム。
（項目１２３）
前記針が、それを通した注射通路を画定し、前記注射通路が、前記針の遠位先端から前記アンカー要素の遠位先端の近位にある場所へと通じるように選択される、項目１２０に記載のシステム。
（項目１２４）
−−前記針が、カニューレ部材、ハブ部材、及び近位部材を備える、項目１１６に記載のシステム。
（項目１２５）
前記カニューレ部材及びハブ部材が、同じ材料片から形成される、項目１２４に記載のシステム。
（項目１２６）
前記カニューレ部材及びハブ部材が、共に固定して連結して前記針の一部を形成する、別々に形成された要素を備える、項目１２４に記載のシステム。
（項目１２７）
前記近位部材も、前記カニューレ部材及びハブ部材に固定して連結して前記針の一部を形成する、別々に形成された要素を備える、項目１２４に記載のシステム。
（項目１２８）
前記ハブ部材が、一片の管材から形成される、項目１２６に記載のシステム。
（項目１２９）
前記近位部材が、近位連結接合部を有する一片の平坦な板金を含む、項目１２４に記載のシステム。
（項目１３０）
前記カニューレ部材が、金属を含む、項目１２７に記載のシステム。
（項目１３１）
前記ハブが、金属またはプラスチック材料を含む、項目１２７に記載のシステム。
（項目１３２）
前記近位部材、金属またはプラスチック材料、項目１２７に記載のシステム。
（項目１３３）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目９１に記載のシステム。
（項目１３４）
前記プランジャ部材が、内部容積を画定するプランジャ部材本体を備え、前記エネルギー蓄積部材が、前記プランジャ部材本体の内部容積の実質的に内部に収納されている、項目１３３に記載のシステム。
（項目１３５）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１３４に記載のシステム。
（項目１３６）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１３５に記載のシステム。
（項目１３７）
前記所定の挿入位置が、前記ストッパーが前記注射器本体に対して完全な挿入状態で位置付けられる位置である、項目１３６に記載のシステム。
（項目１３８）
前記エネルギー蓄積部材が、ばねである、項目１３３に記載のシステム。
（項目１３９）
前記ばねが、ステンレス鋼、炭素鋼、ベリリウム銅合金、ニッケルチタン合金、クロムシリコン合金、及びコバルトニッケル合金から成る群から選択される材料を含む、項目１３８に記載のシステム。
（項目１４０）
前記ばねが、エラストマー性ポリマーを含む、項目１３８に記載のシステム。
（項目１４１）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目１４０に記載のシステム。
（項目１４２）
前記エネルギー蓄積部材が、中実ペレット部材を含む、項目１３３に記載のシステム。（項目１４３）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１４２に記載のシステム。
（項目１４４）
前記ばねが、単一の概して螺旋形状のコイルを含む、項目１３８に記載のシステム。
（項目１４５）
前記ばねが、複数の概して螺旋形状のコイルを含む、項目１３８に記載のシステム。
（項目１４６）
前記複数の概して螺旋形状のコイルを含む前記コイルのうちの少なくとも２つが、同軸上で整列している、項目１４５に記載のシステム。
（項目１４７）
前記複数の概して螺旋形状のコイルを含む前記コイルのうちの少なくとも２つが、長手方向に平行に整列している、項目１４５に記載のシステム。
（項目１４８）
前記同軸上で整列した螺旋形状のコイルも、長手方向に平行に整列している、項目１４６に記載のシステム。
（項目１４９）
前記同軸上かつ長手方向に平行に整列している螺旋形状のコイルが、前記コイルの圧縮時にコイルの干渉を防止するように、互いに対して反対の巻回方向で螺旋状に巻回される、項目１４８に記載のシステム。
（項目１５０）
前記プランジャの格納が前記相互連結したストッパー部材及び針を格納し、その結果、前記針の少なくとも一部が前記注射器本体の前記内部薬剤チャンバ中に引き込まれる、項目９１に記載のシステム。
（項目１５１）
前記プランジャが、前記注射器本体に対する前記プランジャの手動挿入及び格納制御を促進するように構成されている近位サムパッドを備える、項目９１に記載のシステム。
（項目１５２）
前記プランジャが、前記ストッパー部材中に螺旋状に挿入され、かかる挿入により前記ストッパー部材に連結するように構成されている、プランジャ遠位端ねじ接合部を備える、項目９１に記載のシステム。
（項目１５３）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目９１に記載のシステム。
（項目１５４）
前記所定の位置が、前記ストッパー部材が前記注射器本体に対して前記プランジャ部材によって完全に挿入されている位置へと前進した位置である、項目１５３に記載のシステム。
（項目１５５）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１５３に記載のシステム。
（項目１５６）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１３５に記載のシステム。
（項目１５７）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目９１に記載のシステム。
（項目１５８）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１５７に記載のシステム。
（項目１５９）
前記制動部材が、プレートアパーチャー制動部を備える、項目１５８に記載のシステム。
（項目１６０）
前記プレートアパーチャー制動部が一片の板金を含み、それを通してアパーチャーが形成されている、項目１５９に記載のシステム。
（項目１６１）
前記プランジャが前記注射器本体に対して完全に挿入された後で、前記注射器本体に対する前記プランジャの格納を促進するように構成されている、ばね部材を更に備える、項目１５９に記載のシステム。
（項目１６２）
前記プレートアパーチャー制動部が、前記ばね部材の少なくとも一部の可塑性変形を誘導することによって、前記第１のモードから前記第２のモードに切り替わるように構成されている、項目１６１に記載のシステム。
（項目１６３）
前記プランジャ部材の格納が、前記第２のモードにおいて格納始動荷重の適用を通して促進される、項目１５８に記載のシステム。
（項目１６４）
前記格納始動荷重が、前記制動部材に動作可能に連結したばね部材によって適用される、項目１６３に記載のシステム。
（項目１６５）
前記格納開始荷重が、前記プランジャ部材と前記注射器本体との間で連結したばね部材によって適用される、項目１６３に記載のシステム。
（項目１６６）
前記ばね部材が、コイルばね、板ばね、及びエラストマーばね要素から成る群から選択される、項目１６４に記載のシステム。
（項目１６７）
前記ばね部材が、コイルばね、板ばね、及びエラストマーばね要素から成る群から選択される、項目１６５に記載のシステム。
（項目１６８）
前記真空荷重が、前記プランジャを前記注射器本体に対して少なくとも部分的に格納するのに十分である、項目１５７に記載のシステム。
（項目１６９）
前記プランジャの格納が前記相互連結したストッパー部材及び針を格納し、その結果、前記針の少なくとも一部が前記注射器本体の前記内部薬剤チャンバ中に引き込まれる、項目１６８に記載のシステム。
（項目１７０）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目９１に記載のシステム。
（項目１７１）
前記針被覆部材が、少なくとも１つのスナップオーバー式戻り止め接合部によって前記針に着脱可能に連結する、項目１７０に記載のシステム。
（項目１７２）
前記針被覆部材が、少なくとも２つのスナップオーバー式戻り止め接合部によって前記針に着脱可能に連結する、項目１７１に記載のシステム。
（項目１７３）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目１７２に記載のシステム。
（項目１７４）
スナップオーバー式戻り止め接合部が、前記戻り止めが軸荷重によって機械的に克服されるまで、前記針に対する前記針被覆部材の軸方向運動を防止するように配向されている、項目１７２に記載のシステム。
（項目１７５）
記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目１７０に記載のシステム。
（項目１７６）
薬剤チャンバが、チャンバの長さによって画定され、前記針が、前記チャンバの長さ以上である針の長さによって画定される、項目９１に記載のシステム。
（項目１７７）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１７６に記載のシステム。
（項目１７８）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目９１に記載のシステム。
（項目１７９）
前記プランジャ部材が、前記針の前記遠位端が構造的にカプセル化されるようになり、かつその後の前記針の前記遠位端へのアクセスが防止されるように、操作者によって手動で格納されるように構成されている、項目９１に記載のシステム。
（項目１８０）
前記針の前記遠位端が、前記内部薬剤チャンバ内に構造的にカプセル化されるようになる、項目１７９に記載のシステム。
（項目１８１）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１７９に記載のシステム。
（項目１８２）
注射のためのシステムであって、
ａ．内部薬剤チャンバを画定する注射器本体、及び遠位針接合部と、
ｂ．薬剤を前記薬剤チャンバ内に収容するために前記内部薬剤チャンバに挿入されるように構成され、近位端及び遠位端を有する、ストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の前記遠位針接合部に連結する、針と、を備え、
前記ストッパー部材の前記遠位端が、事前形成された針連結機構を有しないように構成されている、システム。
（項目１８３）
前記ストッパー部材の前記遠位端が、凸形状、凹形状、平坦形状、及び円錐形状から成る群から選択される遠位表面形状を有するように構成されている、項目１８２に記載のシステム。
（項目１８４）
前記注射器本体が、市販の注射器本体を含む、項目１８２に記載のシステム。
（項目１８５）
前記注射器本体が、概して円筒形の幾何形状を備える、項目１８２に記載のシステム。（項目１８６）
前記薬剤チャンバが、約０．５ｃｃ〜約５ｃｃの薬剤を収容するように構成されている、項目１８２に記載のシステム。
（項目１８７）
前記薬剤チャンバが、０．５ｃｃ、１ｃｃ、２．２５ｃｃ、３ｃｃ、及び５ｃｃから成る群から選択される体積の薬剤を収容するように構成されている、項目１８６に記載のシステム。
（項目１８８）
前記注射器本体が、ガラス材料を含む、項目１８２に記載のシステム。
（項目１８９）
前記注射器本体が、ポリマー材料を含む、項目１８２に記載のシステム。
（項目１９０）
前記ポリマー材料が、ＣＯＰ、ＣＯＣ、ポリエステル、及びポリプロピレンから成る群から選択される、項目１８９に記載のシステム。
（項目１９１）
前記注射器本体が、金属を含む、項目１８２に記載のシステム。
（項目１９２）
前記注射器本体が、１つ以上の他のデバイス要素に機械的に連結するように構成されている、遠位外側幾何形状を備える、項目１８２に記載のシステム。
（項目１９３）
前記注射器本体が、前記注射器本体の遠位外側幾何形状が、ルアーロック接合部を含む、項目１９２に記載のシステム。
（項目１９４）
前記注射器本体の遠位外側幾何形状が、ルアーテーパ接合部を含む、項目１９２に記載のシステム。
（項目１９５）
前記注射器本体が、遠位薬剤ポートを画定する、項目１８２に記載のシステム。
（項目１９６）
前記針が、前記注射器本体の前記遠位薬剤ポートを通して挿入可能であるように選択された最大外径を有する、項目１９５に記載のシステム。
（項目１９７）
前記遠位薬剤ポートが、約１ｍｍの内径を備える、項目１９６に記載のシステム。
（項目１９８）
前記針が、約３４ゲージ〜約２０ゲージのサイズを有する、項目１９７に記載のシステム。
（項目１９９）
前記ストッパー部材が、前記針の尖った近位端によって少なくとも部分的に貫通されるように構成されている、項目１８２に記載のシステム。
（項目２００）
前記針が、前記ストッパー部材中に少なくとも部分的に貫通した後の引き抜きに抵抗するように構成されている、少なくとも１つのアンカー要素を有する、項目１８２に記載のシステム。
（項目２０１）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目２００に記載のシステム。
（項目２０２）
前記ストッパーが、前記注射器本体と共に実質的に封止するために、前記注射器本体の内側幾何形状に実質的に一致するように選択された外側幾何形状を有する、項目１８２に記載のシステム。
（項目２０３）
前記ストッパーが、クロロブチルゴム、ブロモブチルゴム、及びシリコンゴムから成る群から選択される、エラストマー材料を含む、項目１８２に記載のシステム。
（項目２０４）
薬剤材料を前記ストッパーから隔離するために、前記ストッパーの少なくとも一部に適用された封止剤コーティングを更に備える、項目１８２に記載のシステム。
（項目２０５）
前記封止剤コーティングが、ＰＴＦＥフィルムを含む、項目２０４に記載のシステム。（項目２０６）
前記ストッパーと前記注射器本体との間に導入された潤滑剤層を更に備える、項目１８２に記載のシステム。
（項目２０７）
前記潤滑剤層が、シリコン油を含む、項目２０６に記載のシステム。
（項目２０８）
前記ストッパー部材の遠位部分が、従来の市販のコンプライアントストッパーを含む、項目１８２に記載のシステム。
（項目２０９）
前記ストッパー部材が、針への連結のための陥凹または突出部を持たない未改質の中実コンプライアント部材を備える、項目２０８に記載のシステム。
（項目２１０）
前記針が、少なくとも１つの放射状に突出している係止表面機構を備える、項目１８２に記載のシステム。
（項目２１１）
前記針の前記近位端が、少なくとも１つのアンカー要素に対して近位に位置する少なくとも１つの貫通要素を備える、項目２１０に記載のシステム。
（項目２１２）
前記貫通要素が、尖った先端を備える、項目２１１に記載のシステム。
（項目２１３）
前記貫通要素が、中実構造であって、それを通して画定される内腔またはアパーチャーを持たない、中実構造を備える、項目２１２に記載のシステム。
（項目２１４）
前記針が、それを通した注射通路を画定し、前記注射通路が、前記針の遠位先端から前記アンカー要素の遠位先端の近位にある場所へと通じるように選択される、項目２１１に記載のシステム。
（項目２１５）
前記針が、カニューレ部材、ハブ部材、及び近位部材を備える、項目２１０に記載のシステム。
（項目２１６）
前記カニューレ部材及びハブ部材が、同じ材料片から形成される、項目２１５に記載のシステム。
（項目２１７）
前記カニューレ部材及びハブ部材が、共に固定して連結して前記針の一部を形成する、別々に形成された要素を備える、項目２１５に記載のシステム。
（項目２１８）
前記近位部材も、前記カニューレ部材及びハブ部材に固定して連結して前記針の一部を形成する、別々に形成された要素を備える、項目２１５に記載のシステム。
（項目２１９）
前記ハブ部材が、一片の管材から形成される、項目２１７に記載のシステム。
（項目２２０）
前記近位部材が、近位連結接合部を有する一片の平坦な板金を含む、項目２１５に記載のシステム。
（項目２２１）
前記カニューレ部材が、金属を含む、項目２１８に記載のシステム。
（項目２２２）
前記ハブが、金属またはプラスチック材料を含む、項目２１８に記載のシステム。
（項目２２３）
前記近位部材、金属またはプラスチック材料、項目２１８に記載のシステム。
（項目２２４）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１８２に記載のシステム。
（項目２２５）
前記プランジャ部材が、内部容積を画定するプランジャ部材本体を備え、前記エネルギー蓄積部材が、前記プランジャ部材本体の内部容積の実質的に内部に収納されている、項目２２４に記載のシステム。
（項目２２６）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目２２５に記載のシステム。
（項目２２７）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目２２６に記載のシステム。
（項目２２８）
前記所定の挿入位置が、前記ストッパーが前記注射器本体に対して完全な挿入状態で位置付けられる位置である、項目２２７に記載のシステム。
（項目２２９）
前記エネルギー蓄積部材が、ばねである、項目２２４に記載のシステム。
（項目２３０）
前記ばねが、ステンレス鋼、炭素鋼、ベリリウム銅合金、ニッケルチタン合金、クロムシリコン合金、及びコバルトニッケル合金から成る群から選択される材料を含む、項目２２９に記載のシステム。
（項目２３１）
前記ばねが、エラストマー性ポリマーを含む、項目２２９に記載のシステム。
（項目２３２）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目２３１に記載のシステム。
（項目２３３）
前記エネルギー蓄積部材が、中実ペレット部材を含む、項目２２４に記載のシステム。（項目２３４）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目２３３に記載のシステム。
（項目２３５）
前記ばねが、単一の概して螺旋形状のコイルを含む、項目２２９に記載のシステム。
（項目２３６）
前記ばねが、複数の概して螺旋形状のコイルを含む、項目２２９に記載のシステム。
（項目２３７）
前記複数の概して螺旋形状のコイルを含む前記コイルのうちの少なくとも２つが、同軸上で整列している、項目２３６に記載のシステム。
（項目２３８）
前記複数の概して螺旋形状のコイルを含む前記コイルのうちの少なくとも２つが、長手方向に平行に整列している、項目２３６に記載のシステム。
（項目２３９）
前記同軸上で整列した螺旋形状のコイルも、長手方向に平行に整列している、項目２３７に記載のシステム。
（項目２４０）
前記同軸上かつ長手方向に平行に整列している螺旋形状のコイルが、前記コイルの圧縮時にコイルの干渉を防止するように、互いに対して反対の巻回方向で螺旋状に巻回される、項目２３８に記載のシステム。
（項目２４１）
前記プランジャの格納が前記相互連結したストッパー部材及び針を格納し、その結果、前記針の少なくとも一部が前記注射器本体の前記内部薬剤チャンバ中に引き込まれる、項目２２４に記載のシステム。
（項目２４２）
前記プランジャが、前記注射器本体に対する前記プランジャの手動挿入及び格納制御を促進するように構成されている近位サムパッドを備える、項目１８２に記載のシステム。（項目２４３）
前記プランジャが、前記ストッパー部材中に螺旋状に挿入され、かかる挿入により前記ストッパー部材に連結するように構成されている、プランジャ遠位端ねじ接合部を備える、項目１８２に記載のシステム。
（項目２４４）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１８２に記載のシステム。
（項目２４５）
前記所定の位置が、前記ストッパー部材が前記注射器本体に対して前記プランジャ部材によって完全に挿入されている位置へと前進した位置である、項目２４４に記載のシステム。
（項目２４６）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目２４４に記載のシステム。
（項目２４７）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目２２６に記載のシステム。
（項目２４８）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１８２に記載のシステム。
（項目２４９）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目２４８に記載のシステム。
（項目２５０）
前記制動部材が、プレートアパーチャー制動部を備える、項目２４９に記載のシステム。
（項目２５１）
前記プレートアパーチャー制動部が一片の板金を含み、それを通してアパーチャーが形成されている、項目２５０に記載のシステム。
（項目２５２）
前記プランジャが前記注射器本体に対して完全に挿入された後で、前記注射器本体に対する前記プランジャの格納を促進するように構成されている、ばね部材を更に備える、項目２５０に記載のシステム。
（項目２５３）
前記プレートアパーチャー制動部が、前記ばね部材の少なくとも一部の可塑性変形を誘導することによって、前記第１のモードから前記第２のモードに切り替わるように構成されている、項目２５２に記載のシステム。
（項目２５４）
前記プランジャ部材の格納が、前記第２のモードにおいて格納始動荷重の適用を通して促進される、項目２４９に記載のシステム。
（項目２５５）
前記格納始動荷重が、前記制動部材に動作可能に連結したばね部材によって適用される、項目２５４に記載のシステム。
（項目２５６）
前記格納開始荷重が、前記プランジャ部材と前記注射器本体との間で連結したばね部材によって適用される、項目２５４に記載のシステム。
（項目２５７）
前記ばね部材が、コイルばね、板ばね、及びエラストマーばね要素から成る群から選択される、項目２５５に記載のシステム。
（項目２５８）
前記ばね部材が、コイルばね、板ばね、及びエラストマーばね要素から成る群から選択される、項目２５６に記載のシステム。
（項目２５９）
前記真空荷重が、前記プランジャを前記注射器本体に対して少なくとも部分的に格納するのに十分である、項目２４８に記載のシステム。
（項目２６０）
前記プランジャの格納が前記相互連結したストッパー部材及び針を格納し、その結果、前記針の少なくとも一部が前記注射器本体の前記内部薬剤チャンバ中に引き込まれる、項目２５９に記載のシステム。
（項目２６１）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１８２に記載のシステム。
（項目２６２）
前記針被覆部材が、少なくとも１つのスナップオーバー式戻り止め接合部によって前記針に着脱可能に連結する、項目２６１に記載のシステム。
（項目２６３）
前記針被覆部材が、少なくとも２つのスナップオーバー式戻り止め接合部によって前記針に着脱可能に連結する、項目２６２に記載のシステム。
（項目２６４）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目２６３に記載のシステム。
（項目２６５）
スナップオーバー式戻り止め接合部が、前記戻り止めが軸荷重によって機械的に克服されるまで、前記針に対する前記針被覆部材の軸方向運動を防止するように配向されている、項目２６３に記載のシステム。
（項目２６６）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目２６１に記載のシステム。
（項目２６７）
薬剤チャンバが、チャンバの長さによって画定され、前記針が、前記チャンバの長さ以上である針の長さによって画定される、項目１８２に記載のシステム。
（項目２６８）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目２６７に記載のシステム。
（項目２６９）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１８２に記載のシステム。
（項目２７０）
前記プランジャ部材が、前記針の前記遠位端が構造的にカプセル化されるようになり、かつその後の前記針の前記遠位端へのアクセスが防止されるように、操作者によって手動で格納されるように構成されている、項目１８２に記載のシステム。
（項目２７１）
前記針の前記遠位端が、前記内部薬剤チャンバ内に構造的にカプセル化されるようになる、項目２７０に記載のシステム。
（項目２７２）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目２７０に記載のシステム。
（項目２７３）
注射のためのシステムであって、
ａ．内部薬剤チャンバを画定する注射器本体、及びルアーテーパを画定する遠位針接合部と、
ｂ．薬剤を前記薬剤チャンバ内に収容するために前記内部薬剤チャンバに挿入されるように構成され、近位端及び遠位端を有する、ストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の前記遠位針接合部に連結する、針と、を備え、
前記針近位端が、前記ルアーテーパの外側表面に着脱可能に連結するように構成されている、システム。
（項目２７４）
前記注射器本体が、市販の注射器本体を含む、項目２７３に記載のシステム。
（項目２７５）
前記注射器本体が、概して円筒形の幾何形状を備える、項目２７３に記載のシステム。（項目２７６）
前記薬剤チャンバが、約０．５ｃｃ〜約５ｃｃの薬剤を収容するように構成されている、項目２７３に記載のシステム。
（項目２７７）
前記薬剤チャンバが、０．５ｃｃ、１ｃｃ、２．２５ｃｃ、３ｃｃ、及び５ｃｃから成る群から選択される体積の薬剤を収容するように構成されている、項目２７６に記載のシステム。
（項目２７８）
前記注射器本体が、ガラス材料を含む、項目２７３に記載のシステム。
（項目２７９）
前記注射器本体が、ポリマー材料を含む、項目２７３に記載のシステム。
（項目２８０）
前記ポリマー材料が、ＣＯＰ、ＣＯＣ、ポリエステル、及びポリプロピレンから成る群から選択される、項目２７９に記載のシステム。
（項目２８１）
前記注射器本体が、金属を含む、項目２７３に記載のシステム。
（項目２８２）
前記注射器本体が、１つ以上の他のデバイス要素に機械的に連結するように構成されている、遠位外側幾何形状を備える、項目２７３に記載のシステム。
（項目２８３）
前記注射器本体の遠位外側幾何形状が、ルアーロック接合部を含む、項目２８２に記載のシステム。
（項目２８４）
前記注射器本体の遠位外側幾何形状が、ルアーテーパ接合部を含む、項目２８２に記載のシステム。
（項目２８５）
前記注射器本体が、遠位薬剤ポートを画定する、項目２７３に記載のシステム。
（項目２８６）
前記針が、前記注射器本体の前記遠位薬剤ポートを通して挿入可能であるように選択された最大外径を有する、項目２８５に記載のシステム。
（項目２８７）
前記遠位薬剤ポートが、約１ｍｍの内径を備える、項目２８６に記載のシステム。
（項目２８８）
前記針が、約３４ゲージ〜約２０ゲージのサイズを有する、項目２８７に記載のシステム。
（項目２８９）
前記ストッパー部材が、前記針の尖った近位端によって少なくとも部分的に貫通されるように構成されている、項目２７３に記載のシステム。
（項目２９０）
前記針が、前記ストッパー部材中に少なくとも部分的に貫通した後の引き抜きに抵抗するように構成されている、少なくとも１つのアンカー要素を有する、項目２７３に記載のシステム。
（項目２９１）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目２９０に記載のシステム。
（項目２９２）
前記ストッパーが、前記注射器本体と共に実質的に封止するために、前記注射器本体の内側幾何形状に実質的に一致するように選択された外側幾何形状を有する、項目２７３に記載のシステム。
（項目２９３）
前記ストッパーが、クロロブチルゴム、ブロモブチルゴム、及びシリコンゴムから成る群から選択される、エラストマー材料を含む、項目２７３に記載のシステム。
（項目２９４）
薬剤材料を前記ストッパーから隔離するために、前記ストッパーの少なくとも一部に適用された封止剤コーティングを更に備える、項目２７３に記載のシステム。
（項目２９５）
前記封止剤コーティングが、ＰＴＦＥフィルムを含む、項目２９４に記載のシステム。（項目２９６）
前記ストッパーと前記注射器本体との間に導入された潤滑剤層を更に備える、項目２７３に記載のシステム。
（項目２９７）
前記潤滑剤層が、シリコン油を含む、項目２９６に記載のシステム。
（項目２９８）
前記ストッパー部材の遠位部分が、従来の市販のコンプライアントストッパーを含む、項目２７３に記載のシステム。
（項目２９９）
前記ストッパー部材が、針への連結のための陥凹または突出部を持たない未改質の中実コンプライアント部材を備える、項目２９８に記載のシステム。
（項目３００）
前記針が、少なくとも１つの放射状に突出している係止表面機構を備える、項目２７３に記載のシステム。
（項目３０１）
前記針の前記近位端が、少なくとも１つのアンカー要素に対して近位に位置する少なくとも１つの貫通要素を備える、項目３００に記載のシステム。
（項目３０２）
前記貫通要素が、尖った先端を備える、項目３０１に記載のシステム。
（項目３０３）
前記貫通要素が、中実構造であって、それを通して画定される内腔またはアパーチャーを持たない、中実構造を備える、項目３０２に記載のシステム。
（項目３０４）
前記針が、それを通した注射通路を画定し、前記注射通路が、前記針の遠位先端から前記アンカー要素の遠位先端の近位にある場所へと通じるように選択される、項目３０１に記載のシステム。
（項目３０５）
前記針が、カニューレ部材、ハブ部材、及び近位部材を備える、項目３００に記載のシステム。
（項目３０６）
前記カニューレ部材及びハブ部材が、同じ材料片から形成される、項目３０５に記載のシステム。
（項目３０７）
前記カニューレ部材及びハブ部材が、共に固定して連結して前記針の一部を形成する、別々に形成された要素を備える、項目３０５に記載のシステム。
（項目３０８）
前記近位部材も、前記カニューレ部材及びハブ部材に固定して連結して前記針の一部を形成する、別々に形成された要素を備える、項目３０５に記載のシステム。
（項目３０９）
前記ハブ部材が、一片の管材から形成される、項目３０７に記載のシステム。
（項目３１０）
前記近位部材が、近位連結接合部を有する一片の平坦な板金を含む、項目３０５に記載のシステム。
（項目３１１）
前記カニューレ部材が、金属を含む、項目３０８に記載のシステム。
（項目３１２）
前記ハブが、金属またはプラスチック材料を含む、項目３０８に記載のシステム。
（項目３１３）
前記近位部材、金属またはプラスチック材料、項目３０８に記載のシステム。
（項目３１４）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目２７３に記載のシステム。
（項目３１５）
前記プランジャ部材が、内部容積を画定するプランジャ部材本体を備え、前記エネルギー蓄積部材が、前記プランジャ部材本体の内部容積の実質的に内部に収納されている、項目３１４に記載のシステム。
（項目３１６）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目３１５に記載のシステム。
（項目３１７）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目３１６に記載のシステム。
（項目３１８）
前記所定の挿入位置が、前記ストッパーが前記注射器本体に対して完全な挿入状態で位置付けられる位置である、項目３１７に記載のシステム。
（項目３１９）
前記エネルギー蓄積部材が、ばねである、項目３１４に記載のシステム。
（項目３２０）
前記ばねが、ステンレス鋼、炭素鋼、ベリリウム銅合金、ニッケルチタン合金、クロムシリコン合金、及びコバルトニッケル合金から成る群から選択される材料を含む、項目３１９に記載のシステム。
（項目３２１）
前記ばねが、エラストマー性ポリマーを含む、項目３１９に記載のシステム。
（項目３２２）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目３２１に記載のシステム。
（項目３２３）
前記エネルギー蓄積部材が、中実ペレット部材を含む、項目３１４に記載のシステム。（項目３２４）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目３２３に記載のシステム。
（項目３２５）
前記ばねが、単一の概して螺旋形状のコイルを含む、項目３１９に記載のシステム。
（項目３２６）
前記ばねが、複数の概して螺旋形状のコイルを含む、項目３１９に記載のシステム。
（項目３２７）
前記複数の概して螺旋形状のコイルを含む前記コイルのうちの少なくとも２つが、同軸上で整列している、項目３２６に記載のシステム。
（項目３２８）
前記複数の概して螺旋形状のコイルを含む前記コイルのうちの少なくとも２つが、長手方向に平行に整列している、項目３２６に記載のシステム。
（項目３２９）
前記同軸上で整列した螺旋形状のコイルも、長手方向に平行に整列している、項目３２７に記載のシステム。
（項目３３０）
前記同軸上かつ長手方向に平行に整列している螺旋形状のコイルが、前記コイルの圧縮時にコイルの干渉を防止するように、互いに対して反対の巻回方向で螺旋状に巻回される、項目３２９に記載のシステム。
（項目３３１）
前記プランジャの格納が前記相互連結したストッパー部材及び針を格納し、その結果、前記針の少なくとも一部が前記注射器本体の前記内部薬剤チャンバ中に引き込まれる、項目３１６に記載のシステム。
（項目３３２）
前記プランジャが、前記注射器本体に対する前記プランジャの手動挿入及び格納制御を促進するように構成されている近位サムパッドを備える、項目２７３に記載のシステム。（項目３３３）
前記プランジャが、前記ストッパー部材中に螺旋状に挿入され、かかる挿入により前記ストッパー部材に連結するように構成されている、プランジャ遠位端ねじ接合部を備える、項目２７３に記載のシステム。
（項目３３４）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目２７３に記載のシステム。
（項目３３５）
前記所定の位置が、前記ストッパー部材が前記注射器本体に対して前記プランジャ部材によって完全に挿入されている位置へと前進した位置である、項目３３４に記載のシステム。
（項目３３６）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目３３４に記載のシステム。
（項目３３７）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目３１４に記載のシステム。
（項目３３８）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目２７３に記載のシステム。
（項目３３９）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目３３８に記載のシステム。
（項目３４０）
前記制動部材が、プレートアパーチャー制動部を備える、項目３３９に記載のシステム。
（項目３４１）
前記プレートアパーチャー制動部が一片の板金を含み、それを通してアパーチャーが形成されている、項目３４０に記載のシステム。
（項目３４２）
前記プランジャが前記注射器本体に対して完全に挿入された後で、前記注射器本体に対する前記プランジャの格納を促進するように構成されている、ばね部材を更に備える、項目３４０に記載のシステム。
（項目３４３）
前記プレートアパーチャー制動部が、前記ばね部材の少なくとも一部の可塑性変形を誘導することによって、前記第１のモードから前記第２のモードに切り替わるように構成されている、項目３４２に記載のシステム。
（項目３４４）
前記プランジャ部材の格納が、前記第２のモードにおいて格納始動荷重の適用を通して促進される、項目３３９に記載のシステム。
（項目３４５）
前記格納始動荷重が、前記制動部材に動作可能に連結したばね部材によって適用される、項目３４４に記載のシステム。
（項目３４６）
前記格納開始荷重が、前記プランジャ部材と前記注射器本体との間で連結したばね部材によって適用される、項目３４４に記載のシステム。
（項目３４７）
前記ばね部材が、コイルばね、板ばね、及びエラストマーばね要素から成る群から選択される、項目３４２に記載のシステム。
（項目３４８）
前記ばね部材が、コイルばね、板ばね、及びエラストマーばね要素から成る群から選択される、項目３４６に記載のシステム。
（項目３４９）
前記真空荷重が、前記プランジャを前記注射器本体に対して少なくとも部分的に格納するのに十分である、項目３３８に記載のシステム。
（項目３５０）
前記プランジャの格納が前記相互連結したストッパー部材及び針を格納し、その結果、前記針の少なくとも一部が前記注射器本体の前記内部薬剤チャンバ中に引き込まれる、項目３４９に記載のシステム。
（項目３５１）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目２７３に記載のシステム。
（項目３５２）
前記針被覆部材が、少なくとも１つのスナップオーバー式戻り止め接合部によって前記針に着脱可能に連結する、項目３５１に記載のシステム。
（項目３５３）
前記針被覆部材が、少なくとも２つのスナップオーバー式戻り止め接合部によって前記針に着脱可能に連結する、項目３５２に記載のシステム。
（項目３５４）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目３５３に記載のシステム。
（項目３５５）
スナップオーバー式戻り止め接合部が、前記戻り止めが軸荷重によって機械的に克服されるまで、前記針に対する前記針被覆部材の軸方向運動を防止するように配向されている、項目３５３に記載のシステム。
（項目３５６）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目３５１に記載のシステム。
（項目３５７）
薬剤チャンバが、チャンバの長さによって画定され、前記針が、前記チャンバの長さ以上である針の長さによって画定される、項目２７３に記載のシステム。
（項目３５８）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目３５７に記載のシステム。
（項目３５９）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目２７３に記載のシステム。
（項目３６０）
前記プランジャ部材が、前記針の前記遠位端が構造的にカプセル化されるようになり、かつその後の前記針の前記遠位端へのアクセスが防止されるように、操作者によって手動で格納されるように構成されている、項目２７３に記載のシステム。
（項目３６１）
前記針の前記遠位端が、前記内部薬剤チャンバ内に構造的にカプセル化されるようになる、項目３６０に記載のシステム。
（項目３６２）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目３６０に記載のシステム。
（項目３６３）
注射のためのシステムであって、
ａ．内部薬剤チャンバを画定する注射器本体、及び遠位針接合部と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記ストッパー部材の完全に挿入された位置への格納の際に、前記ストッパー部材に連結することで、前記ストッパー部材の格納の際に、前記針を前記ストッパーと共に近位に引っ張って、前記内部薬剤チャンバ内に収容するように構成されている、針と、を備え、
前記針が、前記内部薬剤チャンバ中へと、前記針の前記遠位端が前記内部薬剤チャンバ内に収容される位置に格納される際に、前記針が、前記注射器本体の長手方向軸と整列しなくなることで、前記内部薬剤チャンバから出て再挿入されることを防止するようにする、システム。
（項目３６４）
前記針が、前記針が前記注射器本体の長手方向軸と整列しなくなった後で前記注射器本体に対して前記針を再挿入する試みの際に、可塑的に変形するように構成されている、項目３６３に記載のシステム。
（項目３６５）
前記針が、前記針の少なくとも一部分における屈曲を伴って可塑的に変形するように構成されている、項目３６４に記載のシステム。
（項目３６６）
前記注射器本体が、市販の注射器本体を含む、項目３６３に記載のシステム。
（項目３６７）
前記注射器本体が、概して円筒形の幾何形状を備える、項目３６３に記載のシステム。（項目３６８）
前記薬剤チャンバが、約０．５ｃｃ〜約５ｃｃの薬剤を収容するように構成されている、項目３６３に記載のシステム。
（項目３６９）
前記薬剤チャンバが、０．５ｃｃ、１ｃｃ、２．２５ｃｃ、３ｃｃ、及び５ｃｃから成る群から選択される体積の薬剤を収容するように構成されている、項目３６８に記載のシステム。
（項目３７０）
前記注射器本体が、ガラス材料を含む、項目３６３に記載のシステム。
（項目３７１）
前記注射器本体が、ポリマー材料を含む、項目３６３に記載のシステム。
（項目３７２）
前記ポリマー材料が、ＣＯＰ、ＣＯＣ、ポリエステル、及びポリプロピレンから成る群から選択される、項目３７１に記載のシステム。
（項目３７３）
前記注射器本体が、金属を含む、項目３６３に記載のシステム。
（項目３７４）
前記注射器本体が、１つ以上の他のデバイス要素に機械的に連結するように構成されている、遠位外側幾何形状を備える、項目３６３に記載のシステム。
（項目３７５）
前記注射器本体の遠位外側幾何形状が、ルアーロック接合部を含む、項目３７４に記載のシステム。
（項目３７６）
前記注射器本体の遠位外側幾何形状が、ルアーテーパ接合部を含む、項目３７４に記載のシステム。
（項目３７７）
前記注射器本体が、遠位薬剤ポートを画定する、項目３６３に記載のシステム。
（項目３７８）
前記針が、前記注射器本体の前記遠位薬剤ポートを通して挿入可能であるように選択された最大外径を有する、項目３７７に記載のシステム。
（項目３７９）
前記遠位薬剤ポートが、約１ｍｍの内径を備える、項目３７８に記載のシステム。
（項目３８０）
前記針が、約３４ゲージ〜約２０ゲージのサイズを有する、項目３７９に記載のシステム。
（項目３８１）
前記ストッパー部材が、前記針の尖った近位端によって少なくとも部分的に貫通されるように構成されている、項目３６３に記載のシステム。
（項目３８２）
前記針が、前記ストッパー部材中に少なくとも部分的に貫通した後の引き抜きに抵抗するように構成されている、少なくとも１つのアンカー要素を有する、項目３６３に記載のシステム。
（項目３８３）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目３８２に記載のシステム。
（項目３８４）
前記ストッパーが、前記注射器本体と共に実質的に封止するために、前記注射器本体の内側幾何形状に実質的に一致するように選択された外側幾何形状を有する、項目３６３に記載のシステム。
（項目３８５）
前記ストッパーが、クロロブチルゴム、ブロモブチルゴム、及びシリコンゴムから成る群から選択される、エラストマー材料を含む、項目３６３に記載のシステム。
（項目３８６）
薬剤材料を前記ストッパーから隔離するために、前記ストッパーの少なくとも一部に適用された封止剤コーティングを更に備える、項目３６３に記載のシステム。
（項目３８７）
前記封止剤コーティングが、ＰＴＦＥフィルムを含む、項目３８６に記載のシステム。（項目３８８）
前記ストッパーと前記注射器本体との間に導入された潤滑剤層を更に備える、項目３６３に記載のシステム。
（項目３８９）
前記潤滑剤層が、シリコン油を含む、項目３８８に記載のシステム。
（項目３９０）
前記ストッパー部材の遠位部分が、従来の市販のコンプライアントストッパーを含む、項目３６３に記載のシステム。
（項目３９１）
前記ストッパー部材が、針への連結のための陥凹または突出部を持たない未改質の中実コンプライアント部材を備える、項目３９０に記載のシステム。
（項目３９２）
前記針が、少なくとも１つの放射状に突出している係止表面機構を備える、項目３６３に記載のシステム。
（項目３９３）
前記針の前記近位端が、少なくとも１つのアンカー要素に対して近位に位置する少なくとも１つの貫通要素を備える、項目３９２に記載のシステム。
（項目３９４）
前記貫通要素が、尖った先端を備える、項目３９３に記載のシステム。
（項目３９５）
前記貫通要素が、中実構造であって、それを通して画定される内腔またはアパーチャーを持たない、中実構造を備える、項目３９４に記載のシステム。
（項目３９６）
前記針が、それを通した注射通路を画定し、前記注射通路が、前記針の遠位先端から前記アンカー要素の遠位先端の近位にある場所へと通じるように選択される、項目３９３に記載のシステム。
（項目３９７）
前記針が、カニューレ部材、ハブ部材、及び近位部材を備える、項目３９２に記載のシステム。
（項目３９８）
前記カニューレ部材及びハブ部材が、同じ材料片から形成される、項目３９７に記載のシステム。
（項目３９９）
前記カニューレ部材及びハブ部材が、共に固定して連結して前記針の一部を形成する、別々に形成された要素を備える、項目３９７に記載のシステム。
（項目４００）
前記近位部材も、前記カニューレ部材及びハブ部材に固定して連結して前記針の一部を形成する、別々に形成された要素を備える、項目３９７に記載のシステム。
（項目４０１）
前記ハブ部材が、一片の管材から形成される、項目３９９に記載のシステム。
（項目４０２）
前記近位部材が、近位連結接合部を有する一片の平坦な板金を含む、項目３９７に記載のシステム。
（項目４０３）
前記カニューレ部材が、金属を含む、項目４００に記載のシステム。
（項目４０４）
前記ハブが、金属またはプラスチック材料を含む、項目４００に記載のシステム。
（項目４０５）
前記近位部材、金属またはプラスチック材料、項目４００に記載のシステム。
（項目４０６）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目３６３に記載のシステム。
（項目４０７）
前記プランジャ部材が、内部容積を画定するプランジャ部材本体を備え、前記エネルギー蓄積部材が、前記プランジャ部材本体の内部容積の実質的に内部に収納されている、項目４０６に記載のシステム。
（項目４０８）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目４０７に記載のシステム。
（項目４０９）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目４０８に記載のシステム。
（項目４１０）
前記所定の挿入位置が、前記ストッパーが前記注射器本体に対して完全な挿入状態で位置付けられる位置である、項目４０９に記載のシステム。
（項目４１１）
前記エネルギー蓄積部材が、ばねである、項目４０６に記載のシステム。
（項目４１２）
前記ばねが、ステンレス鋼、炭素鋼、ベリリウム銅合金、ニッケルチタン合金、クロムシリコン合金、及びコバルトニッケル合金から成る群から選択される材料を含む、項目４１１に記載のシステム。
（項目４１３）
前記ばねが、エラストマー性ポリマーを含む、項目４１１に記載のシステム。
（項目４１４）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目４１３に記載のシステム。
（項目４１５）
前記エネルギー蓄積部材が、中実ペレット部材を含む、項目４０６に記載のシステム。（項目４１６）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目４１５に記載のシステム。
（項目４１７）
前記ばねが、単一の概して螺旋形状のコイルを含む、項目４１１に記載のシステム。
（項目４１８）
前記ばねが、複数の概して螺旋形状のコイルを含む、項目４１１に記載のシステム。
（項目４１９）
前記複数の概して螺旋形状のコイルを含む前記コイルのうちの少なくとも２つが、同軸上で整列している、項目４１８に記載のシステム。
（項目４２０）
前記複数の概して螺旋形状のコイルを含む前記コイルのうちの少なくとも２つが、長手方向に平行に整列している、項目４１８に記載のシステム。
（項目４２１）
前記同軸上で整列した螺旋形状のコイルも、長手方向に平行に整列している、項目４１９に記載のシステム。
（項目４２２）
前記同軸上かつ長手方向に平行に整列している螺旋形状のコイルが、前記コイルの圧縮時にコイルの干渉を防止するように、互いに対して反対の巻回方向で螺旋状に巻回される、項目４２１に記載のシステム。
（項目４２３）
前記プランジャの格納が前記相互連結したストッパー部材及び針を格納し、その結果、前記針の少なくとも一部が前記注射器本体の前記内部薬剤チャンバ中に引き込まれる、項目４０６に記載のシステム。
（項目４２４）
前記プランジャが、前記注射器本体に対する前記プランジャの手動挿入及び格納制御を促進するように構成されている近位サムパッドを備える、項目３６３に記載のシステム。
（項目４２５）
前記プランジャが、前記ストッパー部材中に螺旋状に挿入され、かかる挿入により前記ストッパー部材に連結するように構成されている、プランジャ遠位端ねじ接合部を備える、項目３６３に記載のシステム。
（項目４２６）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目３６３に記載のシステム。
（項目４２７）
前記所定の位置が、前記ストッパー部材が前記注射器本体に対して前記プランジャ部材によって完全に挿入されている位置へと前進した位置である、項目４２６に記載のシステム。
（項目４２８）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目４２６に記載のシステム。
（項目４２９）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目４０６に記載のシステム。
（項目４３０）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目３６３に記載のシステム。
（項目４３１）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目４３０に記載のシステム。
（項目４３２）
前記制動部材が、プレートアパーチャー制動部を備える、項目４３１に記載のシステム。
（項目４３３）
前記プレートアパーチャー制動部が一片の板金を含み、それを通してアパーチャーが形成されている、項目４３２に記載のシステム。
（項目４３４）
前記プランジャが前記注射器本体に対して完全に挿入された後で、前記注射器本体に対する前記プランジャの格納を促進するように構成されている、ばね部材を更に備える、項目４３２に記載のシステム。
（項目４３５）
前記プレートアパーチャー制動部が、前記ばね部材の少なくとも一部の可塑性変形を誘導することによって、前記第１のモードから前記第２のモードに切り替わるように構成されている、項目４３４に記載のシステム。
（項目４３６）
前記プランジャ部材の格納が、前記第２のモードにおいて格納始動荷重の適用を通して促進される、項目４３１に記載のシステム。
（項目４３７）
前記格納始動荷重が、前記制動部材に動作可能に連結したばね部材によって適用される、項目４３６に記載のシステム。
（項目４３８）
前記格納開始荷重が、前記プランジャ部材と前記注射器本体との間で連結したばね部材によって適用される、項目４３６に記載のシステム。
（項目４３９）
前記ばね部材が、コイルばね、板ばね、及びエラストマーばね要素から成る群から選択される、項目４３７に記載のシステム。
（項目４４０）
前記ばね部材が、コイルばね、板ばね、及びエラストマーばね要素から成る群から選択される、項目４３８に記載のシステム。
（項目４４１）
前記真空荷重が、前記プランジャを前記注射器本体に対して少なくとも部分的に格納するのに十分である、項目４３０に記載のシステム。
（項目４４２）
前記プランジャの格納が前記相互連結したストッパー部材及び針を格納し、その結果、前記針の少なくとも一部が前記注射器本体の前記内部薬剤チャンバ中に引き込まれる、項目４４１に記載のシステム。
（項目４４３）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目３６３に記載のシステム。
（項目４４４）
前記針被覆部材が、少なくとも１つのスナップオーバー式戻り止め接合部によって前記針に着脱可能に連結する、項目４４３に記載のシステム。
（項目４４５）
前記針被覆部材が、少なくとも２つのスナップオーバー式戻り止め接合部によって前記針に着脱可能に連結する、項目４４４に記載のシステム。
（項目４４６）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目４４５に記載のシステム。
（項目４４７）
スナップオーバー式戻り止め接合部が、前記戻り止めが軸荷重によって機械的に克服されるまで、前記針に対する前記針被覆部材の軸方向運動を防止するように配向されている、項目４４５に記載のシステム。
（項目４４８）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目４４３に記載のシステム。
（項目４４９）
薬剤チャンバが、チャンバの長さによって画定され、前記針が、前記チャンバの長さ以上である針の長さによって画定される、項目３６３に記載のシステム。
（項目４５０）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目４４９に記載のシステム。
（項目４５１）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目３６３に記載のシステム。
（項目４５２）
前記プランジャ部材が、前記針の前記遠位端が構造的にカプセル化されるようになり、かつその後の前記針の前記遠位端へのアクセスが防止されるように、操作者によって手動で格納されるように構成されている、項目３６３に記載のシステム。
（項目４５３）
前記針の前記遠位端が、前記内部薬剤チャンバ内に構造的にカプセル化されるようになる、項目４５２に記載のシステム。
（項目４５４）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目４５２に記載のシステム。
（項目４５５）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．尖った遠位端を有する針と、
ｅ．針ドア部材であって、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、針ドア部材と、を備える、システム。
（項目４５６）
前記針ドア部材が、前記第１の状態にあるときに前記針の貫通を促進するように構成されている、それを通したアパーチャーを画定し、前記第２の状態において、前記アパーチャーが前記針の長手方向軸と整列しないことで、前記針が、前記アパーチャーを貫通しないが、前記針の挿入が前記針ドア部材に対して試みられるときに、前記ドア部材の非アパーチャー部分によって遮断されるように、前記注射器本体に対して再度位置付けられるように構成されている、項目４５５に記載のシステム。
（項目４５７）
前記針ドア部材が、前記針の長手方向軸に対して平面において摺動可能に移動するように構成されている、項目４５５に記載のシステム。
（項目４５８）
前記針ドア部材が、前記針の長手方向軸に対して実質的に垂直である平面において摺動可能に移動するように構成されている、項目４５７に記載のシステム。
（項目４５９）
前記針ドア部材が、前記針の長手方向軸に対して回転するように構成されている、項目４５５に記載のシステム。
（項目４６０）
前記針ドア部材が、前記針の長手方向軸と実質的に交差する回転軸を中心として回転するように構成されている、項目４５９に記載のシステム。
（項目４６１）
前記針ドア部材が、前記針の長手方向軸と交差しない回転軸を中心として回転するように構成されている、項目４５９に記載のシステム。
（項目４６２）
前記針ドア部材が、それを通して針貫通チャネルを画定する球形幾何形状を備える、項目４６０に記載のシステム。
（項目４６３）
前記注射器本体が、市販の注射器本体を含む、項目４５５に記載のシステム。
（項目４６４）
前記注射器本体が、概して円筒形の幾何形状を備える、項目４５５に記載のシステム。（項目４６５）
前記薬剤チャンバが、約０．５ｃｃ〜約５ｃｃの薬剤を収容するように構成されている、項目４５５に記載のシステム。
（項目４６６）
前記薬剤チャンバが、０．５ｃｃ、１ｃｃ、２．２５ｃｃ、３ｃｃ、及び５ｃｃから成る群から選択される薬剤の体積を収容するように構成されている、項目４６５に記載のシステム。
（項目４６７）
前記注射器本体が、ガラス材料を含む、項目４５５に記載のシステム。
（項目４６８）
前記注射器本体が、ポリマー材料を含む、項目４５５に記載のシステム。
（項目４６９）
前記ポリマー材料が、ＣＯＰ、ＣＯＣ、ポリエステル、及びポリプロピレンから成る群から選択される、項目４６８に記載のシステム。
（項目４７０）
前記注射器本体が、金属を含む、項目４５５に記載のシステム。
（項目４７１）
前記注射器本体が、１つ以上の他のデバイス要素に機械的に連結するように構成されている、遠位外側幾何形状を備える、項目４５５に記載のシステム。
（項目４７２）
前記注射器本体の遠位外側幾何形状が、ルアーロック接合部を含む、項目４７２に記載のシステム。
（項目４７３）
前記注射器本体の遠位外側幾何形状が、ルアーテーパ接合部を含む、項目４７２に記載のシステム。
（項目４７４）
前記注射器本体が、遠位薬剤ポートを画定する、項目４５５に記載のシステム。
（項目４７５）
前記針が、前記注射器本体の前記遠位薬剤ポートを通して挿入可能であるように選択された最大外径を有する、項目４７４に記載のシステム。
（項目４７６）
前記遠位薬剤ポートが、約１ｍｍの内径を備える、項目４７５に記載のシステム。
（項目４７７）
前記針が、約３４ゲージ〜約２０ゲージのサイズを有する、項目４７５に記載のシステム。
（項目４７８）
前記ストッパー部材が、前記針の尖った近位端によって少なくとも部分的に貫通されるように構成されている、項目４５５に記載のシステム。
（項目４７９）
前記針が、前記ストッパー部材中に少なくとも部分的に貫通した後の引き抜きに抵抗するように構成されている、少なくとも１つのアンカー要素を有する、項目４５５に記載のシステム。
（項目４８０）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目４７９に記載のシステム。
（項目４８１）
前記ストッパーが、前記注射器本体と共に実質的に封止するために、前記注射器本体の内側幾何形状に実質的に一致するように選択された外側幾何形状を有する、項目４５５に記載のシステム。
（項目４８２）
前記ストッパーが、クロロブチルゴム、ブロモブチルゴム、及びシリコンゴムから成る群から選択される、エラストマー材料を含む、項目４５５に記載のシステム。
（項目４８３）
薬剤材料を前記ストッパーから隔離するために、前記ストッパーの少なくとも一部に適用された封止剤コーティングを更に備える、項目４５５に記載のシステム。
（項目４８４）
前記封止剤コーティングが、ＰＴＦＥフィルムを備える、項目４８３に記載のシステム。
（項目４８５）
前記ストッパーと前記注射器本体との間に導入された潤滑剤層を更に備える、項目４５５に記載のシステム。
（項目４８６）
前記潤滑剤層が、シリコン油を含む、項目４８５に記載のシステム。
（項目４８７）
前記ストッパー部材の遠位部分が、従来の市販のコンプライアントストッパーを備える、項目４５５に記載のシステム。
（項目４８８）
前記ストッパー部材が、針への連結のための陥凹または突出部を持たない未改質の中実コンプライアント部材を備える、項目４８７に記載のシステム。
（項目４８９）
前記針が、少なくとも１つの放射状に突出している係止表面機構を備える、項目４５５に記載のシステム。
（項目４９０）
前記針の前記近位端が、少なくとも１つのアンカー要素に対して近位に位置する少なくとも１つの貫通要素を備える、項目４８９に記載のシステム。
（項目４９１）
前記貫通要素が、尖った先端を備える、項目４９０に記載のシステム。
（項目４９２）
前記貫通要素が、中実構造であって、それを通して画定される内腔またはアパーチャーを持たない、中実構造を備える、項目４９１に記載のシステム。
（項目４９３）
前記針が、それを通した注射通路を画定し、前記注射通路が、前記針の遠位先端から前記アンカー要素の遠位先端の近位にある場所へと通じるように選択される、項目４９０に記載のシステム。
（項目４９４）
前記針が、カニューレ部材、ハブ部材、及び近位部材を備える、項目４８９に記載のシステム。
（項目４９５）
前記カニューレ部材及びハブ部材が、同じ材料片から形成される、項目４９４に記載のシステム。
（項目４９６）
前記カニューレ部材及びハブ部材が、共に固定して連結して前記針の一部を形成する、別々に形成された要素を備える、項目４９４に記載のシステム。
（項目４９７）
前記近位部材も、前記カニューレ部材及びハブ部材に固定して連結して前記針の一部を形成する、別々に形成された要素を備える、項目４９４に記載のシステム。
（項目４９８）
前記ハブ部材が、一片の管材から形成される、項目４９６に記載のシステム。
（項目４９９）
前記近位部材が、近位連結接合部を有する一片の平坦な板金を含む、項目４９４に記載のシステム。
（項目５００）
前記カニューレ部材が、金属を含む、項目４９７に記載のシステム。
（項目５０１）
前記ハブが、金属またはプラスチック材料を含む、項目４９７に記載のシステム。
（項目５０２）
前記近位部材、金属またはプラスチック材料、項目４９７に記載のシステム。
（項目５０３）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目４５５に記載のシステム。
（項目５０４）
前記プランジャ部材が、内部容積を画定するプランジャ部材本体を備え、前記エネルギー蓄積部材が、前記プランジャ部材本体の内部容積の実質的に内部に収納されている、項目５０３に記載のシステム。
（項目５０５）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目５０４に記載のシステム。
（項目５０６）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目５０５に記載のシステム。
（項目５０７）
前記所定の挿入位置が、前記ストッパーが前記注射器本体に対して完全な挿入状態で位置付けられる位置である、項目５０６に記載のシステム。
（項目５０８）
前記エネルギー蓄積部材が、ばねである、項目５０３に記載のシステム。
（項目５０９）
前記ばねが、ステンレス鋼、炭素鋼、ベリリウム銅合金、ニッケルチタン合金、クロムシリコン合金、及びコバルトニッケル合金から成る群から選択される材料を含む、項目５０８に記載のシステム。
（項目５１０）
前記ばねが、エラストマー性ポリマーを含む、項目５０８に記載のシステム。
（項目５１１）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目５１０に記載のシステム。
（項目５１２）
前記エネルギー蓄積部材が、中実ペレット部材を含む、項目５０３に記載のシステム。（項目５１３）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目５１２に記載のシステム。
（項目５１４）
前記ばねが、単一の概して螺旋形状のコイルを含む、項目５０８に記載のシステム。
（項目５１５）
前記ばねが、複数の概して螺旋形状のコイルを含む、項目５０８に記載のシステム。
（項目５１６）
前記複数の概して螺旋形状のコイルを含む前記コイルのうちの少なくとも２つが、同軸上で整列している、項目５１５に記載のシステム。
（項目５１７）
前記複数の概して螺旋形状のコイルを含む前記コイルのうちの少なくとも２つが、長手方向に平行に整列している、項目５１５に記載のシステム。
（項目５１８）
前記同軸上で整列した螺旋形状のコイルも、長手方向に平行に整列している、項目５１６に記載のシステム。
（項目５１９）
前記同軸上かつ長手方向に平行に整列している螺旋形状のコイルが、前記コイルの圧縮時にコイルの干渉を防止するように、互いに対して反対の巻回方向で螺旋状に巻回される、項目５１８に記載のシステム。
（項目５２０）
前記プランジャの格納が前記相互連結したストッパー部材及び針を格納し、その結果、前記針の少なくとも一部が前記注射器本体の前記内部薬剤チャンバ中に引き込まれる、項目５０３に記載のシステム。
（項目５２１）
前記プランジャが、前記注射器本体に対する前記プランジャの手動挿入及び格納制御を促進するように構成されている近位サムパッドを備える、項目４５５に記載のシステム。（項目５２２）
前記プランジャが、前記ストッパー部材中に螺旋状に挿入され、かかる挿入により前記ストッパー部材に連結するように構成されている、プランジャ遠位端ねじ接合部を備える、項目４５５に記載のシステム。
（項目５２３）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目４５５に記載のシステム。
（項目５２４）
前記所定の位置が、前記ストッパー部材が前記注射器本体に対して前記プランジャ部材によって完全に挿入されている位置へと前進した位置である、項目５２３に記載のシステム。
（項目５２５）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目５２３に記載のシステム。
（項目５２６）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目５０４に記載のシステム。
（項目５２７）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目４５５に記載のシステム。
（項目５２８）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目５２７に記載のシステム。
（項目５２９）
前記制動部材が、プレートアパーチャー制動部を備える、項目５２８に記載のシステム。
（項目５３０）
前記プレートアパーチャー制動部が一片の板金を含み、それを通してアパーチャーが形成されている、項目５２９に記載のシステム。
（項目５３１）
前記プランジャが前記注射器本体に対して完全に挿入された後で、前記注射器本体に対する前記プランジャの格納を促進するように構成されている、ばね部材を更に備える、項目５２９に記載のシステム。
（項目５３２）
前記プレートアパーチャー制動部が、前記ばね部材の少なくとも一部の可塑性変形を誘導することによって、前記第１のモードから前記第２のモードに切り替わるように構成されている、項目５３１に記載のシステム。
（項目５３３）
前記プランジャ部材の格納が、前記第２のモードにおいて格納始動荷重の適用を通して促進される、項目５２８に記載のシステム。
（項目５３４）
前記格納始動荷重が、前記制動部材に動作可能に連結したばね部材によって適用される、項目５３３に記載のシステム。
（項目５３５）
前記格納開始荷重が、前記プランジャ部材と前記注射器本体との間で連結したばね部材によって適用される、項目５３３に記載のシステム。
（項目５３６）
前記ばね部材が、コイルばね、板ばね、及びエラストマーばね要素から成る群から選択される、項目５３４に記載のシステム。
（項目５３７）
前記ばね部材が、コイルばね、板ばね、及びエラストマーばね要素から成る群から選択される、項目５３５に記載のシステム。
（項目５３８）
前記真空荷重が、前記プランジャを前記注射器本体に対して少なくとも部分的に格納するのに十分である、項目５２７に記載のシステム。
（項目５３９）
前記プランジャの格納が前記相互連結したストッパー部材及び針を格納し、その結果、前記針の少なくとも一部が前記注射器本体の前記内部薬剤チャンバ中に引き込まれる、項目４０６に記載のシステム。
（項目５４０）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目４５５に記載のシステム。
（項目５４１）
前記針被覆部材が、少なくとも１つのスナップオーバー式戻り止め接合部によって前記針に着脱可能に連結する、項目５４０に記載のシステム。
（項目５４２）
前記針被覆部材が、少なくとも２つのスナップオーバー式戻り止め接合部によって前記針に着脱可能に連結する、項目５４１に記載のシステム。
（項目５４３）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目５４２に記載のシステム。
（項目５４４）
スナップオーバー式戻り止め接合部が、前記戻り止めが軸荷重によって機械的に克服されるまで、前記針に対する前記針被覆部材の軸方向運動を防止するように配向されている、項目５４２に記載のシステム。
（項目５４５）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目５４０に記載のシステム。
（項目５４６）
薬剤チャンバが、チャンバの長さによって画定され、前記針が、前記チャンバの長さ以上である針の長さによって画定される、項目４５５に記載のシステム。
（項目５４７）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目５４６に記載のシステム。
（項目５４８）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目４５５に記載のシステム。
（項目５４９）
前記プランジャ部材が、前記第２の状態へと操作者によって手動で格納されるように構成されている、項目４５５に記載のシステム。
（項目５５０）
注射のためのシステムであって、
ａ．内部薬剤チャンバを画定する注射器本体、及びルアーテーパを画定する遠位針接合部と、
ｂ．薬剤を前記薬剤チャンバ内に収容するために前記内部薬剤チャンバに挿入されるように構成され、近位端及び遠位端を有する、ストッパー部材と、
ｃ．前記ストッパー部材を前記注射器本体に対して挿入するために手動で操作されるように構成されている、プランジャ部材と、
ｄ．前記遠位針接合部に着脱可能に連結し、前記内部薬剤チャンバを封止するように構成されている、薬剤キャップと、
ｅ．近位端及び遠位端を有する針であって、前記近位端が、前記薬剤キャップが除去された後で前記ルアーテーパの外側表面に着脱可能に連結するように構成されている連結部分と、前記ストッパー部材の前記注射器本体に対する引き込みの際に、前記針が前記注射器本体に対して引き込まれ得るように、前記ストッパー部材に連結するように構成されている格納部分と、を備える、針と、
（項目５５１）
前記注射器本体が、市販の注射器本体を含む、項目５５０に記載のシステム。
（項目５５２）
前記注射器本体が、概して円筒形の幾何形状を備える、項目５５０に記載のシステム。（項目５５３）
前記薬剤チャンバが、約０．５ｃｃ〜約５ｃｃの薬剤を収容するように構成されている、項目５５０に記載のシステム。
（項目５５４）
前記薬剤チャンバが、０．５ｃｃ、１ｃｃ、２．２５ｃｃ、３ｃｃ、及び５ｃｃから成る群から選択される薬剤の体積を収容するように構成されている、項目５５３に記載のシステム。
（項目５５５）
前記注射器本体が、ガラス材料を含む、項目５５０に記載のシステム。
（項目５５６）
前記注射器本体が、ポリマー材料を含む、項目５５０に記載のシステム。
（項目５５７）
前記ポリマー材料が、ＣＯＰ、ＣＯＣ、ポリエステル、及びポリプロピレンから成る群から選択される、項目５５６に記載のシステム。
（項目５５８）
前記注射器本体が、金属を含む、項目５５０に記載のシステム。
（項目５５９）
前記注射器本体が、１つ以上の他のデバイス要素に機械的に連結するように構成されている、遠位外側幾何形状を備える、項目５５０に記載のシステム。
（項目５６０）
前記注射器本体の遠位外側幾何形状が、ルアーロック接合部を含む、項目５５９に記載のシステム。
（項目５６１）
前記注射器本体の遠位外側幾何形状が、ルアーテーパ接合部を含む、項目５５９に記載のシステム。
（項目５６２）
前記注射器本体が、遠位薬剤ポートを画定する、項目５５０に記載のシステム。
（項目５６３）
前記針が、前記注射器本体の前記遠位薬剤ポートを通して挿入可能であるように選択された最大外径を有する、項目５６２に記載のシステム。
（項目５６４）
前記遠位薬剤ポートが、約１ｍｍの内径を備える、項目５６３に記載のシステム。
（項目５６５）
前記針が、約３４ゲージ〜約２０ゲージのサイズを有する、項目５６４に記載のシステム。
（項目５６６）
前記ストッパー部材が、前記針の尖った近位端によって少なくとも部分的に貫通されるように構成されている、項目５５０に記載のシステム。
（項目５６７）
前記針が、前記ストッパー部材中に少なくとも部分的に貫通した後の引き抜きに抵抗するように構成されている、少なくとも１つのアンカー要素を有する、項目５５０に記載のシステム。
（項目５６８）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目５６７に記載のシステム。
（項目５６９）
前記ストッパーが、前記注射器本体と共に実質的に封止するために、前記注射器本体の内側幾何形状に実質的に一致するように選択された外側幾何形状を有する、項目５５０に記載のシステム。
（項目５７０）
前記ストッパーが、クロロブチルゴム、ブロモブチルゴム、及びシリコンゴムから成る群から選択される、エラストマー材料を含む、項目５５０に記載のシステム。
（項目５７１）
薬剤材料を前記ストッパーから隔離するために、前記ストッパーの少なくとも一部に適用された封止剤コーティングを更に備える、項目５５０に記載のシステム。
（項目５７２）
前記封止剤コーティングが、ＰＴＦＥフィルムを含む、項目５７１に記載のシステム。（項目５７３）
前記ストッパーと前記注射器本体との間に導入された潤滑剤層を更に備える、項目５５０に記載のシステム。
（項目５７４）
前記潤滑剤層が、シリコン油を含む、項目５７３に記載のシステム。
（項目５７５）
前記ストッパー部材の遠位部分が、従来の市販のコンプライアントストッパーを含む、項目５５０に記載のシステム。
（項目５７６）
前記ストッパー部材が、針への連結のための陥凹または突出部を持たない未改質の中実コンプライアント部材を備える、項目５７５に記載のシステム。
（項目５７７）
前記針が、少なくとも１つの放射状に突出している係止表面機構を備える、項目５５０に記載のシステム。
（項目５７８）
前記針の前記近位端が、少なくとも１つのアンカー要素に対して近位に位置する少なくとも１つの貫通要素を備える、項目５７７に記載のシステム。
（項目５７９）
前記貫通要素が、尖った先端を備える、項目５７８に記載のシステム。
（項目５８０）
前記貫通要素が、中実構造であって、それを通して画定される内腔またはアパーチャーを持たない、中実構造を備える、項目５７９に記載のシステム。
（項目５８１）
前記針が、それを通した注射通路を画定し、前記注射通路が、前記針の遠位先端から前記アンカー要素の遠位先端の近位にある場所へと通じるように選択される、項目５７８に記載のシステム。
（項目５８２）
前記針が、カニューレ部材、ハブ部材、及び近位部材を備える、項目５７７に記載のシステム。
（項目５８３）
前記カニューレ部材及びハブ部材が、同じ材料片から形成される、項目５８２に記載のシステム。
（項目５８４）
前記カニューレ部材及びハブ部材が、共に固定して連結して前記針の一部を形成する、別々に形成された要素を備える、項目５８２に記載のシステム。
（項目５８５）
前記近位部材も、前記カニューレ部材及びハブ部材に固定して連結して前記針の一部を形成する、別々に形成された要素を備える、項目５８２に記載のシステム。
（項目５８６）
前記ハブ部材が、一片の管材から形成される、項目５８４に記載のシステム。
（項目５８７）
前記近位部材が、近位連結接合部を有する一片の平坦な板金を含む、項目５８４に記載のシステム。
（項目５８８）
前記カニューレ部材が、金属を含む、項目５８５に記載のシステム。
（項目５８９）
前記ハブが、金属またはプラスチック材料を含む、項目５８５に記載のシステム。
（項目５９０）
前記近位部材、金属またはプラスチック材料、項目５８５に記載のシステム。
（項目５９１）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目５５０に記載のシステム。
（項目５９２）
前記プランジャ部材が、内部容積を画定するプランジャ部材本体を備え、前記エネルギー蓄積部材が、前記プランジャ部材本体の内部容積の実質的に内部に収納されている、項目５９１に記載のシステム。
（項目５９３）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目５９２に記載のシステム。
（項目５９４）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目５９３に記載のシステム。
（項目５９５）
前記所定の挿入位置が、前記ストッパーが前記注射器本体に対して完全な挿入状態で位置付けられる位置である、項目５９４に記載のシステム。
（項目５９６）
前記エネルギー蓄積部材が、ばねである、項目５９１に記載のシステム。
（項目５９７）
前記ばねが、ステンレス鋼、炭素鋼、ベリリウム銅合金、ニッケルチタン合金、クロムシリコン合金、及びコバルトニッケル合金から成る群から選択される材料を含む、項目５９６に記載のシステム。
（項目５９８）
前記ばねが、エラストマー性ポリマーを含む、項目５９６に記載のシステム。
（項目５９９）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目５９８に記載のシステム。
（項目６００）
前記エネルギー蓄積部材が、中実ペレット部材を含む、項目５９１に記載のシステム。（項目６０１）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目６００に記載のシステム。
（項目６０２）
前記ばねが、単一の概して螺旋形状のコイルを含む、項目５９６に記載のシステム。
（項目６０３）
前記ばねが、複数の概して螺旋形状のコイルを含む、項目５９６に記載のシステム。
（項目６０４）
前記複数の概して螺旋形状のコイルを含む前記コイルのうちの少なくとも２つが、同軸上で整列している、項目６０３に記載のシステム。
（項目６０５）
前記複数の概して螺旋形状のコイルを含む前記コイルのうちの少なくとも２つが、長手方向に平行に整列している、項目６０３に記載のシステム。
（項目６０６）
前記同軸上で整列した螺旋形状のコイルも、長手方向に平行に整列している、項目６０４に記載のシステム。
（項目６０７）
前記同軸上かつ長手方向に平行に整列している螺旋形状のコイルが、前記コイルの圧縮時にコイルの干渉を防止するように、互いに対して反対の巻回方向で螺旋状に巻回される、項目６０６に記載のシステム。
（項目６０８）
前記プランジャの格納が前記相互連結したストッパー部材及び針を格納し、その結果、前記針の少なくとも一部が前記注射器本体の前記内部薬剤チャンバ中に引き込まれる、項目５９１に記載のシステム。
（項目６０９）
前記プランジャが、前記注射器本体に対する前記プランジャの手動挿入及び格納制御を促進するように構成されている近位サムパッドを備える、項目５５０に記載のシステム。（項目６１０）
前記プランジャが、前記ストッパー部材中に螺旋状に挿入され、かかる挿入により前記ストッパー部材に連結するように構成されている、プランジャ遠位端ねじ接合部を備える、項目５５０に記載のシステム。
（項目６１１）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目５５０に記載のシステム。
（項目６１２）
前記所定の位置が、前記ストッパー部材が前記注射器本体に対して前記プランジャ部材によって完全に挿入されている位置へと前進した位置である、項目６１１に記載のシステム。
（項目６１３）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目６１１に記載のシステム。
（項目６１４）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目５９３に記載のシステム。
（項目６１５）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目５５０に記載のシステム。
（項目６１６）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目６１５に記載のシステム。
（項目６１７）
前記制動部材が、プレートアパーチャー制動部を備える、項目６１６に記載のシステム。
（項目６１８）
前記プレートアパーチャー制動部が一片の板金を含み、それを通してアパーチャーが形成されている、項目６１７に記載のシステム。
（項目６１９）
前記プランジャが前記注射器本体に対して完全に挿入された後で、前記注射器本体に対する前記プランジャの格納を促進するように構成されている、ばね部材を更に備える、項目６１７に記載のシステム。
（項目６２０）
前記プレートアパーチャー制動部が、前記ばね部材の少なくとも一部の可塑性変形を誘導することによって、前記第１のモードから前記第２のモードに切り替わるように構成されている、項目６１９に記載のシステム。
（項目６２１）
前記プランジャ部材の格納が、前記第２のモードにおいて格納始動荷重の適用を通して促進される、項目６１６に記載のシステム。
（項目６２２）
前記格納始動荷重が、前記制動部材に動作可能に連結したばね部材によって適用される、項目６２１に記載のシステム。
（項目６２３）
前記格納開始荷重が、前記プランジャ部材と前記注射器本体との間で連結したばね部材によって適用される、項目６２１に記載のシステム。
（項目６２４）
前記ばね部材が、コイルばね、板ばね、及びエラストマーばね要素から成る群から選択される、項目６２２に記載のシステム。
（項目６２５）
前記ばね部材が、コイルばね、板ばね、及びエラストマーばね要素から成る群から選択される、項目６２３に記載のシステム。
（項目６２６）
前記真空荷重が、前記プランジャを前記注射器本体に対して少なくとも部分的に格納するのに十分である、項目６１５に記載のシステム。
（項目６２７）
前記プランジャの格納が前記相互連結したストッパー部材及び針を格納し、その結果、前記針の少なくとも一部が前記注射器本体の前記内部薬剤チャンバ中に引き込まれる、項目６２６に記載のシステム。
（項目６２８）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目５５０に記載のシステム。
（項目６２９）
前記針被覆部材が、少なくとも１つのスナップオーバー式戻り止め接合部によって前記針に着脱可能に連結する、項目６２８に記載のシステム。
（項目６３０）
前記針被覆部材が、少なくとも２つのスナップオーバー式戻り止め接合部によって前記針に着脱可能に連結する、項目６２９に記載のシステム。
（項目６３１）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目６３０に記載のシステム。
（項目６３２）
スナップオーバー式戻り止め接合部が、前記戻り止めが軸荷重によって機械的に克服されるまで、前記針に対する前記針被覆部材の軸方向運動を防止するように配向されている、項目６３０に記載のシステム。
（項目６３３）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目６２８に記載のシステム。
（項目６３４）
薬剤チャンバが、チャンバの長さによって画定され、前記針が、前記チャンバの長さ以上である針の長さによって画定される、項目５５０に記載のシステム。
（項目６３５）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目６３４に記載のシステム。
（項目６３６）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目５５０に記載のシステム。
（項目６３７）
前記プランジャ部材が、前記針の前記遠位端が構造的にカプセル化されるようになり、かつその後の前記針の前記遠位端へのアクセスが防止されるように、操作者によって手動で格納されるように構成されている、項目５５０に記載のシステム。
（項目６３８）
前記針の前記遠位端が、前記内部薬剤チャンバ内に構造的にカプセル化されるようになる、項目６３７に記載のシステム。
（項目６３９）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目６３７に記載のシステム。
（項目６４０）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．尖った近位端及び遠位端を有する針と、
ｅ．少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材と、を備える、システム。
（項目６４１）
前記注射器本体が、市販の注射器本体を含む、項目６４０に記載のシステム。
（項目６４２）
前記注射器本体が、概して円筒形の幾何形状を備える、項目６４０に記載のシステム。（項目６４３）
前記薬剤チャンバが、約０．５ｃｃ〜約５ｃｃの薬剤を収容するように構成されている、項目６４０に記載のシステム。
（項目６４４）
前記薬剤チャンバが、０．５ｃｃ、１ｃｃ、２．２５ｃｃ、３ｃｃ、及び５ｃｃから成る群から選択される薬剤の体積を収容するように構成されている、項目６４３に記載のシステム。
（項目６４５）
前記注射器本体が、ガラス材料を含む、項目６４０に記載のシステム。
（項目６４６）
前記注射器本体が、ポリマー材料を含む、項目６４０に記載のシステム。
（項目６４７）
前記ポリマー材料が、ＣＯＰ、ＣＯＣ、ポリエステル、及びポリプロピレンから成る群から選択される、項目６４６に記載のシステム。
（項目６４８）
前記注射器本体が、金属を含む、項目６４０に記載のシステム。
（項目６４９）
前記注射器本体が、１つ以上の他のデバイス要素に機械的に連結するように構成されている、遠位外側幾何形状を備える、項目６４０に記載のシステム。
（項目６５０）
前記注射器本体の遠位外側幾何形状が、ルアーロック接合部を含む、項目６４９に記載のシステム。
（項目６５１）
前記注射器本体の遠位外側幾何形状が、ルアーテーパ接合部を含む、項目６４９に記載のシステム。
（項目６５２）
前記注射器本体が、遠位薬剤ポートを画定する、項目６４０に記載のシステム。
（項目６５３）
前記針が、前記注射器本体の前記遠位薬剤ポートを通して挿入可能であるように選択された最大外径を有する、項目６５２に記載のシステム。
（項目６５４）
前記遠位薬剤ポートが、約１ｍｍの内径を備える、項目６５３に記載のシステム。
（項目６５５）
前記針が、約３４ゲージ〜約２０ゲージのサイズを有する、項目６５４に記載のシステム。
（項目６５６）
前記ストッパー部材が、前記針の尖った近位端によって少なくとも部分的に貫通されるように構成されている、項目６４０に記載のシステム。
（項目６５７）
前記針が、前記ストッパー部材中に少なくとも部分的に貫通した後の引き抜きに抵抗するように構成されている、少なくとも１つのアンカー要素を有する、項目６４０に記載のシステム。
（項目６５８）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目６５７に記載のシステム。
（項目６５９）
前記ストッパーが、前記注射器本体と共に実質的に封止するために、前記注射器本体の内側幾何形状に実質的に一致するように選択された外側幾何形状を有する、項目６４０に記載のシステム。
（項目６６０）
前記ストッパーが、クロロブチルゴム、ブロモブチルゴム、及びシリコンゴムから成る群から選択される、エラストマー材料を含む、項目６４０に記載のシステム。
（項目６６１）
薬剤材料を前記ストッパーから隔離するために、前記ストッパーの少なくとも一部に適用された封止剤コーティングを更に備える、項目６４０に記載のシステム。
（項目６６２）
前記封止剤コーティングが、ＰＴＦＥフィルムを含む、項目６６１に記載のシステム。（項目６６３）
前記ストッパーと前記注射器本体との間に導入された潤滑剤層を更に備える、項目６４０に記載のシステム。
（項目６６４）
前記潤滑剤層が、シリコン油を含む、項目６６３に記載のシステム。
（項目６６５）
前記ストッパー部材の遠位部分が、従来の市販のコンプライアントストッパーを含む、項目６４０に記載のシステム。
（項目６６６）
前記ストッパー部材が、針への連結のための陥凹または突出部を持たない未改質の中実コンプライアント部材を備える、項目６６５に記載のシステム。
（項目６６７）
前記針が、少なくとも１つの放射状に突出している係止表面機構を備える、項目６４０に記載のシステム。
（項目６６８）
前記針の前記近位端が、少なくとも１つのアンカー要素に対して近位に位置する少なくとも１つの貫通要素を備える、項目６６７に記載のシステム。
（項目６６９）
前記貫通要素が、尖った先端を備える、項目６６８に記載のシステム。
（項目６７０）
前記貫通要素が、中実構造であって、それを通して画定される内腔またはアパーチャーを持たない、中実構造を備える、項目６６９に記載のシステム。
（項目６７１）
前記針が、それを通した注射通路を画定し、前記注射通路が、前記針の遠位先端から前記アンカー要素の遠位先端の近位にある場所へと通じるように選択される、項目６６８に記載のシステム。
（項目６７２）
前記針が、カニューレ部材、ハブ部材、及び近位部材を備える、項目６６７に記載のシステム。
（項目６７３）
前記カニューレ部材及びハブ部材が、同じ材料片から形成される、項目６７２に記載のシステム。
（項目６７４）
前記カニューレ部材及びハブ部材が、共に固定して連結して前記針の一部を形成する、別々に形成された要素を備える、項目６７２に記載のシステム。
（項目６７５）
前記近位部材も、前記カニューレ部材及びハブ部材に固定して連結して前記針の一部を形成する、別々に形成された要素を備える、項目６７２に記載のシステム。
（項目６７６）
前記ハブ部材が、一片の管材から形成される、項目６７４に記載のシステム。
（項目６７７）
前記近位部材が、近位連結接合部を有する一片の平坦な板金を含む、項目６７２に記載のシステム。
（項目６７８）
前記カニューレ部材が、金属を含む、項目６７６に記載のシステム。
（項目６７９）
前記ハブが、金属またはプラスチック材料を含む、項目６７６に記載のシステム。
（項目６８０）
前記近位部材、金属またはプラスチック材料、項目６７６に記載のシステム。
（項目６８１）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目６４０に記載のシステム。
（項目６８２）
前記プランジャ部材が、内部容積を画定するプランジャ部材本体を備え、前記エネルギー蓄積部材が、前記プランジャ部材本体の内部容積の実質的に内部に収納されている、項目６８１に記載のシステム。
（項目６８３）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目６８２に記載のシステム。
（項目６８４）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目６８３に記載のシステム。
（項目６８５）
前記所定の挿入位置が、前記ストッパーが前記注射器本体に対して完全な挿入状態で位置付けられる位置である、項目６８４に記載のシステム。
（項目６８６）
前記エネルギー蓄積部材が、ばねである、項目６８１に記載のシステム。
（項目６８７）
前記ばねが、ステンレス鋼、炭素鋼、ベリリウム銅合金、ニッケルチタン合金、クロムシリコン合金、及びコバルトニッケル合金から成る群から選択される材料を含む、項目６８６に記載のシステム。
（項目６８８）
前記ばねが、エラストマー性ポリマーを含む、項目６８６に記載のシステム。
（項目６８９）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目６８６に記載のシステム。
（項目６９０）
前記エネルギー蓄積部材が、中実ペレット部材を含む、項目６８１に記載のシステム。（項目６９１）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目６９０に記載のシステム。
（項目６９２）
前記ばねが、単一の概して螺旋形状のコイルを含む、項目６８６に記載のシステム。
（項目６９３）
前記ばねが、複数の概して螺旋形状のコイルを含む、項目６８６に記載のシステム。
（項目６９４）
前記複数の概して螺旋形状のコイルを含む前記コイルのうちの少なくとも２つが、同軸上で整列している、項目６９３に記載のシステム。
（項目６９５）
前記複数の概して螺旋形状のコイルを含む前記コイルのうちの少なくとも２つが、長手方向に平行に整列している、項目６９３に記載のシステム。
（項目６９６）
前記同軸上で整列した螺旋形状のコイルも、長手方向に平行に整列している、項目６９４に記載のシステム。
（項目６９７）
前記同軸上かつ長手方向に平行に整列している螺旋形状のコイルが、前記コイルの圧縮時にコイルの干渉を防止するように、互いに対して反対の巻回方向で螺旋状に巻回される、項目６９６に記載のシステム。
（項目６９８）
前記プランジャの格納が前記相互連結したストッパー部材及び針を格納し、その結果、前記針の少なくとも一部が前記注射器本体の前記内部薬剤チャンバ中に引き込まれる、項目６８１に記載のシステム。
（項目６９９）
前記プランジャが、前記注射器本体に対する前記プランジャの手動挿入及び格納制御を促進するように構成されている近位サムパッドを備える、項目６４０に記載のシステム。（項目７００）
前記プランジャが、前記ストッパー部材中に螺旋状に挿入され、かかる挿入により前記ストッパー部材に連結するように構成されている、プランジャ遠位端ねじ接合部を備える、項目６４０に記載のシステム。
（項目７０１）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目６４０に記載のシステム。
（項目７０２）
前記所定の位置が、前記ストッパー部材が前記注射器本体に対して前記プランジャ部材によって完全に挿入されている位置へと前進した位置である、項目７０１に記載のシステム。
（項目７０３）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目７０１に記載のシステム。
（項目７０４）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目６８３に記載のシステム。
（項目７０５）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目６４０に記載のシステム。
（項目７０６）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目７０５に記載のシステム。
（項目７０７）
前記制動部材が、プレートアパーチャー制動部を備える、項目７０６に記載のシステム。
（項目７０８）
前記プレートアパーチャー制動部が一片の板金を含み、それを通してアパーチャーが形成されている、項目７０７に記載のシステム。
（項目７０９）
前記プランジャが前記注射器本体に対して完全に挿入された後で、前記注射器本体に対する前記プランジャの格納を促進するように構成されている、ばね部材を更に備える、項目７０７に記載のシステム。
（項目７１０）
前記プレートアパーチャー制動部が、前記ばね部材の少なくとも一部の可塑性変形を誘導することによって、前記第１のモードから前記第２のモードに切り替わるように構成されている、項目７０９に記載のシステム。
（項目７１１）
前記プランジャ部材の格納が、前記第２のモードにおいて格納始動荷重の適用を通して促進される、項目７０６に記載のシステム。
（項目７１２）
前記格納始動荷重が、前記制動部材に動作可能に連結したばね部材によって適用される、項目７１１に記載のシステム。
（項目７１３）
前記格納開始荷重が、前記プランジャ部材と前記注射器本体との間で連結したばね部材によって適用される、項目７１１に記載のシステム。
（項目７１４）
前記ばね部材が、コイルばね、板ばね、及びエラストマーばね要素から成る群から選択される、項目７１２に記載のシステム。
（項目７１５）
前記ばね部材が、コイルばね、板ばね、及びエラストマーばね要素から成る群から選択される、項目７１３に記載のシステム。
（項目７１６）
前記真空荷重が、前記プランジャを前記注射器本体に対して少なくとも部分的に格納するのに十分である、項目７０５に記載のシステム。
（項目７１７）
前記プランジャの格納が前記相互連結したストッパー部材及び針を格納し、その結果、前記針の少なくとも一部が前記注射器本体の前記内部薬剤チャンバ中に引き込まれる、項目７１６に記載のシステム。
（項目７１８）
前記針被覆部材が、少なくとも１つのスナップオーバー式戻り止め接合部によって前記針に着脱可能に連結する、項目６４０に記載のシステム。
（項目７１９）
前記針被覆部材が、少なくとも２つのスナップオーバー式戻り止め接合部によって前記針に着脱可能に連結する、項目７１８に記載のシステム。
（項目７２０）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目７１９に記載のシステム。
（項目７２１）
スナップオーバー式戻り止め接合部が、前記戻り止めが軸荷重によって機械的に克服されるまで、前記針に対する前記針被覆部材の軸方向運動を防止するように配向されている、項目７１９に記載のシステム。
（項目７２２）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目６４０に記載のシステム。
（項目７２３）
薬剤チャンバが、チャンバの長さによって画定され、前記針が、前記チャンバの長さ以上である針の長さによって画定される、項目６４０に記載のシステム。
（項目７２４）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目７２３に記載のシステム。
（項目７２５）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目６４０に記載のシステム。
（項目７２６）
前記プランジャ部材が、前記針の前記遠位端が構造的にカプセル化されるようになり、かつその後の前記針の前記遠位端へのアクセスが防止されるように、操作者によって手動で格納されるように構成されている、項目６４０に記載のシステム。
（項目７２７）
前記針の前記遠位端が、前記内部薬剤チャンバ内に構造的にカプセル化されるようになる、項目７２６に記載のシステム。
（項目７２８）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目７２６に記載のシステム。
（項目７２９）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．尖った近位端及び遠位端を有する針と、
ｅ．少なくとも前記針の尖った遠位端を一時的に収納及び保護するように構成されている内部容積を画定し、少なくとも１つのスナップオーバー式戻り止め接合部によって前記針と着脱可能に連結可能である、針被覆部材と、を更に備える、システム。
（項目７３０）
前記注射器本体が、市販の注射器本体を含む、項目７２９に記載のシステム。
（項目７３１）
前記注射器本体が、概して円筒形の幾何形状を備える、項目７２９に記載のシステム。（項目７３２）
前記薬剤チャンバが、約０．５ｃｃ〜約５ｃｃの薬剤を収容するように構成されている、項目７２９に記載のシステム。
（項目７３３）
前記薬剤チャンバが、０．５ｃｃ、１ｃｃ、２．２５ｃｃ、３ｃｃ、及び５ｃｃから成る群から選択される薬剤の体積を収容するように構成されている、項目７３２に記載のシステム。
（項目７３４）
前記注射器本体が、ガラス材料を含む、項目７２９に記載のシステム。
（項目７３５）
前記注射器本体が、ポリマー材料を含む、項目７２９に記載のシステム。
（項目７３６）
前記ポリマー材料が、ＣＯＰ、ＣＯＣ、ポリエステル、及びポリプロピレンから成る群から選択される、項目７３５に記載のシステム。
（項目７３７）
前記注射器本体が、金属を含む、項目７２９に記載のシステム。
（項目７３８）
前記注射器本体が、１つ以上の他のデバイス要素に機械的に連結するように構成されている、遠位外側幾何形状を備える、項目７２９に記載のシステム。
（項目７３９）
前記注射器本体の遠位外側幾何形状が、ルアーロック接合部を含む、項目７３８に記載のシステム。
（項目７４０）
前記注射器本体の遠位外側幾何形状が、ルアーテーパ接合部を含む、項目７３８に記載のシステム。
（項目７４１）
前記注射器本体が、遠位薬剤ポートを画定する、項目７２９に記載のシステム。
（項目７４２）
前記針が、前記注射器本体の前記遠位薬剤ポートを通して挿入可能であるように選択された最大外径を有する、項目７４１に記載のシステム。
（項目７４３）
前記遠位薬剤ポートが、約１ｍｍの内径を備える、項目７４２に記載のシステム。
（項目７４４）
前記針が、約３４ゲージ〜約２０ゲージのサイズを有する、項目７４３に記載のシステム。
（項目７４５）
前記ストッパー部材が、前記針の尖った近位端によって少なくとも部分的に貫通されるように構成されている、項目７２９に記載のシステム。
（項目７４６）
前記針が、前記ストッパー部材中に少なくとも部分的に貫通した後の引き抜きに抵抗するように構成されている、少なくとも１つのアンカー要素を有する、項目７２９に記載のシステム。
（項目７４７）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目７４６に記載のシステム。
（項目７４８）
前記ストッパーが、前記注射器本体と共に実質的に封止するために、前記注射器本体の内側幾何形状に実質的に一致するように選択された外側幾何形状を有する、項目７２９に記載のシステム。
（項目７４９）
前記ストッパーが、クロロブチルゴム、ブロモブチルゴム、及びシリコンゴムから成る群から選択される、エラストマー材料を含む、項目７２９に記載のシステム。
（項目７５０）
薬剤材料を前記ストッパーから隔離するために、前記ストッパーの少なくとも一部に適用された封止剤コーティングを更に備える、項目７２９に記載のシステム。
（項目７５１）
前記封止剤コーティングが、ＰＴＦＥフィルムを含む、項目７５０に記載のシステム。（項目７５２）
前記ストッパーと前記注射器本体との間に導入された潤滑剤層を更に備える、項目７２９に記載のシステム。
（項目７５３）
前記潤滑剤層が、シリコン油を含む、項目７５２に記載のシステム。
（項目７５４）
前記ストッパー部材の遠位部分が、従来の市販のコンプライアントストッパーを含む、項目７２９に記載のシステム。
（項目７５５）
前記ストッパー部材が、針への連結のための陥凹または突出部を持たない未改質の中実コンプライアント部材を備える、項目７５４に記載のシステム。
（項目７５６）
前記針が、少なくとも１つの放射状に突出している係止表面機構を備える、項目７２９に記載のシステム。
（項目７５７）
前記針の前記近位端が、少なくとも１つのアンカー要素に対して近位に位置する少なくとも１つの貫通要素を備える、項目７５６に記載のシステム。
（項目７５８）
前記貫通要素が、尖った先端を備える、項目７５７に記載のシステム。
（項目７５９）
前記貫通要素が、中実構造であって、それを通して画定される内腔またはアパーチャーを持たない、中実構造を備える、項目７５８に記載のシステム。
（項目７６０）
前記針が、それを通した注射通路を画定し、前記注射通路が、前記針の遠位先端から前記アンカー要素の遠位先端の近位にある場所へと通じるように選択される、項目７５７に記載のシステム。
（項目７６１）
前記針が、カニューレ部材、ハブ部材、及び近位部材を備える、項目７５６に記載のシステム。
（項目７６２）
前記カニューレ部材及びハブ部材が、同じ材料片から形成される、項目７６１に記載のシステム。
（項目７６３）
前記カニューレ部材及びハブ部材が、共に固定して連結して前記針の一部を形成する、別々に形成された要素を備える、項目７６１に記載のシステム。
（項目７６４）
前記近位部材も、前記カニューレ部材及びハブ部材に固定して連結して前記針の一部を形成する、別々に形成された要素を備える、項目７６１に記載のシステム。
（項目７６５）
前記ハブ部材が、一片の管材から形成される、項目７６３に記載のシステム。
（項目７６６）
前記近位部材が、近位連結接合部を有する一片の平坦な板金を含む、項目７６１に記載のシステム。
（項目７６７）
前記カニューレ部材が、金属を含む、項目７６４に記載のシステム。
（項目７６８）
前記ハブが、金属またはプラスチック材料を含む、項目７６４に記載のシステム。
（項目７６９）
前記近位部材、金属またはプラスチック材料、項目７６４に記載のシステム。
（項目７７０）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目７２９に記載のシステム。
（項目７７１）
前記プランジャ部材が、内部容積を画定するプランジャ部材本体を備え、前記エネルギー蓄積部材が、前記プランジャ部材本体の内部容積の実質的に内部に収納されている、項目７７０に記載のシステム。
（項目７７２）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目７７１に記載のシステム。
（項目７７３）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目７７２に記載のシステム。
（項目７７４）
前記所定の挿入位置が、前記ストッパーが前記注射器本体に対して完全な挿入状態で位置付けられる位置である、項目７７３に記載のシステム。
（項目７７５）
前記エネルギー蓄積部材が、ばねである、項目７７０に記載のシステム。
（項目７７６）
前記ばねが、ステンレス鋼、炭素鋼、ベリリウム銅合金、ニッケルチタン合金、クロムシリコン合金、及びコバルトニッケル合金から成る群から選択される材料を含む、項目７７５に記載のシステム。
（項目７７７）
前記ばねが、エラストマー性ポリマーを含む、項目７７５に記載のシステム。
（項目７７８）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目７７０に記載のシステム。
（項目７７９）
前記エネルギー蓄積部材が、中実ペレット部材を含む、項目７７０に記載のシステム。（項目７８０）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目７７９に記載のシステム。
（項目７８１）
前記ばねが、単一の概して螺旋形状のコイルを含む、項目７７５に記載のシステム。
（項目７８２）
前記ばねが、複数の概して螺旋形状のコイルを含む、項目７７５に記載のシステム。
（項目７８３）
前記複数の概して螺旋形状のコイルを含む前記コイルのうちの少なくとも２つが、同軸上で整列している、項目７８２に記載のシステム。
（項目７８４）
前記複数の概して螺旋形状のコイルを含む前記コイルのうちの少なくとも２つが、長手方向に平行に整列している、項目７８２に記載のシステム。
（項目７８５）
前記同軸上で整列した螺旋形状のコイルも、長手方向に平行に整列している、項目５１６に記載のシステム。
（項目７８６）
前記同軸上かつ長手方向に平行に整列している螺旋形状のコイルが、前記コイルの圧縮時にコイルの干渉を防止するように、互いに対して反対の巻回方向で螺旋状に巻回される、項目７８５に記載のシステム。
（項目７８７）
前記プランジャの格納が前記相互連結したストッパー部材及び針を格納し、その結果、前記針の少なくとも一部が前記注射器本体の前記内部薬剤チャンバ中に引き込まれる、項目７７０に記載のシステム。
（項目７８８）
前記プランジャが、前記注射器本体に対する前記プランジャの手動挿入及び格納制御を促進するように構成されている近位サムパッドを備える、項目７２９に記載のシステム。（項目７８９）
前記プランジャが、前記ストッパー部材中に螺旋状に挿入され、かかる挿入により前記ストッパー部材に連結するように構成されている、プランジャ遠位端ねじ接合部を備える、項目７２９に記載のシステム。
（項目７９０）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目７２９に記載のシステム。
（項目７９１）
前記所定の位置が、前記ストッパー部材が前記注射器本体に対して前記プランジャ部材によって完全に挿入されている位置へと前進した位置である、項目７９０に記載のシステム。
（項目７９２）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目７９０に記載のシステム。
（項目７９３）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目７７２に記載のシステム。
（項目７９４）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目７２９に記載のシステム。
（項目７９５）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目７９４に記載のシステム。
（項目７９６）
前記制動部材が、プレートアパーチャー制動部を備える、項目７９５に記載のシステム。
（項目７９７）
前記プレートアパーチャー制動部が一片の板金を含み、それを通してアパーチャーが形成されている、項目７９６に記載のシステム。
（項目７９８）
前記プランジャが前記注射器本体に対して完全に挿入された後で、前記注射器本体に対する前記プランジャの格納を促進するように構成されている、ばね部材を更に備える、項目７９６に記載のシステム。
（項目７９９）
前記プレートアパーチャー制動部が、前記ばね部材の少なくとも一部の可塑性変形を誘導することによって、前記第１のモードから前記第２のモードに切り替わるように構成されている、項目７９８に記載のシステム。
（項目８００）
前記プランジャ部材の格納が、前記第２のモードにおいて格納始動荷重の適用を通して促進される、項目７９５に記載のシステム。
（項目８０１）
前記格納始動荷重が、前記制動部材に動作可能に連結したばね部材によって適用される、項目８００に記載のシステム。
（項目８０２）
前記格納開始荷重が、前記プランジャ部材と前記注射器本体との間で連結したばね部材によって適用される、項目８００に記載のシステム。
（項目８０３）
前記ばね部材が、コイルばね、板ばね、及びエラストマーばね要素から成る群から選択される、項目８０１に記載のシステム。
（項目８０４）
前記ばね部材が、コイルばね、板ばね、及びエラストマーばね要素から成る群から選択される、項目８０２に記載のシステム。
（項目８０５）
前記真空荷重が、前記プランジャを前記注射器本体に対して少なくとも部分的に格納するのに十分である、項目７９４に記載のシステム。
（項目８０６）
前記プランジャの格納が前記相互連結したストッパー部材及び針を格納し、その結果、前記針の少なくとも一部が前記注射器本体の前記内部薬剤チャンバ中に引き込まれる、項目８０５に記載のシステム。
（項目８０７）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目７２９に記載のシステム。
（項目８０８）
前記針被覆部材が、少なくとも２つのスナップオーバー式戻り止め接合部によって前記針に着脱可能に連結する、項目７２９に記載のシステム。
（項目８０９）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目８０８に記載のシステム。
（項目８１０）
スナップオーバー式戻り止め接合部が、前記戻り止めが軸荷重によって機械的に克服されるまで、前記針に対する前記針被覆部材の軸方向運動を防止するように配向されている、項目８０８に記載のシステム。
（項目８１１）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目８０７に記載のシステム。
（項目８１２）
薬剤チャンバが、チャンバの長さによって画定され、前記針が、前記チャンバの長さ以上である針の長さによって画定される、項目７２９に記載のシステム。
（項目８１３）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目８１２に記載のシステム。
（項目８１４）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目７２９に記載のシステム。
（項目８１５）
前記プランジャ部材が、前記針の前記遠位端が構造的にカプセル化されるようになり、かつその後の前記針の前記遠位端へのアクセスが防止されるように、操作者によって手動で格納されるように構成される、項目７２９に記載のシステム。
（項目８１６）
前記針の前記遠位端が、前記内部薬剤チャンバ内に構造的にカプセル化されるようになる、項目８１５に記載のシステム。
（項目８１７）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目８１５に記載のシステム。
（項目８１８）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端、ならびにそれらの間に画定される気泡排出内腔を有する針であって、前記気泡排出内腔が、前記針の中へと画定され、前記薬剤チャンバの遠位端に直接隣接して位置付けられる入口ポートを備えることで、前記薬剤チャンバ内の気泡が、前記薬剤チャンバへの前記針の前記近位端の突出の度合いに関わらず、前記ストッパー部材の挿入によって放出され得るようにする、針と、を備える、システム。
（項目８１９）
前記注射器本体が、市販の注射器本体を含む、項目８１８に記載のシステム。
（項目８２０）
前記注射器本体が、概して円筒形の幾何形状を備える、項目８１８に記載のシステム。（項目８２１）
前記薬剤チャンバが、約０．５ｃｃ〜約５ｃｃの薬剤を収容するように構成されている、項目８１８に記載のシステム。
（項目８２２）
前記薬剤チャンバが、０．５ｃｃ、１ｃｃ、２．２５ｃｃ、３ｃｃ、及び５ｃｃから成る群から選択される薬剤の体積を収容するように構成されている、項目８２１に記載のシステム。
（項目８２３）
前記注射器本体が、ガラス材料を含む、項目８１８に記載のシステム。
（項目８２４）
前記注射器本体が、ポリマー材料を含む、項目８１８に記載のシステム。
（項目８２５）
前記ポリマー材料が、ＣＯＰ、ＣＯＣ、ポリエステル、及びポリプロピレンから成る群から選択される、項目８２４に記載のシステム。
（項目８２６）
前記注射器本体が、金属を含む、項目８１８に記載のシステム。
（項目８２７）
前記注射器本体が、１つ以上の他のデバイス要素に機械的に連結するように構成されている、遠位外側幾何形状を備える、項目８１８に記載のシステム。
（項目８２８）
前記注射器本体の遠位外側幾何形状が、ルアーロック接合部を含む、項目８２７に記載のシステム。
（項目８２９）
前記注射器本体の遠位外側幾何形状が、ルアーテーパ接合部を含む、項目８２７に記載のシステム。
（項目８３０）
前記注射器本体が、遠位薬剤ポートを画定する、項目８１８に記載のシステム。
（項目８３１）
前記針が、前記注射器本体の前記遠位薬剤ポートを通して挿入可能であるように選択された最大外径を有する、項目８３０に記載のシステム。
（項目８３２）
前記遠位薬剤ポートが、約１ｍｍの内径を備える、項目８３１に記載のシステム。
（項目８３３）
前記針が、約３４ゲージ〜約２０ゲージのサイズを有する、項目８３２に記載のシステム。
（項目８３４）
前記ストッパー部材が、前記針の尖った近位端によって少なくとも部分的に貫通されるように構成されている、項目８１８に記載のシステム。
（項目８３５）
前記針が、前記ストッパー部材中に少なくとも部分的に貫通した後の引き抜きに抵抗するように構成されている、少なくとも１つのアンカー要素を有する、項目８１８に記載のシステム。
（項目８３６）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目８３５に記載のシステム。
（項目８３７）
前記ストッパーが、前記注射器本体と共に実質的に封止するために、前記注射器本体の内側幾何形状に実質的に一致するように選択された外側幾何形状を有する、項目８１８に記載のシステム。
（項目８３８）
前記ストッパーが、クロロブチルゴム、ブロモブチルゴム、及びシリコンゴムから成る群から選択される、エラストマー材料を含む、項目８１８に記載のシステム。
（項目８３９）
薬剤材料を前記ストッパーから隔離するために、前記ストッパーの少なくとも一部に適用された封止剤コーティングを更に備える、項目８１８に記載のシステム。
（項目８４０）
前記封止剤コーティングが、ＰＴＦＥフィルムを含む、項目８３９に記載のシステム。（項目８４１）
前記ストッパーと前記注射器本体との間に導入された潤滑剤層を更に備える、項目８１８に記載のシステム。
（項目８４２）
前記潤滑剤層が、シリコン油を含む、項目８４１に記載のシステム。
（項目８４３）
前記ストッパー部材の遠位部分が、従来の市販のコンプライアントストッパーを含む、項目８１８に記載のシステム。
（項目８４４）
前記ストッパー部材が、針への連結のための陥凹または突出部を持たない未改質の中実コンプライアント部材を備える、項目８４３に記載のシステム。
（項目８４５）
前記針が、少なくとも１つの放射状に突出している係止表面機構を備える、項目８１８に記載のシステム。
（項目８４６）
前記針の前記近位端が、少なくとも１つのアンカー要素に対して近位に位置する少なくとも１つの貫通要素を備える、項目８４５に記載のシステム。
（項目８４７）
前記貫通要素が、尖った先端を備える、項目８４６に記載のシステム。
（項目８４８）
前記貫通要素が、中実構造であって、それを通して画定される内腔またはアパーチャーを持たない、中実構造を備える、項目８４７に記載のシステム。
（項目８４９）
前記針が、それを通した注射通路を画定し、前記注射通路が、前記針の遠位先端から前記アンカー要素の遠位先端の近位にある場所へと通じるように選択される、項目８４６に記載のシステム。
（項目８５０）
前記針が、カニューレ部材、ハブ部材、及び近位部材を備える、項目８４５に記載のシステム。
（項目８５１）
前記カニューレ部材及びハブ部材が、同じ材料片から形成される、項目８５０に記載のシステム。
（項目８５２）
前記カニューレ部材及びハブ部材が、共に固定して連結して前記針の一部を形成する、別々に形成された要素を備える、項目８５０に記載のシステム。
（項目８５３）
前記近位部材も、前記カニューレ部材及びハブ部材に固定して連結して前記針の一部を形成する、別々に形成された要素を備える、項目８５０に記載のシステム。
（項目８５４）
前記ハブ部材が、一片の管材から形成される、項目８５２に記載のシステム。
（項目８５５）
前記近位部材が、近位連結接合部を有する一片の平坦な板金を含む、項目８５０に記載のシステム。
（項目８５６）
前記カニューレ部材が、金属を含む、項目８５３に記載のシステム。
（項目８５７）
前記ハブが、金属またはプラスチック材料を含む、項目８５３に記載のシステム。
（項目８５８）
前記近位部材、金属またはプラスチック材料、項目８５３に記載のシステム。
（項目８５９）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目８１８に記載のシステム。
（項目８６０）
前記プランジャ部材が、内部容積を画定するプランジャ部材本体を備え、前記エネルギー蓄積部材が、前記プランジャ部材本体の内部容積の実質的に内部に収納されている、項目８５９に記載のシステム。
（項目８６１）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目８６０に記載のシステム。
（項目８６２）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目８６１に記載のシステム。
（項目８６３）
前記所定の挿入位置が、前記ストッパーが前記注射器本体に対して完全な挿入状態で位置付けられる位置である、項目８６２に記載のシステム。
（項目８６４）
前記エネルギー蓄積部材が、ばねである、項目８５９に記載のシステム。
（項目８６５）
前記ばねが、ステンレス鋼、炭素鋼、ベリリウム銅合金、ニッケルチタン合金、クロムシリコン合金、及びコバルトニッケル合金から成る群から選択される材料を含む、項目８６４に記載のシステム。
（項目８６６）
前記ばねが、エラストマー性ポリマーを含む、項目８６４に記載のシステム。
（項目８６７）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目８６６に記載のシステム。
（項目８６８）
前記エネルギー蓄積部材が、中実ペレット部材を含む、項目８５９に記載のシステム。（項目８６９）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目８６８に記載のシステム。
（項目８７０）
前記ばねが、単一の概して螺旋形状のコイルを含む、項目８６４に記載のシステム。
（項目８７１）
前記ばねが、複数の概して螺旋形状のコイルを含む、項目８６４に記載のシステム。
（項目８７２）
前記複数の概して螺旋形状のコイルを含む前記コイルのうちの少なくとも２つが、同軸上で整列している、項目８７１に記載のシステム。
（項目８７３）
前記複数の概して螺旋形状のコイルを含む前記コイルのうちの少なくとも２つが、長手方向に平行に整列している、項目８７１に記載のシステム。
（項目８７４）
前記同軸上で整列した螺旋形状のコイルも、長手方向に平行に整列している、項目８７２に記載のシステム。
（項目８７５）
前記同軸上かつ長手方向に平行に整列している螺旋形状のコイルが、前記コイルの圧縮時にコイルの干渉を防止するように、互いに対して反対の巻回方向で螺旋状に巻回される、項目８７４に記載のシステム。
（項目８７６）
前記プランジャの格納が前記相互連結したストッパー部材及び針を格納し、その結果、前記針の少なくとも一部が前記注射器本体の前記内部薬剤チャンバ中に引き込まれる、項目８５９に記載のシステム。
（項目８７７）
前記プランジャが、前記注射器本体に対する前記プランジャの手動挿入及び格納制御を促進するように構成されている近位サムパッドを備える、項目８１８に記載のシステム。（項目８７８）
前記プランジャが、前記ストッパー部材中に螺旋状に挿入され、かかる挿入により前記ストッパー部材に連結するように構成されている、プランジャ遠位端ねじ接合部を備える、項目８１８に記載のシステム。
（項目８７９）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目８１８に記載のシステム。
（項目８８０）
前記所定の位置が、前記ストッパー部材が前記注射器本体に対して前記プランジャ部材によって完全に挿入されている位置へと前進した位置である、項目８７９に記載のシステム。
（項目８８１）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目８７９に記載のシステム。
（項目８８２）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目８６１に記載のシステム。
（項目８８３）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目８１８に記載のシステム。
（項目８８４）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目８８３に記載のシステム。
（項目８８５）
前記制動部材が、プレートアパーチャー制動部を備える、項目８８４に記載のシステム。
（項目８８６）
前記プレートアパーチャー制動部が一片の板金を含み、それを通してアパーチャーが形成されている、項目８８５に記載のシステム。
（項目８８７）
前記プランジャが前記注射器本体に対して完全に挿入された後で、前記注射器本体に対する前記プランジャの格納を促進するように構成されている、ばね部材を更に備える、項目８８５に記載のシステム。
（項目８８８）
前記プレートアパーチャー制動部が、前記ばね部材の少なくとも一部の可塑性変形を誘導することによって、前記第１のモードから前記第２のモードに切り替わるように構成されている、項目８８７に記載のシステム。
（項目８８９）
前記プランジャ部材の格納が、前記第２のモードにおいて格納始動荷重の適用を通して促進される、項目８８４に記載のシステム。
（項目８９０）
前記格納始動荷重が、前記制動部材に動作可能に連結したばね部材によって適用される、項目８８９に記載のシステム。
（項目８９１）
前記格納開始荷重が、前記プランジャ部材と前記注射器本体との間で連結したばね部材によって適用される、項目８８９に記載のシステム。
（項目８９２）
前記ばね部材が、コイルばね、板ばね、及びエラストマーばね要素から成る群から選択される、項目８９０に記載のシステム。
（項目８９３）
前記ばね部材が、コイルばね、板ばね、及びエラストマーばね要素から成る群から選択される、項目８９１に記載のシステム。
（項目８９４）
前記真空荷重が、前記プランジャを前記注射器本体に対して少なくとも部分的に格納するのに十分である、項目８８３に記載のシステム。
（項目８９５）
前記プランジャの格納が前記相互連結したストッパー部材及び針を格納し、その結果、前記針の少なくとも一部が前記注射器本体の前記内部薬剤チャンバ中に引き込まれる、項目８９４に記載のシステム。
（項目８９６）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目８１８に記載のシステム。
（項目８９７）
前記針被覆部材が、少なくとも１つのスナップオーバー式戻り止め接合部によって前記針に着脱可能に連結する、項目８９６に記載のシステム。
（項目８９８）
前記針被覆部材が、少なくとも２つのスナップオーバー式戻り止め接合部によって前記針に着脱可能に連結する、項目８９７に記載のシステム。
（項目８９９）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目８９８に記載のシステム。
（項目９００）
スナップオーバー式戻り止め接合部が、前記戻り止めが軸荷重によって機械的に克服されるまで、前記針に対する前記針被覆部材の軸方向運動を防止するように配向されている、項目８９８に記載のシステム。
（項目９０１）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目８９６に記載のシステム。
（項目９０２）
薬剤チャンバが、チャンバの長さによって画定され、前記針が、前記チャンバの長さ以上である針の長さによって画定される、項目８１８に記載のシステム。
（項目９０３）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目９０２に記載のシステム。
（項目９０４）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目８１８に記載のシステム。
（項目９０５）
前記プランジャ部材が、前記針の前記遠位端が構造的にカプセル化されるようになり、かつその後の前記針の前記遠位端へのアクセスが防止されるように、操作者によって手動で格納されるように構成されている、項目８１８に記載のシステム。
（項目９０６）
前記針の前記遠位端が、前記内部薬剤チャンバ内に構造的にカプセル化されるようになる、項目９０５に記載のシステム。
（項目９０７）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目９０５に記載のシステム。
（項目９０８）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．尖った近位端及び遠位端を有する針と、
ｅ．近位端及び遠位端を有し、前記薬剤チャンバ内に封止可能に配設されている、遠位封止要素であって、前記遠位封止要素が、前記針近位端に解放可能に連結することで、封止された接合部がそれらの間に提供されるようにする、遠位封止要素と、を備え、
第１の連結モードにおいて、前記針の前記尖った近位端が、前記遠位封止要素が前記針近位端を把持するように、少なくとも部分的に前記遠位封止要素を通して位置付けられ、
第２の解放モードにおいて、拡張要素が、前記針が前記遠位封止要素から解放可能となるように、前記遠位封止要素と前記針の前記尖った端部との間の接合部を拡張する、システム。
（項目９０９）
前記ストッパー部材の格納の際に、前記針が前記ストッパーと共に近位に引っ張られて、前記内部薬剤チャンバ内に少なくとも部分的に収容されるように、前記尖った針近位端が前記ストッパー部材に連結する、項目９０８に記載のシステム。
（項目９１０）
前記尖った針近位端が、前記ストッパー部材中に少なくとも部分的に挿入されるように構成されているアンカー幾何形状を備える、項目９０９に記載のシステム。
（項目９１１）
前記注射器本体が、市販の注射器本体を含む、項目９０８に記載のシステム。
（項目９１２）
前記注射器本体が、概して円筒形の幾何形状を備える、項目９０８に記載のシステム。（項目９１３）
前記薬剤チャンバが、約０．５ｃｃ〜約５ｃｃの薬剤を収容するように構成されている、項目９０８に記載のシステム。
（項目９１４）
前記薬剤チャンバが、０．５ｃｃ、１ｃｃ、２．２５ｃｃ、３ｃｃ、及び５ｃｃから成る群から選択される薬剤の体積を収容するように構成されている、項目９１３に記載のシステム。
（項目９１５）
前記注射器本体が、ガラス材料を含む、項目９０８に記載のシステム。
（項目９１６）
前記注射器本体が、ポリマー材料を含む、項目９０８に記載のシステム。
（項目９１７）
前記ポリマー材料が、ＣＯＰ、ＣＯＣ、ポリエステル、及びポリプロピレンから成る群から選択される、項目９１６に記載のシステム。
（項目９１８）
前記注射器本体が、金属を含む、項目９１８に記載のシステム。
（項目９１９）
前記注射器本体が、１つ以上の他のデバイス要素に機械的に連結するように構成されている、遠位外側幾何形状を備える、項目９０８に記載のシステム。
（項目９２０）
前記注射器本体の遠位外側幾何形状が、ルアーロック接合部を含む、項目９１９に記載のシステム。
（項目９２１）
前記注射器本体の遠位外側幾何形状が、ルアーテーパ接合部を含む、項目９１９に記載のシステム。
（項目９２２）
前記注射器本体が、遠位薬剤ポートを画定する、項目９０８に記載のシステム。
（項目９２３）
前記針が、前記注射器本体の前記遠位薬剤ポートを通して挿入可能であるように選択された最大外径を有する、項目９２２に記載のシステム。
（項目９２４）
前記遠位薬剤ポートが、約１ｍｍの内径を備える、項目９２３に記載のシステム。
（項目９２５）
前記針が、約３４ゲージ〜約２０ゲージのサイズを有する、項目９２４に記載のシステム。
（項目９２６）
前記ストッパー部材が、前記針の尖った近位端によって少なくとも部分的に貫通されるように構成されている、項目９０８に記載のシステム。
（項目９２７）
前記針が、前記ストッパー部材中に少なくとも部分的に貫通した後の引き抜きに抵抗するように構成されている、少なくとも１つのアンカー要素を有する、項目９０８に記載のシステム。
（項目９２８）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目９２７に記載のシステム。
（項目９２９）
前記ストッパーが、前記注射器本体と共に実質的に封止するために、前記注射器本体の内側幾何形状に実質的に一致するように選択された外側幾何形状を有する、項目９０８に記載のシステム。
（項目９３０）
前記ストッパーが、クロロブチルゴム、ブロモブチルゴム、及びシリコンゴムから成る群から選択される、エラストマー材料を含む、項目９０８に記載のシステム。
（項目９３１）
薬剤材料を前記ストッパーから隔離するために、前記ストッパーの少なくとも一部に適用された封止剤コーティングを更に備える、項目９０８に記載のシステム。
（項目９３２）
前記封止剤コーティングが、ＰＴＦＥフィルムを含む、項目９３１に記載のシステム
。
（項目９３３）
前記ストッパーと前記注射器本体との間に導入された潤滑剤層を更に備える、項目９０８に記載のシステム。
（項目９３４）
前記潤滑剤層が、シリコン油を含む、項目９３３に記載のシステム。
（項目９３５）
前記ストッパー部材の遠位部分が、従来の市販のコンプライアントストッパーを含む、項目９０８に記載のシステム。
（項目９３６）
前記ストッパー部材が、針への連結のための陥凹または突出部を持たない未改質の中実コンプライアント部材を備える、項目９３５に記載のシステム。
（項目９３７）
前記針が、少なくとも１つの放射状に突出している係止表面機構を備える、項目９０８に記載のシステム。
（項目９３８）
前記針の前記近位端が、少なくとも１つのアンカー要素に対して近位に位置する少なくとも１つの貫通要素を備える、項目９３７に記載のシステム。
（項目９３９）
前記貫通要素が、尖った先端を備える、項目９３８に記載のシステム。
（項目９４０）
前記針が、それを通した注射通路を画定し、前記注射通路が、前記針の遠位先端から前記アンカー要素の遠位先端の近位にある場所へと通じるように選択される、項目９３８に記載のシステム。
（項目９４１）
前記針が、カニューレ部材及びハブ部材を備える、項目９３７に記載のシステム。
（項目９４２）
前記カニューレ部材及びハブ部材が、同じ材料片から形成される、項目９４１に記載のシステム。
（項目９４３）
前記カニューレ部材及びハブ部材が、共に固定して連結して前記針の一部を形成する、別々に形成された要素を備える、項目９４１に記載のシステム。
（項目９４４）
前記カニューレ部材が、前記ハブ部材の場所に近位の場所にて軸方向に突出して、前記遠位封止要素に対して接合するように構成されている封止表面を形成する、項目９４１に記載のシステム。
（項目９４５）
前記ハブ部材が、一片の管材から形成される、項目９４３に記載のシステム。
（項目９４６）
前記カニューレ部材が、金属を含む、項目９４４に記載のシステム。
（項目９４７）
前記ハブが、金属またはプラスチック材料を含む、項目９４４に記載のシステム。
（項目９４８）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目９０８に記載のシステム。
（項目９４９）
前記プランジャ部材が、内部容積を画定するプランジャ部材本体を備え、前記エネルギー蓄積部材が、前記プランジャ部材本体の内部容積の実質的に内部に収納されている、項目９４８に記載のシステム。
（項目９５０）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目９４９に記載のシステム。
（項目９５１）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目９５０に記載のシステム。
（項目９５２）
前記所定の挿入位置が、前記ストッパーが前記注射器本体に対して完全な挿入状態で位置付けられる位置である、項目９５１に記載のシステム。
（項目９５３）
前記エネルギー蓄積部材が、ばねである、項目９４９に記載のシステム。
（項目９５４）
前記ばねが、ステンレス鋼、炭素鋼、ベリリウム銅合金、ニッケルチタン合金、クロムシリコン合金、及びコバルトニッケル合金から成る群から選択される材料を含む、項目９５３に記載のシステム。
（項目９５５）
前記ばねが、エラストマー性ポリマーを含む、項目９５３に記載のシステム。
（項目９５６）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目９５５に記載のシステム。
（項目９５７）
前記エネルギー蓄積部材が、中実ペレット部材を含む、項目９４８に記載のシステム。（項目９５８）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目９５７に記載のシステム。
（項目９５９）
前記ばねが、単一の概して螺旋形状のコイルを含む、項目９５３に記載のシステム。
（項目９６０）
前記ばねが、複数の概して螺旋形状のコイルを含む、項目９５３に記載のシステム。
（項目９６１）
前記複数の概して螺旋形状のコイルを含む前記コイルのうちの少なくとも２つが、同軸上で整列している、項目９６０に記載のシステム。
（項目９６２）
前記複数の概して螺旋形状のコイルを含む前記コイルのうちの少なくとも２つが、長手方向に平行に整列している、項目９６０に記載のシステム。
（項目９６３）
前記同軸上で整列した螺旋形状のコイルも、長手方向に平行に整列している、項目９６１に記載のシステム。
（項目９６４）
前記同軸上かつ長手方向に平行に整列している螺旋形状のコイルが、前記コイルの圧縮時にコイルの干渉を防止するように、互いに対して反対の巻回方向で螺旋状に巻回される、項目９６３に記載のシステム。
（項目９６５）
前記プランジャの格納が前記相互連結したストッパー部材及び針を格納し、その結果、前記針の少なくとも一部が前記注射器本体の前記内部薬剤チャンバ中に引き込まれる、項目９４８に記載のシステム。
（項目９６６）
前記プランジャが、前記注射器本体に対する前記プランジャの手動挿入及び格納制御を促進するように構成されている近位サムパッドを備える、項目９０８に記載のシステム。（項目９６７）
前記プランジャが、前記ストッパー部材中に螺旋状に挿入され、かかる挿入により前記ストッパー部材に連結するように構成されている、プランジャ遠位端ねじ接合部を備える、項目９０８に記載のシステム。
（項目９６８）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目９０８に記載のシステム。
（項目９６９）
前記所定の位置が、前記ストッパー部材が前記注射器本体に対して前記プランジャ部材によって完全に挿入されている位置へと前進した位置である、項目９６８に記載のシステム。
（項目９７０）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目９６８に記載のシステム。
（項目９７１）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目９５０に記載のシステム。
（項目９７２）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目９０８に記載のシステム。
（項目９７３）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目９７２に記載のシステム。
（項目９７４）
前記制動部材が、プレートアパーチャー制動部を備える、項目９７３に記載のシステム。
（項目９７５）
前記プレートアパーチャー制動部が一片の板金を含み、それを通してアパーチャーが形成されている、項目９７４に記載のシステム。
（項目９７６）
前記プランジャが前記注射器本体に対して完全に挿入された後で、前記注射器本体に対する前記プランジャの格納を促進するように構成されている、ばね部材を更に備える、項目９７４に記載のシステム。
（項目９７７）
前記プレートアパーチャー制動部が、前記ばね部材の少なくとも一部の可塑性変形を誘導することによって、前記第１のモードから前記第２のモードに切り替わるように構成されている、項目９７６に記載のシステム。
（項目９７８）
前記プランジャ部材の格納が、前記第２のモードにおいて格納始動荷重の適用を通して促進される、項目９７３に記載のシステム。
（項目９７９）
前記格納始動荷重が、前記制動部材に動作可能に連結したばね部材によって適用される、項目９７８に記載のシステム。
（項目９８０）
前記格納開始荷重が、前記プランジャ部材と前記注射器本体との間で連結したばね部材によって適用される、項目９７８に記載のシステム。
（項目９８１）
前記ばね部材が、コイルばね、板ばね、及びエラストマーばね要素から成る群から選択される、項目９７９に記載のシステム。
（項目９８２）
前記ばね部材が、コイルばね、板ばね、及びエラストマーばね要素から成る群から選択される、項目９８０に記載のシステム。
（項目９８３）
前記真空荷重が、前記プランジャを前記注射器本体に対して少なくとも部分的に格納するのに十分である、項目９７２に記載のシステム。
（項目９８４）
前記プランジャの格納が前記相互連結したストッパー部材及び針を格納し、その結果、前記針の少なくとも一部が前記注射器本体の前記内部薬剤チャンバ中に引き込まれる、項目９８３に記載のシステム。
（項目９８５）
薬剤チャンバが、チャンバの長さによって画定され、前記針が、前記チャンバの長さ以上である針の長さによって画定される、項目９０８に記載のシステム。
（項目９８６）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目９８５に記載のシステム。
（項目９８７）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目９０８に記載のシステム。
（項目９８８）
前記プランジャ部材が、前記針の前記遠位端が構造的にカプセル化されるようになり、かつその後の前記針の前記遠位端へのアクセスが防止されるように、操作者によって手動で格納されるように構成されている、項目９０８に記載のシステム。
（項目９８９）
前記針の前記遠位端が、前記内部薬剤チャンバ内に構造的にカプセル化されるようになる、項目９８８に記載のシステム。
（項目９９０）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目９８８に記載のシステム。
（項目９９１）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．尖った近位端及び遠位端を有する針と、
ｅ．前記針の前記近位端の少なくとも一部の周囲に着脱可能に連結し、前記針の前記近位端を、それから離れて拡張されるまで把持するように構成されている、遠位封止要素と、
ｆ．拡張要素であって、前記針近位端に連結し、前記遠位封止要素を前記針の前記近位端から離して拡張して、前記針を、前記遠位封止要素の前記拡張要素に向けた前進によって前記遠位封止要素から解放すると同時に、前記拡張要素及び相互連結した針が、前記注射器本体に対して実質的に不動のままであるように構成されている、拡張要素と、を備える、システム。
（項目９９２）
前記ストッパー部材の格納の際に、前記針が前記ストッパーと共に近位に引っ張られて、前記内部薬剤チャンバ内に少なくとも部分的に収容されるように、前記尖った針近位端が前記ストッパー部材に連結する、項目９９１に記載のシステム。
（項目９９３）
前記尖った針近位端が、前記ストッパー部材中に少なくとも部分的に挿入されるように構成されているアンカー幾何形状を備える、項目９９２に記載のシステム。
（項目９９４）
前記注射器本体が、市販の注射器本体を含む、項目９９１に記載のシステム。
（項目９９５）
前記注射器本体が、概して円筒形の幾何形状を備える、項目９９１に記載のシステム。（項目９９６）
前記薬剤チャンバが、約０．５ｃｃ〜約５ｃｃの薬剤を収容するように構成されている、項目９９１に記載のシステム。
（項目９９７）
前記薬剤チャンバが、０．５ｃｃ、１ｃｃ、２．２５ｃｃ、３ｃｃ、及び５ｃｃから成る群から選択される薬剤の体積を収容するように構成されている、項目９９６に記載のシステム。
（項目９９８）
前記注射器本体が、ガラス材料を含む、項目９９１に記載のシステム。
（項目９９９）
前記注射器本体が、ポリマー材料を含む、項目９９１に記載のシステム。
（項目１０００）
前記ポリマー材料が、ＣＯＰ、ＣＯＣ、ポリエステル、及びポリプロピレンから成る群から選択される、項目９９９に記載のシステム。
（項目１００１）
前記注射器本体が、金属を含む、項目９９１に記載のシステム。
（項目１００２）
前記注射器本体が、１つ以上の他のデバイス要素に機械的に連結するように構成されている、遠位外側幾何形状を備える、項目９９１に記載のシステム。
（項目１００３）
前記注射器本体の遠位外側幾何形状が、ルアーロック接合部を含む、項目１００２に記載のシステム。
（項目１００４）
前記注射器本体の遠位外側幾何形状が、ルアーテーパ接合部を含む、項目１００２に記載のシステム。
（項目１００５）
前記注射器本体が、遠位薬剤ポートを画定する、項目９９１に記載のシステム。
（項目１００６）
前記針が、前記注射器本体の前記遠位薬剤ポートを通して挿入可能であるように選択された最大外径を有する、項目１００５に記載のシステム。
（項目１００７）
前記遠位薬剤ポートが、約１ｍｍの内径を備える、項目１００６に記載のシステム。
（項目１００８）
前記針が、約３４ゲージ〜約２０ゲージのサイズを有する、項目１００７に記載のシステム。
（項目１００９）
前記ストッパー部材が、前記針の尖った近位端によって少なくとも部分的に貫通されるように構成されている、項目９９１に記載のシステム。
（項目１０１０）
前記針が、前記ストッパー部材中に少なくとも部分的に貫通した後の引き抜きに抵抗するように構成されている、少なくとも１つのアンカー要素を有する、項目９９１に記載のシステム。
（項目１０１１）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１０１０に記載のシステム。
（項目１０１２）
前記ストッパーが、前記注射器本体と共に実質的に封止するために、前記注射器本体の内側幾何形状に実質的に一致するように選択された外側幾何形状を有する、項目９９１に記載のシステム。
（項目１０１３）
前記ストッパーが、クロロブチルゴム、ブロモブチルゴム、及びシリコンゴムから成る群から選択される、エラストマー材料を含む、項目９９１に記載のシステム。
（項目１０１４）
薬剤材料を前記ストッパーから隔離するために、前記ストッパーの少なくとも一部に適用された封止剤コーティングを更に備える、項目９９１に記載のシステム。
（項目１０１５）
前記封止剤コーティングが、ＰＴＦＥフィルムを含む、項目１０１４に記載のシステム。
（項目１０１６）
前記ストッパーと前記注射器本体との間に導入された潤滑剤層を更に備える、項目９９１に記載のシステム。
（項目１０１７）
前記潤滑剤層が、シリコン油を含む、項目１０１６に記載のシステム。
（項目１０１８）
前記ストッパー部材の遠位部分が、従来の市販のコンプライアントストッパーを含む、項目９９１に記載のシステム。
（項目１０１９）
前記ストッパー部材が、針への連結のための陥凹または突出部を持たない未改質の中実コンプライアント部材を備える、項目１０１８に記載のシステム。
（項目１０２０）
前記針が、少なくとも１つの放射状に突出している係止表面機構を備える、項目９９１に記載のシステム。
（項目１０２１）
前記針の前記近位端が、少なくとも１つのアンカー要素に対して近位に位置する少なくとも１つの貫通要素を備える、項目１０２０に記載のシステム。
（項目１０２２）
前記貫通要素が、尖った先端を備える、項目１０２１に記載のシステム。
（項目１０２３）
前記針が、それを通した注射通路を画定し、前記注射通路が、前記針の遠位先端から前記アンカー要素の遠位先端の近位にある場所へと通じるように選択される、項目１０２１に記載のシステム。
（項目１０２４）
前記針が、カニューレ部材及びハブ部材を備える、項目１０２０に記載のシステム。
（項目１０２５）
前記カニューレ部材及びハブ部材が、同じ材料片から形成される、項目１０２４に記載のシステム。
（項目１０２６）
前記カニューレ部材及びハブ部材が、共に固定して連結して前記針の一部を形成する、別々に形成された要素を備える、項目１０２４に記載のシステム。
（項目１０２７）
前記カニューレ部材が、前記ハブ部材の場所に近位の場所にて軸方向に突出して、前記遠位封止要素に対して接合するように構成されている封止表面を形成する、項目１０２４に記載のシステム。［前記封止部は前記ハブではなく前記針を封止し、先行技術では封止部は前記ハブを封止する］
（項目１０２８）
前記ハブ部材が、一片の管材から形成される、項目１０２５に記載のシステム。
（項目１０２９）
前記カニューレ部材が、金属を含む、項目１０２７に記載のシステム。
（項目１０３０）
前記ハブが、金属またはプラスチック材料を含む、項目１０２７に記載のシステム。
（項目１０３１）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目９９１に記載のシステム。
（項目１０３２）
前記プランジャ部材が、内部容積を画定するプランジャ部材本体を備え、前記エネルギー蓄積部材が、前記プランジャ部材本体の内部容積の実質的に内部に収納されている、項目１０３１に記載のシステム。
（項目１０３３）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１０３２に記載のシステム。
（項目１０３４）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１０３３に記載のシステム。
（項目１０３５）
前記所定の挿入位置が、前記ストッパーが前記注射器本体に対して完全な挿入状態で位置付けられる位置である、項目１０３４に記載のシステム。
（項目１０３６）
前記エネルギー蓄積部材が、ばねである、項目１０３１に記載のシステム。
（項目１０３７）
前記ばねが、ステンレス鋼、炭素鋼、ベリリウム銅合金、ニッケルチタン合金、クロムシリコン合金、及びコバルトニッケル合金から成る群から選択される材料を含む、項目１０３６に記載のシステム。
（項目１０３８）
前記ばねが、エラストマー性ポリマーを含む、項目１０３６に記載のシステム。
（項目１０３９）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、項目１０３８に記載のシステム。
（項目１０４０）
前記エネルギー蓄積部材が、中実ペレット部材を含む、項目１０３１に記載のシステム。
（項目１０４１）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１０４０に記載のシステム。
（項目１０４２）
前記ばねが、単一の概して螺旋形状のコイルを含む、項目１０３６に記載のシステム。（項目１０４３）
前記ばねが、複数の概して螺旋形状のコイルを含む、項目１０３６に記載のシステム。（項目１０４４）
前記複数の概して螺旋形状のコイルを含む前記コイルのうちの少なくとも２つが、同軸上で整列している、項目１０４３に記載のシステム。
（項目１０４５）
前記複数の概して螺旋形状のコイルを含む前記コイルのうちの少なくとも２つが、長手方向に平行に整列している、項目１０４３に記載のシステム。
（項目１０４６）
前記同軸上で整列した螺旋形状のコイルも、長手方向に平行に整列している、項目１０４５に記載のシステム。
（項目１０４７）
前記同軸上かつ長手方向に平行に整列している螺旋形状のコイルが、前記コイルの圧縮時にコイルの干渉を防止するように、互いに対して反対の巻回方向で螺旋状に巻回される、項目１０４６に記載のシステム。
（項目１０４８）
前記プランジャの格納が前記相互連結したストッパー部材及び針を格納し、その結果、前記針の少なくとも一部が前記注射器本体の前記内部薬剤チャンバ中に引き込まれる、項目１０３１に記載のシステム。
（項目１０４９）
前記プランジャが、前記注射器本体に対する前記プランジャの手動挿入及び格納制御を促進するように構成されている近位サムパッドを備える、項目９９１に記載のシステム。（項目１０５０）
前記プランジャが、前記ストッパー部材中に螺旋状に挿入され、かかる挿入により前記ストッパー部材に連結するように構成されている、プランジャ遠位端ねじ接合部を備える、項目９９１に記載のシステム。
（項目１０５１）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目９９１に記載のシステム。
（項目１０５２）
前記所定の位置が、前記ストッパー部材が前記注射器本体に対して前記プランジャ部材によって完全に挿入されている位置へと前進した位置である、項目１０５１に記載のシステム。
（項目１０５３）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１０５１に記載のシステム。
（項目１０５４）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１０３３に記載のシステム。
（項目１０５５）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目９９１に記載のシステム。
（項目１０５６）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１０５５に記載のシステム。
（項目１０５７）
前記制動部材が、プレートアパーチャー制動部を備える、項目１０５６に記載のシステム。
（項目１０５８）
前記プレートアパーチャー制動部が一片の板金を含み、それを通してアパーチャーが形成されている、項目１０５７に記載のシステム。
（項目１０５９）
前記プランジャが前記注射器本体に対して完全に挿入された後で、前記注射器本体に対する前記プランジャの格納を促進するように構成されている、ばね部材を更に備える、項目１０５７に記載のシステム。
（項目１０６０）
前記プレートアパーチャー制動部が、前記ばね部材の少なくとも一部の可塑性変形を誘導することによって、前記第１のモードから前記第２のモードに切り替わるように構成されている、項目１０５９に記載のシステム。
（項目１０６１）
前記プランジャ部材の格納が、前記第２のモードにおいて格納始動荷重の適用を通して促進される、項目１０５６に記載のシステム。
（項目１０６２）
前記格納始動荷重が、前記制動部材に動作可能に連結したばね部材によって適用される、項目１０６１に記載のシステム。
（項目１０６３）
前記格納開始荷重が、前記プランジャ部材と前記注射器本体との間で連結したばね部材によって適用される、項目１０６１に記載のシステム。
（項目１０６４）
前記ばね部材が、コイルばね、板ばね、及びエラストマーばね要素から成る群から選択される、項目１０６２に記載のシステム。
（項目１０６５）
前記ばね部材が、コイルばね、板ばね、及びエラストマーばね要素から成る群から選択される、項目１０６３に記載のシステム。
（項目１０６６）
前記真空荷重が、前記プランジャを前記注射器本体に対して少なくとも部分的に格納するのに十分である、項目１０５６に記載のシステム。
（項目１０６７）
前記プランジャの格納が前記相互連結したストッパー部材及び針を格納し、その結果、前記針の少なくとも一部が前記注射器本体の前記内部薬剤チャンバ中に引き込まれる、項目１０６６に記載のシステム。
（項目１０６８）
薬剤チャンバが、チャンバの長さによって画定され、前記針が、前記チャンバの長さ以上である針の長さによって画定される、項目９９１に記載のシステム。
（項目１０６９）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１０６８に記載のシステム。
（項目１０７０）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目９９１に記載のシステム。
（項目１０７１）
前記プランジャ部材が、前記針の前記遠位端が構造的にカプセル化されるようになり、かつその後の前記針の前記遠位端へのアクセスが防止されるように、操作者によって手動で格納されるように構成されている、項目９９１に記載のシステム。
（項目１０７２）
１０４。前記針の前記遠位端が、前記内部薬剤チャンバ内に構造的にカプセル化されるようになる、項目１０７１に記載のシステム。
（項目１０７３）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１０７１に記載のシステム。
（項目１０７４）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の遠位端に連結する、針と、
ｅ．前記注射器本体に動作可能に連結し、少なくとも前記針の前記遠位端が通過し得る内腔を画定する針鞘であって、前記針鞘が、第１の状態であって、前記針鞘が、前記針の前記近位端に向けて圧縮されて、注射のために前記針の前記遠位端を露出する、第１の状態と、第２の状態であって、前記針鞘が、前記針遠位端を越えて前方に前進して、前記針を実質的に被覆し、前記針の前記遠位端との接触を防止する、第２の状態と、を有するように構成されている、針鞘と、を備え、
前記第１の状態において、前記ストッパー部材が前記注射器本体に対して所定の位置に前進するまで前記針鞘を前記第１の位置に保持する鞘保持要素がない場合、エネルギー蓄積部材が圧縮されて前記針鞘を付勢し、前記第２の状態へと前方に弾く、システム。
（項目１０７５）
前記ストッパー部材の前記所定の位置が、前記ストッパー部材が前記注射器本体に対して最大前進位置に前進した位置である、項目１０７４に記載のシステム。
（項目１０７６）
前記針鞘が前記注射器本体に対する所定の軸方向延長位置を過ぎて第２の状態に前進するのを抑制するように構成されている、鞘制限部材を更に備える、項目１０７４に記載のシステム。
（項目１０７７）
エネルギー蓄積部材が、ばねを備える、項目１０７４に記載のシステム。
（項目１０７８）
前記所定の位置にて、前記プランジャが、前記針に対して、鞘保持要素を解放する荷重を適用する、項目１０７４に記載のシステム。
（項目１０７９）
前記注射器本体が、市販の注射器本体を含む、項目１０７４に記載のシステム。
（項目１０８０）
前記注射器本体が、概して円筒形の幾何形状を備える、項目１０７４に記載のシステム。
（項目１０８１）
前記薬剤チャンバが、約０．５ｃｃ〜約５ｃｃの薬剤を収容するように構成されている、項目１０７４に記載のシステム。
（項目１０８２）
前記薬剤チャンバが、０．５ｃｃ、１ｃｃ、２．２５ｃｃ、３ｃｃ、及び５ｃｃから成る群から選択される薬剤の体積を収容するように構成されている、項目１０８１に記載のシステム。
（項目１０８３）
前記注射器本体が、ガラス材料を含む、項目１０７４に記載のシステム。
（項目１０８４）
前記注射器本体が、ポリマー材料を含む、項目１０７４に記載のシステム。
（項目１０８５）
前記ポリマー材料が、ＣＯＰ、ＣＯＣ、ポリエステル、及びポリプロピレンから成る群から選択される、項目１１に記載のシステム。
（項目１０８６）
前記注射器本体が、金属を含む、項目１０７４に記載のシステム。
（項目１０８７）
前記注射器本体が、１つ以上の他のデバイス要素に機械的に連結するように構成されている、遠位外側幾何形状を備える、項目１０７４に記載のシステム。
（項目１０８８）
前記注射器本体の遠位外側幾何形状が、ルアーロック接合部を含む、項目１０８７に記載のシステム。
（項目１０８９）
前記注射器本体の遠位外側幾何形状が、ルアーテーパ接合部を含む、項目１０８７に記載のシステム。
（項目１０９０）
前記注射器本体が、遠位薬剤ポートを画定する、項目１０７４に記載のシステム。
（項目１０９１）
前記針が、前記注射器本体の前記遠位薬剤ポートを通して挿入可能であるように選択された最大外径を有する、項目１０９０に記載のシステム。
（項目１０９２）
前記遠位薬剤ポートが、約１ｍｍの内径を備える、項目１０９１に記載のシステム。
（項目１０９３）
前記針が、約３４ゲージ〜約２０ゲージのサイズを有する、項目１０９２に記載のシステム。
（項目１０９４）
前記ストッパーが、前記注射器本体と共に実質的に封止するために、前記注射器本体の内側幾何形状に実質的に一致するように選択された外側幾何形状を有する、項目１０７４に記載のシステム。
（項目１０９５）
前記ストッパーが、クロロブチルゴム、ブロモブチルゴム、及びシリコンゴムから成る群から選択される、エラストマー材料を含む、項目１０７４に記載のシステム。
（項目１０９６）
薬剤材料を前記ストッパーから隔離するために、前記ストッパーの少なくとも一部に適用された封止剤コーティングを更に備える、項目１０７４に記載のシステム。
（項目１０９７）
前記封止剤コーティングが、ＰＴＦＥフィルムを含む、項目１０９６に記載のシステム。
（項目１０９８）
前記ストッパーと前記注射器本体との間に導入された潤滑剤層を更に備える、項目１０７４に記載のシステム。
（項目１０９９）
前記潤滑剤層が、シリコン油を含む、項目１０９８に記載のシステム。
（項目１１００）
前記ストッパー部材の遠位部分が、従来の市販のコンプライアントストッパーを含む、項目１０７４に記載のシステム。
（項目１１０１）
前記針が、少なくとも１つの放射状に突出している係止表面機構を備える、項目１０７４に記載のシステム。
（項目１１０２）
前記プランジャが、前記注射器本体に対する前記プランジャの手動挿入及び格納制御を促進するように構成されている近位サムパッドを備える、項目１０７４に記載のシステム。
（項目１１０３）
前記プランジャが、前記ストッパー部材中に螺旋状に挿入され、かかる挿入により前記ストッパー部材に連結するように構成されている、プランジャ遠位端ねじ接合部を備える、項目１０７４に記載のシステム。
（項目１１０４）
薬剤チャンバが、チャンバの長さによって画定され、前記針が、前記チャンバの長さ以上である針の長さによって画定される、項目１０７４に記載のシステム。
（項目１１０５）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１１０４に記載のシステム。
（項目１１０６）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１
０７４に記載のシステム。
（項目１１０７）
前記プランジャ部材が、前記針の前記遠位端が構造的にカプセル化されるようになり、かつその後の前記針の前記遠位端へのアクセスが防止されるように、操作者によって手動で格納されるように構成される、項目１０７４に記載のシステム。
（項目１１０８）
前記針の前記遠位端が、前記内部薬剤チャンバ内に構造的にカプセル化されるようになる、項目１１０７に記載のシステム。
（項目１１０９）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１１０
７に記載のシステム。
（項目１１１０）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の遠位端に連結する、針と、
ｅ．前記注射器本体に動作可能に連結し、少なくとも前記針の前記遠位端が通過し得る内腔を画定する伸縮式針鞘であって、前記針鞘が、第１の状態であって、前記伸縮式針鞘が、前記針の前記近位端に向けて伸縮自在に圧縮されて、注射のために前記針の前記遠位端を露出する、第１の状態と、第２の状態であって、前記針鞘が、前記針遠位端を越えて前方に伸縮自在に前進して、前記針を実質的に被覆し、前記針の前記遠位端との接触を防止する、第２の状態と、を有するように構成されている、伸縮式針鞘と、を備え、
前記第１の状態において、前記ストッパー部材が前記注射器本体に対して所定の位置に前進するまで前記針鞘を前記第１の位置に保持する鞘保持要素がない場合、エネルギー蓄積部材が圧縮されて前記針鞘を付勢し、前記第２の状態へと前方に弾く、システム
（項目１１１１）
前記ストッパー部材の前記所定の位置が、前記ストッパー部材が前記注射器本体に対して最大前進位置に前進した位置である、項目１１１０に記載のシステム。
（項目１１１２）
前記針鞘が前記注射器本体に対する所定の軸方向延長位置を過ぎて第２の状態に前進するのを抑制するように構成されている、鞘制限部材を更に備える、項目１１１０に記載のシステム。
（項目１１１３）
エネルギー蓄積部材が、ばねを備える、項目１１１０に記載のシステム。
（項目１１１４）
前記所定の位置にて、前記プランジャが、前記針に対して、鞘保持要素を解放する荷重を適用する、項目１１１０に記載のシステム。
（項目１１１５）
前記注射器本体が、市販の注射器本体を含む、項目１１１０に記載のシステム。
（項目１１１６）  前記注射器本体が、概して円筒形の幾何形状を備える、項目１１１０に記載のシステム。
（項目１１１７）
前記薬剤チャンバが、約０．５ｃｃ〜約５ｃｃの薬剤を収容するように構成されている、項目１１１０に記載のシステム。
（項目１１１８）
前記薬剤チャンバが、０．５ｃｃ、１ｃｃ、２．２５ｃｃ、３ｃｃ、及び５ｃｃから成る群から選択される薬剤の体積を収容するように構成されている、項目１１１７に記載のシステム。
（項目１１１９）
前記注射器本体が、ガラス材料を含む、項目１１１０に記載のシステム。
（項目１１２０）
前記注射器本体が、ポリマー材料を含む、項目１１１０に記載のシステム。
（項目１１２１）
前記ポリマー材料が、ＣＯＰ、ＣＯＣ、ポリエステル、及びポリプロピレンから成る群から選択される、項目１１２０に記載のシステム。
（項目１１２２）
前記注射器本体が、金属を含む、項目１１１０に記載のシステム。
（項目１１２３）
前記注射器本体が、１つ以上の他のデバイス要素に機械的に連結するように構成されている、遠位外側幾何形状を備える、項目１１１０に記載のシステム。
（項目１１２４）
前記注射器本体の遠位外側幾何形状が、ルアーロック接合部を含む、項目１１２３に記載のシステム。
（項目１１２５）
前記注射器本体の遠位外側幾何形状が、ルアーテーパ接合部を含む、項目１１２３に記載のシステム。
（項目１１２６）
前記注射器本体が、遠位薬剤ポートを画定する、項目１１１０に記載のシステム。
（項目１１２７）
前記針が、前記注射器本体の前記遠位薬剤ポートを通して挿入可能であるように選択された最大外径を有する、項目１１２６に記載のシステム。
（項目１１２８）
前記遠位薬剤ポートが、約１ｍｍの内径を備える、項目１１２７に記載のシステム。
（項目１１２９）
前記針が、約３４ゲージ〜約２０ゲージのサイズを有する、項目１１２８に記載のシステム。
（項目１１３０）
前記ストッパーが、前記注射器本体と共に実質的に封止するために、前記注射器本体の内側幾何形状に実質的に一致するように選択された外側幾何形状を有する、項目１１１０に記載のシステム。
（項目１１３１）
前記ストッパーが、クロロブチルゴム、ブロモブチルゴム、及びシリコンゴムから成る群から選択される、エラストマー材料を含む、項目１１１０に記載のシステム。
（項目１１３２）
薬剤材料を前記ストッパーから隔離するために、前記ストッパーの少なくとも一部に適用された封止剤コーティングを更に備える、項目１１１０に記載のシステム。
（項目１１３３）
前記封止剤コーティングが、ＰＴＦＥフィルムを含む、項目１１３２に記載のシステム。（項目１１３４）
前記ストッパーと前記注射器本体との間に導入された潤滑剤層を更に備える、項目１１１０に記載のシステム。
（項目１１３５）
前記潤滑剤層が、シリコン油を含む、項目１１３４に記載のシステム。
（項目１１３６）
前記ストッパー部材の遠位部分が、従来の市販のコンプライアントストッパーを含む、項目１１１０に記載のシステム。
（項目１１３７）
前記針が、少なくとも１つの放射状に突出している係止表面機構を備える、項目１１１０に記載のシステム。
（項目１１３８）
前記プランジャが、前記注射器本体に対する前記プランジャの手動挿入及び格納制御を促進するように構成されている近位サムパッドを備える、項目１１１０に記載のシステム。
（項目１１３９）
前記プランジャが、前記ストッパー部材中に螺旋状に挿入され、かかる挿入により前記ストッパー部材に連結するように構成されている、プランジャ遠位端ねじ接合部を備える、項目１１１０に記載のシステム。
（項目１１４０）
薬剤チャンバが、チャンバの長さによって画定され、前記針が、前記チャンバの長さ以上である針の長さによって画定される、項目１１１０に記載のシステム。
（項目１１４１）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１１４０に記載のシステム。
（項目１１４２）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１
１１０に記載のシステム。
（項目１１４３）
前記プランジャ部材が、前記針の前記遠位端が構造的にカプセル化されるようになり、かつその後の前記針の前記遠位端へのアクセスが防止されるように、操作者によって手動で格納されるように構成される、項目１１１０に記載のシステム。
（項目１１４４）
前記針の前記遠位端が、前記内部薬剤チャンバ内に構造的にカプセル化されるようになる、項目１１４３に記載のシステム。
（項目１１４５）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１１４
３に記載のシステム。
（項目１１４６）  注射のためのシステムであって、
ａ．内部薬剤チャンバを画定する注射器本体、及び前記内部薬剤チャンバに流体連結している内部表面を画定するルアーテーパを備える遠位接合部と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記ルアーテーパの内部表面に着脱可能に取り付けられる、針と、を備える、システム。  
（項目１１４７）
前記注射器本体が、市販の注射器本体を含む、項目１１４６に記載のシステム。
（項目１１４８）
前記注射器本体が、概して円筒形の幾何形状を備える、項目１１４６に記載のシステム。
（項目１１４９）
前記薬剤チャンバが、約０．５ｃｃ〜約５ｃｃの薬剤を収容するように構成されている、項目１１４６に記載のシステム。
（項目１１５０）
前記薬剤チャンバが、０．５ｃｃ、１ｃｃ、２．２５ｃｃ、３ｃｃ、及び５ｃｃから成る群から選択される薬剤の体積を収容するように構成されている、項目１１５０に記載のシステム。
（項目１１５１）
前記注射器本体が、ガラス材料を含む、項目１１４６に記載のシステム。
（項目１１５２）
前記注射器本体が、ポリマー材料を含む、項目１１４６に記載のシステム。
（項目１１５３）
前記ポリマー材料が、ＣＯＰ、ＣＯＣ、ポリエステル、及びポリプロピレンから成る群から選択される、項目１１５２に記載のシステム。
（項目１１５４）
前記注射器本体が、金属を含む、項目１１４６に記載のシステム。
（項目１１５５）
前記注射器本体が、１つ以上の他のデバイス要素に機械的に連結するように構成されている、遠位外側幾何形状を備える、項目１１４６に記載のシステム。
（項目１１５６）
前記注射器本体の遠位外側幾何形状が、ルアーロック接合部を含む、項目１１５５に記載のシステム。
（項目１１５７）
前記注射器本体の遠位外側幾何形状が、ルアーテーパ接合部を含む、項目１１５５に記載のシステム。
（項目１１５８）
前記注射器本体が、遠位薬剤ポートを画定する、項目１１４６に記載のシステム。
（項目１１５９）
前記針が、前記注射器本体の前記遠位薬剤ポートを通して挿入可能であるように選択された最大外径を有する、項目１１５８に記載のシステム。
（項目１１６０）
前記遠位薬剤ポートが、約１ｍｍの内径を備える、項目１１５９に記載のシステム。
（項目１１６１）
前記針が、約３４ゲージ〜約２０ゲージのサイズを有する、項目１１６０に記載のシステム。
（項目１１６２）  前記ストッパー部材が、前記針の尖った近位端によって少なくとも部分的に貫通されるように構成されている、項目１１４６に記載のシステム。
（項目１１６３）
前記針が、前記ストッパー部材中に少なくとも部分的に貫通した後の引き抜きに抵抗するように構成されている、少なくとも１つのアンカー要素を有する、項目１１４６に記載のシステム。
（項目１１６４）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１１６３に記載のシステム。
（項目１１６５）
前記ストッパーが、前記注射器本体と共に実質的に封止するために、前記注射器本体の内側幾何形状に実質的に一致するように選択された外側幾何形状を有する、項目１１４６に記載のシステム。
（項目１１６６）
前記ストッパーが、クロロブチルゴム、ブロモブチルゴム、及びシリコンゴムから成る群から選択される、エラストマー材料を含む、項目１１４６に記載のシステム。
（項目１１６７）
薬剤材料を前記ストッパーから隔離するために、前記ストッパーの少なくとも一部に適用された封止剤コーティングを更に備える、項目１１４６に記載のシステム。
（項目１１６８）
前記封止剤コーティングが、ＰＴＦＥフィルムを含む、項目１１６７に記載のシステム。
（項目１１６９）
前記ストッパーと前記注射器本体との間に導入された潤滑剤層を更に備える、項目１１４６に記載のシステム。
（項目１１７０）
前記潤滑剤層が、シリコン油を含む、項目１１６９に記載のシステム。
（項目１１７１）
前記ストッパー部材の遠位部分が、従来の市販のコンプライアントストッパーを含む、項目１１４６に記載のシステム。
（項目１１７２）
前記ストッパー部材が、針への連結のための陥凹または突出部を持たない未改質の中実コンプライアント部材を備える、項目１１７１に記載のシステム。
（項目１１７３）
前記針が、少なくとも１つの放射状に突出している係止表面機構を備える、項目１１４６に記載のシステム。
（項目１１７４）
前記針の前記近位端が、少なくとも１つのアンカー要素に対して近位に位置する少なくとも１つの貫通要素を備える、項目１１７３に記載のシステム。
（項目１１７５）
前記貫通要素が、尖った先端を備える、項目１１７４に記載のシステム。
（項目１１７６）
前記貫通要素が、中実構造であって、それを通して画定される内腔またはアパーチャーを持たない、中実構造を備える、項目１１７５に記載のシステム。
（項目１１７７）
前記針が、それを通した注射通路を画定し、前記注射通路が、前記針の遠位先端から前記アンカー要素の遠位先端の近位にある場所へと通じるように選択される、項目１１７４に記載のシステム。（項目１１７８）
前記針が、カニューレ部材、ハブ部材、及び近位部材を備える、項目１１７３に記載のシステム。
（項目１１７９）
前記カニューレ部材及びハブ部材が、同じ材料片から形成される、項目１１７８に記載のシステム。
（項目１１８０）
前記カニューレ部材及びハブ部材が、共に固定して連結して前記針の一部を形成する、別々に形成された要素を備える、項目１１７８に記載のシステム。
（項目１１８１）
前記近位部材も、前記カニューレ部材及びハブ部材に固定して連結して前記針の一部を形成する、別々に形成された要素を備える、項目１１７８に記載のシステム。
（項目１１８２）
前記ハブ部材が、一片の管材から形成される、項目１１８０に記載のシステム。
（項目１１８３）
前記近位部材が、近位連結接合部を有する一片の平坦な板金を含む、項目１１７８に記載のシステム。
（項目１１８４）
前記カニューレ部材が、金属を含む、項目１１８１に記載のシステム。
（項目１１８５）
前記ハブが、金属またはプラスチック材料を含む、項目１１８１に記載のシステム。
（項目１１８６）
前記近位部材、金属またはプラスチック材料、項目１１８１に記載のシステム。
（項目１１８７）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１１４６に記載のシステム。
（項目１１８８）
前記プランジャ部材が、内部容積を画定するプランジャ部材本体を備え、前記エネルギー蓄積部材が、前記プランジャ部材本体の内部容積の実質的に内部に収納されている、請求項１１８７に記載のシステム。
（項目１１８９）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１１８８に記載のシステム。
（項目１１９０）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１１８９に記載のシステム。
（項目１１９１）
前記所定の挿入位置が、前記ストッパーが前記注射器本体に対して完全な挿入状態で位置付けられる位置である、項目１１９０に記載のシステム。
（項目１１９２）
前記エネルギー蓄積部材が、ばねである、項目１１８７に記載のシステム。
（項目１１９３）  前記ばねが、ステンレス鋼、炭素鋼、ベリリウム銅合金、ニッケルチタン合金、クロムシリコン合金、及びコバルトニッケル合金から成る群から選択される材料を含む、項目１１９２に記載のシステム。
（項目１１９４）
前記ばねが、エラストマー性ポリマーを含む、項目１１９２に記載のシステム。
（項目１１９５）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１１９４に記載のシステム。
（項目１１９６）
前記エネルギー蓄積部材が、中実ペレット部材を含む、項目１１８７に記載のシステム。
（項目１１９７）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１１９６に記載のシステム。
（項目１１９８）
前記ばねが、単一の概して螺旋形状のコイルを含む、項目１１９２に記載のシステム。（項目１１９９）
前記ばねが、複数の概して螺旋形状のコイルを含む、項目１１９２に記載のシステム。（項目１２００）
前記複数の概して螺旋形状のコイルを含む前記コイルのうちの少なくとも２つが、同軸上で整列している、項目１１９９に記載のシステム。
（項目１２０１）
前記複数の概して螺旋形状のコイルを含む前記コイルのうちの少なくとも２つが、長手方向に平行に整列している、項目１１９９に記載のシステム。
（項目１２０２）
前記同軸上で整列した螺旋形状のコイルも、長手方向に平行に整列している、項目１２００に記載のシステム。
（項目１２０３）
前記同軸上かつ長手方向に平行に整列している螺旋形状のコイルが、前記コイルの圧縮時にコイルの干渉を防止するように、互いに対して反対の巻回方向で螺旋状に巻回される、項目１２０２に記載のシステム。
（項目１２０４）
前記プランジャの格納が前記相互連結したストッパー部材及び針を格納し、その結果、前記針の少なくとも一部が前記注射器本体の前記内部薬剤チャンバ中に引き込まれる、請求項１１８７に記載のシステム。
（項目１２０５）
前記プランジャが、前記注射器本体に対する前記プランジャの手動挿入及び格納制御を促進するように構成されている近位サムパッドを備える、項目１１４６に記載のシステム。
（項目１２０６）
前記プランジャが、前記ストッパー部材中に螺旋状に挿入され、かかる挿入により前記ストッパー部材に連結するように構成されている、プランジャ遠位端ねじ接合部を備える、項目１１４６に記載のシステム。
（項目１２０７）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１１４６に記載のシステム。
（項目１２０８）
前記所定の位置が、前記ストッパー部材が前記注射器本体に対して前記プランジャ部材によって完全に挿入されている位置へと前進した位置である、項目１２０７に記載のシステム。
（項目１２０９）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１２０７に記載のシステム。
（項目１２１０）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１１８９に記載のシステム。
（項目１２１１）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１１４６に記載のシステム。
（項目１２１２）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１２１１に記載のシステム。
（項目１２１３）
前記制動部材が、プレートアパーチャー制動部を備える、項目１２１２に記載のシステム。
（項目１２１４）
前記プレートアパーチャー制動部が一片の板金を含み、それを通してアパーチャーが形成されている、項目１２１３に記載のシステム。
（項目１２１５）
前記プランジャが前記注射器本体に対して完全に挿入された後で、前記注射器本体に対する前記プランジャの格納を促進するように構成されている、ばね部材を更に備える、請求項１２１０に記載のシステム。
（項目１２１６）
前記プレートアパーチャー制動部が、前記ばね部材の少なくとも一部の可塑性変形を誘導することによって、前記第１のモードから前記第２のモードに切り替わるように構成されている、項目１２１５に記載のシステム。
（項目１２１７）
前記プランジャ部材の格納が、前記第２のモードにおいて格納始動荷重の適用を通して促進される、項目１２１２に記載のシステム。
（項目１２１８）
前記格納始動荷重が、前記制動部材に動作可能に連結したばね部材によって適用される、項目１２１７に記載のシステム。
（項目１２１９）
前記格納開始荷重が、前記プランジャ部材と前記注射器本体との間で連結したばね部材によって適用される、項目１２１７に記載のシステム。
（項目１２２０）
前記ばね部材が、コイルばね、板ばね、及びエラストマーばね要素から成る群から選択される、項目１２１８に記載のシステム。
（項目１２２１）
前記ばね部材が、コイルばね、板ばね、及びエラストマーばね要素から成る群から選択される、項目１２１９に記載のシステム。
（項目１２２２）
前記真空荷重が、前記プランジャを前記注射器本体に対して少なくとも部分的に格納するのに十分である、項目１２１１に記載のシステム。
（項目１２２３）
前記プランジャの格納が前記相互連結したストッパー部材及び針を格納し、その結果、前記針の少なくとも一部が前記注射器本体の前記内部薬剤チャンバ中に引き込まれる、請求項１２２２に記載のシステム。
（項目１２２４）
薬剤チャンバが、チャンバの長さによって画定され、前記針が、前記チャンバの長さ以上である針の長さによって画定される、項目１１４６に記載のシステム。
（項目１２２５）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１２２４に記載のシステム。
（項目１２２６）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１
１４６に記載のシステム。
（項目１２２７）
前記プランジャ部材が、前記針の前記遠位端が構造的にカプセル化されるようになり、かつその後の前記針の前記遠位端へのアクセスが防止されるように、操作者によって手動で格納されるように構成されている、項目１１４６に記載のシステム。
（項目１２２８）
前記針の前記遠位端が、前記内部薬剤チャンバ内に構造的にカプセル化されるようになる、項目１２２７に記載のシステム。
（項目１２２９）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１２２
７に記載のシステム。
（項目１２３０）
注射のためのシステムであって、
ａ．内部薬剤チャンバを画定する注射器本体、及び遠位針接合部と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の遠位針接合部に着脱可能に取り付けられる、針と、
ｅ．前記針と遠位針接合部との間で動作可能に連結している針封止部であって、前記針の外部表面と前記遠位針接合部との間の流体流動を防止するように構成されている、針封止部と、を備え、
前記針が、少なくとも１つの放射状に突出している係止機構に連結し、前記係止機構が、機械的係止部と接合して、係止構成で前記注射器に対する前記針の軸方向運動を防止し、非係止構成で前記注射器本体に対して前記針の前記針の運動を促進するように構成されている、システム。
（項目１２３１）
前記針が、尖った遠位端を備える、項目１２３０に記載のシステム。
（項目１２３２）
前記ストッパー部材の少なくとも一部を刺し通すように構成されている尖った近位端を備える、項目１２３０に記載のシステム。
（項目１２３３）
前記遠位針接合部に連結し、前記係止構成を機械的に促進するように構成されている、係止接合表面を更に備える、項目１２３０に記載のシステム。
（項目１２３４）
前記係止接合表面が、前記注射器本体の遠位部分の中へと形成される、項目１２３３
に記載のシステム。
（項目１２３５）
前記係止接合表面が、前記注射器本体に動作可能に連結する別個の係止接合部材を備える、項目１２３３に記載のシステム。
（項目１２３６）
前記係止構成において、前記放射状に突出している係止機構が、前記係止接合表面中に形成された陥没の中へと連結する、項目１２３３に記載のシステム。
（項目１２３７）
非係止構成において、前記放射状に突出している係止機構が、前記針が前記注射器本体に対して挿入または格納され得るように、前記放射状に突出している係止機構の前記係止接合表面を通した通過を促進する前記係止接合表面中に形成されたアパーチャーと整列する、項目１２３３に記載のシステム。
（項目１２３８）
非係止構成において、前記放射状に突出している係止機構が、前記針が前記注射器本体に対して挿入または格納され得るように、前記放射状に突出している係止機構の前記係止接合表面を通した通過を促進する前記係止接合表面中に形成されたアパーチャーと整列し、前記陥没及びアパーチャーが、放射状の位置の間の前記針の回転が前記係止構成と前記非係止構成との間で状態を変化させるように、前記係止接合表面上で互いに対して異なる放射状の位置にある、項目１２３６に記載のシステム。
（項目１２３９）
前記陥没及びアパーチャーの放射状の位置が、前記係止接合表面上で互いに対して約６０度で分離している、項目１２３８に記載のシステム。
（項目１２４０）
前記針部材の捩れ部分が、前記針の前記尖った近位端と前記遠位端との間に介入し、前記捩れ部分が、前記尖った近位端及び前記捩れ部分の少なくとも一部が前記ストッパー中に挿入されるときに、前記針を前記ストッパーに対して回転させるように構成されている、項目１２３２に記載のシステム。
（項目１２４１）
前記針封止部が、前記針の係止状態を維持するために前記係止状態にて圧縮され、非係止構成への変換を促進するために更に圧縮されるように構成されている、第１のコンプライアント部材を備える、項目１２３０に記載のシステム。
（項目１２４２）
前記第１のコンプライアント部材に連結し、前記針に対して前記第１のコンプライアント部材の中心部分の幾何形状を実質的に維持し、かつ前記針と前記第１のコンプライアント部材との間の接触摩擦を減少させるように構成されている、封止裏当部材を更に備える、項目１２４１に記載のシステム。
（項目１２４３）
前記注射器本体が、市販の注射器本体を含む、項目１２３０に記載のシステム。
（項目１２４４）
前記注射器本体が、概して円筒形の幾何形状を備える、項目１２３０に記載のシステム。
（項目１２４５）
前記薬剤チャンバが、約０．５ｃｃ〜約５ｃｃの薬剤を収容するように構成されている、項目１２３０に記載のシステム。
（項目１２４６）
前記薬剤チャンバが、０．５ｃｃ、１ｃｃ、２．２５ｃｃ、３ｃｃ、及び５ｃｃから成る群から選択される薬剤の体積を収容するように構成されている、項目１２４５に記載のシステム。
（項目１２４７）
前記注射器本体が、ガラス材料を含む、項目１２３０に記載のシステム。
（項目１２４８）
前記注射器本体が、ポリマー材料を含む、項目１２３０に記載のシステム。
（項目１２４９）
前記ポリマー材料が、ＣＯＰ、ＣＯＣ、ポリエステル、及びポリプロピレンから成る群から選択される、項目１２４８に記載のシステム。
（項目１２５０）
前記注射器本体が、金属を含む、項目１２３０に記載のシステム。
（項目１２５１）
前記注射器本体が、１つ以上の他のデバイス要素に機械的に連結するように構成されている、遠位外側幾何形状を備える、項目１２３０に記載のシステム。
（項目１２５２）
前記注射器本体の遠位外側幾何形状が、ルアーロック接合部を含む、項目１２５１に記載のシステム。
（項目１２５３）
前記注射器本体の遠位外側幾何形状が、ルアーテーパ接合部を含む、項目１２５１に記載のシステム。
（項目１２５４）
前記注射器本体が、遠位薬剤ポートを画定する、項目１２３０に記載のシステム。
（項目１２５５）
前記針が、前記注射器本体の前記遠位薬剤ポートを通して挿入可能であるように選択された最大外径を有する、項目１２５４に記載のシステム。
（項目１２５６）
前記遠位薬剤ポートが、約１ｍｍの内径を備える、項目１２５５に記載のシステム。
（項目１２５７）
前記針が、約３４ゲージ〜約２０ゲージのサイズを有する、項目１２５６に記載のシステム。
（項目１２５８）
前記ストッパー部材が、前記針の尖った近位端によって少なくとも部分的に貫通されるように構成されている、項目１２３０に記載のシステム。
（項目１２５９）
前記針が、前記ストッパー部材中に少なくとも部分的に貫通した後の引き抜きに抵抗するように構成されている、少なくとも１つのアンカー要素を有する、項目１２３０に記載のシステム。
（項目１２６０）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１２５９に記載のシステム。
（項目１２６１）
前記ストッパーが、前記注射器本体と共に実質的に封止するために、前記注射器本体の内側幾何形状に実質的に一致するように選択された外側幾何形状を有する、項目１２３０に記載のシステム。
（項目１２６２）
前記ストッパーが、クロロブチルゴム、ブロモブチルゴム、及びシリコンゴムから成る群から選択される、エラストマー材料を含む、項目１２３０に記載のシステム。
（項目１２６３）
薬剤材料を前記ストッパーから隔離するために、前記ストッパーの少なくとも一部に適用された封止剤コーティングを更に備える、項目１２３０に記載のシステム。
（項目１２６４）
前記封止剤コーティングが、ＰＴＦＥフィルムを含む、項目１２６３に記載のシステム。
（項目１２６５）
前記ストッパーと前記注射器本体との間に導入された潤滑剤層を更に備える、項目１２３０に記載のシステム。
（項目１２６６）
前記潤滑剤層が、シリコン油を含む、項目１２６５に記載のシステム。
（項目１２６７）
前記ストッパー部材の遠位部分が、従来の市販のコンプライアントストッパーを含む、項目１２３０に記載のシステム。
（項目１２６８）
前記ストッパー部材が、針への連結のための陥凹または突出部を持たない未改質の中実コンプライアント部材を備える、項目１２６７に記載のシステム。
（項目１２６９）
前記針が、少なくとも１つの放射状に突出している係止表面機構を備える、項目１２３０に記載のシステム。
（項目１２７０）
前記針の前記近位端が、少なくとも１つのアンカー要素に対して近位に位置する少なくとも１つの貫通要素を備える、項目１２６９に記載のシステム。
（項目１２７１）
前記貫通要素が、尖った先端を備える、項目１２７０に記載のシステム。
（項目１２７２）
前記貫通要素が、中実構造であって、それを通して画定される内腔またはアパーチャーを持たない、中実構造を備える、項目１２７１に記載のシステム。
（項目１２７３）
前記針が、それを通した注射通路を画定し、前記注射通路が、前記針の遠位先端から前記アンカー要素の遠位先端の近位にある場所へと通じるように選択される、項目１２７１に記載のシステム。
（項目１２７４）
前記針が、カニューレ部材、ハブ部材、及び近位部材を備える、項目１２６９に記載のシステム。
（項目１２７５）
前記カニューレ部材及びハブ部材が、同じ材料片から形成される、項目４１２７４に記載のシステム。
（項目１２７６）
前記カニューレ部材及びハブ部材が、共に固定して連結して前記針の一部を形成する、別々に形成された要素を備える、項目１２７４に記載のシステム。
（項目１２７７）
前記近位部材も、前記カニューレ部材及びハブ部材に固定して連結して前記針の一部を形成する、別々に形成された要素を備える、項目１２７４に記載のシステム。
（項目１２７８）
前記ハブ部材が、一片の管材から形成される、項目１２７６に記載のシステム。
（項目１２７９）
前記近位部材が、近位連結接合部を有する一片の平坦な板金を含む、項目１２７４に記載のシステム。
（項目１２８０）
前記カニューレ部材が、金属を含む、項目１２７７に記載のシステム。
（項目１２８１）
前記ハブが、金属またはプラスチック材料を含む、項目１２７７に記載のシステム。
（項目１２８２）
前記近位部材、金属またはプラスチック材料、項目１２７７に記載のシステム。
（項目１２８３）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１２３０に記載のシステム。
（項目１２８４）
前記プランジャ部材が、内部容積を画定するプランジャ部材本体を備え、前記エネルギー蓄積部材が、前記プランジャ部材本体の内部容積の実質的に内部に収納されている、請求項１２８３に記載のシステム。
（項目１２８５）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１２８４に記載のシステム。
（項目１２８６）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１２８５に記載のシステム。
（項目１２８７）
前記所定の挿入位置が、前記ストッパーが前記注射器本体に対して完全な挿入状態で位置付けられる位置である、項目１２８６に記載のシステム。
（項目１２８８）
前記エネルギー蓄積部材が、ばねである、項目１２８３に記載のシステム。
（項目１２８９）
前記ばねが、ステンレス鋼、炭素鋼、ベリリウム銅合金、ニッケルチタン合金、クロムシリコン合金、及びコバルトニッケル合金から成る群から選択される材料を含む、項目１２８８に記載のシステム。
（項目１２９０）
前記ばねが、エラストマー性ポリマーを含む、項目１２８８に記載のシステム。
（項目１２９１）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１２９０に記載のシステム。
（項目１２９２）
前記エネルギー蓄積部材が、中実ペレット部材を含む、項目１２８３に記載のシステム。
（項目１２９３）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１２９２に記載のシステム。
（項目１２９４）
前記ばねが、単一の概して螺旋形状のコイルを含む、項目１２８８に記載のシステム。（項目１２９５）
前記ばねが、複数の概して螺旋形状のコイルを含む、項目１２８８に記載のシステム。（項目１２９６）
前記複数の概して螺旋形状のコイルを含む前記コイルのうちの少なくとも２つが、同軸上で整列している、項目１２９５に記載のシステム。
（項目１２９７）
前記複数の概して螺旋形状のコイルを含む前記コイルのうちの少なくとも２つが、長手方向に平行に整列している、項目１２９５に記載のシステム。
（項目１２９８）
前記同軸上で整列した螺旋形状のコイルも、長手方向に平行に整列している、項目１２９６に記載のシステム。
（項目１２９９）
前記同軸上かつ長手方向に平行に整列している螺旋形状のコイルが、前記コイルの圧縮時にコイルの干渉を防止するように、互いに対して反対の巻回方向で螺旋状に巻回される、項目１２９８に記載のシステム。
（項目１３００）
前記プランジャの格納が前記相互連結したストッパー部材及び針を格納し、その結果、前記針の少なくとも一部が前記注射器本体の前記内部薬剤チャンバ中に引き込まれる、請求項１２８３に記載のシステム。
（項目１３０１）
前記プランジャが、前記注射器本体に対する前記プランジャの手動挿入及び格納制御を促進するように構成されている近位サムパッドを備える、項目１２３０に記載のシステム。
（項目１３０２）
前記プランジャが、前記ストッパー部材中に螺旋状に挿入され、かかる挿入により前記ストッパー部材に連結するように構成されている、プランジャ遠位端ねじ接合部を備える、項目１２３０に記載のシステム。
（項目１３０３）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１２３０に記載のシステム。
（項目１３０４）
前記所定の位置が、前記ストッパー部材が前記注射器本体に対して前記プランジャ部材によって完全に挿入されている位置へと前進した位置である、項目１３０３に記載のシステム。
（項目１３０５）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１３０３に記載のシステム。
（項目１３０６）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１２８５に記載のシステム。
（項目１３０７）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１２３０に記載のシステム。
（項目１３０８）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１３
０７に記載のシステム。
（項目１３０９）
前記制動部材が、プレートアパーチャー制動部を備える、項目１３０８に記載のシステム。
（項目１３１０）
前記プレートアパーチャー制動部が一片の板金を含み、それを通してアパーチャーが形成されている、項目１３０９に記載のシステム。
（項目１３１１）
前記プランジャが前記注射器本体に対して完全に挿入された後で、前記注射器本体に対する前記プランジャの格納を促進するように構成されている、ばね部材を更に備える、請求項１３０９に記載のシステム。
（項目１３１２）
前記プレートアパーチャー制動部が、前記ばね部材の少なくとも一部の可塑性変形を誘導することによって、前記第１のモードから前記第２のモードに切り替わるように構成されている、項目１３１１に記載のシステム。
（項目１３１３）
前記プランジャ部材の格納が、前記第２のモードにおいて格納始動荷重の適用を通して促進される、項目１３０８に記載のシステム。
（項目１３１４）
前記格納始動荷重が、前記制動部材に動作可能に連結したばね部材によって適用される、項目１３１３に記載のシステム。
（項目１３１５）
前記格納開始荷重が、前記プランジャ部材と前記注射器本体との間で連結したばね部材によって適用される、項目１３１３に記載のシステム。
（項目１３１６）
前記ばね部材が、コイルばね、板ばね、及びエラストマーばね要素から成る群から選択される、項目１３１４に記載のシステム。
（項目１３１７）
前記ばね部材が、コイルばね、板ばね、及びエラストマーばね要素から成る群から選択される、項目１３１５に記載のシステム。
（項目１３１８）
前記真空荷重が、前記プランジャを前記注射器本体に対して少なくとも部分的に格納するのに十分である、項目１３０７に記載のシステム。
（項目１３１９）
前記プランジャの格納が前記相互連結したストッパー部材及び針を格納し、その結果、前記針の少なくとも一部が前記注射器本体の前記内部薬剤チャンバ中に引き込まれる、請求項１３１８に記載のシステム。
（項目１３２０）
薬剤チャンバが、チャンバの長さによって画定され、前記針が、前記チャンバの長さ以上である針の長さによって画定される、項目１２３０に記載のシステム。
（項目１３２１）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１３２０に記載のシステム。
（項目１３２２）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１２３０に記載のシステム。
（項目１３２３）
前記プランジャ部材が、前記針の前記遠位端が構造的にカプセル化されるようになり、かつその後の前記針の前記遠位端へのアクセスが防止されるように、操作者によって手動で格納されるように構成される、項目１２３０に記載のシステム。
（項目１３２４）
前記針の前記遠位端が、前記内部薬剤チャンバ内に構造的にカプセル化されるようになる、項目１３２３に記載のシステム。
（項目１３２５）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１３２３に記載のシステム。
（項目１３２６）
注射のためのシステムであって、
ａ．内部薬剤チャンバを画定する注射器本体、及び遠位針接合部と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の遠位針接合部に着脱可能に取り付けられる、針と、
ｅ．前記針と遠位針接合部との間で動作可能に連結している針封止部であって、前記針の外部表面と前記遠位針接合部との間の流体流動を防止するように構成されている、針封止部と、
ｆ．前記注射器本体の遠位端に連結している係止輪であって、係止陥凹及び格納アパーチャーを有するように構成されている、係止輪と、を備え、
前記針が、少なくとも１つの板ばね係止機構に連結し、前記係止機構が、近位端及び遠位端を有し、前記遠位端が、前記針に固定して連結し、非拘束時に、前記近位端が、前記遠位端に対して片持式に曲がるように自由に移動するが、前記針に対して実質的に同じ高さの位置に戻るように付勢され、
係止構成において、前記板ばね係止機構の近位端が、前記針の前記注射器本体に対する軸方向の格納を防止するように前記係止陥凹の中へと片持式に支持され、
前記注射器本体に対する前記針の僅かな挿入の際に、前記板ばね係止機構の近位端が、前記係止陥凹から除去され、前記針に対して実質的に同じ高さの位置へと曲がって戻ることで、前記針及び前記板ばね係止機構が、非係止構成をとり、かつ前記格納アパーチャーを通して前記注射器本体に対して自由に格納されるようにする、システム。
（項目１３２７）
前記針封止部が、前記注射器本体の前記遠位針接合部と前記針に連結している荷重部材との間で圧縮されるときに圧縮抵抗性付勢力を提供するコンプライアント部材として働くように構成されている、項目１３２６に記載のシステム。
（項目１３２８）
前記針封止部が、更なるコンプライアンスを提供するように構成されている接合部幾何形状を備え、前記幾何形状が、リブ機構、隆起機構、突出機構、孔機構、溝機構、及び円環機構から成る群から選択される、項目１３２７に記載のシステム。
（項目１３２９）
前記係止輪が、前記注射器本体の遠位端に固定して連結する、項目１３２６に記載のシステム。
（項目１３３０）
前記注射器本体の前記遠位端が、ルアーテーパを備える、項目１３２９に記載のシステム。
（項目１３３１）
前記係止輪が、接着を使用して前記ルアーテーパに固定して連結する、項目１３３０に記載のシステム。
（項目１３３２）
前記注射器本体が、ガラス材料を含み、前記係止輪が、前記注射器本体の前記ガラス材料中に一体成型される、項目１３２６に記載のシステム。
（項目１３３３）
前記係止輪が、環状部材を備え、係止陥凹及び格納アパーチャーが、前記環状部材中に形成される、項目１３２６に記載のシステム。
（項目１３３４）
前記係止陥凹が、前記板ばね係止機構が、前記係止陥凹中に係合するときに、約２度〜約１０度である前記針の長手方向軸に対する偏向角度で偏向するように位置付けられている、項目１３２６に記載のシステム。
（項目１３３５）
前記係止陥凹が、前記板ばね係止機構が、前記係止陥凹中に係合するときに、約５度である前記針の長手方向軸に対する偏向角度で偏向するように位置付けられている、項目１３３４に記載のシステム。
（項目１３３６）
前記係止陥凹が、前記板ばね係止機構が、前記係止陥凹中に係合するときに、前記板ばね係止機構を実質的に弾性の荷重状態に維持する、前記針の長手方向軸に対する偏向角度で偏向するように位置付けられている、項目１３２６に記載のシステム。
（項目１３３７）
前記板ばね係止機構が、長方形、四角形、円形、楕円形、及び半管状から成る群から選択される断面幾何形状を有するビームを備える、項目１３２６に記載のシステム。
（項目１３３８）
前記板ばね係止機構が、金属またはポリマー材料を含む、項目１３２６に記載のシステム。
（項目１３３９）
前記板ばね係止機構が、ステンレス鋼を含む、項目１３３８に記載のシステム。
（項目１３４０）
前記板ばね係止機構の前記遠位端が、溶接、接着接合、加締、及び締まりばめから成る群から選択される接合構成を使用して前記針に連結する、項目１３２６に記載のシステム。
（項目１３４１）
前記注射器本体が、市販の注射器本体を含む、項目１３２６に記載のシステム。
（項目１３４２）
前記注射器本体が、概して円筒形の幾何形状を備える、項目１３２６に記載のシステム。
（項目１３４３）
前記薬剤チャンバが、約０．５ｃｃ〜約５ｃｃの薬剤を収容するように構成されている、項目１３２６に記載のシステム。
（項目１３４４）
前記薬剤チャンバが、０．５ｃｃ、１ｃｃ、２．２５ｃｃ、３ｃｃ、及び５ｃｃから成る群から選択される薬剤の体積を収容するように構成されている、項目１３４３に記載のシステム。
（項目１３４５）
前記注射器本体が、ガラス材料を含む、項目１３２６に記載のシステム。
（項目１３４６）
前記注射器本体が、ポリマー材料を含む、項目１３２６に記載のシステム。
（項目１３４７）
前記ポリマー材料が、ＣＯＰ、ＣＯＣ、ポリエステル、及びポリプロピレンから成る群から選択される、項目１３４６に記載のシステム。
（項目１３４８）
前記注射器本体が、金属を含む、項目１３２６に記載のシステム。
（項目１３４９）
前記注射器本体が、１つ以上の他のデバイス要素に機械的に連結するように構成されている、遠位外側幾何形状を備える、項目１３２６に記載のシステム。
（項目１３５０）
前記注射器本体の遠位外側幾何形状が、ルアーロック接合部を含む、項目１３４９に記載のシステム。
（項目１３５１）
前記注射器本体の遠位外側幾何形状が、ルアーテーパ接合部を含む、項目１３４９に記載のシステム。
（項目１３５２）
前記注射器本体が、遠位薬剤ポートを画定する、項目１３２６に記載のシステム。
（項目１３５３）
前記針が、前記注射器本体の前記遠位薬剤ポートを通して挿入可能であるように選択された最大外径を有する、項目１３５２に記載のシステム。
（項目１３５４）
前記遠位薬剤ポートが、約１ｍｍの内径を備える、項目１３５３に記載のシステム。
（項目１３５５）
前記針が、約３４ゲージ〜約２０ゲージのサイズを有する、項目１３５４に記載のシステム。
（項目１３５６）
前記ストッパー部材が、前記針の尖った近位端によって少なくとも部分的に貫通されるように構成されている、項目１３２６に記載のシステム。
（項目１３５７）
前記針が、前記ストッパー部材中に少なくとも部分的に貫通した後の引き抜きに抵抗するように構成されている、少なくとも１つのアンカー要素を有する、項目１３２６に記載のシステム。
（項目１３５８）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１３５７に記載のシステム。
（項目１３５９）
前記ストッパーが、前記注射器本体と共に実質的に封止するために、前記注射器本体の内側幾何形状に実質的に一致するように選択された外側幾何形状を有する、項目１３２６に記載のシステム。
（項目１３６０）
前記ストッパーが、クロロブチルゴム、ブロモブチルゴム、及びシリコンゴムから成る群から選択される、エラストマー材料を含む、項目１３２６に記載のシステム。
（項目１３６１）
薬剤材料を前記ストッパーから隔離するために、前記ストッパーの少なくとも一部に適用された封止剤コーティングを更に備える、項目１３２６に記載のシステム。
（項目１３６２）
前記封止剤コーティングが、ＰＴＦＥフィルムを含む、項目１３６１に記載のシステム。
（項目１３６３）
前記ストッパーと前記注射器本体との間に導入された潤滑剤層を更に備える、項目１３２６に記載のシステム。
（項目１３６４）
前記潤滑剤層が、シリコン油を含む、項目１３６３に記載のシステム。
（項目１３６５）
前記ストッパー部材の遠位部分が、従来の市販のコンプライアントストッパーを含む、項目１３２６に記載のシステム。
（項目１３６６）
前記ストッパー部材が、針への連結のための陥凹または突出部を持たない未改質の中実コンプライアント部材を備える、項目１３６５に記載のシステム。
（項目１３６７）
前記針が、少なくとも１つの放射状に突出している係止表面機構を備える、項目１３２６に記載のシステム。
（項目１３６８）
前記針の前記近位端が、少なくとも１つのアンカー要素に対して近位に位置する少なくとも１つの貫通要素を備える、項目１３６７に記載のシステム。
（項目１３６９）
前記貫通要素が、尖った先端を備える、項目１３６８に記載のシステム。
（項目１３７０）
前記貫通要素が、中実構造であって、それを通して画定される内腔またはアパーチャーを持たない、中実構造を備える、項目１３６９に記載のシステム。
（項目１３７１）
前記針が、それを通した注射通路を画定し、前記注射通路が、前記針の遠位先端から前記アンカー要素の遠位先端の近位にある場所へと通じるように選択される、項目１３６８に記載のシステム。
（項目１３７２）
前記針が、カニューレ部材、ハブ部材、及び近位部材を備える、項目１３６７に記載のシステム。
（項目１３７３）
前記カニューレ部材及びハブ部材が、同じ材料片から形成される、項目１３７２に記載のシステム。
（項目１３７４）
前記カニューレ部材及びハブ部材が、共に固定して連結して前記針の一部を形成する、別々に形成された要素を備える、項目１３７２に記載のシステム。
（項目１３７５）
前記近位部材も、前記カニューレ部材及びハブ部材に固定して連結して前記針の一部を形成する、別々に形成された要素を備える、項目１３７２に記載のシステム。
（項目１３７６）
前記ハブ部材が、一片の管材から形成される、項目１３７５に記載のシステム。
（項目１３７７）
前記近位部材が、近位連結接合部を有する一片の平坦な板金を含む、項目１３７２に記載のシステム。
（項目１３７８）
前記カニューレ部材が、金属を含む、項目１３７５に記載のシステム。
（項目１３７９）
前記ハブが、金属またはプラスチック材料を含む、項目１３７５に記載のシステム。
（項目１３８０）
前記近位部材、金属またはプラスチック材料、項目１３７５に記載のシステム。
（項目１３８１）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１３２６に記載のシステム。
（項目１３８２）
前記プランジャ部材が、内部容積を画定するプランジャ部材本体を備え、前記エネルギー蓄積部材が、前記プランジャ部材本体の内部容積の実質的に内部に収納されている、請求項１３８１に記載のシステム。
（項目１３８３）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１３８２に記載のシステム。
（項目１３８４）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１３８３に記載のシステム。
（項目１３８５）
前記所定の挿入位置が、前記ストッパーが前記注射器本体に対して完全な挿入状態で位置付けられる位置である、項目１３８４に記載のシステム。
（項目１３８６）
前記エネルギー蓄積部材が、ばねである、項目１３８１に記載のシステム。
（項目１３８７）
前記ばねが、ステンレス鋼、炭素鋼、ベリリウム銅合金、ニッケルチタン合金、クロムシリコン合金、及びコバルトニッケル合金から成る群から選択される材料を含む、項目１３８６に記載のシステム。
（項目１３８８）
前記ばねが、エラストマー性ポリマーを含む、項目１３８６に記載のシステム。
（項目１３８９）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１３８８に記載のシステム。
（項目１３９０）
前記エネルギー蓄積部材が、中実ペレット部材を含む、項目１３８１に記載のシステム。
（項目１３９１）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１３９０に記載のシステム。
（項目１３９２）
前記ばねが、単一の概して螺旋形状のコイルを含む、項目１３８６に記載のシステム。（項目１３９３）
前記ばねが、複数の概して螺旋形状のコイルを含む、項目１３８６に記載のシステム。（項目１３９４）
前記複数の概して螺旋形状のコイルを含む前記コイルのうちの少なくとも２つが、同軸上で整列している、項目１３９３に記載のシステム。
（項目１３９５）
前記複数の概して螺旋形状のコイルを含む前記コイルのうちの少なくとも２つが、長手方向に平行に整列している、項目１３９３に記載のシステム。
（項目１３９６）
前記同軸上で整列した螺旋形状のコイルも、長手方向に平行に整列している、項目１３９４に記載のシステム。
（項目１３９７）
前記同軸上かつ長手方向に平行に整列している螺旋形状のコイルが、前記コイルの圧縮時にコイルの干渉を防止するように、互いに対して反対の巻回方向で螺旋状に巻回される、項目１３９６に記載のシステム。
（項目１３９８）
前記プランジャの格納が前記相互連結したストッパー部材及び針を格納し、その結果、前記針の少なくとも一部が前記注射器本体の前記内部薬剤チャンバ中に引き込まれる、請求項１３８１に記載のシステム。
（項目１３９９）
前記プランジャが、前記注射器本体に対する前記プランジャの手動挿入及び格納制御を促進するように構成されている近位サムパッドを備える、項目１３２６に記載のシステム。
（項目１４００）
前記プランジャが、前記ストッパー部材中に螺旋状に挿入され、かかる挿入により前記ストッパー部材に連結するように構成されている、プランジャ遠位端ねじ接合部を備える、項目１３２６に記載のシステム。
（項目１４０１）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１３２６に記載のシステム。
（項目１４０２）
前記所定の位置が、前記ストッパー部材が前記注射器本体に対して前記プランジャ部材によって完全に挿入されている位置へと前進した位置である、項目１４０１に記載のシステム。
（項目１４０３）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１４０１に記載のシステム。
（項目１４０４）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１３８３に記載のシステム。
（項目１４０５）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１３２６に記載のシステム。
（項目１４０６）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１４０５に記載のシステム。
（項目１４０７）
前記制動部材が、プレートアパーチャー制動部を備える、項目１４０６に記載のシステム。
（項目１４０８）
前記プレートアパーチャー制動部が一片の板金を含み、それを通してアパーチャーが形成されている、項目１４０７に記載のシステム。
（項目１４０９）
前記プランジャが前記注射器本体に対して完全に挿入された後で、前記注射器本体に対する前記プランジャの格納を促進するように構成されている、ばね部材を更に備える、請求項１４０７に記載のシステム。
（項目１４１０）
前記プレートアパーチャー制動部が、前記ばね部材の少なくとも一部の可塑性変形を誘導することによって、前記第１のモードから前記第２のモードに切り替わるように構成されている、項目１４０９に記載のシステム。
（項目１４１１）
前記プランジャ部材の格納が、前記第２のモードにおいて格納始動荷重の適用を通して促進される、項目１４０６に記載のシステム。
（項目１４１２）
前記格納始動荷重が、前記制動部材に動作可能に連結したばね部材によって適用される、項目１４１１に記載のシステム。
（項目１４１３）
前記格納開始荷重が、前記プランジャ部材と前記注射器本体との間で連結したばね部材によって適用される、項目１４１１に記載のシステム。
（項目１４１４）
前記ばね部材が、コイルばね、板ばね、及びエラストマーばね要素から成る群から選択される、項目１４１２に記載のシステム。
（項目１４１５）
前記ばね部材が、コイルばね、板ばね、及びエラストマーばね要素から成る群から選択される、項目１４１３に記載のシステム。
（項目１４１６）
前記真空荷重が、前記プランジャを前記注射器本体に対して少なくとも部分的に格納するのに十分である、項目１４０５に記載のシステム。
（項目１４１７）
前記プランジャの格納が前記相互連結したストッパー部材及び針を格納し、その結果、前記針の少なくとも一部が前記注射器本体の前記内部薬剤チャンバ中に引き込まれる、請求項１４１６に記載のシステム。
（項目１４１８）
薬剤チャンバが、チャンバの長さによって画定され、前記針が、前記チャンバの長さ以上である針の長さによって画定される、項目１３２６に記載のシステム。
（項目１４１９）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１４１８に記載のシステム。
（項目１４２０）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１３２６に記載のシステム。
（項目１４２１）
前記プランジャ部材が、前記針の前記遠位端が構造的にカプセル化されるようになり、かつその後の前記針の前記遠位端へのアクセスが防止されるように、操作者によって手動で格納されるように構成される、項目１３２６に記載のシステム。
（項目１４２２）
前記針の前記遠位端が、前記内部薬剤チャンバ内に構造的にカプセル化されるようになる、項目１４２１に記載のシステム。
（項目１４２３）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１４２１に記載のシステム。
（項目１４２４）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記プランジャ部材中に少なくとも部分的に挿入されることで、前記プランジャ部材の格納の際に、前記針を近位に引っ張って、前記内部薬剤チャンバ内に少なくとも部分的に収容するように構成されているアンカー幾何形状を備える、針と、を備える、システム。
（項目１４２５）
前記ストッパーが、前記プランジャ部材に着脱可能に連結することで、前記注射器本体に対して完全に挿入されている位置に挿入される際に、前記ストッパーが定位置に留まり、一方で前記プランジャ部材が格納されて前記針を格納し得るようにする、項目１４２４に記載のシステム。
（項目１４２６）
前記注射器本体が、市販の注射器本体を含む、項目１４２４に記載のシステム。
（項目１４２７）
前記注射器本体が、概して円筒形の幾何形状を備える、項目１４２４に記載のシステム。
（項目１４２８）
前記薬剤チャンバが、約０．５ｃｃ〜約５ｃｃの薬剤を収容するように構成されている、項目１４２４に記載のシステム。
（項目１４２９）
前記薬剤チャンバが、０．５ｃｃ、１ｃｃ、２．２５ｃｃ、３ｃｃ、及び５ｃｃから成る群から選択される薬剤の体積を収容するように構成されている、項目１４２８に記載のシステム。
（項目１４３０）
前記注射器本体が、ガラス材料を含む、項目１４２４に記載のシステム。
（項目１４３１）
前記注射器本体が、ポリマー材料を含む、項目１４２４に記載のシステム。
（項目１４３２）
前記ポリマー材料が、ＣＯＰ、ＣＯＣ、ポリエステル、及びポリプロピレンから成る群から選択される、項目１４３１に記載のシステム。
（項目１４３３）
前記注射器本体が、金属を含む、項目１４２４に記載のシステム。
（項目１４３４）
前記注射器本体が、１つ以上の他のデバイス要素に機械的に連結するように構成されている、遠位外側幾何形状を備える、項目１４２４に記載のシステム。
（項目１４３５）
前記注射器本体の遠位外側幾何形状が、ルアーロック接合部を含む、項目１４３４に記載のシステム。
（項目１４３６）
前記注射器本体の遠位外側幾何形状が、ルアーテーパ接合部を含む、項目１４３４に記載のシステム。
（項目１４３７）
前記注射器本体が、遠位薬剤ポートを画定する、項目１４２４に記載のシステム。
（項目１４３８）
前記針が、前記注射器本体の前記遠位薬剤ポートを通して挿入可能であるように選択された最大外径を有する、項目１４３７に記載のシステム。
（項目１４３９）
前記遠位薬剤ポートが、約１ｍｍの内径を備える、項目１４３８に記載のシステム。
（項目１４４０）
前記針が、約３４ゲージ〜約２０ゲージのサイズを有する、項目１４３９に記載のシステム。
（項目１４４１）
前記ストッパー部材が、前記針の尖った近位端によって少なくとも部分的に貫通されるように構成されている、項目１４２４に記載のシステム。
（項目１４４２）
前記針が、前記ストッパー部材中に少なくとも部分的に貫通した後の引き抜きに抵抗するように構成されている、少なくとも１つのアンカー要素を有する、項目１４２４に記載のシステム。
（項目１４４３）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１４４２に記載のシステム。
（項目１４４４）
前記ストッパーが、前記注射器本体と共に実質的に封止するために、前記注射器本体の内側幾何形状に実質的に一致するように選択された外側幾何形状を有する、項目１４２４に記載のシステム。
（項目１４４５）
前記ストッパーが、クロロブチルゴム、ブロモブチルゴム、及びシリコンゴムから成る群から選択される、エラストマー材料を含む、項目１４２４に記載のシステム。
（項目１４４６）
薬剤材料を前記ストッパーから隔離するために、前記ストッパーの少なくとも一部に適用された封止剤コーティングを更に備える、項目１４２４に記載のシステム。
（項目１４４７）
前記封止剤コーティングが、ＰＴＦＥフィルムを含む、項目１４４６に記載のシステム。
（項目１４４８）
前記ストッパーと前記注射器本体との間に導入された潤滑剤層を更に備える、項目１４２４に記載のシステム。
（項目１４４９）
前記潤滑剤層が、シリコン油を含む、項目１４４８に記載のシステム。
（項目１４５０）
前記ストッパー部材の遠位部分が、従来の市販のコンプライアントストッパーを含む、項目１４２４に記載のシステム。
（項目１４５１）
前記ストッパー部材が、針への連結のための陥凹または突出部を持たない未改質の中実コンプライアント部材を備える、項目１４５０に記載のシステム。
（項目１４５２）
前記針が、少なくとも１つの放射状に突出している係止表面機構を備える、項目１４２４に記載のシステム。
（項目１４５３）
前記針の前記近位端が、少なくとも１つのアンカー要素に対して近位に位置する少なくとも１つの貫通要素を備える、項目１４５２に記載のシステム。
（項目１４５４）
前記貫通要素が、尖った先端を備える、項目１４５３に記載のシステム。
（項目１４５５）
前記貫通要素が、中実構造であって、それを通して画定される内腔またはアパーチャーを持たない、中実構造を備える、項目１４５４に記載のシステム。
（項目１４５６）
前記針が、それを通した注射通路を画定し、前記注射通路が、前記針の遠位先端から前記アンカー要素の遠位先端の近位にある場所へと通じるように選択される、項目１４５３に記載のシステム。
（項目１４５７）
前記針が、カニューレ部材、ハブ部材、及び近位部材を備える、項目１４５２に記載のシステム。
（項目１４５８）
前記カニューレ部材及びハブ部材が、同じ材料片から形成される、項目１４５７に記載のシステム。
（項目１４５９）
前記カニューレ部材及びハブ部材が、共に固定して連結して前記針の一部を形成する、別々に形成された要素を備える、項目１４５７に記載のシステム。
（項目１４６０）
前記近位部材も、前記カニューレ部材及びハブ部材に固定して連結して前記針の一部を形成する、別々に形成された要素を備える、項目１４５７に記載のシステム。
（項目１４６１）
前記ハブ部材が、一片の管材から形成される、項目１４５８に記載のシステム。
（項目１４６２）
前記近位部材が、近位連結接合部を有する一片の平坦な板金を含む、項目１４５７に記載のシステム。
（項目１４６３）
前記カニューレ部材が、金属を含む、項目１４６０に記載のシステム。
（項目１４６４）
前記ハブが、金属またはプラスチック材料を含む、項目１４６０に記載のシステム。
（項目１４６５）
前記近位部材、金属またはプラスチック材料、項目１４５７に記載のシステム。
（項目１４６６）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１４２４に記載のシステム。
（項目１４６７）
前記プランジャ部材が、内部容積を画定するプランジャ部材本体を備え、前記エネルギー蓄積部材が、前記プランジャ部材本体の内部容積の実質的に内部に収納されている、請求項１４６６に記載のシステム。
（項目１４６８）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１４６７に記載のシステム。
（項目１４６９）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１４６８に記載のシステム。
（項目１４７０）
前記所定の挿入位置が、前記ストッパーが前記注射器本体に対して完全な挿入状態で位置付けられる位置である、項目１４６９に記載のシステム。
（項目１４７１）
前記エネルギー蓄積部材が、ばねである、項目１４６６に記載のシステム。
（項目１４７２）
前記ばねが、ステンレス鋼、炭素鋼、ベリリウム銅合金、ニッケルチタン合金、クロムシリコン合金、及びコバルトニッケル合金から成る群から選択される材料を含む、項目１４７１に記載のシステム。
（項目１４７３）
前記ばねが、エラストマー性ポリマーを含む、項目１４７１に記載のシステム。
（項目１４７４）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１４７３に記載のシステム。
（項目１４７５）
前記エネルギー蓄積部材が、中実ペレット部材を含む、項目１４６６に記載のシステム。
（項目１４７６）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１４７５に記載のシステム。
（項目１４７７）
前記ばねが、単一の概して螺旋形状のコイルを含む、項目１４７１に記載のシステム。（項目１４７８）
前記ばねが、複数の概して螺旋形状のコイルを含む、項目１４７１に記載のシステム。（項目１４７９）
前記複数の概して螺旋形状のコイルを含む前記コイルのうちの少なくとも２つが、同軸上で整列している、項目１４７８に記載のシステム。
（項目１４８０）
前記複数の概して螺旋形状のコイルを含む前記コイルのうちの少なくとも２つが、長手方向に平行に整列している、項目１４７８に記載のシステム。
（項目１４８１）
前記同軸上で整列した螺旋形状のコイルも、長手方向に平行に整列している、項目１４７８に記載のシステム。
（項目１４８２）
前記同軸上かつ長手方向に平行に整列している螺旋形状のコイルが、前記コイルの圧縮時にコイルの干渉を防止するように、互いに対して反対の巻回方向で螺旋状に巻回される、項目１４８１に記載のシステム。
（項目１４８３）
前記プランジャの格納が前記相互連結したストッパー部材及び針を格納し、その結果、前記針の少なくとも一部が前記注射器本体の前記内部薬剤チャンバ中に引き込まれる、請求項１４６６に記載のシステム。
（項目１４８４）
前記プランジャが、前記注射器本体に対する前記プランジャの手動挿入及び格納制御を促進するように構成されている近位サムパッドを備える、項目１４２４に記載のシステム。
（項目１４８５）
前記プランジャが、前記ストッパー部材中に螺旋状に挿入され、かかる挿入により前記ストッパー部材に連結するように構成されている、プランジャ遠位端ねじ接合部を備える、項目１４２４に記載のシステム。
（項目１４８６）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１４２４に記載のシステム。
（項目１４８７）
前記所定の位置が、前記ストッパー部材が前記注射器本体に対して前記プランジャ部材によって完全に挿入されている位置へと前進した位置である、項目１４８６に記載のシステム。
（項目１４８８）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１４８６に記載のシステム。
（項目１４８９）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１４６８に記載のシステム。
（項目１４９０）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１４２４に記載のシステム。
（項目１４９１）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１４９０に記載のシステム。
（項目１４９２）
前記制動部材が、プレートアパーチャー制動部を備える、項目１４９１に記載のシステム。
（項目１４９３）
前記プレートアパーチャー制動部が一片の板金を含み、それを通してアパーチャーが形成されている、項目１４９２に記載のシステム。
（項目１４９４）
前記プランジャが前記注射器本体に対して完全に挿入された後で、前記注射器本体に対する前記プランジャの格納を促進するように構成されている、ばね部材を更に備える、請求項１４９２に記載のシステム。
（項目１４９５）
前記プレートアパーチャー制動部が、前記ばね部材の少なくとも一部の可塑性変形を誘導することによって、前記第１のモードから前記第２のモードに切り替わるように構成されている、項目１４９４に記載のシステム。
（項目１４９６）
前記プランジャ部材の格納が、前記第２のモードにおいて格納始動荷重の適用を通して促進される、項目１４９１に記載のシステム。
（項目１４９７）
前記格納始動荷重が、前記制動部材に動作可能に連結したばね部材によって適用される、項目１４９６に記載のシステム。
（項目１４９８）
前記格納開始荷重が、前記プランジャ部材と前記注射器本体との間で連結したばね部材によって適用される、項目１４９６に記載のシステム。
（項目１４９９）
前記ばね部材が、コイルばね、板ばね、及びエラストマーばね要素から成る群から選択される、項目１４９７に記載のシステム。
（項目１５００）
前記ばね部材が、コイルばね、板ばね、及びエラストマーばね要素から成る群から選択される、項目１４９８に記載のシステム。
（項目１５０１）
前記真空荷重が、前記プランジャを前記注射器本体に対して少なくとも部分的に格納するのに十分である、項目１４９０に記載のシステム。
（項目１５０２）
前記プランジャの格納が前記相互連結したストッパー部材及び針を格納し、その結果、前記針の少なくとも一部が前記注射器本体の前記内部薬剤チャンバ中に引き込まれる、請求項１５０１に記載のシステム。
（項目１５０３）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１４２４に記載のシステム。
（項目１５０４）
前記針被覆部材が、少なくとも１つのスナップオーバー式戻り止め接合部によって前記針に着脱可能に連結する、項目１５０３に記載のシステム。
（項目１５０５）
前記針被覆部材が、少なくとも２つのスナップオーバー式戻り止め接合部によって前記針に着脱可能に連結する、項目１５０４に記載のシステム。
（項目１５０６）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目１５０５に記載のシステム。
（項目１５０７）
スナップオーバー式戻り止め接合部が、前記戻り止めが軸荷重によって機械的に克服されるまで、前記針に対する前記針被覆部材の軸方向運動を防止するように配向されている、項目１５０５に記載のシステム。
（項目１５０８）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目１５０３に記載のシステム。
（項目１５０９）
薬剤チャンバが、チャンバの長さによって画定され、前記針が、前記チャンバの長さ以上である針の長さによって画定される、項目１４２４に記載のシステム。
（項目１５１０）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１５０９に記載のシステム。
（項目１５１１）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１４２４に記載のシステム。
（項目１５１２）
前記プランジャ部材が、操作者によって手動で格納されるように構成されている、請求項１４２４に記載のシステム。
（項目１５１３）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記針近位端と前記ストッパー部材との間に流体封止連結を形成するために、前記ストッパー部材の少なくとも一部を横切って穿刺するように構成されているアンカー幾何形状を備え、前記流体封止連結が、前記近位端と前記ストッパー部材との間の接合部にて前記ストッパー部材を横切って出る流体の通過を実質的に防止する、針と、を備える、システム。
（項目１５１４）
前記流体封止連結が、前記内部薬剤チャンバから出る薬剤液の通過を実質的に防止する、項目１５１３に記載のシステム。
（項目１５１５）
前記流体封止連結が、前記内部薬剤チャンバに入る空気の通過を実質的に防止する、請求項１５１３に記載のシステム。
（項目１５１６）
前記注射器本体が、市販の注射器本体を含む、項目１５１３に記載のシステム。
（項目１５１７）
前記注射器本体が、概して円筒形の幾何形状を備える、項目１５１３に記載のシステム。
（項目１５１８）
前記薬剤チャンバが、約０．５ｃｃ〜約５ｃｃの薬剤を収容するように構成されている、項目１５１３に記載のシステム。
（項目１５１９）
前記薬剤チャンバが、０．５ｃｃ、１ｃｃ、２．２５ｃｃ、３ｃｃ、及び５ｃｃから成る群から選択される薬剤の体積を収容するように構成されている、項目１５１８に記載のシステム。
（項目１５２０）
前記注射器本体が、ガラス材料を含む、項目１５１３に記載のシステム。
（項目１５２１）
前記注射器本体が、ポリマー材料を含む、項目１５１３に記載のシステム。
（項目１５２２）
前記ポリマー材料が、ＣＯＰ、ＣＯＣ、ポリエステル、及びポリプロピレンから成る群から選択される、項目１５２１に記載のシステム。
（項目１５２３）
前記注射器本体が、金属を含む、項目１５１３に記載のシステム。
（項目１５２４）
前記注射器本体が、１つ以上の他のデバイス要素に機械的に連結するように構成されている、遠位外側幾何形状を備える、項目１５１３に記載のシステム。
（項目１５２５）
前記注射器本体の遠位外側幾何形状が、ルアーロック接合部を含む、項目１５２４に記載のシステム。
（項目１５２６）
前記注射器本体の遠位外側幾何形状が、ルアーテーパ接合部を含む、項目１５２４に記載のシステム。
（項目１５２７）
前記注射器本体が、遠位薬剤ポートを画定する、項目１５１３に記載のシステム。
（項目１５２８）
前記針が、前記注射器本体の前記遠位薬剤ポートを通して挿入可能であるように選択された最大外径を有する、項目１５２７に記載のシステム。
（項目１５２９）
前記遠位薬剤ポートが、約１ｍｍの内径を備える、項目１５２８に記載のシステム。
（項目１５３０）
前記針が、約３４ゲージ〜約２０ゲージのサイズを有する、項目１５２９に記載のシステム。
（項目１５３１）
前記ストッパー部材が、前記針の尖った近位端によって少なくとも部分的に貫通されるように構成されている、項目１５１３に記載のシステム。
（項目１５３２）
前記針が、前記ストッパー部材中に少なくとも部分的に貫通した後の引き抜きに抵抗するように構成されている、少なくとも１つのアンカー要素を有する、項目１５１３に記載のシステム。
（項目１５３３）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１５３２に記載のシステム。
（項目１５３４）
前記ストッパーが、前記注射器本体と共に実質的に封止するために、前記注射器本体の内側幾何形状に実質的に一致するように選択された外側幾何形状を有する、項目１５１３に記載のシステム。
（項目１５３５）
前記ストッパーが、クロロブチルゴム、ブロモブチルゴム、及びシリコンゴムから成る群から選択される、エラストマー材料を含む、項目１５１３に記載のシステム。
（項目１５３６）
薬剤材料を前記ストッパーから隔離するために、前記ストッパーの少なくとも一部に適用された封止剤コーティングを更に備える、項目１５１３に記載のシステム。
（項目１５３７）
前記封止剤コーティングが、ＰＴＦＥフィルムを含む、項目１５３６に記載のシステム。
（項目１５３８）
前記ストッパーと前記注射器本体との間に導入された潤滑剤層を更に備える、項目１５１３に記載のシステム。
（項目１５３９）
前記潤滑剤層が、シリコン油を含む、項目１５３８に記載のシステム。
（項目１５４０）
前記ストッパー部材の遠位部分が、従来の市販のコンプライアントストッパーを含む、項目１５１３に記載のシステム。
（項目１５４１）
前記ストッパー部材が、針への連結のための陥凹または突出部を持たない未改質の中実コンプライアント部材を備える、項目１５４０に記載のシステム。
（項目１５４２）
前記針が、少なくとも１つの放射状に突出している係止表面機構を備える、項目１５１３に記載のシステム。
（項目１５４３）
前記針の前記近位端が、少なくとも１つのアンカー要素に対して近位に位置する少なくとも１つの貫通要素を備える、項目１５４２に記載のシステム。
（項目１５４４）
前記貫通要素が、尖った先端を備える、項目１５４３に記載のシステム。
（項目１５４５）
前記貫通要素が、中実構造であって、それを通して画定される内腔またはアパーチャーを持たない、中実構造を備える、項目１５４４に記載のシステム。
（項目１５４６）
前記針が、それを通した注射通路を画定し、前記注射通路が、前記針の遠位先端から前記アンカー要素の遠位先端の近位にある場所へと通じるように選択される、項目１５４３に記載のシステム。
（項目１５４７）
前記針が、カニューレ部材、ハブ部材、及び近位部材を備える、項目１５４２に記載のシステム。
（項目１５４８）
前記カニューレ部材及びハブ部材が、同じ材料片から形成される、項目１５４７に記載のシステム。
（項目１５４９）
前記カニューレ部材及びハブ部材が、共に固定して連結して前記針の一部を形成する、別々に形成された要素を備える、項目１５４７に記載のシステム。
（項目１５５０）
前記近位部材も、前記カニューレ部材及びハブ部材に固定して連結して前記針の一部を形成する、別々に形成された要素を備える、項目１５４７に記載のシステム。
（項目１５５１）
前記ハブ部材が、一片の管材から形成される、項目１５５０に記載のシステム。
（項目１５５２）
前記近位部材が、近位連結接合部を有する一片の平坦な板金を含む、項目１５４７に記載のシステム。
（項目１５５３）
前記カニューレ部材が、金属を含む、項目１５５０に記載のシステム。
（項目１５５４）
前記ハブが、金属またはプラスチック材料を含む、項目１５５０に記載のシステム。
（項目１５５５）
前記近位部材、金属またはプラスチック材料、項目１５５０に記載のシステム。
（項目１５５６）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１５１３に記載のシステム。
（項目１５５７）
前記プランジャ部材が、内部容積を画定するプランジャ部材本体を備え、前記エネルギー蓄積部材が、前記プランジャ部材本体の内部容積の実質的に内部に収納されている、請求項１５５６に記載のシステム。
（項目１５５８）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１５５７に記載のシステム。
（項目１５５９）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１５５８に記載のシステム。
（項目１５６０）
前記所定の挿入位置が、前記ストッパーが前記注射器本体に対して完全な挿入状態で位置付けられる位置である、項目１５５９に記載のシステム。
（項目１５６１）
前記エネルギー蓄積部材が、ばねである、項目１５５６に記載のシステム。
（項目１５６２）
前記ばねが、ステンレス鋼、炭素鋼、ベリリウム銅合金、ニッケルチタン合金、クロムシリコン合金、及びコバルトニッケル合金から成る群から選択される材料を含む、項目１５６１に記載のシステム。
（項目１５６３）
前記ばねが、エラストマー性ポリマーを含む、項目１５６１に記載のシステム。
（項目１５６４）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１５６３に記載のシステム。
（項目１５６５）
前記エネルギー蓄積部材が、中実ペレット部材を含む、項目１５５６に記載のシステム。
（項目１５６６）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１５６５に記載のシステム。
（項目１５６７）
前記ばねが、単一の概して螺旋形状のコイルを含む、項目１５６１に記載のシステム。（項目１５６８）
前記ばねが、複数の概して螺旋形状のコイルを含む、項目１５５７に記載のシステム。（項目１５６９）
前記複数の概して螺旋形状のコイルを含む前記コイルのうちの少なくとも２つが、同軸上で整列している、項目１５６８に記載のシステム。
（項目１５７０）
前記複数の概して螺旋形状のコイルを含む前記コイルのうちの少なくとも２つが、長手方向に平行に整列している、項目１５６８に記載のシステム。
（項目１５７１）
前記同軸上で整列した螺旋形状のコイルも、長手方向に平行に整列している、項目１５６９に記載のシステム。
（項目１５７２）
前記同軸上かつ長手方向に平行に整列している螺旋形状のコイルが、前記コイルの圧縮時にコイルの干渉を防止するように、互いに対して反対の巻回方向で螺旋状に巻回される、項目１５７１に記載のシステム。
（項目１５７３）
前記プランジャの格納が前記相互連結したストッパー部材及び針を格納し、その結果、前記針の少なくとも一部が前記注射器本体の前記内部薬剤チャンバ中に引き込まれる、請求項１５５６に記載のシステム。
（項目１５７４）
前記プランジャが、前記注射器本体に対する前記プランジャの手動挿入及び格納制御を促進するように構成されている近位サムパッドを備える、項目１５１３に記載のシステム。
（項目１５７５）
前記プランジャが、前記ストッパー部材中に螺旋状に挿入され、かかる挿入により前記ストッパー部材に連結するように構成されている、プランジャ遠位端ねじ接合部を備える、項目１５１３に記載のシステム。
（項目１５７６）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１５１３に記載のシステム。
（項目１５７７）
前記所定の位置が、前記ストッパー部材が前記注射器本体に対して前記プランジャ部材によって完全に挿入されている位置へと前進した位置である、項目１５７６に記載のシステム。
（項目１５７８）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１５６６に記載のシステム。
（項目１５７９）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１５５８に記載のシステム。
（項目１５８０）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１５１３に記載のシステム。
（項目１５８１）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１５８０に記載のシステム。
（項目１５８２）
前記制動部材が、プレートアパーチャー制動部を備える、項目１５８１に記載のシステム。
（項目１５８３）
前記プレートアパーチャー制動部が一片の板金を含み、それを通してアパーチャーが形成されている、項目１５８２に記載のシステム。
（項目１５８４）
前記プランジャが前記注射器本体に対して完全に挿入された後で、前記注射器本体に対する前記プランジャの格納を促進するように構成されている、ばね部材を更に備える、請求項１５８２に記載のシステム。
（項目１５８５）
前記プレートアパーチャー制動部が、前記ばね部材の少なくとも一部の可塑性変形を誘導することによって、前記第１のモードから前記第２のモードに切り替わるように構成されている、項目１５８４に記載のシステム。
（項目１５８６）
前記プランジャ部材の格納が、前記第２のモードにおいて格納始動荷重の適用を通して促進される、項目１５８１に記載のシステム。
（項目１５８７）
前記格納始動荷重が、前記制動部材に動作可能に連結したばね部材によって適用される、項目１５８６に記載のシステム。
（項目１５８８）
前記格納開始荷重が、前記プランジャ部材と前記注射器本体との間で連結したばね部材によって適用される、項目１５８６に記載のシステム。
（項目１５８９）
前記ばね部材が、コイルばね、板ばね、及びエラストマーばね要素から成る群から選択される、項目１５８７に記載のシステム。
（項目１５９０）
前記ばね部材が、コイルばね、板ばね、及びエラストマーばね要素から成る群から選択される、項目１５８８に記載のシステム。
（項目１５９１）
前記真空荷重が、前記プランジャを前記注射器本体に対して少なくとも部分的に格納するのに十分である、項目１５８０に記載のシステム。
（項目１５９２）
前記プランジャの格納が前記相互連結したストッパー部材及び針を格納し、その結果、前記針の少なくとも一部が前記注射器本体の前記内部薬剤チャンバ中に引き込まれる、請求項１５９１に記載のシステム。
（項目１５９３）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１５１３に記載のシステム。
（項目１５９４）
前記針被覆部材が、少なくとも１つのスナップオーバー式戻り止め接合部によって前記針に着脱可能に連結する、項目１５９３に記載のシステム。
（項目１５９５）
前記針被覆部材が、少なくとも２つのスナップオーバー式戻り止め接合部によって前記針に着脱可能に連結する、項目１５９４に記載のシステム。
（項目１５９６）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目１５９５に記載のシステム。
（項目１５９７）
スナップオーバー式戻り止め接合部が、前記戻り止めが軸荷重によって機械的に克服されるまで、前記針に対する前記針被覆部材の軸方向運動を防止するように配向されている、項目１５９５に記載のシステム。
（項目１５９８）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目１５９３に記載のシステム。
（項目１５９９）
薬剤チャンバが、チャンバの長さによって画定され、前記針が、前記チャンバの長さ以上である針の長さによって画定される、項目１５１３に記載のシステム。
（項目１６００）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１５９９に記載のシステム。（項目１６０１）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１５１３に記載のシステム。
（項目１６０２）
前記プランジャ部材が、前記針の前記遠位端が構造的にカプセル化されるようになり、かつその後の前記針の前記遠位端へのアクセスが防止されるように、操作者によって手動で格納されるように構成される、項目１５１３に記載のシステム。
（項目１６０３）
前記針の前記遠位端が、前記内部薬剤チャンバ内に構造的にカプセル化されるようになる、項目１６０２に記載のシステム。
（項目１６０４）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１６０２に記載のシステム。
（項目１６０５）
注射のためのシステムであって、
ａ．内部薬剤チャンバを画定する注射器本体、及び遠位針接合部と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の前記遠位針接合部に着脱可能に連結し、プランジャ係止部材を係止状態から非係止状態に転換するために、前記プランジャ部材の前記注射器本体に対する操作の際に前記内部薬剤チャンバ中に少なくとも部分的に格納可能であり、前記プランジャ係止部材が、前記注射器本体と前記プランジャ部材との間で相互連結する、針と、を備え、
前記プランジャ係止部材が、実質的に前記プランジャ部材によって画定される内腔内に配設される、システム。
（項目１６０６）
前記注射器本体が、市販の注射器本体を含む、項目１６０５に記載のシステム。
（項目１６０７）
前記注射器本体が、概して円筒形の幾何形状を備える、項目１６０５に記載のシステム。
（項目１６０８）
前記薬剤チャンバが、約０．５ｃｃ〜約５ｃｃの薬剤を収容するように構成されている、項目１６０５に記載のシステム。
（項目１６０９）
前記薬剤チャンバが、０．５ｃｃ、１ｃｃ、２．２５ｃｃ、３ｃｃ、及び５ｃｃから成る群から選択される薬剤の体積を収容するように構成されている、項目１６０８に記載のシステム。
（項目１６１０）
前記注射器本体が、ガラス材料を含む、項目１６０５に記載のシステム。
（項目１６１１）
前記注射器本体が、ポリマー材料を含む、項目１６０５に記載のシステム。
（項目１６１２）
前記ポリマー材料が、ＣＯＰ、ＣＯＣ、ポリエステル、及びポリプロピレンから成る群から選択される、項目１６１１に記載のシステム。
（項目１６１３）
前記注射器本体が、金属を含む、項目１６０５に記載のシステム。
（項目１６１４）
前記注射器本体が、１つ以上の他のデバイス要素に機械的に連結するように構成されている、遠位外側幾何形状を備える、項目１６０５に記載のシステム。
（項目１６１５）
前記注射器本体の遠位外側幾何形状が、ルアーロック接合部を含む、項目１６１４に記載のシステム。
（項目１６１６）
前記注射器本体の遠位外側幾何形状が、ルアーテーパ接合部を含む、項目１６１４に記載のシステム。
（項目１６１７）
前記注射器本体が、遠位薬剤ポートを画定する、項目１６０５に記載のシステム。
（項目１６１８）
前記針が、前記注射器本体の前記遠位薬剤ポートを通して挿入可能であるように選択された最大外径を有する、項目１６１７に記載のシステム。
（項目１６１９）
前記遠位薬剤ポートが、約１ｍｍの内径を備える、項目１６１８に記載のシステム。
（項目１６２０）
前記針が、約３４ゲージ〜約２０ゲージのサイズを有する、項目１６１９に記載のシステム。
（項目１６２１）
前記ストッパー部材が、前記針の尖った近位端によって少なくとも部分的に貫通されるように構成されている、項目１６０５に記載のシステム。
（項目１６２２）
前記針が、前記ストッパー部材中に少なくとも部分的に貫通した後の引き抜きに抵抗するように構成されている、少なくとも１つのアンカー要素を有する、項目１６０５に記載のシステム。
（項目１６２３）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１６２２に記載のシステム。
（項目１６２４）
前記ストッパーが、前記注射器本体と共に実質的に封止するために、前記注射器本体の内側幾何形状に実質的に一致するように選択された外側幾何形状を有する、項目１６０５に記載のシステム。
（項目１６２５）
前記ストッパーが、クロロブチルゴム、ブロモブチルゴム、及びシリコンゴムから成る群から選択される、エラストマー材料を含む、項目１６０５に記載のシステム。
（項目１６２６）
薬剤材料を前記ストッパーから隔離するために、前記ストッパーの少なくとも一部に適用された封止剤コーティングを更に備える、項目１６０５に記載のシステム。
（項目１６２７）
前記封止剤コーティングが、ＰＴＦＥフィルムを含む、項目１６２６に記載のシステム。
（項目１６２８）
前記ストッパーと前記注射器本体との間に導入された潤滑剤層を更に備える、項目１６０５に記載のシステム。
（項目１６２９）
前記潤滑剤層が、シリコン油を含む、項目１６２８に記載のシステム。
（項目１６３０）
前記ストッパー部材の遠位部分が、従来の市販のコンプライアントストッパーを含む、項目１６０５に記載のシステム。
（項目１６３１）
前記ストッパー部材が、針への連結のための陥凹または突出部を持たない未改質の中実コンプライアント部材を備える、項目１６３０に記載のシステム。
（項目１６３２）
前記針が、少なくとも１つの放射状に突出している係止表面機構を備える、項目１６０５に記載のシステム。
（項目１６３３）
前記針の前記近位端が、少なくとも１つのアンカー要素に対して近位に位置する少なくとも１つの貫通要素を備える、項目１６３２に記載のシステム。
（項目１６３４）
前記貫通要素が、尖った先端を備える、項目１６３３に記載のシステム。
（項目１６３５）
前記貫通要素が、中実構造であって、それを通して画定される内腔またはアパーチャーを持たない、中実構造を備える、項目１６３４に記載のシステム。
（項目１６３６）
前記針が、それを通した注射通路を画定し、前記注射通路が、前記針の遠位先端から前記アンカー要素の遠位先端の近位にある場所へと通じるように選択される、項目１６３３に記載のシステム。
（項目１６３７）
前記針が、カニューレ部材、ハブ部材、及び近位部材を備える、項目１６３２に記載のシステム。
（項目１６３８）
前記カニューレ部材及びハブ部材が、同じ材料片から形成される、項目１６３７に記載のシステム。
（項目１６３９）
前記カニューレ部材及びハブ部材が、共に固定して連結して前記針の一部を形成する、別々に形成された要素を備える、項目１６３７に記載のシステム。
（項目１６４０）
前記近位部材も、前記カニューレ部材及びハブ部材に固定して連結して前記針の一部を形成する、別々に形成された要素を備える、項目１６３７に記載のシステム。
（項目１６４１）
前記ハブ部材が、一片の管材から形成される、項目１６３９に記載のシステム。
（項目１６４２）
前記近位部材が、近位連結接合部を有する一片の平坦な板金を含む、項目１６３７に記載のシステム。
（項目１６４３）
前記カニューレ部材が、金属を含む、項目１６４０に記載のシステム。
（項目１６４４）
前記ハブが、金属またはプラスチック材料を含む、項目１６４０に記載のシステム。
（項目１６４５）
前記近位部材、金属またはプラスチック材料、項目１６４０に記載のシステム。
（項目１６４６）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１６０５に記載のシステム。
（項目１６４７）
前記プランジャ部材が、内部容積を画定するプランジャ部材本体を備え、前記エネルギー蓄積部材が、前記プランジャ部材本体の内部容積の実質的に内部に収納されている、請求項１６４６に記載のシステム。
（項目１６４８）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１６４７に記載のシステム。
（項目１６４９）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１６４８に記載のシステム。
（項目１６５０）
前記所定の挿入位置が、前記ストッパーが前記注射器本体に対して完全な挿入状態で位置付けられる位置である、項目１６４９に記載のシステム。
（項目１６５１）
前記エネルギー蓄積部材が、ばねである、項目１６４６に記載のシステム。
（項目１６５２）
前記ばねが、ステンレス鋼、炭素鋼、ベリリウム銅合金、ニッケルチタン合金、クロムシリコン合金、及びコバルトニッケル合金から成る群から選択される材料を含む、項目１６５１に記載のシステム。
（項目１６５３）
前記ばねが、エラストマー性ポリマーを含む、項目１６５１に記載のシステム。
（項目１６５４）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１６５３に記載のシステム。
（項目１６５５）
前記エネルギー蓄積部材が、中実ペレット部材を含む、項目１６４６に記載のシステム。
（項目１６５６）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１６５５に記載のシステム。
（項目１６５７）
前記ばねが、単一の概して螺旋形状のコイルを含む、項目１６５１に記載のシステム。（項目１６５８）
前記ばねが、複数の概して螺旋形状のコイルを含む、項目１６５１に記載のシステム。（項目１６５９）
前記複数の概して螺旋形状のコイルを含む前記コイルのうちの少なくとも２つが、同軸上で整列している、項目１６５８に記載のシステム。
（項目１６６０）
前記複数の概して螺旋形状のコイルを含む前記コイルのうちの少なくとも２つが、長手方向に平行に整列している、項目１６５８に記載のシステム。
（項目１６６１）
前記同軸上で整列した螺旋形状のコイルも、長手方向に平行に整列している、項目１６５９に記載のシステム。
（項目１６６２）
前記同軸上かつ長手方向に平行に整列している螺旋形状のコイルが、前記コイルの圧縮時にコイルの干渉を防止するように、互いに対して反対の巻回方向で螺旋状に巻回される、項目１６６１に記載のシステム。
（項目１６６３）
前記プランジャの格納が前記相互連結したストッパー部材及び針を格納し、その結果、前記針の少なくとも一部が前記注射器本体の前記内部薬剤チャンバ中に引き込まれる、請求項１６４６に記載のシステム。
（項目１６６４）
前記プランジャが、前記注射器本体に対する前記プランジャの手動挿入及び格納制御を促進するように構成されている近位サムパッドを備える、項目１６０５に記載のシステム。
（項目１６６５）
前記プランジャが、前記ストッパー部材中に螺旋状に挿入され、かかる挿入により前記ストッパー部材に連結するように構成されている、プランジャ遠位端ねじ接合部を備える、項目１６０５に記載のシステム。
（項目１６６６）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１６０５に記載のシステム。
（項目１６６７）
前記所定の位置が、前記ストッパー部材が前記注射器本体に対して前記プランジャ部材によって完全に挿入されている位置へと前進した位置である、項目１６６６に記載のシステム。
（項目１６６８）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１６６６に記載のシステム。
（項目１６６９）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１６４８に記載のシステム。
（項目１６７０）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１６０５に記載のシステム。
（項目１６７１）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１６７０に記載のシステム。
（項目１６７２）
前記制動部材が、プレートアパーチャー制動部を備える、項目１６７１に記載のシステム。
（項目１６７３）
前記プレートアパーチャー制動部が一片の板金を含み、それを通してアパーチャーが形成されている、項目１６７２に記載のシステム。
（項目１６７４）
前記プランジャが前記注射器本体に対して完全に挿入された後で、前記注射器本体に対する前記プランジャの格納を促進するように構成されている、ばね部材を更に備える、請求項１６７２に記載のシステム。
（項目１６７５）
前記プレートアパーチャー制動部が、前記ばね部材の少なくとも一部の可塑性変形を誘導することによって、前記第１のモードから前記第２のモードに切り替わるように構成されている、項目１６７４に記載のシステム。
（項目１６７６）
前記プランジャ部材の格納が、前記第２のモードにおいて格納始動荷重の適用を通して促進される、項目１６７１に記載のシステム。
（項目１６７７）
前記格納始動荷重が、前記制動部材に動作可能に連結したばね部材によって適用される、項目１６７６に記載のシステム。
（項目１６７８）
前記格納開始荷重が、前記プランジャ部材と前記注射器本体との間で連結したばね部材によって適用される、項目１６７５に記載のシステム。
（項目１６７９）
前記ばね部材が、コイルばね、板ばね、及びエラストマーばね要素から成る群から選択される、項目１６７７に記載のシステム。
（項目１６８０）
前記ばね部材が、コイルばね、板ばね、及びエラストマーばね要素から成る群から選択される、項目１６７８に記載のシステム。
（項目１６８１）
前記真空荷重が、前記プランジャを前記注射器本体に対して少なくとも部分的に格納するのに十分である、項目１６７０に記載のシステム。
（項目１６８２）
前記プランジャの格納が前記相互連結したストッパー部材及び針を格納し、その結果、前記針の少なくとも一部が前記注射器本体の前記内部薬剤チャンバ中に引き込まれる、請求項１６８１に記載のシステム。
（項目１６８３）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１６０５に記載のシステム。
（項目１６８４）
前記針被覆部材が、少なくとも１つのスナップオーバー式戻り止め接合部によって前記針に着脱可能に連結する、項目１６８３に記載のシステム。
（項目１６８５）
前記針被覆部材が、少なくとも２つのスナップオーバー式戻り止め接合部によって前記針に着脱可能に連結する、項目１６８４に記載のシステム。
（項目１６８６）  スナップオーバー式戻り止め接合部が、前記戻り止めがねじり荷重によって機械的に克服されるまで、前記針の軸と実質的に整列している軸を中心とした前記針被覆部材の回転を防止するように配向されている、項目１６８５に記載のシステム。
（項目１６８７）
スナップオーバー式戻り止め接合部が、前記戻り止めが軸荷重によって機械的に克服されるまで、前記針に対する前記針被覆部材の軸方向運動を防止するように配向されている、項目１６８５に記載のシステム。
（項目１６８８）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目１６８３に記載のシステム。
（項目１６８９）
薬剤チャンバが、チャンバの長さによって画定され、前記針が、前記チャンバの長さ以上である針の長さによって画定される、項目１６０５に記載のシステム。
（項目１６９０）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１６８９に記載のシステム。
（項目１６９１）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１６０５に記載のシステム。
（項目１６９２）
前記プランジャ部材が、前記プランジャ係止部材が非係止状態にあるときに、操作者によって手動で格納されるように構成されている、項目１６０５に記載のシステム。
（項目１６９３）
前記針の前記遠位端が、前記内部薬剤チャンバ内に構造的にカプセル化されるようになる、項目１６９２に記載のシステム。
（項目１６９４）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１６９３に記載のシステム。
（項目１６９５）
注射のためのシステムであって、
ａ．内部薬剤チャンバを画定する注射器本体、及び遠位針接合部と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記注射器本体の前記遠位針接合部に着脱可能に連結し、プランジャ係止部材を係止状態から非係止状態に転換するために、前記プランジャ部材の前記注射器本体に対する操作の際に前記内部薬剤チャンバ中に少なくとも部分的に格納可能であり、前記プランジャ係止部材が、前記注射器本体と前記プランジャ部材との間で摺動可能かつ回転可能に相互連結することで、前記プランジャ部材の前記注射器部材に対する実質的に完全な挿入の際に、前記係止状態から前記非係止状態に変換し、かつ前記プランジャ部材が前記ストッパー部材を完全挿入位置に挿入することを可能にするために、前記プランジャ係止部材が、軸方向に移動し、回転もする、針と、を備え、前記内部薬剤チャンバの内容物の実質的に全てが、前記針から放出され得る、システム。
（項目１６９６）
前記注射器本体が、市販の注射器本体を含む、項目１６９５に記載のシステム。
（項目１６９７）
前記注射器本体が、概して円筒形の幾何形状を備える、項目１６９５に記載のシステム。
（項目１６９８）
前記薬剤チャンバが、約０．５ｃｃ〜約５ｃｃの薬剤を収容するように構成されている、項目１６９５に記載のシステム。
（項目１６９９）
前記薬剤チャンバが、０．５ｃｃ、１ｃｃ、２．２５ｃｃ、３ｃｃ、及び５ｃｃから成る群から選択される薬剤の体積を収容するように構成されている、項目１６９８に記載のシステム。
（項目１７００）
前記注射器本体が、ガラス材料を含む、項目１６９５に記載のシステム。
（項目１７０１）
前記注射器本体が、ポリマー材料を含む、項目１６９５に記載のシステム。
（項目１７０２）
前記ポリマー材料が、ＣＯＰ、ＣＯＣ、ポリエステル、及びポリプロピレンから成る群から選択される、項目１７０１に記載のシステム。
（項目１７０３）
前記注射器本体が、金属を含む、項目１６９５に記載のシステム。
（項目１７０４）
前記注射器本体が、１つ以上の他のデバイス要素に機械的に連結するように構成されている、遠位外側幾何形状を備える、項目１６９５に記載のシステム。
（項目１７０５）
前記注射器本体の遠位外側幾何形状が、ルアーロック接合部を含む、項目１７０４に記載のシステム。
（項目１７０６）
前記注射器本体の遠位外側幾何形状が、ルアーテーパ接合部を含む、項目１７０４に記載のシステム。
（項目１７０７）
前記注射器本体が、遠位薬剤ポートを画定する、項目１６９５に記載のシステム。
（項目１７０８）
前記針が、前記注射器本体の前記遠位薬剤ポートを通して挿入可能であるように選択された最大外径を有する、項目１７０７に記載のシステム。
（項目１７０９）
前記遠位薬剤ポートが、約１ｍｍの内径を備える、項目１７０８に記載のシステム。
（項目１７１０）
前記針が、約３４ゲージ〜約２０ゲージのサイズを有する、項目１７０９に記載のシステム。
（項目１７１１）
前記ストッパー部材が、前記針の尖った近位端によって少なくとも部分的に貫通されるように構成されている、項目１６９５に記載のシステム。
（項目１７１２）
前記針が、前記ストッパー部材中に少なくとも部分的に貫通した後の引き抜きに抵抗するように構成されている、少なくとも１つのアンカー要素を有する、項目１６９５に記載のシステム。
（項目１７１３）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１７１２に記載のシステム。
（項目１７１４）
前記ストッパーが、前記注射器本体と共に実質的に封止するために、前記注射器本体の内側幾何形状に実質的に一致するように選択された外側幾何形状を有する、項目１６９５に記載のシステム。
（項目１７１５）
前記ストッパーが、クロロブチルゴム、ブロモブチルゴム、及びシリコンゴムから成る群から選択される、エラストマー材料を含む、項目１６９５に記載のシステム。
（項目１７１６）
薬剤材料を前記ストッパーから隔離するために、前記ストッパーの少なくとも一部に適用された封止剤コーティングを更に備える、項目１６９５に記載のシステム。
（項目１７１７）
前記封止剤コーティングが、ＰＴＦＥフィルムを含む、項目１７１６に記載のシステム。
（項目１７１８）
前記ストッパーと前記注射器本体との間に導入された潤滑剤層を更に備える、項目１６９５に記載のシステム。
（項目１７１９）
前記潤滑剤層が、シリコン油を含む、項目１７１８に記載のシステム。
（項目１７２０）
前記ストッパー部材の遠位部分が、従来の市販のコンプライアントストッパーを含む、項目１６９５に記載のシステム。
（項目１７２１）
前記ストッパー部材が、針への連結のための陥凹または突出部を持たない未改質の中実コンプライアント部材を備える、項目１７２０に記載のシステム。
（項目１７２２）
前記針が、少なくとも１つの放射状に突出している係止表面機構を備える、項目１６９５に記載のシステム。
（項目１７２３）
前記針の前記近位端が、少なくとも１つのアンカー要素に対して近位に位置する少なくとも１つの貫通要素を備える、項目１７２２に記載のシステム。
（項目１７２４）
前記貫通要素が、尖った先端を備える、項目１７２３に記載のシステム。
（項目１７２５）
前記貫通要素が、中実構造であって、それを通して画定される内腔またはアパーチャーを持たない、中実構造を備える、項目１７２５に記載のシステム。
（項目１７２６）
前記針が、それを通した注射通路を画定し、前記注射通路が、前記針の遠位先端から前記アンカー要素の遠位先端の近位にある場所へと通じるように選択される、項目１７２３に記載のシステム。
（項目１７２７）
前記針が、カニューレ部材、ハブ部材、及び近位部材を備える、項目１７２２に記載のシステム。
（項目１７２８）
前記カニューレ部材及びハブ部材が、同じ材料片から形成される、項目１７２７に記載のシステム。
（項目１７２９）
前記カニューレ部材及びハブ部材が、共に固定して連結して前記針の一部を形成する、別々に形成された要素を備える、項目１７２７に記載のシステム。
（項目１７３０）
前記近位部材も、前記カニューレ部材及びハブ部材に固定して連結して前記針の一部を形成する、別々に形成された要素を備える、項目１７２７に記載のシステム。
（項目１７３１）
前記ハブ部材が、一片の管材から形成される、項目１７２９に記載のシステム。
（項目１７３２）
前記近位部材が、近位連結接合部を有する一片の平坦な板金を含む、項目１７２７に記載のシステム。
（項目１７３３）
前記カニューレ部材が、金属を含む、項目１７３０に記載のシステム。
（項目１７３４）
前記ハブが、金属またはプラスチック材料を含む、項目１７３０に記載のシステム。
（項目１７３５）
前記近位部材、金属またはプラスチック材料、項目１７３０に記載のシステム。
（項目１７３６）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１６９５に記載のシステム。
（項目１７３７）
前記プランジャ部材が、内部容積を画定するプランジャ部材本体を備え、前記エネルギー蓄積部材が、前記プランジャ部材本体の内部容積の実質的に内部に収納されている、請求項１７３６に記載のシステム。
（項目１７３８）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１７３７に記載のシステム。
（項目１７３９）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１７３８に記載のシステム。
（項目１７４０）
前記所定の挿入位置が、前記ストッパーが前記注射器本体に対して完全な挿入状態で位置付けられる位置である、項目１７３９に記載のシステム。
（項目１７４１）
前記エネルギー蓄積部材が、ばねである、項目１７３６に記載のシステム。
（項目１７４２）
前記ばねが、ステンレス鋼、炭素鋼、ベリリウム銅合金、ニッケルチタン合金、クロムシリコン合金、及びコバルトニッケル合金から成る群から選択される材料を含む、項目１７４１に記載のシステム。
（項目１７４３）
前記ばねが、エラストマー性ポリマーを含む、項目１７４１に記載のシステム。
（項目１７４４）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１７４３に記載のシステム。
（項目１７４５）
前記エネルギー蓄積部材が、中実ペレット部材を含む、項目１７３６に記載のシステム。
（項目１７４６）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１７４５に記載のシステム。
（項目１７４７）
前記ばねが、単一の概して螺旋形状のコイルを含む、項目１７４１に記載のシステム。（項目１７４８）
前記ばねが、複数の概して螺旋形状のコイルを含む、項目１７４１に記載のシステム。（項目１７４９）
前記複数の概して螺旋形状のコイルを含む前記コイルのうちの少なくとも２つが、同軸上で整列している、項目１７４８に記載のシステム。
（項目１７５０）
前記複数の概して螺旋形状のコイルを含む前記コイルのうちの少なくとも２つが、長手方向に平行に整列している、項目１７４８に記載のシステム。
（項目１７５１）
前記同軸上で整列した螺旋形状のコイルも、長手方向に平行に整列している、項目１７４９に記載のシステム。
（項目１７５２）
前記同軸上かつ長手方向に平行に整列している螺旋形状のコイルが、前記コイルの圧縮時にコイルの干渉を防止するように、互いに対して反対の巻回方向で螺旋状に巻回される、項目１７５１に記載のシステム。
（項目１７５３）
前記プランジャの格納が前記相互連結したストッパー部材及び針を格納し、その結果、前記針の少なくとも一部が前記注射器本体の前記内部薬剤チャンバ中に引き込まれる、請求項１７３６に記載のシステム。
（項目１７５４）
前記プランジャが、前記注射器本体に対する前記プランジャの手動挿入及び格納制御を促進するように構成されている近位サムパッドを備える、項目１６９５に記載のシステム。
（項目１７５５）
前記プランジャが、前記ストッパー部材中に螺旋状に挿入され、かかる挿入により前記ストッパー部材に連結するように構成されている、プランジャ遠位端ねじ接合部を備える、項目１６９５に記載のシステム。
（項目１７５６）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１６９５に記載のシステム。
（項目１７５７）
前記所定の位置が、前記ストッパー部材が前記注射器本体に対して前記プランジャ部材によって完全に挿入されている位置へと前進した位置である、項目１７５６に記載のシステム。
（項目１７５８）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１７５６に記載のシステム。
（項目１７５９）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１７３８に記載のシステム。
（項目１７６０）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１６９５に記載のシステム。
（項目１７６１）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１７６０に記載のシステム。
（項目１７６２）
前記制動部材が、プレートアパーチャー制動部を備える、項目１７６１に記載のシステム。
（項目１７６３）
前記プレートアパーチャー制動部が一片の板金を含み、それを通してアパーチャーが形成されている、項目１７６２に記載のシステム。
（項目１７６４）
前記プランジャが前記注射器本体に対して完全に挿入された後で、前記注射器本体に対する前記プランジャの格納を促進するように構成されている、ばね部材を更に備える、請求項１７６２に記載のシステム。
（項目１７６５）
前記プレートアパーチャー制動部が、前記ばね部材の少なくとも一部の可塑性変形を誘導することによって、前記第１のモードから前記第２のモードに切り替わるように構成されている、項目１７６４に記載のシステム。
（項目１７６６）
前記プランジャ部材の格納が、前記第２のモードにおいて格納始動荷重の適用を通して促進される、項目１７６１に記載のシステム。
（項目１７６７）
前記格納始動荷重が、前記制動部材に動作可能に連結したばね部材によって適用される、項目１７６６に記載のシステム。
（項目１７６８）
前記格納開始荷重が、前記プランジャ部材と前記注射器本体との間で連結したばね部材によって適用される、項目１７６６に記載のシステム。
（項目１７６９）
前記ばね部材が、コイルばね、板ばね、及びエラストマーばね要素から成る群から選択される、項目１７６７に記載のシステム。
（項目１７７０）
前記ばね部材が、コイルばね、板ばね、及びエラストマーばね要素から成る群から選択される、項目１７６９に記載のシステム。
（項目１７７１）
前記真空荷重が、前記プランジャを前記注射器本体に対して少なくとも部分的に格納するのに十分である、項目１７６１に記載のシステム。
（項目１７７２）
前記プランジャの格納が前記相互連結したストッパー部材及び針を格納し、その結果、前記針の少なくとも一部が前記注射器本体の前記内部薬剤チャンバ中に引き込まれる、請求項１７７１に記載のシステム。
（項目１７７３）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１６９５に記載のシステム。
（項目１７７４）
前記針被覆部材が、少なくとも１つのスナップオーバー式戻り止め接合部によって前記針に着脱可能に連結する、項目１７７３に記載のシステム。
（項目１７７５）
前記針被覆部材が、少なくとも２つのスナップオーバー式戻り止め接合部によって前記針に着脱可能に連結する、項目１７７４に記載のシステム。
（項目１７７６）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目１７７５に記載のシステム。
（項目１７７７）
スナップオーバー式戻り止め接合部が、前記戻り止めが軸荷重によって機械的に克服されるまで、前記針に対する前記針被覆部材の軸方向運動を防止するように配向されている、項目１７７５に記載のシステム。
（項目１７７８）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目１７７３に記載のシステム。
（項目１７７９）
薬剤チャンバが、チャンバの長さによって画定され、前記針が、前記チャンバの長さ以上である針の長さによって画定される、項目１６９５に記載のシステム。
（項目１７８０）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１７７９に記載のシステム。
（項目１７８１）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１６９５に記載のシステム。
（項目１７８２）
前記プランジャ部材が、前記プランジャ係止部材が非係止状態にあるときに、操作者によって手動で格納されるように構成されている、項目１６９５に記載のシステム。
（項目１７８３）
前記針の前記遠位端が、前記内部薬剤チャンバ内に構造的にカプセル化されるようになる、項目１７８２に記載のシステム。
（項目１７８４）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１７８２に記載のシステム。
（項目１７８５）
注射のためのシステムであって、
ａ．内部薬剤チャンバを画定する注射器本体、及び遠位針接合部と、
ｂ．薬剤を前記薬剤チャンバ内に収容するために前記内部薬剤チャンバに挿入されるように構成されているストッパー部材と、
ｃ．近位操作インターフェースを使用して前記ストッパー部材を前記注射器本体に対して挿入するために手動で操作されるように構成されている、プランジャ部材と、
ｄ．前記プランジャ部材を通して画定される内腔内に配設されるばね部材と、
ｅ．近位端及び遠位端を有する針であって、前記近位端が、前記注射器本体の前記遠位針接合部に着脱可能に連結し、プランジャ係止部材を係止状態から非係止状態に転換するために、前記プランジャ部材の前記注射器本体に対する操作の際に前記内部薬剤チャンバ中に少なくとも部分的に格納可能であり、前記プランジャ係止部材が、前記注射器本体と前記プランジャ部材との間で相互連結する、針と、を備え、
前記プランジャ係止部材が、実質的に前記プランジャ部材の内腔内に配設され、前記ばね部材が、前記係止状態において、前記非係止状態にあるときよりも圧縮されるように、前記ばね部材に連結し、
前記近位操作インターフェースが、前記非係止状態におけるプランジャ部材格納速度を制御するために、手動の係合を促進するように構成されている、システム。
（項目１７８６）
前記注射器本体が、市販の注射器本体を含む、項目１７８５に記載のシステム。
（項目１７８７）
前記注射器本体が、概して円筒形の幾何形状を備える、項目１７８５に記載のシステム。
（項目１７８８）
前記薬剤チャンバが、約０．５ｃｃ〜約５ｃｃの薬剤を収容するように構成されている、項目１７８５に記載のシステム。
（項目１７８９）
前記薬剤チャンバが、０．５ｃｃ、１ｃｃ、２．２５ｃｃ、３ｃｃ、及び５ｃｃから成る群から選択される薬剤の体積を収容するように構成されている、項目１７８８に記載のシステム。
（項目１７９０）
前記注射器本体が、ガラス材料を含む、項目１７８５に記載のシステム。
（項目１７９１）
前記注射器本体が、ポリマー材料を含む、項目１７８５に記載のシステム。
（項目１７９２）
前記ポリマー材料が、ＣＯＰ、ＣＯＣ、ポリエステル、及びポリプロピレンから成る群から選択される、項目１７９１に記載のシステム。
（項目１７９３）
前記注射器本体が、金属を含む、項目１７８５に記載のシステム。
（項目１７９４）
前記注射器本体が、１つ以上の他のデバイス要素に機械的に連結するように構成されている、遠位外側幾何形状を備える、項目１７８５に記載のシステム。
（項目１７９５）
前記注射器本体の遠位外側幾何形状が、ルアーロック接合部を含む、項目１７９４に記載のシステム。
（項目１７９６）
前記注射器本体の遠位外側幾何形状が、ルアーテーパ接合部を含む、項目１７９４に記載のシステム。
（項目１７９７）
前記注射器本体が、遠位薬剤ポートを画定する、項目１７８５に記載のシステム。
（項目１７９８）
前記針が、前記注射器本体の前記遠位薬剤ポートを通して挿入可能であるように選択された最大外径を有する、項目１７９７に記載のシステム。
（項目１７９９）
前記遠位薬剤ポートが、約１ｍｍの内径を備える、項目１７９８に記載のシステム。
（項目１８００）
前記針が、約３４ゲージ〜約２０ゲージのサイズを有する、項目１７９９に記載のシステム。
（項目１８０１）
前記ストッパー部材が、前記針の尖った近位端によって少なくとも部分的に貫通されるように構成されている、項目１７８５に記載のシステム。
（項目１８０２）
前記針が、前記ストッパー部材中に少なくとも部分的に貫通した後の引き抜きに抵抗するように構成されている、少なくとも１つのアンカー要素を有する、項目１７８５に記載のシステム。
（項目１８０３）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１８０２に記載のシステム。
（項目１８０４）
前記ストッパーが、前記注射器本体と共に実質的に封止するために、前記注射器本体の内側幾何形状に実質的に一致するように選択された外側幾何形状を有する、項目１７８５に記載のシステム。
（項目１８０５）
前記ストッパーが、クロロブチルゴム、ブロモブチルゴム、及びシリコンゴムから成る群から選択される、エラストマー材料を含む、項目１７８５に記載のシステム。
（項目１８０６）
薬剤材料を前記ストッパーから隔離するために、前記ストッパーの少なくとも一部に適用された封止剤コーティングを更に備える、項目１７８５に記載のシステム。
（項目１８０７）
前記封止剤コーティングが、ＰＴＦＥフィルムを含む、項目１８０６に記載のシステム。
（項目１８０８）
前記ストッパーと前記注射器本体との間に導入された潤滑剤層を更に備える、項目１７８５に記載のシステム。
（項目１８０９）
前記潤滑剤層が、シリコン油を含む、項目１８０８に記載のシステム。
（項目１８１０）
前記ストッパー部材の遠位部分が、従来の市販のコンプライアントストッパーを含む、項目１７８５に記載のシステム。
（項目１８１１）
前記ストッパー部材が、針への連結のための陥凹または突出部を持たない未改質の中実コンプライアント部材を備える、項目１８１０に記載のシステム。
（項目１８１２）
前記針が、少なくとも１つの放射状に突出している係止表面機構を備える、項目１７８５に記載のシステム。
（項目１８１３）
前記針の前記近位端が、少なくとも１つのアンカー要素に対して近位に位置する少なくとも１つの貫通要素を備える、項目１８１２に記載のシステム。
（項目１８１４）
前記貫通要素が、尖った先端を備える、項目１８１３に記載のシステム。
（項目１８１５）
前記貫通要素が、中実構造であって、それを通して画定される内腔またはアパーチャーを持たない、中実構造を備える、項目１８１４に記載のシステム。
（項目１８１６）
前記針が、それを通した注射通路を画定し、前記注射通路が、前記針の遠位先端から前記アンカー要素の遠位先端の近位にある場所へと通じるように選択される、項目１８１３に記載のシステム。
（項目１８１７）
前記針が、カニューレ部材、ハブ部材、及び近位部材を備える、項目１８１２に記載のシステム。
（項目１８１８）
前記カニューレ部材及びハブ部材が、同じ材料片から形成される、項目１８１７に記載のシステム。
（項目１８１９）
前記カニューレ部材及びハブ部材が、共に固定して連結して前記針の一部を形成する、別々に形成された要素を備える、項目１８１７に記載のシステム。
（項目１８２０）
前記近位部材も、前記カニューレ部材及びハブ部材に固定して連結して前記針の一部を形成する、別々に形成された要素を備える、項目１８１７に記載のシステム。
（項目１８２１）
前記ハブ部材が、一片の管材から形成される、項目１８１９に記載のシステム。
（項目１８２２）
前記近位部材が、近位連結接合部を有する一片の平坦な板金を含む、項目１８１７に記載のシステム。
（項目１８２３）
前記カニューレ部材が、金属を含む、項目１８２０に記載のシステム。
（項目１８２４）
前記ハブが、金属またはプラスチック材料を含む、項目１８２０に記載のシステム。
（項目１８２５）
前記近位部材、金属またはプラスチック材料、項目１８２０に記載のシステム。
（項目１８２６）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１７８５に記載のシステム。
（項目１８２７）
前記プランジャ部材が、内部容積を画定するプランジャ部材本体を備え、前記エネルギー蓄積部材が、前記プランジャ部材本体の内部容積の実質的に内部に収納されている、請求項１８２６に記載のシステム。
（項目１８２８）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１８２７に記載のシステム。
（項目１８２９）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１８２８に記載のシステム。
（項目１８３０）
前記所定の挿入位置が、前記ストッパーが前記注射器本体に対して完全な挿入状態で位置付けられる位置である、項目１８２９に記載のシステム。
（項目１８３１）
前記エネルギー蓄積部材が、ばねである、項目１８２６に記載のシステム。
（項目１８３２）
前記ばねが、ステンレス鋼、炭素鋼、ベリリウム銅合金、ニッケルチタン合金、クロムシリコン合金、及びコバルトニッケル合金から成る群から選択される材料を含む、項目１８３１に記載のシステム。
（項目１８３３）
前記ばねが、エラストマー性ポリマーを含む、項目１８３１に記載のシステム。
（項目１８３４）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１８３３に記載のシステム。
（項目１８３５）
前記エネルギー蓄積部材が、中実ペレット部材を含む、項目１８２６に記載のシステム。
（項目１８３６）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１８３５に記載のシステム。
（項目１８３７）
前記ばねが、単一の概して螺旋形状のコイルを含む、項目１８３１に記載のシステム。（項目１８３８）
前記ばねが、複数の概して螺旋形状のコイルを含む、項目１８３１に記載のシステム。（項目１８３９）
前記複数の概して螺旋形状のコイルを含む前記コイルのうちの少なくとも２つが、同軸上で整列している、項目１８３８に記載のシステム。
（項目１８４０）
前記複数の概して螺旋形状のコイルを含む前記コイルのうちの少なくとも２つが、長手方向に平行に整列している、項目１８３８に記載のシステム。
（項目１８４１）
前記同軸上で整列した螺旋形状のコイルも、長手方向に平行に整列している、項目１８３９に記載のシステム。
（項目１８４２）
前記同軸上かつ長手方向に平行に整列している螺旋形状のコイルが、前記コイルの圧縮時にコイルの干渉を防止するように、互いに対して反対の巻回方向で螺旋状に巻回される、項目１８４１に記載のシステム。
（項目１８４３）
前記プランジャの格納が前記相互連結したストッパー部材及び針を格納し、その結果、前記針の少なくとも一部が前記注射器本体の前記内部薬剤チャンバ中に引き込まれる、請求項１８２６に記載のシステム。
（項目１８４４）
前記プランジャが、前記注射器本体に対する前記プランジャの手動挿入及び格納制御を促進するように構成されている近位サムパッドを備える、項目１７８５に記載のシステム。
（項目１８４５）
前記プランジャが、前記ストッパー部材中に螺旋状に挿入され、かかる挿入により前記ストッパー部材に連結するように構成されている、プランジャ遠位端ねじ接合部を備える、項目１７８５に記載のシステム。
（項目１８４６）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１７８５に記載のシステム。
（項目１８４７）
前記所定の位置が、前記ストッパー部材が前記注射器本体に対して前記プランジャ部材によって完全に挿入されている位置へと前進した位置である、項目１８４６に記載のシステム。
（項目１８４８）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１８４６に記載のシステム。
（項目１８４９）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１８２８に記載のシステム。
（項目１８５０）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１７８５に記載のシステム。
（項目１８５１）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１８５０に記載のシステム。
（項目１８５２）
前記制動部材が、プレートアパーチャー制動部を備える、項目１８５１に記載のシステム。
（項目１８５３）
前記プレートアパーチャー制動部が一片の板金を含み、それを通してアパーチャーが形成されている、項目１８５２に記載のシステム。
（項目１８５４）
前記プランジャが前記注射器本体に対して完全に挿入された後で、前記注射器本体に対する前記プランジャの格納を促進するように構成されている、ばね部材を更に備える、請求項１８５２に記載のシステム。
（項目１８５５）
前記プレートアパーチャー制動部が、前記ばね部材の少なくとも一部の可塑性変形を誘導することによって、前記第１のモードから前記第２のモードに切り替わるように構成されている、項目１８５４に記載のシステム。
（項目１８５６）
前記プランジャ部材の格納が、前記第２のモードにおいて格納始動荷重の適用を通して促進される、項目１８５１に記載のシステム。
（項目１８５７）
前記格納始動荷重が、前記制動部材に動作可能に連結したばね部材によって適用される、項目１８５６に記載のシステム。
（項目１８５８）
前記格納開始荷重が、前記プランジャ部材と前記注射器本体との間で連結したばね部材によって適用される、項目１８５６に記載のシステム。
（項目１８５９）
前記ばね部材が、コイルばね、板ばね、及びエラストマーばね要素から成る群から選択される、項目１８５７に記載のシステム。
（項目１８６０）
前記ばね部材が、コイルばね、板ばね、及びエラストマーばね要素から成る群から選択される、項目１８５８に記載のシステム。
（項目１８６１）
前記真空荷重が、前記プランジャを前記注射器本体に対して少なくとも部分的に格納するのに十分である、項目１８５０に記載のシステム。
（項目１８６２）
前記プランジャの格納が前記相互連結したストッパー部材及び針を格納し、その結果、前記針の少なくとも一部が前記注射器本体の前記内部薬剤チャンバ中に引き込まれる、請求項１８６１に記載のシステム。
（項目１８６３）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１７８５に記載のシステム。
（項目１８６４）
前記針被覆部材が、少なくとも１つのスナップオーバー式戻り止め接合部によって前記針に着脱可能に連結する、項目１８６３に記載のシステム。
（項目１８６５）
前記針被覆部材が、少なくとも２つのスナップオーバー式戻り止め接合部によって前記針に着脱可能に連結する、項目１８６４に記載のシステム。
（項目１８６６）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目１８６５に記載のシステム。
（項目１８６７）
スナップオーバー式戻り止め接合部が、前記戻り止めが軸荷重によって機械的に克服されるまで、前記針に対する前記針被覆部材の軸方向運動を防止するように配向されている、項目１８６５に記載のシステム。
（項目１８６８）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目１８６３に記載のシステム。
（項目１８６９）
薬剤チャンバが、チャンバの長さによって画定され、前記針が、前記チャンバの長さ以上である針の長さによって画定される、項目１７８５に記載のシステム。
（項目１８７０）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１８６９に記載のシステム。
（項目１８７１）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１７８５に記載のシステム。
（項目１８７２）
注射のためのシステムであって、
ａ．内部薬剤チャンバを画定する注射器本体、及び遠位針接合部と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び尖った遠位端を有する針であって、前記近位端が、前記注射器本体の前記遠位針接合部に着脱可能に連結し、プランジャ係止部材を係止状態から非係止状態に転換するために、前記プランジャ部材の前記注射器本体に対する操作の際に前記内部薬剤チャンバ中に少なくとも部分的に格納可能であり、前記プランジャ係止部材が、前記注射器本体と前記プランジャ部材との間で相互連結する、針と、を備え、
前記プランジャ係止部材が、実質的に前記プランジャ部材によって画定される内腔内に配設され、
前記非係止状態において、前記プランジャ部材が、前記プランジャ部材注射器本体の移動を防止するように構成されている前記プランジャ係止部材を備える１つ以上の歯様構造によって、前記注射器本体に対して再挿入されるのを少なくとも部分的に防止する、システム。
（項目１８７３）
前記注射器本体が、市販の注射器本体を含む、項目１８７２に記載のシステム。
（項目１８７４）
前記注射器本体が、概して円筒形の幾何形状を備える、項目１８７２に記載のシステム。
（項目１８７５）
前記薬剤チャンバが、約０．５ｃｃ〜約５ｃｃの薬剤を収容するように構成されている、項目１８７２に記載のシステム。
（項目１８７６）
前記薬剤チャンバが、０．５ｃｃ、１ｃｃ、２．２５ｃｃ、３ｃｃ、及び５ｃｃから成る群から選択される薬剤の体積を収容するように構成されている、項目１８７５に記載のシステム。
（項目１８７７）
前記注射器本体が、ガラス材料を含む、項目１８７２に記載のシステム。
（項目１８７８）
前記注射器本体が、ポリマー材料を含む、項目１８７２に記載のシステム。
（項目１８７９）
前記ポリマー材料が、ＣＯＰ、ＣＯＣ、ポリエステル、及びポリプロピレンから成る群から選択される、項目１８７８に記載のシステム。
（項目１８８０）
前記注射器本体が、金属を含む、項目１８７２に記載のシステム。
（項目１８８１）
前記注射器本体が、１つ以上の他のデバイス要素に機械的に連結するように構成されている、遠位外側幾何形状を備える、項目１８７２に記載のシステム。
（項目１８８２）
前記注射器本体の遠位外側幾何形状が、ルアーロック接合部を含む、項目１８８１に記載のシステム。
（項目１８８３）
前記注射器本体の遠位外側幾何形状が、ルアーテーパ接合部を含む、項目１８８１に記載のシステム。
（項目１８８４）
前記注射器本体が、遠位薬剤ポートを画定する、項目１８７２に記載のシステム。
（項目１８８５）
前記針が、前記注射器本体の前記遠位薬剤ポートを通して挿入可能であるように選択された最大外径を有する、項目１８８４に記載のシステム。
（項目１８８６）
前記遠位薬剤ポートが、約１ｍｍの内径を備える、項目１８８５に記載のシステム。
（項目１８８７）
前記針が、約３４ゲージ〜約２０ゲージのサイズを有する、項目１８８６に記載のシステム。
（項目１８８８）
前記ストッパー部材が、前記針の尖った近位端によって少なくとも部分的に貫通されるように構成されている、項目１８７２に記載のシステム。
（項目１８８９）
前記針が、前記ストッパー部材中に少なくとも部分的に貫通した後の引き抜きに抵抗するように構成されている、少なくとも１つのアンカー要素を有する、項目１８７２に記載のシステム。
（項目１８９０）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１８８９に記載のシステム。
（項目１８９１）
前記ストッパーが、前記注射器本体と共に実質的に封止するために、前記注射器本体の内側幾何形状に実質的に一致するように選択された外側幾何形状を有する、項目１８７２に記載のシステム。
（項目１８９２）
前記ストッパーが、クロロブチルゴム、ブロモブチルゴム、及びシリコンゴムから成る群から選択される、エラストマー材料を含む、項目１８７２に記載のシステム。
（項目１８９３）
薬剤材料を前記ストッパーから隔離するために、前記ストッパーの少なくとも一部に適用された封止剤コーティングを更に備える、項目１８７２に記載のシステム。
（項目１８９４）
前記封止剤コーティングが、ＰＴＦＥフィルムを含む、項目１８９３に記載のシステム。
（項目１８９５）
前記ストッパーと前記注射器本体との間に導入された潤滑剤層を更に備える、項目１８７２に記載のシステム。
（項目１８９６）
前記潤滑剤層が、シリコン油を含む、項目１８９５に記載のシステム。
（項目１８９７）
前記ストッパー部材の遠位部分が、従来の市販のコンプライアントストッパーを含む、項目１８７２に記載のシステム。
（項目１８９８）
前記ストッパー部材が、針への連結のための陥凹または突出部を持たない未改質の中実コンプライアント部材を備える、項目１８９７に記載のシステム。
（項目１８９９）
前記針が、少なくとも１つの放射状に突出している係止表面機構を備える、項目１８７２に記載のシステム。
（項目１９００）
前記針の前記近位端が、少なくとも１つのアンカー要素に対して近位に位置する少なくとも１つの貫通要素を備える、項目１８９９に記載のシステム。
（項目１９０１）
前記貫通要素が、尖った先端を備える、項目１９００に記載のシステム。
（項目１９０２）
前記貫通要素が、中実構造であって、それを通して画定される内腔またはアパーチャーを持たない、中実構造を備える、項目１９０１に記載のシステム。
（項目１９０３）
前記針が、それを通した注射通路を画定し、前記注射通路が、前記針の遠位先端から前記アンカー要素の遠位先端の近位にある場所へと通じるように選択される、項目１９００に記載のシステム。
（項目１９０４）
前記針が、カニューレ部材、ハブ部材、及び近位部材を備える、項目１８９９に記載のシステム。
（項目１９０５）
前記カニューレ部材及びハブ部材が、同じ材料片から形成される、項目１９０４に記載のシステム。
（項目１９０６）
前記カニューレ部材及びハブ部材が、共に固定して連結して前記針の一部を形成する、別々に形成された要素を備える、項目１９０４に記載のシステム。
（項目１９０７）
前記近位部材も、前記カニューレ部材及びハブ部材に固定して連結して前記針の一部を形成する、別々に形成された要素を備える、項目１９０４に記載のシステム。
（項目１９０８）
前記ハブ部材が、一片の管材から形成される、項目１９０６に記載のシステム。
（項目１９０９）
前記近位部材が、近位連結接合部を有する一片の平坦な板金を含む、項目１９０４に記載のシステム。
（項目１９１０）
前記カニューレ部材が、金属を含む、項目１９０７に記載のシステム。
（項目１９１１）
前記ハブが、金属またはプラスチック材料を含む、項目１９０７に記載のシステム。
（項目１９１２）
前記近位部材、金属またはプラスチック材料、項目１９０７に記載のシステム。
（項目１９１３）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１８７２に記載のシステム。
（項目１９１４）
前記プランジャ部材が、内部容積を画定するプランジャ部材本体を備え、前記エネルギー蓄積部材が、前記プランジャ部材本体の内部容積の実質的に内部に収納されている、請求項１９１３に記載のシステム。
（項目１９１５）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目１９１４に記載のシステム。
（項目１９１６）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目１９１５に記載のシステム。
（項目１９１７）
前記所定の挿入位置が、前記ストッパーが前記注射器本体に対して完全な挿入状態で位置付けられる位置である、項目１９１６に記載のシステム。
（項目１９１８）
前記エネルギー蓄積部材が、ばねである、項目１９１３に記載のシステム。
（項目１９１９）
前記ばねが、ステンレス鋼、炭素鋼、ベリリウム銅合金、ニッケルチタン合金、クロムシリコン合金、及びコバルトニッケル合金から成る群から選択される材料を含む、項目１９１８に記載のシステム。
（項目１９２０）
前記ばねが、エラストマー性ポリマーを含む、項目１９１８に記載のシステム。
（項目１９２１）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項１９２０に記載のシステム。
（項目１９２２）
前記エネルギー蓄積部材が、中実ペレット部材を含む、項目１９１３に記載のシステム。
（項目１９２３）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目１９２２に記載のシステム。
（項目１９２４）
前記ばねが、単一の概して螺旋形状のコイルを含む、項目１９１８に記載のシステム。
（項目１９２５）
前記ばねが、複数の概して螺旋形状のコイルを含む、項目１９１８に記載のシステム。（項目１９２６）
前記複数の概して螺旋形状のコイルを含む前記コイルのうちの少なくとも２つが、同軸上で整列している、項目１９２５に記載のシステム。
（項目１９２７）
前記複数の概して螺旋形状のコイルを含む前記コイルのうちの少なくとも２つが、長手方向に平行に整列している、項目１９２５に記載のシステム。
（項目１９２８）
前記同軸上で整列した螺旋形状のコイルも、長手方向に平行に整列している、項目１９２６に記載のシステム。
（項目１９２９）
前記同軸上かつ長手方向に平行に整列している螺旋形状のコイルが、前記コイルの圧縮時にコイルの干渉を防止するように、互いに対して反対の巻回方向で螺旋状に巻回される、項目１９２８に記載のシステム。
（項目１９３０）
前記プランジャの格納が前記相互連結したストッパー部材及び針を格納し、その結果、前記針の少なくとも一部が前記注射器本体の前記内部薬剤チャンバ中に引き込まれる、請求項１９１３に記載のシステム。
（項目１９３１）
前記プランジャが、前記注射器本体に対する前記プランジャの手動挿入及び格納制御を促進するように構成されている近位サムパッドを備える、項目１８７２に記載のシステム。
（項目１９３２）
前記プランジャが、前記ストッパー部材中に螺旋状に挿入され、かかる挿入により前記ストッパー部材に連結するように構成されている、プランジャ遠位端ねじ接合部を備える、項目１８７２に記載のシステム。
（項目１９３３）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１８７２に記載のシステム。
（項目１９３４）
前記所定の位置が、前記ストッパー部材が前記注射器本体に対して前記プランジャ部材によって完全に挿入されている位置へと前進した位置である、項目１９３３に記載のシステム。
（項目１９３５）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目１９３３に記載のシステム。
（項目１９３６）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目１９１５に記載のシステム。
（項目１９３７）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１８７２に記載のシステム。
（項目１９３８）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目１９３７に記載のシステム。
（項目１９３９）
前記制動部材が、プレートアパーチャー制動部を備える、項目１９３８に記載のシステム。
（項目１９４０）
前記プレートアパーチャー制動部が一片の板金を含み、それを通してアパーチャーが形成されている、項目１９３９に記載のシステム。
（項目１９４１）
前記プランジャが前記注射器本体に対して完全に挿入された後で、前記注射器本体に対する前記プランジャの格納を促進するように構成されている、ばね部材を更に備える、請求項１９３９に記載のシステム。
（項目１９４２）
前記プレートアパーチャー制動部が、前記ばね部材の少なくとも一部の可塑性変形を誘導することによって、前記第１のモードから前記第２のモードに切り替わるように構成されている、項目１９４１に記載のシステム。
（項目１９４３）
前記プランジャ部材の格納が、前記第２のモードにおいて格納始動荷重の適用を通して促進される、項目１９３８に記載のシステム。
（項目１９４４）
前記格納始動荷重が、前記制動部材に動作可能に連結したばね部材によって適用される、項目１９４３に記載のシステム。
（項目１９４５）
前記格納開始荷重が、前記プランジャ部材と前記注射器本体との間で連結したばね部材によって適用される、項目１９４３に記載のシステム。
（項目１９４６）
前記ばね部材が、コイルばね、板ばね、及びエラストマーばね要素から成る群から選択される、項目１９４４に記載のシステム。
（項目１９４７）
前記ばね部材が、コイルばね、板ばね、及びエラストマーばね要素から成る群から選択される、項目１９４５に記載のシステム。
（項目１９４８）
前記真空荷重が、前記プランジャを前記注射器本体に対して少なくとも部分的に格納するのに十分である、項目１９３８に記載のシステム。
（項目１９４９）
前記プランジャの格納が前記相互連結したストッパー部材及び針を格納し、その結果、前記針の少なくとも一部が前記注射器本体の前記内部薬剤チャンバ中に引き込まれる、請求項１９４８に記載のシステム。
（項目１９５０）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１８７２に記載のシステム。
（項目１９５１）
前記針被覆部材が、少なくとも１つのスナップオーバー式戻り止め接合部によって前記針に着脱可能に連結する、項目１９５０に記載のシステム。
（項目１９５２）
前記針被覆部材が、少なくとも２つのスナップオーバー式戻り止め接合部によって前記針に着脱可能に連結する、項目１９５１に記載のシステム。
（項目１９５３）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目１９５１に記載のシステム。
（項目１９５４）
スナップオーバー式戻り止め接合部が、前記戻り止めが軸荷重によって機械的に克服されるまで、前記針に対する前記針被覆部材の軸方向運動を防止するように配向されている、項目１９５１に記載のシステム。
（項目１９５５）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目１９５０に記載のシステム。
（項目１９５６）
薬剤チャンバが、チャンバの長さによって画定され、前記針が、前記チャンバの長さ以上である針の長さによって画定される、項目１８７２に記載のシステム。
（項目１９５７）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目１９５６に記載のシステム。
（項目１９５８）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１８７２に記載のシステム。
（項目１９５９）
前記プランジャ部材が、前記プランジャ係止部材が非係止状態にあるときに、操作者によって手動で格納されるように構成されている、項目１８７２に記載のシステム。
（項目１９６０）
前記針の前記遠位端が、前記内部薬剤チャンバ内に構造的にカプセル化されるようになる、項目１９５９に記載のシステム。
（項目１９６１）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目１９５９に記載のシステム。
（項目１９６２）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材に連結し、前記ストッパー部材を前記注射器本体に対して挿入するように構成されている、プランジャ部材と、
ｄ．近位端及び遠位端を有する針であって、前記近位端が、前記ストッパー部材中に少なくとも部分的に挿入されることで、前記ストッパー部材の格納の際に、前記針を前記ストッパーと共に近位に引っ張って、前記内部薬剤チャンバ内に少なくとも部分的に収容するように構成されているアンカー幾何形状を備える、針と、
前記ストッパー部材が、ねじ式近位接合部を画定し、前記プランジャ部材が、前記ストッパー部材の前記ねじ式近位接合部中に螺旋状に連結するように構成されている遠位ねじ式接合部を有し、前記遠位ねじ式接合部が、前記ストッパー部材の前記ねじ式近位接合部に対して意図的に小さいことで、かかる螺旋状の連結の際に、前記ストッパー部材の外側幾何形状が、前記ストッパー部材と前記プランジャ部材の遠位ねじ式接合部との間の螺旋状の相互連結により実質的に増加しない、システム。
（項目１９６３）
前記注射器本体が、市販の注射器本体を含む、項目１９６２に記載のシステム。
（項目１９６４）
前記注射器本体が、概して円筒形の幾何形状を備える、項目１９６２に記載のシステム。
（項目１９６５）
前記薬剤チャンバが、約０．５ｃｃ〜約５ｃｃの薬剤を収容するように構成されている、項目１９６２に記載のシステム。
（項目１９６６）
前記薬剤チャンバが、０．５ｃｃ、１ｃｃ、２．２５ｃｃ、３ｃｃ、及び５ｃｃから成る群から選択される薬剤の体積を収容するように構成されている、項目１９６５に記載のシステム。
（項目１９６７）
前記注射器本体が、ガラス材料を含む、項目１９６２に記載のシステム。
（項目１９６８）
前記注射器本体が、ポリマー材料を含む、項目１９６２に記載のシステム。
（項目１９６９）
前記ポリマー材料が、ＣＯＰ、ＣＯＣ、ポリエステル、及びポリプロピレンから成る群から選択される、項目１９６８に記載のシステム。
（項目１９７０）
前記注射器本体が、金属を含む、項目１９６２に記載のシステム。
（項目１９７１）
前記注射器本体が、１つ以上の他のデバイス要素に機械的に連結するように構成されている、遠位外側幾何形状を備える、項目１９６２に記載のシステム。
（項目１９７２）
前記注射器本体の遠位外側幾何形状が、ルアーロック接合部を含む、項目１９７１に記載のシステム。
（項目１９７３）
前記注射器本体の遠位外側幾何形状が、ルアーテーパ接合部を含む、項目１９７１に記載のシステム。
（項目１９７４）
前記注射器本体が、遠位薬剤ポートを画定する、項目１９６２に記載のシステム。
（項目１９７５）
前記針が、前記注射器本体の前記遠位薬剤ポートを通して挿入可能であるように選択された最大外径を有する、項目１９７４に記載のシステム。
（項目１９７６）
前記遠位薬剤ポートが、約１ｍｍの内径を備える、項目１９７５に記載のシステム。
（項目１９７７）
前記針が、約３４ゲージ〜約２０ゲージのサイズを有する、項目１９７６に記載のシステム。
（項目１９７８）
前記ストッパー部材が、前記針の尖った近位端によって少なくとも部分的に貫通されるように構成されている、項目１９６２に記載のシステム。
（項目１９７９）
前記針が、前記ストッパー部材中に少なくとも部分的に貫通した後の引き抜きに抵抗するように構成されている、少なくとも１つのアンカー要素を有する、項目１９６２に記載のシステム。
（項目１９８０）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目１９７９に記載のシステム。
（項目１９８１）
前記ストッパーが、前記注射器本体と共に実質的に封止するために、前記注射器本体の内側幾何形状に実質的に一致するように選択された外側幾何形状を有する、項目１９６２に記載のシステム。
（項目１９８２）
前記ストッパーが、クロロブチルゴム、ブロモブチルゴム、及びシリコンゴムから成る群から選択される、エラストマー材料を含む、項目１９６２に記載のシステム。
（項目１９８３）
薬剤材料を前記ストッパーから隔離するために、前記ストッパーの少なくとも一部に適用された封止剤コーティングを更に備える、項目１９６２に記載のシステム。
（項目１９８４）
前記封止剤コーティングが、ＰＴＦＥフィルムを含む、項目１９８３に記載のシステム。
（項目１９８５）
前記ストッパーと前記注射器本体との間に導入された潤滑剤層を更に備える、項目１９６２に記載のシステム。
（項目１９８６）
前記潤滑剤層が、シリコン油を含む、項目１９８５に記載のシステム。
（項目１９８７）
前記ストッパー部材の遠位部分が、従来の市販のコンプライアントストッパーを含む、項目１９６２に記載のシステム。
（項目１９８８）
前記ストッパー部材が、針への連結のための陥凹または突出部を持たない未改質の中実コンプライアント部材を備える、項目１９８７に記載のシステム。
（項目１９８９）
前記針が、少なくとも１つの放射状に突出している係止表面機構を備える、項目１９６２に記載のシステム。
（項目１９９０）
前記針の前記近位端が、少なくとも１つのアンカー要素に対して近位に位置する少なくとも１つの貫通要素を備える、項目１９８９に記載のシステム。
（項目１９９１）
前記貫通要素が、尖った先端を備える、項目１９９０に記載のシステム。
（項目１９９２）
前記貫通要素が、中実構造であって、それを通して画定される内腔またはアパーチャーを持たない、中実構造を備える、項目１９９１に記載のシステム。
（項目１９９３）
前記針が、それを通した注射通路を画定し、前記注射通路が、前記針の遠位先端から前記アンカー要素の遠位先端の近位にある場所へと通じるように選択される、項目１９９０に記載のシステム。
（項目１９９４）
前記針が、カニューレ部材、ハブ部材、及び近位部材を備える、項目１９８９に記載のシステム。
（項目１９９５）
前記カニューレ部材及びハブ部材が、同じ材料片から形成される、項目１９９４に記載のシステム。
（項目１９９６）
前記カニューレ部材及びハブ部材が、共に固定して連結して前記針の一部を形成する、別々に形成された要素を備える、項目１９９４に記載のシステム。
（項目１９９７）
前記近位部材も、前記カニューレ部材及びハブ部材に固定して連結して前記針の一部を形成する、別々に形成された要素を備える、項目１９９４に記載のシステム。
（項目１９９８）
前記ハブ部材が、一片の管材から形成される、項目１９９６に記載のシステム。
（項目１９９９）
前記近位部材が、近位連結接合部を有する一片の平坦な板金を含む、項目１９９４に記載のシステム。
（項目２０００）
前記カニューレ部材が、金属を含む、項目１９９７に記載のシステム。
（項目２００１）
前記ハブが、金属またはプラスチック材料を含む、項目１９９７に記載のシステム。
（項目２００２）
前記近位部材、金属またはプラスチック材料、項目１９９７に記載のシステム。
（項目２００３）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目１９６２に記載のシステム。
（項目２００４）
前記プランジャ部材が、内部容積を画定するプランジャ部材本体を備え、前記エネルギー蓄積部材が、前記プランジャ部材本体の内部容積の実質的に内部に収納されている、請求項２００３に記載のシステム。
（項目２００５）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目２００４に記載のシステム。
（項目２００６）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目２００５に記載のシステム。
（項目２００７）
前記所定の挿入位置が、前記ストッパーが前記注射器本体に対して完全な挿入状態で位置付けられる位置である、項目２００６に記載のシステム。
（項目２００８）
前記エネルギー蓄積部材が、ばねである、項目２００３に記載のシステム。
（項目２００９）
前記ばねが、ステンレス鋼、炭素鋼、ベリリウム銅合金、ニッケルチタン合金、クロムシリコン合金、及びコバルトニッケル合金から成る群から選択される材料を含む、項目２００８に記載のシステム。
（項目２０１０）
前記ばねが、エラストマー性ポリマーを含む、項目２００８に記載のシステム。
（項目２０１１）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項２０１０に記載のシステム。
（項目２０１２）
前記エネルギー蓄積部材が、中実ペレット部材を含む、項目２００３に記載のシステム。
（項目２０１３）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目２０１２に記載のシステム。
（項目２０１４）
前記ばねが、単一の概して螺旋形状のコイルを含む、項目２００８に記載のシステム。（項目２０１５）
前記ばねが、複数の概して螺旋形状のコイルを含む、項目２００８に記載のシステム。（項目２０１６）
前記複数の概して螺旋形状のコイルを含む前記コイルのうちの少なくとも２つが、同軸上で整列している、項目２０１５に記載のシステム。
（項目２０１７）
前記複数の概して螺旋形状のコイルを含む前記コイルのうちの少なくとも２つが、長手方向に平行に整列している、項目２０１５に記載のシステム。
（項目２０１８）
前記同軸上で整列した螺旋形状のコイルも、長手方向に平行に整列している、項目２０１６に記載のシステム。
（項目２０１９）
前記同軸上かつ長手方向に平行に整列している螺旋形状のコイルが、前記コイルの圧縮時にコイルの干渉を防止するように、互いに対して反対の巻回方向で螺旋状に巻回される、項目２０１８に記載のシステム。
（項目２０２０）
前記プランジャの格納が前記相互連結したストッパー部材及び針を格納し、その結果、前記針の少なくとも一部が前記注射器本体の前記内部薬剤チャンバ中に引き込まれる、請求項２００３に記載のシステム。
（項目２０２１）
前記プランジャが、前記注射器本体に対する前記プランジャの手動挿入及び格納制御を促進するように構成されている近位サムパッドを備える、項目１９６２に記載のシステム。
（項目２０２２）
前記プランジャが、前記ストッパー部材中に螺旋状に挿入され、かかる挿入により前記ストッパー部材に連結するように構成されている、プランジャ遠位端ねじ接合部を備える、項目１９６２に記載のシステム。
（項目２０２３）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目１９６２に記載のシステム。
（項目２０２４）
前記所定の位置が、前記ストッパー部材が前記注射器本体に対して前記プランジャ部材によって完全に挿入されている位置へと前進した位置である、項目２０２３に記載のシステム。
（項目２０２５）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目２０２３に記載のシステム。
（項目２０２６）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目２００５に記載のシステム。
（項目２０２７）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目１９６２に記載のシステム。
（項目２０２８）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目２０２７に記載のシステム。
（項目２０２９）
前記制動部材が、プレートアパーチャー制動部を備える、項目２０２８に記載のシステム。
（項目２０３０）
前記プレートアパーチャー制動部が一片の板金を含み、それを通してアパーチャーが形成されている、項目２０２９に記載のシステム。
（項目２０３１）
前記プランジャが前記注射器本体に対して完全に挿入された後で、前記注射器本体に対する前記プランジャの格納を促進するように構成されている、ばね部材を更に備える、請求項２０２９に記載のシステム。
（項目２０３２）
前記プレートアパーチャー制動部が、前記ばね部材の少なくとも一部の可塑性変形を誘導することによって、前記第１のモードから前記第２のモードに切り替わるように構成されている、項目２０３１に記載のシステム。
（項目２０３３）
前記プランジャ部材の格納が、前記第２のモードにおいて格納始動荷重の適用を通して促進される、項目２０２８に記載のシステム。
（項目２０３４）
前記格納始動荷重が、前記制動部材に動作可能に連結したばね部材によって適用される、項目２０３３に記載のシステム。
（項目２０３５）
前記格納開始荷重が、前記プランジャ部材と前記注射器本体との間で連結したばね部材によって適用される、項目２０３３に記載のシステム。
（項目２０３６）
前記ばね部材が、コイルばね、板ばね、及びエラストマーばね要素から成る群から選択される、項目２０３４に記載のシステム。
（項目２０３７）
前記ばね部材が、コイルばね、板ばね、及びエラストマーばね要素から成る群から選択される、項目２０３５に記載のシステム。
（項目２０３８）
前記真空荷重が、前記プランジャを前記注射器本体に対して少なくとも部分的に格納するのに十分である、項目２０２７に記載のシステム。
（項目２０３９）
前記プランジャの格納が前記相互連結したストッパー部材及び針を格納し、その結果、前記針の少なくとも一部が前記注射器本体の前記内部薬剤チャンバ中に引き込まれる、請求項２０３８に記載のシステム。
（項目２０４０）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目１９６２に記載のシステム。
（項目２０４１）
前記針被覆部材が、少なくとも１つのスナップオーバー式戻り止め接合部によって前記針に着脱可能に連結する、項目２０４０に記載のシステム。
（項目２０４２）
前記針被覆部材が、少なくとも２つのスナップオーバー式戻り止め接合部によって前記針に着脱可能に連結する、項目２０４１に記載のシステム。
（項目２０４３）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目２０４２に記載のシステム。
（項目２０４４）
スナップオーバー式戻り止め接合部が、前記戻り止めが軸荷重によって機械的に克服されるまで、前記針に対する前記針被覆部材の軸方向運動を防止するように配向されている、項目２０４２に記載のシステム。
（項目２０４５）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目２０４０に記載のシステム。
（項目２０４６）
薬剤チャンバが、チャンバの長さによって画定され、前記針が、前記チャンバの長さ以上である針の長さによって画定される、項目１９６２に記載のシステム。
（項目２０４７）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目２０４６に記載のシステム。
（項目２０４８）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目１９６２に記載のシステム。
（項目２０４９）
前記プランジャ部材が、前記針の前記遠位端が構造的にカプセル化されるようになり、かつその後の前記針の前記遠位端へのアクセスが防止されるように、操作者によって手動で格納されるように構成される、項目１９６２に記載のシステム。
（項目２０５０）
前記針の前記遠位端が、前記内部薬剤チャンバ内に構造的にカプセル化されるようになる、項目２０４９に記載のシステム。
（項目２０５１）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目２０４９に記載のシステム。
（項目２０５２）
注射のためのシステムであって、
ａ．近位端及び遠位端を有し、内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して移動させるために手動で操作されるように構成されている近位接合部を備える、プランジャ部材と、
ｄ．尖った遠位端を有する針と、
ｅ．前記注射器本体の前記近位端に連結しているフランジ延長部材であって、前記プランジャ部材に動作可能に連結し、前記プランジャ部材の前記注射器本体に対する挿入を引き起こすのに必要な軸方向の圧縮スロー距離を減少させる、前記注射器本体のための近位操作インターフェースを提供するように構成されている、フランジ延長部材と、を備える、システム。
（項目２０５３）
前記注射器本体が、市販の注射器本体を含む、項目２０５２に記載のシステム。
（項目２０５４）
前記注射器本体が、概して円筒形の幾何形状を備える、項目２０５２に記載のシステム。
（項目２０５５）
前記薬剤チャンバが、約０．５ｃｃ〜約５ｃｃの薬剤を収容するように構成されている、項目２０５２に記載のシステム。
（項目２０５６）
前記薬剤チャンバが、０．５ｃｃ、１ｃｃ、２．２５ｃｃ、３ｃｃ、及び５ｃｃから成る群から選択される薬剤の体積を収容するように構成されている、項目２０５５に記載のシステム。
（項目２０５７）
前記注射器本体が、ガラス材料を含む、項目２０５２に記載のシステム。
（項目２０５８）
前記注射器本体が、ポリマー材料を含む、項目２０５２に記載のシステム。
（項目２０５９）
前記ポリマー材料が、ＣＯＰ、ＣＯＣ、ポリエステル、及びポリプロピレンから成る群から選択される、項目２０８５に記載のシステム。
（項目２０６０）
前記注射器本体が、金属を含む、項目２０５２に記載のシステム。
（項目２０６１）
前記注射器本体が、１つ以上の他のデバイス要素に機械的に連結するように構成されている、遠位外側幾何形状を備える、項目２０５２に記載のシステム。
（項目２０６２）
前記注射器本体の遠位外側幾何形状が、ルアーロック接合部を含む、項目２０６１に記載のシステム。
（項目２０６３）
前記注射器本体の遠位外側幾何形状が、ルアーテーパ接合部を含む、項目２０６１に記載のシステム。
（項目２０６４）
前記注射器本体が、遠位薬剤ポートを画定する、項目２０５２に記載のシステム。
（項目２０６５）
前記針が、前記注射器本体の前記遠位薬剤ポートを通して挿入可能であるように選択された最大外径を有する、項目２０６４に記載のシステム。
（項目２０６６）
前記遠位薬剤ポートが、約１ｍｍの内径を備える、項目２０６５に記載のシステム。
（項目２０６７）
前記針が、約３４ゲージ〜約２０ゲージのサイズを有する、項目２０６６に記載のシステム。
（項目２０６８）
前記ストッパー部材が、前記針の尖った近位端によって少なくとも部分的に貫通されるように構成されている、項目２０５２に記載のシステム。
（項目２０６９）
前記針が、前記ストッパー部材中に少なくとも部分的に貫通した後の引き抜きに抵抗するように構成されている、少なくとも１つのアンカー要素を有する、項目２０５２に記載のシステム。
（項目２０７０）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目２０６９に記載のシステム。
（項目２０７１）
前記ストッパーが、前記注射器本体と共に実質的に封止するために、前記注射器本体の内側幾何形状に実質的に一致するように選択された外側幾何形状を有する、項目２０５２に記載のシステム。
（項目２０７２）
前記ストッパーが、クロロブチルゴム、ブロモブチルゴム、及びシリコンゴムから成る群から選択される、エラストマー材料を含む、項目２０５２に記載のシステム。
（項目２０７３）
薬剤材料を前記ストッパーから隔離するために、前記ストッパーの少なくとも一部に適用された封止剤コーティングを更に備える、項目２０５２に記載のシステム。
（項目２０７４）
前記封止剤コーティングが、ＰＴＦＥフィルムを含む、項目２０７３に記載のシステム。
（項目２０７５）
前記ストッパーと前記注射器本体との間に導入された潤滑剤層を更に備える、項目２０５２に記載のシステム。
（項目２０７６）
前記潤滑剤層が、シリコン油を含む、項目２０７５に記載のシステム。
（項目２０７７）
前記ストッパー部材の遠位部分が、従来の市販のコンプライアントストッパーを含む、項目２０５２に記載のシステム。
（項目２０７８）
前記ストッパー部材が、針への連結のための陥凹または突出部を持たない未改質の中実コンプライアント部材を備える、項目２０７７に記載のシステム。
（項目２０７９）
前記針が、少なくとも１つの放射状に突出している係止表面機構を備える、項目２０５２に記載のシステム。
（項目２０８０）
前記針の前記近位端が、少なくとも１つのアンカー要素に対して近位に位置する少なくとも１つの貫通要素を備える、項目２０７９に記載のシステム。
（項目２０８１）
前記貫通要素が、尖った先端を備える、項目２０８０に記載のシステム。
（項目２０８２）
前記貫通要素が、中実構造であって、それを通して画定される内腔またはアパーチャーを持たない、中実構造を備える、項目２０８１に記載のシステム。
（項目２０８３）
前記針が、それを通した注射通路を画定し、前記注射通路が、前記針の遠位先端から前記アンカー要素の遠位先端の近位にある場所へと通じるように選択される、項目２０８０に記載のシステム。
（項目２０８４）
前記針が、カニューレ部材、ハブ部材、及び近位部材を備える、項目２０７９に記載のシステム。
（項目２０８５）
前記カニューレ部材及びハブ部材が、同じ材料片から形成される、項目２０８４に記載のシステム。
（項目２０８６）
前記カニューレ部材及びハブ部材が、共に固定して連結して前記針の一部を形成する、別々に形成された要素を備える、項目２０８４に記載のシステム。
（項目２０８７）
前記近位部材も、前記カニューレ部材及びハブ部材に固定して連結して前記針の一部を形成する、別々に形成された要素を備える、項目２０８４に記載のシステム。
（項目２０８８）
前記ハブ部材が、一片の管材から形成される、項目２０８６に記載のシステム。
（項目２０８９）
前記近位部材が、近位連結接合部を有する一片の平坦な板金を含む、項目２０８４に記載のシステム。
（項目２０９０）
前記カニューレ部材が、金属を含む、項目２０８７に記載のシステム。
（項目２０９１）
前記ハブが、金属またはプラスチック材料を含む、項目２０８７に記載のシステム。
（項目２０９２）
前記近位部材、金属またはプラスチック材料、項目２０８７に記載のシステム。
（項目２０９３）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目２０５２に記載のシステム。
（項目２０９４）
前記プランジャ部材が、内部容積を画定するプランジャ部材本体を備え、前記エネルギー蓄積部材が、前記プランジャ部材本体の内部容積の実質的に内部に収納されている、請求項２０９３に記載のシステム。
（項目２０９５）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目２０９４に記載のシステム。
（項目２０９６）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目２０９５に記載のシステム。
（項目２０９７）
前記所定の挿入位置が、前記ストッパーが前記注射器本体に対して完全な挿入状態で位置付けられる位置である、項目２０９６に記載のシステム。
（項目２０９８）
前記エネルギー蓄積部材が、ばねである、項目２０９３に記載のシステム。
（項目２０９９）
前記ばねが、ステンレス鋼、炭素鋼、ベリリウム銅合金、ニッケルチタン合金、クロムシリコン合金、及びコバルトニッケル合金から成る群から選択される材料を含む、項目２０９８に記載のシステム。
（項目２１００）
前記ばねが、エラストマー性ポリマーを含む、項目２０９８に記載のシステム。
（項目２１０１）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項２１００に記載のシステム。
（項目２１０２）
前記エネルギー蓄積部材が、中実ペレット部材を含む、項目２０９３に記載のシステム。
（項目２１０３）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目２１０２に記載のシステム。
（項目２１０４）
前記ばねが、単一の概して螺旋形状のコイルを含む、項目２０９８に記載のシステム。（項目２１０５）
前記ばねが、複数の概して螺旋形状のコイルを含む、項目２０９８に記載のシステム。（項目２１０６）
前記複数の概して螺旋形状のコイルを含む前記コイルのうちの少なくとも２つが、同軸上で整列している、項目２１０５に記載のシステム。
（項目２１０７）
前記複数の概して螺旋形状のコイルを含む前記コイルのうちの少なくとも２つが、長手方向に平行に整列している、項目２１０５に記載のシステム。
（項目２１０８）
前記同軸上で整列した螺旋形状のコイルも、長手方向に平行に整列している、項目２１０６に記載のシステム。
（項目２１０９）
前記同軸上かつ長手方向に平行に整列している螺旋形状のコイルが、前記コイルの圧縮時にコイルの干渉を防止するように、互いに対して反対の巻回方向で螺旋状に巻回される、項目２１０８に記載のシステム。
（項目２１１０）
前記プランジャの格納が前記相互連結したストッパー部材及び針を格納し、その結果、前記針の少なくとも一部が前記注射器本体の前記内部薬剤チャンバ中に引き込まれる、請求項２０９３に記載のシステム。
（項目２１１１）
前記プランジャが、前記注射器本体に対する前記プランジャの手動挿入及び格納制御を促進するように構成されている近位サムパッドを備える、項目２０５２に記載のシステム。
（項目２１１２）
前記プランジャが、前記ストッパー部材中に螺旋状に挿入され、かかる挿入により前記ストッパー部材に連結するように構成されている、プランジャ遠位端ねじ接合部を備える、項目２０５２に記載のシステム。
（項目２１１３）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目２０５２に記載のシステム。
（項目２１１４）
前記所定の位置が、前記ストッパー部材が前記注射器本体に対して前記プランジャ部材によって完全に挿入されている位置へと前進した位置である、項目２１１３に記載のシステム。
（項目２１１５）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目２１１３に記載のシステム。
（項目２１１６）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目２０９５に記載のシステム。
（項目２１１７）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目２０５２に記載のシステム。
（項目２１１８）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目２１１７に記載のシステム。
（項目２１１９）
前記制動部材が、プレートアパーチャー制動部を備える、項目２１１８に記載のシステム。
（項目２１２０）
前記プレートアパーチャー制動部が一片の板金を含み、それを通してアパーチャーが形成されている、項目２１１９に記載のシステム。
（項目２１２１）
前記プランジャが前記注射器本体に対して完全に挿入された後で、前記注射器本体に対する前記プランジャの格納を促進するように構成されている、ばね部材を更に備える、請求項２１１９に記載のシステム。
（項目２１２２）
前記プレートアパーチャー制動部が、前記ばね部材の少なくとも一部の可塑性変形を誘導することによって、前記第１のモードから前記第２のモードに切り替わるように構成されている、項目２１２１に記載のシステム。
（項目２１２３）
前記プランジャ部材の格納が、前記第２のモードにおいて格納始動荷重の適用を通して促進される、項目２１１８に記載のシステム。
（項目２１２４）
前記格納始動荷重が、前記制動部材に動作可能に連結したばね部材によって適用される、項目２１２３に記載のシステム。
（項目２１２５）
前記格納開始荷重が、前記プランジャ部材と前記注射器本体との間で連結したばね部材によって適用される、項目２１２３に記載のシステム。
（項目２１２６）
前記ばね部材が、コイルばね、板ばね、及びエラストマーばね要素から成る群から選択される、項目２１２４に記載のシステム。
（項目２１２７）
前記ばね部材が、コイルばね、板ばね、及びエラストマーばね要素から成る群から選択される、項目２１２５に記載のシステム。
（項目２１２８）
前記真空荷重が、前記プランジャを前記注射器本体に対して少なくとも部分的に格納するのに十分である、項目２１１７に記載のシステム。
（項目２１２９）
前記プランジャの格納が前記相互連結したストッパー部材及び針を格納し、その結果、前記針の少なくとも一部が前記注射器本体の前記内部薬剤チャンバ中に引き込まれる、請求項２１２９に記載のシステム。
（項目２１３０）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目２０５２に記載のシステム。
（項目２１３１）
前記針被覆部材が、少なくとも１つのスナップオーバー式戻り止め接合部によって前記針に着脱可能に連結する、項目２１３０に記載のシステム。
（項目２１３２）
前記針被覆部材が、少なくとも２つのスナップオーバー式戻り止め接合部によって前記針に着脱可能に連結する、項目２１３１に記載のシステム。
（項目２１３３）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目２１３２に記載のシステム。
（項目２１３４）
スナップオーバー式戻り止め接合部が、前記戻り止めが軸荷重によって機械的に克服されるまで、前記針に対する前記針被覆部材の軸方向運動を防止するように配向されている、項目２１３２に記載のシステム。
（項目２１３５）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目２１３０に記載のシステム。
（項目２１３６）
薬剤チャンバが、チャンバの長さによって画定され、前記針が、前記チャンバの長さ以上である針の長さによって画定される、項目２０５２に記載のシステム。
（項目２１３７）
前記フランジ延長部材が、前記プランジャ部材に動作可能に連結し、前記針が前記内部薬剤チャンバ及び前記フランジ延長部材によって画定される容積中に完全に引き込まれるときに、前記針の少なくとも一部を収納するように構成されている、項目２１３６に記載のシステム。
（項目２１３８）
前記フランジ延長部材が、前記注射器本体の近位端に連結し、前記プランジャ部材に動作可能に連結し、前記ストッパーがそれが少なくとも部分的に前記内部薬剤チャンバを出る程度に引き込まれる場合に、前記ストッパー部材を収容するように構成され、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目２０５２に記載のシステム。
（項目２１３９）
前記プランジャ部材が、前記針の前記遠位端が構造的にカプセル化されるようになり、かつその後の前記針の前記遠位端へのアクセスが防止されるように、操作者によって手動で格納されるように構成される、項目２０５２に記載のシステム。
（項目２１４０）
前記針の前記遠位端が、前記内部薬剤チャンバ内に構造的にカプセル化されるようになる、項目２１３９に記載のシステム。
（項目２１４１）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目２１３９に記載のシステム。
（項目２１４２）
注射のためのシステムであって、
ａ．近位端及び遠位端を有し、チャンバの長さを有する内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して移動させるために手動で操作されるように構成されている近位接合部を備える、プランジャ部材と、
ｄ．尖った遠位端を有し、前記チャンバの長さ以上である針の長さによって画定される針と、
ｅ．前記注射器本体の前記近位端に連結した延長部材であって、前記プランジャ部材に動作可能に連結し、前記針が前記内部薬剤チャンバ及び前記延長部材によって画定される容積中に完全に引き込まれるときに、前記針の少なくとも一部を収納するように構成されている、延長部材と、を備える、システム。
（項目２１４３）
前記注射器本体が、市販の注射器本体を含む、項目２１４２に記載のシステム。
（項目２１４４）
前記注射器本体が、概して円筒形の幾何形状を備える、項目２１４２に記載のシステム。
（項目２１４５）
前記薬剤チャンバが、約０．５ｃｃ〜約５ｃｃの薬剤を収容するように構成されている、項目２１４２に記載のシステム。
（項目２１４６）
前記薬剤チャンバが、０．５ｃｃ、１ｃｃ、２．２５ｃｃ、３ｃｃ、及び５ｃｃから成る群から選択される薬剤の体積を収容するように構成されている、項目２１４５に記載のシステム。
（項目２１４７）
前記注射器本体が、ガラス材料を含む、項目２１４２に記載のシステム。
（項目２１４８）
前記注射器本体が、ポリマー材料を含む、項目２１４２に記載のシステム。
（項目２１４９）
前記ポリマー材料が、ＣＯＰ、ＣＯＣ、ポリエステル、及びポリプロピレンから成る群から選択される、項目２１４８に記載のシステム。
（項目２１５０）
前記注射器本体が、金属を含む、項目２１４２に記載のシステム。
（項目２１５１）
前記注射器本体が、１つ以上の他のデバイス要素に機械的に連結するように構成されている、遠位外側幾何形状を備える、項目２１４２に記載のシステム。
（項目２１５２）
前記注射器本体の遠位外側幾何形状が、ルアーロック接合部を含む、項目２１５１に記載のシステム。
（項目２１５３）
前記注射器本体の遠位外側幾何形状が、ルアーテーパ接合部を含む、項目２１５１に記載のシステム。
（項目２１５４）
前記注射器本体が、遠位薬剤ポートを画定する、項目２１４２に記載のシステム。
（項目２１５５）
前記針が、前記注射器本体の前記遠位薬剤ポートを通して挿入可能であるように選択された最大外径を有する、項目２１５４に記載のシステム。
（項目２１５６）
前記遠位薬剤ポートが、約１ｍｍの内径を備える、項目２１５５に記載のシステム。
（項目２１５７）
前記針が、約３４ゲージ〜約２０ゲージのサイズを有する、項目２１５６に記載のシステム。
（項目２１５８）
前記ストッパー部材が、前記針の尖った近位端によって少なくとも部分的に貫通されるように構成されている、項目２１４２に記載のシステム。
（項目２１５９）
前記針が、前記ストッパー部材中に少なくとも部分的に貫通した後の引き抜きに抵抗するように構成されている、少なくとも１つのアンカー要素を有する、項目２１４２に記載のシステム。
（項目２１６０）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目２１５９に記載のシステム。
（項目２１６１）
前記ストッパーが、前記注射器本体と共に実質的に封止するために、前記注射器本体の内側幾何形状に実質的に一致するように選択された外側幾何形状を有する、項目２１４２に記載のシステム。
（項目２１６２）
前記ストッパーが、クロロブチルゴム、ブロモブチルゴム、及びシリコンゴムから成る群から選択される、エラストマー材料を含む、項目２１４２に記載のシステム。
（項目２１６３）
薬剤材料を前記ストッパーから隔離するために、前記ストッパーの少なくとも一部に適用された封止剤コーティングを更に備える、項目２１４２に記載のシステム。
（項目２１６４）
前記封止剤コーティングが、ＰＴＦＥフィルムを含む、項目２１６３に記載のシステム。
（項目２１６５）
前記ストッパーと前記注射器本体との間に導入された潤滑剤層を更に備える、項目２１４２に記載のシステム。
（項目２１６６）
前記潤滑剤層が、シリコン油を含む、項目２１６５に記載のシステム。
（項目２１６７）
前記ストッパー部材の遠位部分が、従来の市販のコンプライアントストッパーを含む、項目２１４２に記載のシステム。
（項目２１６８）
前記ストッパー部材が、針への連結のための陥凹または突出部を持たない未改質の中実コンプライアント部材を備える、項目２１６７に記載のシステム。
（項目２１６９）
前記針が、少なくとも１つの放射状に突出している係止表面機構を備える、項目２１４２に記載のシステム。
（項目２１７０）
前記針の前記近位端が、少なくとも１つのアンカー要素に対して近位に位置する少なくとも１つの貫通要素を備える、項目２１６９に記載のシステム。
（項目２１７１）
前記貫通要素が、尖った先端を備える、項目２１７０に記載のシステム。
（項目２１７２）
前記貫通要素が、中実構造であって、それを通して画定される内腔またはアパーチャーを持たない、中実構造を備える、項目２１７１に記載のシステム。
（項目２１７３）
前記針が、それを通した注射通路を画定し、前記注射通路が、前記針の遠位先端から前記アンカー要素の遠位先端の近位にある場所へと通じるように選択される、項目２１７０に記載のシステム。
（項目２１７４）
前記針が、カニューレ部材、ハブ部材、及び近位部材を備える、項目２１６９に記載のシステム。
（項目２１７５）
前記カニューレ部材及びハブ部材が、同じ材料片から形成される、項目２１７４に記載のシステム。
（項目２１７６）
前記カニューレ部材及びハブ部材が、共に固定して連結して前記針の一部を形成する、別々に形成された要素を備える、項目２１７４に記載のシステム。
（項目２１７７）
前記近位部材も、前記カニューレ部材及びハブ部材に固定して連結して前記針の一部を形成する、別々に形成された要素を備える、項目２１７４に記載のシステム。
（項目２１７８）
前記ハブ部材が、一片の管材から形成される、項目２１７６に記載のシステム。
（項目２１７９）
前記近位部材が、近位連結接合部を有する一片の平坦な板金を含む、項目２１７４に記載のシステム。
（項目２１８０）
前記カニューレ部材が、金属を含む、項目２１７７に記載のシステム。
（項目２１８１）
前記ハブが、金属またはプラスチック材料を含む、項目２１７７に記載のシステム。
（項目２１８２）
前記近位部材、金属またはプラスチック材料、項目２１７７に記載のシステム。
（項目２１８３）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目２１４２に記載のシステム。
（項目２１８４）
前記プランジャ部材が、内部容積を画定するプランジャ部材本体を備え、前記エネルギー蓄積部材が、前記プランジャ部材本体の内部容積の実質的に内部に収納されている、請求項２１８３に記載のシステム。
（項目２１８５）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目２１８４に記載のシステム。
（項目２１８６）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目２１８５に記載のシステム。
（項目２１８７）
前記所定の挿入位置が、前記ストッパーが前記注射器本体に対して完全な挿入状態で位置付けられる位置である、項目２１８６に記載のシステム。
（項目２１８８）
前記エネルギー蓄積部材が、ばねである、項目２１８３に記載のシステム。
（項目２１８９）
前記ばねが、ステンレス鋼、炭素鋼、ベリリウム銅合金、ニッケルチタン合金、クロムシリコン合金、及びコバルトニッケル合金から成る群から選択される材料を含む、項目２１８８に記載のシステム。
（項目２１９０）
前記ばねが、エラストマー性ポリマーを含む、項目２１８８に記載のシステム。
（項目２１９１）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項２１９０に記載のシステム。
（項目２１９２）
前記エネルギー蓄積部材が、中実ペレット部材を含む、項目２１８３に記載のシステム。
（項目２１９３）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目２１９２に記載のシステム。
（項目２１９４）
前記ばねが、単一の概して螺旋形状のコイルを含む、項目２１８８に記載のシステム。（項目２１９５）
前記ばねが、複数の概して螺旋形状のコイルを含む、項目２１８８に記載のシステム。（項目２１９６）
前記複数の概して螺旋形状のコイルを含む前記コイルのうちの少なくとも２つが、同軸上で整列している、項目２１９５に記載のシステム。
（項目２１９７）
前記複数の概して螺旋形状のコイルを含む前記コイルのうちの少なくとも２つが、長手方向に平行に整列している、項目２１９５に記載のシステム。
（項目２１９８）
前記同軸上で整列した螺旋形状のコイルも、長手方向に平行に整列している、項目２１９６に記載のシステム。
（項目２１９９）
前記同軸上かつ長手方向に平行に整列している螺旋形状のコイルが、前記コイルの圧縮時にコイルの干渉を防止するように、互いに対して反対の巻回方向で螺旋状に巻回される、項目２１９５に記載のシステム。
（項目２２００）
前記プランジャの格納が前記相互連結したストッパー部材及び針を格納し、その結果、前記針の少なくとも一部が前記注射器本体の前記内部薬剤チャンバ中に引き込まれる、請求項２１８３に記載のシステム。
（項目２２０１）
前記プランジャが、前記注射器本体に対する前記プランジャの手動挿入及び格納制御を促進するように構成されている近位サムパッドを備える、項目２１４２に記載のシステム。
（項目２２０２）
前記プランジャが、前記ストッパー部材中に螺旋状に挿入され、かかる挿入により前記ストッパー部材に連結するように構成されている、プランジャ遠位端ねじ接合部を備える、項目２１４２に記載のシステム。
（項目２２０３）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目２１４２に記載のシステム。
（項目２２０４）
前記所定の位置が、前記ストッパー部材が前記注射器本体に対して前記プランジャ部材によって完全に挿入されている位置へと前進した位置である、項目２２０３に記載のシステム。
（項目２２０５）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目２２０３に記載のシステム。
（項目２２０６）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目２１８５に記載のシステム。
（項目２２０７）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目２１４２に記載のシステム。
（項目２２０８）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目２２０７に記載のシステム。
（項目２２０９）
前記制動部材が、プレートアパーチャー制動部を備える、項目２２０８に記載のシステム。
（項目２２１０）
前記プレートアパーチャー制動部が一片の板金を含み、それを通してアパーチャーが形成されている、項目２２０９に記載のシステム。
（項目２２１１）
前記プランジャが前記注射器本体に対して完全に挿入された後で、前記注射器本体に対する前記プランジャの格納を促進するように構成されている、ばね部材を更に備える、請求項２２０９に記載のシステム。
（項目２２１２）
前記プレートアパーチャー制動部が、前記ばね部材の少なくとも一部の可塑性変形を誘導することによって、前記第１のモードから前記第２のモードに切り替わるように構成されている、項目２２１１に記載のシステム。
（項目２２１３）
前記プランジャ部材の格納が、前記第２のモードにおいて格納始動荷重の適用を通して促進される、項目２２０７に記載のシステム。
（項目２２１４）
前記格納始動荷重が、前記制動部材に動作可能に連結したばね部材によって適用される、項目２２１３に記載のシステム。
（項目２２１５）
前記格納開始荷重が、前記プランジャ部材と前記注射器本体との間で連結したばね部材によって適用される、項目２２１３に記載のシステム。
（項目２２１６）
前記ばね部材が、コイルばね、板ばね、及びエラストマーばね要素から成る群から選択される、項目２２１５に記載のシステム。
（項目２２１７）
前記ばね部材が、コイルばね、板ばね、及びエラストマーばね要素から成る群から選択される、項目２２１６に記載のシステム。
（項目２２１８）
前記真空荷重が、前記プランジャを前記注射器本体に対して少なくとも部分的に格納するのに十分である、項目２２０８に記載のシステム。
（項目２２１９）
前記プランジャの格納が前記相互連結したストッパー部材及び針を格納し、その結果、前記針の少なくとも一部が前記注射器本体の前記内部薬剤チャンバ中に引き込まれる、請求項２２１８に記載のシステム。
（項目２２２０）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目２１４２に記載のシステム。
（項目２２２１）
前記針被覆部材が、少なくとも１つのスナップオーバー式戻り止め接合部によって前記針に着脱可能に連結する、項目２２２０に記載のシステム。
（項目２２２２）
前記針被覆部材が、少なくとも２つのスナップオーバー式戻り止め接合部によって前記針に着脱可能に連結する、項目２２２１に記載のシステム。
（項目２２２３）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目２２２２に記載のシステム。
（項目２２２４）
スナップオーバー式戻り止め接合部が、前記戻り止めが軸荷重によって機械的に克服されるまで、前記針に対する前記針被覆部材の軸方向運動を防止するように配向されている、項目２２２２に記載のシステム。
（項目２２２５）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目２２２０に記載のシステム。
（項目２２２６）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目２１４２に記載のシステム。
（項目２２２７）
前記プランジャ部材が、操作者によって手動で格納されるように構成されている、請求項２１４２に記載のシステム。
（項目２２２８）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．近位接合部を備え、前記ストッパー部材を前記注射器本体に対して挿入するために手動で操作されるように構成されている、プランジャ部材と、
ｄ．近位端及び遠位端を有する針であって、前記近位端が、前記ストッパー部材中に少なくとも部分的に挿入されることで、前記ストッパー部材の格納の際に、前記針を前記ストッパーと共に近位に引っ張って、前記内部薬剤チャンバ内に少なくとも部分的に収容するように構成されているアンカー幾何形状を備える、針と、
ｅ．前記注射器本体の前記近位端に連結し、前記プランジャ部材の近位接合部に対する前記注射器本体のための近位操作インターフェースを提供するように構成されている、フランジ部材と、を備え、
前記フランジ部材が、意図的に脱連結が困難であるために、前記プランジャ部材と前記注射器本体との間の移動可能な連結を保持する連結機構と組み立てられるように構成されている、２つ以上の部品の組立体を備える、システム。
（項目２２２９）
前記注射器本体が、市販の注射器本体を含む、項目２２２８に記載のシステム。
（項目２２３０）
前記注射器本体が、概して円筒形の幾何形状を備える、項目２２２８に記載のシステム。
（項目２２３１）
前記薬剤チャンバが、約０．５ｃｃ〜約５ｃｃの薬剤を収容するように構成されている、項目２２２８に記載のシステム。
（項目２２３２）
前記薬剤チャンバが、０．５ｃｃ、１ｃｃ、２．２５ｃｃ、３ｃｃ、及び５ｃｃから成る群から選択される薬剤の体積を収容するように構成されている、項目２２３１に記載のシステム。
（項目２２３３）
前記注射器本体が、ガラス材料を含む、項目２２２８に記載のシステム。
（項目２２３４）
前記注射器本体が、ポリマー材料を含む、項目２２２８に記載のシステム。
（項目２２３５）
前記ポリマー材料が、ＣＯＰ、ＣＯＣ、ポリエステル、及びポリプロピレンから成る群から選択される、項目２２３４に記載のシステム。
（項目２２３６）
前記注射器本体が、金属を含む、項目２２２８に記載のシステム。
（項目２２３７）
前記注射器本体が、１つ以上の他のデバイス要素に機械的に連結するように構成されている、遠位外側幾何形状を備える、項目２２２８に記載のシステム。
（項目２２３８）
前記注射器本体の遠位外側幾何形状が、ルアーロック接合部を含む、項目２２３７に記載のシステム。
（項目２２３９）
前記注射器本体の遠位外側幾何形状が、ルアーテーパ接合部を含む、項目２２３７に記載のシステム。
（項目２２４０）
前記注射器本体が、遠位薬剤ポートを画定する、項目２２２８に記載のシステム。
（項目２２４１）
前記針が、前記注射器本体の前記遠位薬剤ポートを通して挿入可能であるように選択された最大外径を有する、項目２２４０に記載のシステム。
（項目２２４２）
前記遠位薬剤ポートが、約１ｍｍの内径を備える、項目２２４１に記載のシステム。
（項目２２４３）
前記針が、約３４ゲージ〜約２０ゲージのサイズを有する、項目２２４２に記載のシステム。
（項目２２４４）
前記ストッパー部材が、前記針の尖った近位端によって少なくとも部分的に貫通されるように構成されている、項目２２２８に記載のシステム。
（項目２２４５）
前記針が、前記ストッパー部材中に少なくとも部分的に貫通した後の引き抜きに抵抗するように構成されている、少なくとも１つのアンカー要素を有する、項目２２２８に記載のシステム。
（項目２２４６）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目２２４５に記載のシステム。
（項目２２４７）
前記ストッパーが、前記注射器本体と共に実質的に封止するために、前記注射器本体の内側幾何形状に実質的に一致するように選択された外側幾何形状を有する、項目２２２８に記載のシステム。
（項目２２４８）
前記ストッパーが、クロロブチルゴム、ブロモブチルゴム、及びシリコンゴムから成る群から選択される、エラストマー材料を含む、項目２２２８に記載のシステム。
（項目２２４９）
薬剤材料を前記ストッパーから隔離するために、前記ストッパーの少なくとも一部に適用された封止剤コーティングを更に備える、項目２２２８に記載のシステム。
（項目２２５０）
前記封止剤コーティングが、ＰＴＦＥフィルムを含む、項目２２４９に記載のシステム。
（項目２２５１）
前記ストッパーと前記注射器本体との間に導入された潤滑剤層を更に備える、項目２２２８に記載のシステム。
（項目２２５２）
前記潤滑剤層が、シリコン油を含む、項目２２５１に記載のシステム。
（項目２２５３）
前記ストッパー部材の遠位部分が、従来の市販のコンプライアントストッパーを含む、項目２２２８に記載のシステム。
（項目２２５４）
前記ストッパー部材が、針への連結のための陥凹または突出部を持たない未改質の中実コンプライアント部材を備える、項目２２５３に記載のシステム。
（項目２２５５）
前記針が、少なくとも１つの放射状に突出している係止表面機構を備える、項目２２２８に記載のシステム。
（項目２２５６）
前記針の前記近位端が、少なくとも１つのアンカー要素に対して近位に位置する少なくとも１つの貫通要素を備える、項目２２５５に記載のシステム。
（項目２２５７）
前記貫通要素が、尖った先端を備える、項目２２５６に記載のシステム。
（項目２２５８）
前記貫通要素が、中実構造であって、それを通して画定される内腔またはアパーチャーを持たない、中実構造を備える、項目２２５７に記載のシステム。
（項目２２５９）
前記針が、それを通した注射通路を画定し、前記注射通路が、前記針の遠位先端から前記アンカー要素の遠位先端の近位にある場所へと通じるように選択される、項目２２５６に記載のシステム。
（項目２２６０）
前記針が、カニューレ部材、ハブ部材、及び近位部材を備える、項目２２５５に記載のシステム。
（項目２２６１）
前記カニューレ部材及びハブ部材が、同じ材料片から形成される、項目２２６０に記載のシステム。
（項目２２６２）
前記カニューレ部材及びハブ部材が、共に固定して連結して前記針の一部を形成する、別々に形成された要素を備える、項目２２６０に記載のシステム。
（項目２２６３）
前記近位部材も、前記カニューレ部材及びハブ部材に固定して連結して前記針の一部を形成する、別々に形成された要素を備える、項目２２６０に記載のシステム。
（項目２２６４）
前記ハブ部材が、一片の管材から形成される、項目２２６２に記載のシステム。
（項目２２６５）
前記近位部材が、近位連結接合部を有する一片の平坦な板金を含む、項目２２６０に記載のシステム。
（項目２２６６）
前記カニューレ部材が、金属を含む、項目２２６３に記載のシステム。
（項目２２６７）
前記ハブが、金属またはプラスチック材料を含む、項目２２６３に記載のシステム。
（項目２２６８）
前記近位部材、金属またはプラスチック材料、項目２２６３に記載のシステム。
（項目２２６９）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目２２２８に記載のシステム。
（項目２２７０）
前記プランジャ部材が、内部容積を画定するプランジャ部材本体を備え、前記エネルギー蓄積部材が、前記プランジャ部材本体の内部容積の実質的に内部に収納されている、請求項２２６９に記載のシステム。
（項目２２７１）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目２２７０に記載のシステム。
（項目２２７２）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目２２７１に記載のシステム。
（項目２２７３）
前記所定の挿入位置が、前記ストッパーが前記注射器本体に対して完全な挿入状態で位置付けられる位置である、項目２２７２に記載のシステム。
（項目２２７４）
前記エネルギー蓄積部材が、ばねである、項目２２６９に記載のシステム。
（項目２２７５）
前記ばねが、ステンレス鋼、炭素鋼、ベリリウム銅合金、ニッケルチタン合金、クロムシリコン合金、及びコバルトニッケル合金から成る群から選択される材料を含む、項目２２７４に記載のシステム。
（項目２２７６）
前記ばねが、エラストマー性ポリマーを含む、項目２２７４に記載のシステム。
（項目２２７７）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項２２７６に記載のシステム。
（項目２２７８）
前記エネルギー蓄積部材が、中実ペレット部材を含む、項目２２６９に記載のシステム。
（項目２２７９）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目２２７８に記載のシステム。
（項目２２８０）
前記ばねが、単一の概して螺旋形状のコイルを含む、項目２２７４に記載のシステム。（項目２２８１）
前記ばねが、複数の概して螺旋形状のコイルを含む、項目２２７４に記載のシステム。（項目２２８２）
前記複数の概して螺旋形状のコイルを含む前記コイルのうちの少なくとも２つが、同軸上で整列している、項目２２８１に記載のシステム。
（項目２２８３）
前記複数の概して螺旋形状のコイルを含む前記コイルのうちの少なくとも２つが、長手方向に平行に整列している、項目２２８１に記載のシステム。
（項目２２８４）
前記同軸上で整列した螺旋形状のコイルも、長手方向に平行に整列している、項目２２８２に記載のシステム。
（項目２２８５）
前記同軸上かつ長手方向に平行に整列している螺旋形状のコイルが、前記コイルの圧縮時にコイルの干渉を防止するように、互いに対して反対の巻回方向で螺旋状に巻回される、項目２２８４に記載のシステム。
（項目２２８６）
前記プランジャの格納が前記相互連結したストッパー部材及び針を格納し、その結果、前記針の少なくとも一部が前記注射器本体の前記内部薬剤チャンバ中に引き込まれる、請求項２２６９に記載のシステム。
（項目２２８７）
前記プランジャが、前記注射器本体に対する前記プランジャの手動挿入及び格納制御を促進するように構成されている近位サムパッドを備える、項目２２２８に記載のシステム。
（項目２２８８）
前記プランジャが、前記ストッパー部材中に螺旋状に挿入され、かかる挿入により前記ストッパー部材に連結するように構成されている、プランジャ遠位端ねじ接合部を備える、項目２２２８に記載のシステム。
（項目２２８９）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目２２２８に記載のシステム。
（項目２２９０）
前記所定の位置が、前記ストッパー部材が前記注射器本体に対して前記プランジャ部材によって完全に挿入されている位置へと前進した位置である、項目２２８９に記載のシステム。
（項目２２９１）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目２２８９に記載のシステム。
（項目２２９２）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目２２７１に記載のシステム。
（項目２２９３）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目２２２８に記載のシステム。
（項目２２９４）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目２２９３に記載のシステム。
（項目２２９５）
前記制動部材が、プレートアパーチャー制動部を備える、項目２２９４に記載のシステム。
（項目２２９６）
前記プレートアパーチャー制動部が一片の板金を含み、それを通してアパーチャーが形成されている、項目２２９５に記載のシステム。
（項目２２９７）
前記プランジャが前記注射器本体に対して完全に挿入された後で、前記注射器本体に対する前記プランジャの格納を促進するように構成されている、ばね部材を更に備える、請求項２２９５に記載のシステム。
（項目２２９８）
前記プレートアパーチャー制動部が、前記ばね部材の少なくとも一部の可塑性変形を誘導することによって、前記第１のモードから前記第２のモードに切り替わるように構成されている、項目２２９７に記載のシステム。
（項目２２９９）
前記プランジャ部材の格納が、前記第２のモードにおいて格納始動荷重の適用を通して促進される、項目２２９４に記載のシステム。
（項目２３００）
前記格納始動荷重が、前記制動部材に動作可能に連結したばね部材によって適用される、項目２２９９に記載のシステム。
（項目２３０１）
前記格納開始荷重が、前記プランジャ部材と前記注射器本体との間で連結したばね部材によって適用される、項目２２９９に記載のシステム。
（項目２３０２）
前記ばね部材が、コイルばね、板ばね、及びエラストマーばね要素から成る群から選択される、項目２３００に記載のシステム。
（項目２３０３）
前記ばね部材が、コイルばね、板ばね、及びエラストマーばね要素から成る群から選択される、項目２３０１に記載のシステム。
（項目２３０４）
前記真空荷重が、前記プランジャを前記注射器本体に対して少なくとも部分的に格納するのに十分である、項目２２９３に記載のシステム。
（項目２３０５）
前記プランジャの格納が前記相互連結したストッパー部材及び針を格納し、その結果、前記針の少なくとも一部が前記注射器本体の前記内部薬剤チャンバ中に引き込まれる、請求項２３０４に記載のシステム。
（項目２３０６）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目２２２８に記載のシステム。
（項目２３０７）
前記針被覆部材が、少なくとも１つのスナップオーバー式戻り止め接合部によって前記針に着脱可能に連結する、項目２３０６に記載のシステム。
（項目２３０８）
前記針被覆部材が、少なくとも２つのスナップオーバー式戻り止め接合部によって前記針に着脱可能に連結する、項目２３０７に記載のシステム。
（項目２３０９）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目２３０８に記載のシステム。
（項目２３１０）
スナップオーバー式戻り止め接合部が、前記戻り止めが軸荷重によって機械的に克服されるまで、前記針に対する前記針被覆部材の軸方向運動を防止するように配向されている、項目２３０８に記載のシステム。
（項目２３１１）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目２３０６に記載のシステム。
（項目２３１２）
薬剤チャンバが、チャンバの長さによって画定され、前記針が、前記チャンバの長さ以上である針の長さによって画定される、項目２２２８に記載のシステム。
（項目２３１３）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目２３１２に記載のシステム。
（項目２３１４）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目２２２８に記載のシステム。
（項目２３１５）
前記プランジャ部材が、前記針の前記遠位端が構造的にカプセル化されるようになり、かつその後の前記針の前記遠位端へのアクセスが防止されるように、操作者によって手動で格納されるように構成される、項目２２２８に記載のシステム。
（項目２３１６）
前記針の前記遠位端が、前記内部薬剤チャンバ内に構造的にカプセル化されるようになる、項目２３１５に記載のシステム。
（項目２３１７）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目２３１５に記載のシステム。
（項目２３１８）
注射のためのシステムであって、
ａ．内部薬剤チャンバを画定し、遠位に位置付けられたねじ式ルアーロック接続具に固定して連結する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記針近位端が、針連結部材を使用してルアーロック接続具に連結し、前記針連結部材が、前記ルアーロック接続具に対してラチェット連結係合を含むことで、前記針連結部材が、第１の方向の回転によって前記ルアーロック接続具上に容易にねじ込まれ得るが、前記第１の方向と反対の第２の方向の回転による脱連結は防止され得るようにする、針と、を備える、システム。
（項目２３１９）
前記注射器本体が、市販の注射器本体を含む、項目２３１８に記載のシステム。
（項目２３２０）
前記注射器本体が、概して円筒形の幾何形状を備える、項目２３１８に記載のシステム。
（項目２３２１）
前記薬剤チャンバが、約０．５ｃｃ〜約５ｃｃの薬剤を収容するように構成されている、項目２３１８に記載のシステム。
（項目２３２２）
前記薬剤チャンバが、０．５ｃｃ、１ｃｃ、２．２５ｃｃ、３ｃｃ、及び５ｃｃから成る群から選択される薬剤の体積を収容するように構成されている、項目２３２１に記載のシステム。
（項目２３２３）
前記注射器本体が、ガラス材料を含む、項目２３１８に記載のシステム。
（項目２３２４）
前記注射器本体が、ポリマー材料を含む、項目２３１８に記載のシステム。
（項目２３２５）
前記ポリマー材料が、ＣＯＰ、ＣＯＣ、ポリエステル、及びポリプロピレンから成る群から選択される、項目２３２４に記載のシステム。
（項目２３２６）
前記注射器本体が、金属を含む、項目２３１８に記載のシステム。
（項目２３２７）
前記注射器本体が、１つ以上の他のデバイス要素に機械的に連結するように構成されている、遠位外側幾何形状を備える、項目２３１８に記載のシステム。
（項目２３２８）
前記注射器本体の遠位外側幾何形状が、ルアーロック接合部を含む、項目２３２７に記載のシステム。
（項目２３２９）
前記注射器本体の遠位外側幾何形状が、ルアーテーパ接合部を含む、項目２３２７に記載のシステム。
（項目２３３０）
前記注射器本体が、遠位薬剤ポートを画定する、項目２３１８に記載のシステム。
（項目２３３１）
前記針が、前記注射器本体の前記遠位薬剤ポートを通して挿入可能であるように選択された最大外径を有する、項目２３３０に記載のシステム。
（項目２３３２）
前記遠位薬剤ポートが、約１ｍｍの内径を備える、項目２３３１に記載のシステム。
（項目２３３３）
前記針が、約３４ゲージ〜約２０ゲージのサイズを有する、項目２３３２に記載のシステム。
（項目２３３４）
前記ストッパー部材が、前記針の尖った近位端によって少なくとも部分的に貫通されるように構成されている、項目２３１８に記載のシステム。
（項目２３３５）
前記針が、前記ストッパー部材中に少なくとも部分的に貫通した後の引き抜きに抵抗するように構成されている、少なくとも１つのアンカー要素を有する、項目２３１８に記載のシステム。
（項目２３３６）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目２３３６に記載のシステム。
（項目２３３７）
前記ストッパーが、前記注射器本体と共に実質的に封止するために、前記注射器本体の内側幾何形状に実質的に一致するように選択された外側幾何形状を有する、項目２３１８に記載のシステム。
（項目２３３８）
前記ストッパーが、クロロブチルゴム、ブロモブチルゴム、及びシリコンゴムから成る群から選択される、エラストマー材料を含む、項目２３１８に記載のシステム。
（項目２３３９）
薬剤材料を前記ストッパーから隔離するために、前記ストッパーの少なくとも一部に適用された封止剤コーティングを更に備える、項目２３１８に記載のシステム。
（項目２３４０）
前記封止剤コーティングが、ＰＴＦＥフィルムを含む、項目２３４０に記載のシステム。
（項目２３４１）
前記ストッパーと前記注射器本体との間に導入された潤滑剤層を更に備える、項目２３１８に記載のシステム。
（項目２３４２）
前記潤滑剤層が、シリコン油を含む、項目２３４２に記載のシステム。
（項目２３４３）
前記ストッパー部材の遠位部分が、従来の市販のコンプライアントストッパーを含む、項目２３１８に記載のシステム。
（項目２３４４）
前記ストッパー部材が、針への連結のための陥凹または突出部を持たない未改質の中実コンプライアント部材を備える、項目２３４３に記載のシステム。
（項目２３４５）
前記針が、少なくとも１つの放射状に突出している係止表面機構を備える、項目２３１８に記載のシステム。
（項目２３４６）
前記針の前記近位端が、少なくとも１つのアンカー要素に対して近位に位置する少なくとも１つの貫通要素を備える、項目２３４５に記載のシステム。
（項目２３４７）
前記貫通要素が、尖った先端を備える、項目２３４６に記載のシステム。
（項目２３４８）
前記貫通要素が、中実構造であって、それを通して画定される内腔またはアパーチャーを持たない、中実構造を備える、項目２３４７に記載のシステム。
（項目２３４９）
前記針が、それを通した注射通路を画定し、前記注射通路が、前記針の遠位先端から前記アンカー要素の遠位先端の近位にある場所へと通じるように選択される、項目２３４６に記載のシステム。
（項目２３５０）
前記針が、カニューレ部材、ハブ部材、及び近位部材を備える、項目２３４５に記載のシステム。
（項目２３５１）
前記カニューレ部材及びハブ部材が、同じ材料片から形成される、項目２３５０に記載のシステム。
（項目２３５２）
前記カニューレ部材及びハブ部材が、共に固定して連結して前記針の一部を形成する、別々に形成された要素を備える、項目２３５０に記載のシステム。
（項目２３５３）
前記近位部材も、前記カニューレ部材及びハブ部材に固定して連結して前記針の一部を形成する、別々に形成された要素を備える、項目２３５０に記載のシステム。
（項目２３５４）
前記ハブ部材が、一片の管材から形成される、項目２３５２に記載のシステム。
（項目２３５５）
前記近位部材が、近位連結接合部を有する一片の平坦な板金を含む、項目２３５０に記載のシステム。
（項目２３５６）
前記カニューレ部材が、金属を含む、項目２３５３に記載のシステム。
（項目２３５７）
前記ハブが、金属またはプラスチック材料を含む、項目２３５３に記載のシステム。
（項目２３５８）
前記近位部材、金属またはプラスチック材料、項目２３５３に記載のシステム。
（項目２３５９）
前記ストッパー部材と前記注射器本体との間で動作可能に連結したエネルギー蓄積部材を更に備える、項目２３１８に記載のシステム。
（項目２３６０）
前記プランジャ部材が、内部容積を画定するプランジャ部材本体を備え、前記エネルギー蓄積部材が、前記プランジャ部材本体の内部容積の実質的に内部に収納されている、請求項２３５９に記載のシステム。
（項目２３６１）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目２３６０に記載のシステム。
（項目２３６２）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目２３６１に記載のシステム。
（項目２３６３）
前記所定の挿入位置が、前記ストッパーが前記注射器本体に対して完全な挿入状態で位置付けられる位置である、項目２３６２に記載のシステム。
（項目２３６４）
前記エネルギー蓄積部材が、ばねである、項目２３５９に記載のシステム。
（項目２３６５）
前記ばねが、ステンレス鋼、炭素鋼、ベリリウム銅合金、ニッケルチタン合金、クロムシリコン合金、及びコバルトニッケル合金から成る群から選択される材料を含む、項目２３６４に記載のシステム。
（項目２３６６）
前記ばねが、エラストマー性ポリマーを含む、項目２３６４に記載のシステム。
（項目２３６７）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項２３６６に記載のシステム。
（項目２３６８）
前記エネルギー蓄積部材が、中実ペレット部材を含む、項目２３５９に記載のシステム。
（項目２３６９）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目２３６８に記載のシステム。
（項目２３７０）
前記ばねが、単一の概して螺旋形状のコイルを含む、項目２３６４に記載のシステム。（項目２３７１）
前記ばねが、複数の概して螺旋形状のコイルを含む、項目２３６４に記載のシステム。（項目２３７２）
前記複数の概して螺旋形状のコイルを含む前記コイルのうちの少なくとも２つが、同軸上で整列している、項目２３７１に記載のシステム。
（項目２３７３）
前記複数の概して螺旋形状のコイルを含む前記コイルのうちの少なくとも２つが、長手方向に平行に整列している、項目２３７１に記載のシステム。
（項目２３７４）
前記同軸上で整列した螺旋形状のコイルも、長手方向に平行に整列している、項目２３７２に記載のシステム。
（項目２３７５）
前記同軸上かつ長手方向に平行に整列している螺旋形状のコイルが、前記コイルの圧縮時にコイルの干渉を防止するように、互いに対して反対の巻回方向で螺旋状に巻回される、項目２３７４に記載のシステム。
（項目２３７６）
前記プランジャの格納が前記相互連結したストッパー部材及び針を格納し、その結果、前記針の少なくとも一部が前記注射器本体の前記内部薬剤チャンバ中に引き込まれる、請求項２３５９に記載のシステム。
（項目２３７７）
前記プランジャが、前記注射器本体に対する前記プランジャの手動挿入及び格納制御を促進するように構成されている近位サムパッドを備える、項目２３１８に記載のシステム。
（項目２３７８）
前記プランジャが、前記ストッパー部材中に螺旋状に挿入され、かかる挿入により前記ストッパー部材に連結するように構成されている、プランジャ遠位端ねじ接合部を備える、項目２３１８に記載のシステム。
（項目２３７９）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目２３１８に記載のシステム。
（項目２３８０）
前記所定の位置が、前記ストッパー部材が前記注射器本体に対して前記プランジャ部材によって完全に挿入されている位置へと前進した位置である、項目２３７９に記載のシステム。
（項目２３８１）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目２３７９に記載のシステム。
（項目２３８２）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目２３６１に記載のシステム。
（項目２３８３）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目２３１８に記載のシステム。
（項目２３８４）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目２３８３に記載のシステム。
（項目２３８５）
前記制動部材が、プレートアパーチャー制動部を備える、項目２３８４に記載のシステム。
（項目２３８６）
前記プレートアパーチャー制動部が一片の板金を含み、それを通してアパーチャーが形成されている、項目２３８５に記載のシステム。
（項目２３８７）
前記プランジャが前記注射器本体に対して完全に挿入された後で、前記注射器本体に対する前記プランジャの格納を促進するように構成されている、ばね部材を更に備える、請求項２３８５に記載のシステム。
（項目２３８８）
前記プレートアパーチャー制動部が、前記ばね部材の少なくとも一部の可塑性変形を誘導することによって、前記第１のモードから前記第２のモードに切り替わるように構成されている、項目２３８７に記載のシステム。
（項目２３８９）
前記プランジャ部材の格納が、前記第２のモードにおいて格納始動荷重の適用を通して促進される、項目２３８３に記載のシステム。
（項目２３９０）
前記格納始動荷重が、前記制動部材に動作可能に連結したばね部材によって適用される、項目２３８９に記載のシステム。
（項目２３９１）
前記格納開始荷重が、前記プランジャ部材と前記注射器本体との間で連結したばね部材によって適用される、項目２３８９に記載のシステム。
（項目２３９２）
前記ばね部材が、コイルばね、板ばね、及びエラストマーばね要素から成る群から選択される、項目２３９０に記載のシステム。
（項目２３９３）
前記ばね部材が、コイルばね、板ばね、及びエラストマーばね要素から成る群から選択される、項目２３９１に記載のシステム。
（項目２３９４）
前記真空荷重が、前記プランジャを前記注射器本体に対して少なくとも部分的に格納するのに十分である、項目２３９４に記載のシステム。
（項目２３９５）
前記プランジャの格納が前記相互連結したストッパー部材及び針を格納し、その結果、前記針の少なくとも一部が前記注射器本体の前記内部薬剤チャンバ中に引き込まれる、請求項２３９４に記載のシステム。
（項目２３９６）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目２３１８に記載のシステム。
（項目２３９７）
前記針被覆部材が、少なくとも１つのスナップオーバー式戻り止め接合部によって前記針に着脱可能に連結する、項目２３９６に記載のシステム。
（項目２３９８）
前記針被覆部材が、少なくとも２つのスナップオーバー式戻り止め接合部によって前記針に着脱可能に連結する、項目２３９７に記載のシステム。
（項目２３９９）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目２３９８に記載のシステム。
（項目２４００）
スナップオーバー式戻り止め接合部が、前記戻り止めが軸荷重によって機械的に克服されるまで、前記針に対する前記針被覆部材の軸方向運動を防止するように配向されている、項目２３９８に記載のシステム。
（項目２４０１）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目２３９６に記載のシステム。
（項目２４０２）
薬剤チャンバが、チャンバの長さによって画定され、前記針が、前記チャンバの長さ以上である針の長さによって画定される、項目２３１８に記載のシステム。
（項目２４０３）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目２４０２に記載のシステム。
（項目２４０４）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目２３１８に記載のシステム。
（項目２４０５）
前記プランジャ部材が、前記針の前記遠位端が構造的にカプセル化されるようになり、かつその後の前記針の前記遠位端へのアクセスが防止されるように、操作者によって手動で格納されるように構成される、項目２３１８に記載のシステム。
（項目２４０６）
前記針の前記遠位端が、前記内部薬剤チャンバ内に構造的にカプセル化されるようになる、項目２４０５に記載のシステム。
（項目２４０７）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目２４０５に記載のシステム。
（項目２４０８）
注射のためのシステムであって、
ａ．内部薬剤チャンバを画定する注射器本体と、
ｂ．薬剤を前記薬剤チャンバ内に収容するために前記内部薬剤チャンバに挿入されるように構成されているストッパー部材と、
ｃ．前記ストッパー部材を前記注射器本体に対して挿入するために手動で操作されるように構成されている、プランジャ部材と、
ｄ．近位端及び遠位端を有する針であって、前記近位端が、前記ストッパー部材中に少なくとも部分的に挿入されることで、前記ストッパー部材の格納の際に、前記針を前記ストッパーと共に近位に引っ張って、前記内部薬剤チャンバ内に少なくとも部分的に収容するように構成されているアンカー幾何形状を備える、針と、
ｅ．前記針上の第１の既知の場所に連結する第１のイメージングマーカーと、
ｆ．前記針上の第２の既知の場所に連結する第２のイメージングマーカーと、
ｇ．前記第１及び第２のイメージングマーカーの前記位置を検出することで、前記針の配向を全体座標システムに対して決定し得るように構成されている、イメージングシステムと、を備える、システム。
（項目２４０９）
前記第１のイメージングマーカーが、金属ビーズ、金属リング、及び放射線放出ビーコンから成る群から選択される、項目２４０８に記載のシステム。
（項目２４１０）
前記第２のイメージングマーカーが、金属ビーズ、金属リング、及び放射線放出ビーコンから成る群から選択される、項目２４０８に記載のシステム。
（項目２４１１）
前記注射器本体が、市販の注射器本体を含む、項目２４０８に記載のシステム。
（項目２４１２）
前記注射器本体が、概して円筒形の幾何形状を備える、項目２４０８に記載のシステム。
（項目２４１３）
前記薬剤チャンバが、約０．５ｃｃ〜約５ｃｃの薬剤を収容するように構成されている、項目２４０８に記載のシステム。
（項目２４１４）
前記薬剤チャンバが、０．５ｃｃ、１ｃｃ、２．２５ｃｃ、３ｃｃ、及び５ｃｃから成る群から選択される薬剤の体積を収容するように構成されている、項目２４１３に記載のシステム。
（項目２４１５）
前記注射器本体が、ガラス材料を含む、項目２４０８に記載のシステム。
（項目２４１６）
前記注射器本体が、ポリマー材料を含む、項目２４０８に記載のシステム。
（項目２４１７）
前記ポリマー材料が、ＣＯＰ、ＣＯＣ、ポリエステル、及びポリプロピレンから成る群から選択される、項目２４１６に記載のシステム。
（項目２４１８）
前記注射器本体が、金属を含む、項目２４０８に記載のシステム。
（項目２４１９）
前記注射器本体が、１つ以上の他のデバイス要素に機械的に連結するように構成されている、遠位外側幾何形状を備える、項目２４０８に記載のシステム。
（項目２４２０）
前記注射器本体の遠位外側幾何形状が、ルアーロック接合部を含む、項目２４２０に記載のシステム。
（項目２４２１）
前記注射器本体の遠位外側幾何形状が、ルアーテーパ接合部を含む、項目２４２０に記載のシステム。
（項目２４２２）
前記注射器本体が、遠位薬剤ポートを画定する、項目２４０８に記載のシステム。
（項目２４２３）
前記針が、前記注射器本体の前記遠位薬剤ポートを通して挿入可能であるように選択された最大外径を有する、項目２４２２に記載のシステム。
（項目２４２４）
前記遠位薬剤ポートが、約１ｍｍの内径を備える、項目２４２３に記載のシステム。
（項目２４２５）
前記針が、約３４ゲージ〜約２０ゲージのサイズを有する、項目２４２４に記載のシステム。
（項目２４２６）
前記ストッパー部材が、前記針の尖った近位端によって少なくとも部分的に貫通されるように構成されている、項目２４０８に記載のシステム。
（項目２４２７）
前記針が、前記ストッパー部材中に少なくとも部分的に貫通した後の引き抜きに抵抗するように構成されている、少なくとも１つのアンカー要素を有する、項目２４０８に記載のシステム。
（項目２４２８）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目２４２７に記載のシステム。
（項目２４２９）
前記ストッパーが、前記注射器本体と共に実質的に封止するために、前記注射器本体の内側幾何形状に実質的に一致するように選択された外側幾何形状を有する、項目２４０８に記載のシステム。
（項目２４３０）
前記ストッパーが、クロロブチルゴム、ブロモブチルゴム、及びシリコンゴムから成る群から選択される、エラストマー材料を含む、項目２４０８に記載のシステム。
（項目２４３１）
薬剤材料を前記ストッパーから隔離するために、前記ストッパーの少なくとも一部に適用された封止剤コーティングを更に備える、項目２４０８に記載のシステム。
（項目２４３２）
前記封止剤コーティングが、ＰＴＦＥフィルムを含む、項目２４３１に記載のシステム。
（項目２４３３）
前記ストッパーと前記注射器本体との間に導入された潤滑剤層を更に備える、項目２４０８に記載のシステム。
（項目２４３４）
前記潤滑剤層が、シリコン油を含む、項目２４３３に記載のシステム。
（項目２４３５）
前記ストッパー部材の遠位部分が、従来の市販のコンプライアントストッパーを含む、項目２４０８に記載のシステム。
（項目２４３６）
前記ストッパー部材が、針への連結のための陥凹または突出部を持たない未改質の中実コンプライアント部材を備える、項目２４３５に記載のシステム。
（項目２４３７）
前記針が、少なくとも１つの放射状に突出している係止表面機構を備える、項目２４０８に記載のシステム。
（項目２４３８）
前記針の前記近位端が、少なくとも１つのアンカー要素に対して近位に位置する少なくとも１つの貫通要素を備える、項目２４３７に記載のシステム。
（項目２４３９）
前記貫通要素が、尖った先端を備える、項目２４３８に記載のシステム。
（項目２４４０）
前記貫通要素が、中実構造であって、それを通して画定される内腔またはアパーチャーを持たない、中実構造を備える、項目２４３９に記載のシステム。
（項目２４４１）
前記針が、それを通した注射通路を画定し、前記注射通路が、前記針の遠位先端から前記アンカー要素の遠位先端の近位にある場所へと通じるように選択される、項目２４３８に記載のシステム。
（項目２４４２）
前記針が、カニューレ部材、ハブ部材、及び近位部材を備える、項目２４３７に記載のシステム。
（項目２４４３）
前記カニューレ部材及びハブ部材が、同じ材料片から形成される、項目２４４２に記載のシステム。
（項目２４４４）
前記カニューレ部材及びハブ部材が、共に固定して連結して前記針の一部を形成する、別々に形成された要素を備える、項目２４４２に記載のシステム。
（項目２４４５）
前記近位部材も、前記カニューレ部材及びハブ部材に固定して連結して前記針の一部を形成する、別々に形成された要素を備える、項目２４４２に記載のシステム。
（項目２４４６）
前記ハブ部材が、一片の管材から形成される、項目２４４４に記載のシステム。
（項目２４４７）
前記近位部材が、近位連結接合部を有する一片の平坦な板金を含む、項目２４４０に記載のシステム。
（項目２４４８）
前記カニューレ部材が、金属を含む、項目２４４５に記載のシステム。
（項目２４４９）
前記ハブが、金属またはプラスチック材料を含む、項目２４４５に記載のシステム。
（項目２４５０）
前記近位部材、金属またはプラスチック材料、項目２４４５に記載のシステム。
（項目２４５１）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目２４０８に記載のシステム。
（項目２４５２）
前記プランジャ部材が、内部容積を画定するプランジャ部材本体を備え、前記エネルギー蓄積部材が、前記プランジャ部材本体の内部容積の実質的に内部に収納されている、請求項２４５１に記載のシステム。
（項目２４５３）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目２４５１に記載のシステム。
（項目２４５４）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目２４５３に記載のシステム。
（項目２４５５）
前記所定の挿入位置が、前記ストッパーが前記注射器本体に対して完全な挿入状態で位置付けられる位置である、項目２４５４に記載のシステム。
（項目２４５６）
前記エネルギー蓄積部材が、ばねである、項目２４５１に記載のシステム。
（項目２４５７）
前記ばねが、ステンレス鋼、炭素鋼、ベリリウム銅合金、ニッケルチタン合金、クロムシリコン合金、及びコバルトニッケル合金から成る群から選択される材料を含む、項目２４５６に記載のシステム。
（項目２４５８）
前記ばねが、エラストマー性ポリマーを含む、項目２４５６に記載のシステム。
（項目２４５９）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項２４５８に記載のシステム。
（項目２４６０）
前記エネルギー蓄積部材が、中実ペレット部材を含む、項目２４５１に記載のシステム。
（項目２４６１）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目２４６０に記載のシステム。
（項目２４６２）
前記ばねが、単一の概して螺旋形状のコイルを含む、項目２４５６に記載のシステム。（項目２４６３）
前記ばねが、複数の概して螺旋形状のコイルを含む、項目２４５６に記載のシステム。（項目２４６４）
前記複数の概して螺旋形状のコイルを含む前記コイルのうちの少なくとも２つが、同軸上で整列している、項目２４６３に記載のシステム。
（項目２４６５）
前記複数の概して螺旋形状のコイルを含む前記コイルのうちの少なくとも２つが、長手方向に平行に整列している、項目２４６３に記載のシステム。
（項目２４６６）
前記同軸上で整列した螺旋形状のコイルも、長手方向に平行に整列している、項目２４６４に記載のシステム。
（項目２４６７）
前記同軸上かつ長手方向に平行に整列している螺旋形状のコイルが、前記コイルの圧縮時にコイルの干渉を防止するように、互いに対して反対の巻回方向で螺旋状に巻回される、項目２４６５に記載のシステム。
（項目２４６８）
前記プランジャの格納が前記相互連結したストッパー部材及び針を格納し、その結果、前記針の少なくとも一部が前記注射器本体の前記内部薬剤チャンバ中に引き込まれる、請求項２４５１に記載のシステム。
（項目２４６９）
前記プランジャが、前記注射器本体に対する前記プランジャの手動挿入及び格納制御を促進するように構成されている近位サムパッドを備える、項目２４０８に記載のシステム。
（項目２４７０）
前記プランジャが、前記ストッパー部材中に螺旋状に挿入され、かかる挿入により前記ストッパー部材に連結するように構成されている、プランジャ遠位端ねじ接合部を備える、項目２４０８に記載のシステム。
（項目２４７１）
前記プランジャ部材が、前記プランジャ部材の表面に位置付けられた複数のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目２４０８に記載のシステム。
（項目２４７２）
前記所定の位置が、前記ストッパー部材が前記注射器本体に対して前記プランジャ部材によって完全に挿入されている位置へと前進した位置である、項目２４７１に記載のシステム。
（項目２４７３）
前記プランジャ部材と前記注射器本体との間で動作可能に連結する係止部材を更に備え、前記係止部が、前記ラチェット機構に係合可能な少なくとも１つのラチェット歯、及び前記注射器本体のハンドル部分に係合可能な近位接合部を備える、項目２４７１に記載のシステム。
（項目２４７４）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目２４５３に記載のシステム。
（項目２４７５）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目２４０８に記載のシステム。
（項目２４７６）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目２４７５に記載のシステム。
（項目２４７７）
前記制動部材が、プレートアパーチャー制動部を備える、項目２４７６に記載のシステム。
（項目２４７８）
前記プレートアパーチャー制動部が一片の板金を含み、それを通してアパーチャーが形成されている、項目２４７７に記載のシステム。
（項目２４７９）
前記プランジャが前記注射器本体に対して完全に挿入された後で、前記注射器本体に対する前記プランジャの格納を促進するように構成されている、ばね部材を更に備える、請求項２４７７に記載のシステム。
（項目２４８０）
前記プレートアパーチャー制動部が、前記ばね部材の少なくとも一部の可塑性変形を誘導することによって、前記第１のモードから前記第２のモードに切り替わるように構成されている、項目２４７９に記載のシステム。
（項目２４８１）
前記プランジャ部材の格納が、前記第２のモードにおいて格納始動荷重の適用を通して促進される、項目２４７６に記載のシステム。
（項目２４８２）
前記格納始動荷重が、前記制動部材に動作可能に連結したばね部材によって適用される、項目２４８１に記載のシステム。
（項目２４８３）
前記格納開始荷重が、前記プランジャ部材と前記注射器本体との間で連結したばね部材によって適用される、項目２４８１に記載のシステム。
（項目２４８４）
前記ばね部材が、コイルばね、板ばね、及びエラストマーばね要素から成る群から選択される、項目２４８２に記載のシステム。
（項目２４８５）
前記ばね部材が、コイルばね、板ばね、及びエラストマーばね要素から成る群から選択される、項目２４８３に記載のシステム。
（項目２４８６）
前記真空荷重が、前記プランジャを前記注射器本体に対して少なくとも部分的に格納するのに十分である、項目２４７５に記載のシステム。
（項目２４８７）
前記プランジャの格納が前記相互連結したストッパー部材及び針を格納し、その結果、前記針の少なくとも一部が前記注射器本体の前記内部薬剤チャンバ中に引き込まれる、請求項２４８６に記載のシステム。
（項目２４８８）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目２４０８に記載のシステム。
（項目２４８９）
前記針被覆部材が、少なくとも１つのスナップオーバー式戻り止め接合部によって前記針に着脱可能に連結する、項目２４８８に記載のシステム。
（項目２４９０）
前記針被覆部材が、少なくとも２つのスナップオーバー式戻り止め接合部によって前記針に着脱可能に連結する、項目２４８９に記載のシステム。
（項目２４９１）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目２４９０に記載のシステム。
（項目２４９２）
スナップオーバー式戻り止め接合部が、前記戻り止めが軸荷重によって機械的に克服されるまで、前記針に対する前記針被覆部材の軸方向運動を防止するように配向されている、項目２４９１に記載のシステム。
（項目２４９３）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目２４８８に記載のシステム。
（項目２４９４）
薬剤チャンバが、チャンバの長さによって画定され、前記針が、前記チャンバの長さ以上である針の長さによって画定される、項目２４０８に記載のシステム。
（項目２４９５）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目２４９４に記載のシステム。
（項目２４９６）
前記注射器本体の近位端に連結した延長部材を更に備え、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、項目２４０８に記載のシステム。
（項目２４９７）
前記プランジャ部材が、前記針の前記遠位端が構造的にカプセル化されるようになり、かつその後の前記針の前記遠位端へのアクセスが防止されるように、操作者によって手動で格納されるように構成される、項目２４０８に記載のシステム。
（項目２４９８）
前記針の前記遠位端が、前記内部薬剤チャンバ内に構造的にカプセル化されるようになる、項目２４９７に記載のシステム。
（項目２４９９）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目２４９７に記載のシステム。
（項目２５００）
注射のためのシステムであって、
ａ．近位端及び遠位端を有し、内部薬剤チャンバを画定する注射器本体と、
ｂ．薬剤を薬剤チャンバ内に収容するために内部薬剤チャンバに挿入されるように構成されているストッパー部材であって、前記薬剤チャンバ内の前記薬剤と直接接触するように構成されている遠位表面を備える、ストッパー部材と、
ｃ．前記ストッパー部材を前記注射器本体に対して移動させるために手動で操作されるように構成されている近位接合部を備える、プランジャ部材と、
ｄ．尖った遠位端を有する針と、
ｅ．前記注射器本体の近位端に連結した延長部材であって、前記延長部材が、前記プランジャ部材に動作可能に連結し、前記ストッパーがそれが少なくとも部分的に前記内部薬剤チャンバを出る程度に引き込まれる場合に、前記ストッパー部材を収容するように構成され、前記延長部材が、前記ストッパー部材の前記延長チャンバ中への引き込みの際に前記遠位表面に直接隣接して位置付けられる流体収容表面を備え、前記流体収容表面が、薬剤の残留液滴を収容するように構成され、それらが前記流体収容表面によって収容されるようになるまで、前記ストッパー部材の前記遠位表面に連結したままであり得る、延長部材と、を備える、システム。
（項目２５０１）
前記流体収容表面が、前記残留液滴を保持するように構成されている１つ以上の溝付き幾何形状を画定する、項目２５００に記載のシステム。
（項目２５０２）
前記流体収容表面が、前記残留液滴を保持するように構成されている１つ以上の穿孔を画定する、項目２５００に記載のシステム。
（項目２５０３）
前記流体収容表面に流体連結している吸収性部材を更に備え、前記吸収性部材が、前記残留液滴を吸収し保持するように構成されている、項目２５００に記載のシステム。
（項目２５０４）
前記注射器本体が、市販の注射器本体を含む、項目２５００に記載のシステム。
（項目２５０５）
前記注射器本体が、概して円筒形の幾何形状を備える、項目２５００に記載のシステム。
（項目２５０６）
前記薬剤チャンバが、約０．５ｃｃ〜約５ｃｃの薬剤を収容するように構成されている、項目２５００に記載のシステム。
（項目２５０７）
前記薬剤チャンバが、０．５ｃｃ、１ｃｃ、２．２５ｃｃ、３ｃｃ、及び５ｃｃから成る群から選択される薬剤の体積を収容するように構成されている、項目２５０６に記載のシステム。
（項目２５０８）
前記注射器本体が、ガラス材料を含む、項目２５００に記載のシステム。
（項目２５０９）
前記注射器本体が、ポリマー材料を含む、項目２５００に記載のシステム。
（項目２５１０）
前記ポリマー材料が、ＣＯＰ、ＣＯＣ、ポリエステル、及びポリプロピレンから成る群から選択される、項目２５０９に記載のシステム。
（項目２５１１）
前記注射器本体が、金属を含む、項目２５００に記載のシステム。
（項目２５１２）
前記注射器本体が、１つ以上の他のデバイス要素に機械的に連結するように構成されている、遠位外側幾何形状を備える、項目２５００に記載のシステム。
（項目２５１３）
前記注射器本体の遠位外側幾何形状が、ルアーロック接合部を含む、項目２５１２に記載のシステム。
（項目２５１４）
前記注射器本体の遠位外側幾何形状が、ルアーテーパ接合部を含む、項目２５１２に記載のシステム。
（項目２５１５）
前記注射器本体が、遠位薬剤ポートを画定する、項目２５００に記載のシステム。
（項目２５１６）
前記針が、前記注射器本体の前記遠位薬剤ポートを通して挿入可能であるように選択された最大外径を有する、項目２５１５に記載のシステム。
（項目２５１７）
前記遠位薬剤ポートが、約１ｍｍの内径を備える、項目２５１６に記載のシステム。
（項目２５１８）
前記針が、約３４ゲージ〜約２０ゲージのサイズを有する、項目２５１７に記載のシステム。
（項目２５１９）
前記ストッパー部材が、前記針の尖った近位端によって少なくとも部分的に貫通されるように構成されている、項目２５００に記載のシステム。
（項目２５２０）
前記針が、前記ストッパー部材中に少なくとも部分的に貫通した後の引き抜きに抵抗するように構成されている、少なくとも１つのアンカー要素を有する、項目２５００に記載のシステム。
（項目２５２１）
前記少なくとも１つのアンカー要素が、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択される、項目２５２０に記載のシステム。
（項目２５２２）
前記ストッパーが、前記注射器本体と共に実質的に封止するために、前記注射器本体の内側幾何形状に実質的に一致するように選択された外側幾何形状を有する、項目２５００に記載のシステム。
（項目２５２３）
前記ストッパーが、クロロブチルゴム、ブロモブチルゴム、及びシリコンゴムから成る群から選択される、エラストマー材料を含む、項目２５００に記載のシステム。
（項目２５２４）
薬剤材料を前記ストッパーから隔離するために、前記ストッパーの少なくとも一部に適用された封止剤コーティングを更に備える、項目２５００に記載のシステム。
（項目２５２５）
前記封止剤コーティングが、ＰＴＦＥフィルムを含む、項目２５２４に記載のシステム。
（項目２５２６）
前記ストッパーと前記注射器本体との間に導入された潤滑剤層を更に備える、項目２５００に記載のシステム。
（項目２５２７）
前記潤滑剤層が、シリコン油を含む、項目２５２６に記載のシステム。
（項目２５２８）
前記ストッパー部材の遠位部分が、従来の市販のコンプライアントストッパーを含む、項目２５００に記載のシステム。
（項目２５２９）
前記ストッパー部材が、針への連結のための陥凹または突出部を持たない未改質の中実コンプライアント部材を備える、項目２５２８に記載のシステム。
（項目２５３０）
前記針が、少なくとも１つの放射状に突出している係止表面機構を備える、項目２５００に記載のシステム。
（項目２５３１）
前記針の前記近位端が、少なくとも１つのアンカー要素に対して近位に位置する少なくとも１つの貫通要素を備える、項目２５３０に記載のシステム。
（項目２５３２）
前記貫通要素が、尖った先端を備える、項目２５３１に記載のシステム。
（項目２５３３）
前記貫通要素が、中実構造であって、それを通して画定される内腔またはアパーチャーを持たない、中実構造を備える、項目２５３２に記載のシステム。
（項目２５３４）
前記針が、それを通した注射通路を画定し、前記注射通路が、前記針の遠位先端から前記アンカー要素の遠位先端の近位にある場所へと通じるように選択される、項目２５３１に記載のシステム。
（項目２５３５）
前記針が、カニューレ部材、ハブ部材、及び近位部材を備える、項目２５３０に記載のシステム。
（項目２５３６）
前記カニューレ部材及びハブ部材が、同じ材料片から形成される、項目２５３５に記載のシステム。
（項目２５３７）
前記カニューレ部材及びハブ部材が、共に固定して連結して前記針の一部を形成する、別々に形成された要素を備える、項目２５３５に記載のシステム。
（項目２５３８）
前記近位部材も、前記カニューレ部材及びハブ部材に固定して連結して前記針の一部を形成する、別々に形成された要素を備える、項目２５３５に記載のシステム。
（項目２５３９）
前記ハブ部材が、一片の管材から形成される、項目２５３７に記載のシステム。
（項目２５４０）
前記近位部材が、近位連結接合部を有する一片の平坦な板金を含む、項目２５３５に記載のシステム。
（項目２５４１）
前記カニューレ部材が、金属を含む、項目２５３８に記載のシステム。
（項目２５４２）
前記ハブが、金属またはプラスチック材料を含む、項目２５３８に記載のシステム。
（項目２５４３）
前記近位部材、金属またはプラスチック材料、項目２５３８に記載のシステム。
（項目２５４４）
前記ストッパー部材と前記注射器本体との間で動作可能に連結したエネルギー蓄積部材を更に備え、前記エネルギー蓄積部材が、前記注射器本体に対する前記ストッパー部材の格納を促進するように構成されている、項目２５００に記載のシステム。
（項目２５４５）
前記プランジャ部材が、内部容積を画定するプランジャ部材本体を備え、前記エネルギー蓄積部材が、前記プランジャ部材本体の内部容積の実質的に内部に収納されている、請求項２５４４に記載のシステム。
（項目２５４６）
前記プランジャ部材に動作可能に連結し、前記プランジャ部材本体の内部容積内に実質的に収納される、係止部材を更に備え、前記係止部材が、前記係止部材が前記エネルギー蓄積部材をエネルギー蓄積状態で維持する、第１の機械的状態と、前記係止部材が、前記エネルギー蓄積部材に、前記エネルギー蓄積部材によって蓄積されたエネルギーを放出させて、前記注射器本体に対する前記ストッパー部材の格納を支援する、第２の機械的状態と、を有するように構成されている、項目２５４５に記載のシステム。
（項目２５４７）
前記係止部材が、トリガ部分を備え、前記トリガ部分が、前記プランジャ部材本体の内部容積の外側に延在し、前記注射器本体に動作可能に連結することで、前記プランジャ部材及び相互連結したストッパー部材が前記注射器本体に対して所定の挿入位置に到達したときに、前記エネルギー蓄積部材が自動的に解放され得るように構成されている、項目２５４６に記載のシステム。
（項目２５４８）
前記所定の挿入位置が、前記ストッパーが前記注射器本体に対して完全な挿入状態で位置付けられる位置である、項目２５４７に記載のシステム。
（項目２５４９）
前記エネルギー蓄積部材が、ばねである、項目２５４４に記載のシステム。
（項目２５５０）
前記ばねが、ステンレス鋼、炭素鋼、ベリリウム銅合金、ニッケルチタン合金、クロムシリコン合金、及びコバルトニッケル合金から成る群から選択される材料を含む、項目２５４９に記載のシステム。
（項目２５５１）
前記ばねが、エラストマー性ポリマーを含む、項目２５４９に記載のシステム。
（項目２５５２）
前記エラストマー性ポリマーが、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、請求項２５５１に記載のシステム。
（項目２５５３）
前記エネルギー蓄積部材が、中実ペレット部材を含む、項目２５４４に記載のシステム。
（項目２５５４）
前記中実ペレット部材が、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択されるエラストマー性ポリマーである、項目２５５３に記載のシステム。
（項目２５５５）
前記ばねが、単一の概して螺旋形状のコイルを含む、項目２５４９に記載のシステム。（項目２５５６）
前記ばねが、複数の概して螺旋形状のコイルを含む、項目２５４９に記載のシステム。（項目２５５７）
前記複数の概して螺旋形状のコイルを含む前記コイルのうちの少なくとも２つが、同軸上で整列している、項目２５５６に記載のシステム。
（項目２５５８）
前記複数の概して螺旋形状のコイルを含む前記コイルのうちの少なくとも２つが、長手方向に平行に整列している、項目２５５６に記載のシステム。
（項目２５５９）
前記同軸上で整列した螺旋形状のコイルも、長手方向に平行に整列している、項目２５５７に記載のシステム。
（項目２５６０）
前記同軸上かつ長手方向に平行に整列している螺旋形状のコイルが、前記コイルの圧縮時にコイルの干渉を防止するように、互いに対して反対の巻回方向で螺旋状に巻回される、項目２５５９に記載のシステム。
（項目２５６１）
前記プランジャの格納が前記相互連結したストッパー部材及び針を格納し、その結果、前記針の少なくとも一部が前記注射器本体の前記内部薬剤チャンバ中に引き込まれる、請求項２５４４に記載のシステム。
（項目２５６２）
前記プランジャが、前記注射器本体に対する前記プランジャの手動挿入及び格納制御を促進するように構成されている近位サムパッドを備える、項目２５００に記載のシステム。
（項目２５６３）
前記プランジャが、前記ストッパー部材中に螺旋状に挿入され、かかる挿入により前記ストッパー部材に連結するように構成されている、プランジャ遠位端ねじ接合部を備える、項目２５００に記載のシステム。
（項目２５６４）
前記プランジャ部材が、前記プランジャ部材の表面に位置付けられた１つ以上のラチェット機構を備え、前記ラチェット機構が、前記プランジャ部材が前記注射器本体に対して所定の位置に最初に挿入された後で、前記注射器本体に対する前記プランジャ部材の再挿入を防止するように構成されている、項目２５００に記載のシステム。
（項目２５６５）
前記所定の位置が、前記ストッパー部材が前記注射器本体に対して前記プランジャ部材によって完全に挿入されている位置へと前進した位置である、項目２５６４に記載のシステム。
（項目２５６６）
前記プランジャ部材と前記注射器本体との間で動作可能に連結する係止部材を更に備え、前記係止部が、前記１つ以上のラチェット機構に係合可能な少なくとも１つのラチェット歯、及び前記注射器本体のハンドル部分に係合可能な近位接合部を備える、項目２５６４に記載のシステム。
（項目２５６７）
前記注射器本体に連結し、前記係止部材の前記トリガ部分に、前記プランジャ部材の少なくとも一部を通して画定されたトリガ係合ウィンドウを通して係合するように構成されている、トリガ係合部材を更に備える、項目２５４６に記載のシステム。
（項目２５６８）
前記ストッパーが前記内部薬剤チャンバに挿入されるときに真空荷重が生じるように、前記ストッパー部材を前記注射器本体の前記内部薬剤チャンバ内にカプセル化するように構成されている近位封止部を更に備える、項目２５００に記載のシステム。
（項目２５６９）
前記プランジャ部材及び前記注射器本体に動作可能に連結する制動部材を更に備え、前記制動部材が、前記注射器本体に対する前記プランジャ部材の挿入を促進するが、前記制動部材が制動解除構成の第２のモードに配置されるまで、第１のモードにおいて前記注射器本体に対する前記プランジャ部材の格納に抵抗するように構成されている、項目２５６８に記載のシステム。
（項目２５７０）
前記制動部材が、プレートアパーチャー制動部を備える、項目２５６９に記載のシステム。
（項目２５７１）
前記プレートアパーチャー制動部が一片の板金を含み、それを通してアパーチャーが形成されている、項目２５７０に記載のシステム。
（項目２５７２）
前記プランジャが前記注射器本体に対して完全に挿入された後で、前記注射器本体に対する前記プランジャの格納を促進するように構成されている、ばね部材を更に備える、請求項２５７０に記載のシステム。
（項目２５７３）
前記プレートアパーチャー制動部が、前記ばね部材の少なくとも一部の可塑性変形を誘導することによって、前記第１のモードから前記第２のモードに切り替わるように構成されている、項目２５７２に記載のシステム。
（項目２５７４）
前記プランジャ部材の格納が、前記第２のモードにおいて格納始動荷重の適用を通して促進される、項目２５７０に記載のシステム。
（項目２５７５）
前記格納始動荷重が、前記制動部材に動作可能に連結したばね部材によって適用される、項目２５７４に記載のシステム。
（項目２５７６）
前記格納開始荷重が、前記プランジャ部材と前記注射器本体との間で連結したばね部材によって適用される、項目２５７４に記載のシステム。
（項目２５７７）
前記ばね部材が、コイルばね、板ばね、及びエラストマーばね要素から成る群から選択される、項目２５７５に記載のシステム。
（項目２５７８）
前記ばね部材が、コイルばね、板ばね、及びエラストマーばね要素から成る群から選択される、項目２５７６に記載のシステム。
（項目２５７９）
前記真空荷重が、前記プランジャを前記注射器本体に対して少なくとも部分的に格納するのに十分である、項目２５６８に記載のシステム。
（項目２５８０）
前記プランジャの格納が前記相互連結したストッパー部材及び針を格納し、その結果、前記針の少なくとも一部が前記注射器本体の前記内部薬剤チャンバ中に引き込まれる、請求項２５７９に記載のシステム。
（項目２５８１）
少なくとも前記針の尖った遠位端を一時的に収納及び保護すると同時に、ユーザーによる設置時に、前記針の尖った近位端を、前記注射器本体との接合のために整列させるようにも構成されている、内部容積を画定する針被覆部材を更に備える、項目２５００に記載のシステム。
（項目２５８２）
前記針被覆部材が、少なくとも１つのスナップオーバー式戻り止め接合部によって前記針に着脱可能に連結する、項目２５８１に記載のシステム。
（項目２５８３）
前記針被覆部材が、少なくとも２つのスナップオーバー式戻り止め接合部によって前記針に着脱可能に連結する、項目２５８２に記載のシステム。
（項目２５８４）
スナップオーバー式戻り止め接合部が、前記戻り止めがねじり荷重によって機械的に克服されるまで、前記針の軸と実質的に整列している軸を中心とした前記針被覆部材の回転を防止するように配向されている、項目２５８３に記載のシステム。
（項目２５８５）
スナップオーバー式戻り止め接合部が、前記戻り止めが軸荷重によって機械的に克服されるまで、前記針に対する前記針被覆部材の軸方向運動を防止するように配向されている、項目２５８３に記載のシステム。
（項目２５８６）
前記針被覆部材の前記内部容積が、前記針及び注射器本体が手動で相互連結されるときに、前記針の前記尖った近位端を前記注射器本体に対して誘導するように構成されている、複数の内向きの放射状の突出表面を備える、項目２５８１に記載のシステム。
（項目２５８７）
薬剤チャンバが、チャンバの長さによって画定され、前記針が、前記チャンバの長さ以上である針の長さによって画定される、項目２５００に記載のシステム。
（項目２５８８）
前記注射器本体の近位端に連結した延長部材を更に備え、前記延長部材が、前記プランジャ部材に動作可能に連結し、前記針が前記内部薬剤チャンバ及び前記延長部材によって画定される容積中に完全に引き込まれるときに、前記針の少なくとも一部を収納するように構成されている、項目２５８７に記載のシステム。
（項目２５８９）
前記プランジャ部材が、前記針の前記遠位端が構造的にカプセル化されるようになり、かつその後の前記針の前記遠位端へのアクセスが防止されるように、操作者によって手動で格納されるように構成される、項目２５００に記載のシステム。
（項目２５９０）
前記針の前記遠位端が、前記内部薬剤チャンバ内に構造的にカプセル化されるようになる、項目２５８９に記載のシステム。
（項目２５９１）
前記針の前記遠位端が、針ドア部材によって構造的にカプセル化されるようになり、前記針ドア部材が、前記注射器本体に移動可能に連結し、前記針ドア部材が前記注射器本体に対する前記針の挿入を促進する第１の状態と、前記針ドア部材が前記注射器本体に対する前記針の挿入を防止する第２の状態と、を有するように構成されている、項目２５８９に記載のシステム。
【発明の概要】
【課題を解決するための手段】
【０００８】
１つの実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、近位端が、ストッパー部材中に少なくとも部分的に挿入されることで、ストッパー部材の格納の際に、針をストッパーと共に近位に引っ張って、内部薬剤チャンバ内に少なくとも部分的に収容するように構成されているアンカー幾何形状を備える、針、を備える。
【０００９】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針；ならびに注射器本体及び針に動作可能に連結した連結部材であって、針が注射器本体に着脱可能に連結する第１の状態と、針が注射器本体に対して自由に格納できる第２の状態と、を有する、連結部材、を備える。
【００１０】
別の実施形態は、注射のためのシステムを対象とし、本システムは、内部薬剤チャンバを画定する注射器本体及び遠位針接合部；薬剤を薬剤チャンバ内に収容するために内部薬剤チャンバに挿入されるように構成され、近位端及び遠位端を有する、ストッパー部材；ストッパー部材を注射器本体に対して挿入するために手動で操作されるように構成されているプランジャ部材；近位端及び遠位端を有する針であって、近位端が、注射器本体の遠位針接合部に連結する、針、を備え、ストッパー部材の遠位端は、事前形成された針連結機構を有しないように構成されている。
【００１１】
別の実施形態は、注射のためのシステムを対象とし、本システムは、内部薬剤チャンバを画定する注射器本体、及びルアーテーパを画定する遠位針接合部；薬剤を薬剤チャンバ内に収容するために内部薬剤チャンバに挿入されるように構成され、近位端及び遠位端を有する、ストッパー部材；ストッパー部材を注射器本体に対して挿入するために手動で操作されるように構成されているプランジャ部材；近位端及び遠位端を有する針であって、近位端が、注射器本体の遠位針接合部に連結する、針、を備え、針近位端は、ルアーテーパの外側表面に着脱可能に連結するように構成されている。
【００１２】
別の実施形態は、注射のためのシステムを対象とし、本システムは、内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、近位端が、ストッパー部材の完全に挿入された位置への格納の際に、ストッパー部材に連結することで、ストッパー部材の格納の際に、針をストッパーと共に近位に引っ張って、内部薬剤チャンバ内に収容するように構成されている、針、を備え、針が、内部薬剤チャンバ中へと、針の遠位端が内部薬剤チャンバ内に収容される位置に格納される際に、注射器本体の長手方向軸と整列しなくなることで、内部薬剤チャンバから出て再挿入されることを防止するようにする。
【００１３】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った遠位端を有する針；ならびに針ドア部材であって、注射器本体に移動可能に連結し、針ドア部材が注射器本体に対する針の挿入を促進する第１の状態と、針ドア部材が注射器本体に対する針の挿入を防止する第２の状態と、を有するように構成されている、針ドア部材、を備える。
【００１４】
別の実施形態は、注射のためのシステムを対象とし、本システムは、内部薬剤チャンバを画定する注射器本体、及びルアーテーパを画定する遠位針接合部；薬剤を薬剤チャンバ内に収容するために内部薬剤チャンバに挿入されるように構成され、近位端及び遠位端を有する、ストッパー部材；ストッパー部材を注射器本体に対して挿入するために手動で操作されるように構成されているプランジャ部材；遠位針接合部に着脱可能に連結し、内部薬剤チャンバを封止するように構成されている、薬剤キャップ；近位端及び遠位端を有する針であって、近位端が、薬剤キャップが除去された後でルアーテーパの外側表面に着脱可能に連結するように構成されている連結部分と、ストッパー部材の注射器本体に対する引き込みの際に、針が注射器本体に対して引き込まれ得るように、ストッパー部材に連結するように構成されている格納部分と、を備える、針、を備える。
【００１５】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った近位端及び遠位端を有する針；ならびに少なくとも針の尖った遠位端を一時的に収納及び保護すると同時に、ユーザーによる設置時に、針の尖った近位端を注射器本体との接合のために整列させるようにも構成されている、内部容積を画定する針被覆部材、を備える。
【００１６】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った近位端及び遠位端を有する針；ならびに少なくとも針の尖った遠位端を一時的に収納及び保護するように構成されている内部容積を画定し、少なくとも１つのスナップオーバー式戻り止め接合部によって針と着脱可能に連結可能である、針被覆部材、を備える。
【００１７】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端、ならびにそれらの間に画定される気泡排出内腔を有する針であって、気泡排出内腔が、針の中へと画定され、薬剤チャンバの遠位端に直接隣接して位置付けられる入口ポートを備えることで、薬剤チャンバ内の気泡が、薬剤チャンバへの針の近位端の突出の度合いに関わらず、ストッパー部材の挿入によって放出され得るようにする、針、を備える。
【００１８】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに尖った近位端及び遠位端を有する針；近位端及び遠位端を有し、薬剤チャンバ内に封止可能に配設されている遠位封止要素であって、針近位端に解放可能に連結することで、封止された接合部がそれらの間に提供されるようにする、遠位封止要素、を備え；第１の連結モードにおいて、針の尖った近位端は、遠位封止要素が針近位端を把持するように、少なくとも部分的に遠位封止要素を通して位置付けられ；第２の解放モードにおいて、拡張要素は、針が遠位封止要素から解放可能となるように、遠位封止要素と針の尖った端部との間の接合部を拡張する。
【００１９】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った近位端及び遠位端を有する針；針の近位端の少なくとも一部の周囲に着脱可能に連結し、針の近位端を、それから離れて拡張されるまで把持するように構成されている、遠位封止要素；ならびに拡張要素であって、針近位端に連結し、遠位封止要素を針の近位端から離して拡張して、針を、遠位封止要素の拡張要素に向けた前進によって遠位封止要素から解放すると同時に、拡張要素及び相互連結した針が、注射器本体に対して実質的に不動のままであるように構成されている、拡張要素、を備える。
【００２０】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針であって、近位端が、注射器本体の遠位端に連結する、針；ならびに注射器本体に動作可能に連結し、少なくとも針の遠位端が通過し得る内腔を画定する針鞘であって、針鞘が、針の近位端に向けて圧縮されて、注射のために針の遠位端を露出する、第１の状態と、針鞘が、針遠位端を越えて前方に前進して、針を実質的に被覆し、針の遠位端との接触を防止する、第２の状態と、を有するように構成されている、針鞘、を備え；第１の状態において、ストッパー部材が注射器本体に対して所定の位置に前進するまで針鞘を第１の位置に保持する鞘保持要素がない場合、エネルギー蓄積部材が圧縮されて針鞘を付勢し、第２の状態へと前方に弾く。
【００２１】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針であって、近位端が、注射器本体の遠位端に連結する、針；ならびに注射器本体に動作可能に連結し、少なくとも針の遠位端が通過し得る内腔を画定する伸縮式針鞘であって、伸縮式針鞘が、針鞘が、針の近位端に向けて伸縮自在に圧縮されて、注射のために針の遠位端を露出する、第１の状態と、針鞘が、針遠位端を越えて前方に伸縮自在に前進して、針を実質的に被覆し、針の遠位端との接触を防止する、第２の状態と、を有するように構成されている、伸縮式針鞘、を備え；第１の状態において、ストッパー部材が注射器本体に対して所定の位置に前進するまで針鞘を第１の位置に保持する鞘保持要素がない場合、エネルギー蓄積部材が圧縮されて針鞘を付勢し、第２の状態へと前方に弾く。
【００２２】
別の実施形態は、注射のためのシステムを対象とし、本システムは、内部薬剤チャンバを画定する注射器本体、及び内部薬剤チャンバに流体連結している内部表面を画定するルアーテーパを備える遠位接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、近位端が、ルアーテーパの内部表面に着脱可能に取り付けられる、針、を備える。
【００２３】
別の実施形態は、注射のためのシステムを対象とし、本システムは、内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されている、プランジャ部材；近位端及び遠位端を有する針であって、近位端が、注射器本体の遠位針接合部に着脱可能に取り付けられる、針；ならびに針と遠位針接合部との間で動作可能に連結している針封止部であって、針の外部表面と遠位針接合部との間の流体流動を防止するように構成されている、針封止部、を備え；針は、少なくとも１つの放射状に突出している係止機構に連結し、この係止機構は、機械的係止部と接合して、係止構成で注射器に対する針の軸方向運動を防止し、非係止構成で注射器本体に対して針の針の運動を促進するように構成されている。
【００２４】
別の実施形態は、注射のためのシステムを対象とし、本システムは、内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針であって、近位端が、注射器本体の遠位針接合部に着脱可能に取り付けられる、針；針と遠位針接合部との間で動作可能に連結している針封止部であって、針の外部表面と遠位針接合部との間の流体流動を防止するように構成されている、針封止部；ならびに注射器本体の遠位端に連結している係止輪であって、係止陥凹及び格納アパーチャーを有するように構成されている、係止輪、を備え；針は、少なくとも１つの板ばね係止機構に連結し、この係止機構は、近位端及び遠位端を有し、遠位端は、針に固定して連結し、非拘束時に、近位端は、遠位端に対して片持式に曲がるように自由に移動するが、針に対して実質的に同じ高さの位置に戻るように付勢され；係止構成において、板ばね係止機構の近位端は、針の注射器本体に対する軸方向の格納を防止するように係止陥凹の中へと片持式に支持され；注射器本体に対する針の僅かな挿入の際に、板ばね係止機構の近位端は、係止陥凹から除去され、針に対して実質的に同じ高さの位置へと曲がって戻ることで、針及び板ばね係止機構が、非係止構成をとり、かつ格納アパーチャーを通して注射器本体に対して自由に格納されるようにする。
【００２５】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、近位端が、プランジャ部材中に少なくとも部分的に挿入されることで、プランジャ部材の格納の際に、針を近位に引っ張って、内部薬剤チャンバ内に少なくとも部分的に収容するように構成されているアンカー幾何形状を備える、針、を備える。
【００２６】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、近位端が、針近位端とストッパー部材との間に流体封止連結を形成するために、ストッパー部材の少なくとも一部を横切って穿刺するように構成されているアンカー幾何形状を備え、流体封止連結が、近位端と前記ストッパー部材との間の接合部にてストッパー部材を横切って出る流体の通過を実質的に防止する、針、を備える。
【００２７】
別の実施形態は、注射のためのシステムを対象とし、本システムは、内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、近位端が、注射器本体の遠位針接合部に着脱可能に連結し、プランジャ係止部材を係止状態から非係止状態に転換するために、プランジャ部材の注射器本体に対する操作の際に内部薬剤チャンバ中に少なくとも部分的に格納可能であり、プランジャ係止部材が、注射器本体とプランジャ部材との間で相互連結する、針、を備え、プランジャ係止部材は、実質的にプランジャ部材によって画定される内腔内に配設される。注射器本体は、市販の注射器本体を含み得る。注射器本体は、概して円筒形の幾何形状を備えてもよい。薬剤チャンバは、約０．５ｃｃ〜約５ｃｃの薬剤を収容するように構成されていてもよい。薬剤チャンバは、０．５ｃｃ、１ｃｃ、２．２５ｃｃ、３ｃｃ、及び５ｃｃから成る群から選択される薬剤の体積を収容するように構成されていてもよい。注射器本体は、ガラス材料を含み得る。注射器本体は、ポリマー材料を含み得る。ポリマー材料は、ＣＯＰ、ＣＯＣ、ポリエステル、及びポリプロピレンから成る群から選択されてもよい。注射器本体は、金属を含み得る。注射器本体は、１つ以上の他のデバイス要素に機械的に連結するように構成されている遠位外側幾何形状を備えてもよい。注射器本体の遠位外側幾何形状は、ルアーロック接合部を含み得る。注射器本体の遠位外側幾何形状は、ルアーテーパ接合部を含み得る。注射器本体は、遠位薬剤ポートを画定してもよい。針は、注射器本体の遠位薬剤ポートを通して挿入可能であるように選択された最大外径を有してもよい。遠位薬剤ポートは、約１ｍｍの内径を備えてもよい。針は、約３４ゲージ〜約２０ゲージのサイズを有し得る。ストッパー部材は、針の尖った近位端によって少なくとも部分的に貫通されるように構成されていてもよい。針は、ストッパー部材中に少なくとも部分的に貫通した後の引き抜きに抵抗するように構成されている、少なくとも１つのアンカー要素を有し得る。少なくとも１つのアンカー要素は、かかり、スカイブカット、フック幾何形状、矢じり幾何形状、波形放射状幾何形状、拡張型ファセット化かかり構成、及び比較的小さい断面状態で挿入可能でありより大きい断面状態に変形するように構成されている変形式部材、から成る群から選択されてもよい。ストッパーは、注射器本体と共に実質的に封止するために、注射器本体の内側幾何形状に実質的に一致するように選択された外側幾何形状を有し得る。ストッパーは、クロロブチルゴム、ブロモブチルゴム、及びシリコンゴムから成る群から選択される、エラストマー材料を含み得る。本システムは、薬剤材料をストッパーから隔離するために、ストッパーの少なくとも一部に適用された封止剤コーティングを更に備えてもよい。封止剤コーティングは、ＰＴＦＥフィルムを含み得る。本システムは、ストッパーと注射器本体との間に導入された潤滑剤層を更に備えてもよい。潤滑剤層は、シリコン油を含み得る。ストッパー部材の遠位部分は、従来の市販のコンプライアントストッパーを含み得る。ストッパー部材は、針への連結のための陥凹または突出部を持たない未改質の中実コンプライアント部材を備えてもよい。針は、少なくとも１つの放射状に突出している係止表面機構を備えてもよい。針の近位端は、少なくとも１つのアンカー要素に対して近位に位置する少なくとも１つの貫通要素を備えてもよい。貫通要素は、尖った先端を備えてもよい。貫通要素は、中実構造を備えてもよく、この中実構造は、それを通して画定される内腔またはアパーチャーを持たない。針は、それを通した注射通路を画定し、この注射通路は、針の遠位端からアンカー要素の遠位端の近位にある場所へと通じるように選択され得る。針は、カニューレ部材、ハブ部材、及び近位部材を備えてもよい。カニューレ部材及びハブ部材は、同じ材料片から形成され得る。カニューレ部材及びハブ部材は、共に固定して連結して針の一部を形成する、別々に形成された要素を備えてもよい。近位部材も、カニューレ部材及びハブ部材に固定して連結して針の一部を形成する、別々に形成された要素を備えてもよい。ハブ部材は、一片の管材から形成され得る。近位部材は、近位連結接合部を有する一片の平坦な板金を含み得る。カニューレ部材は、金属を含み得る。ハブは、金属またはプラスチック材料を含み得る。近位部材は、金属またはプラスチック材料を含み得る。本システムは、ストッパー部材と注射器本体との間で動作可能に連結したエネルギー蓄積部材を更に備えてもよく、このエネルギー蓄積部材は、注射器本体に対するストッパー部材の格納を促進するように構成されていてもよい。プランジャ部材は、内部容積を画定するプランジャ部材本体を備えてもよく、エネルギー蓄積部材は、プランジャ部材本体の内部容積の実質的に内部に収納されている。本システムは、プランジャ部材に動作可能に連結し、プランジャ部材本体の内部容積内に実質的に収納される、係止部材を更に備えてもよく、この係止部材は、係止部材がエネルギー蓄積部材をエネルギー蓄積状態で維持する、第１の機械的状態と、係止部材が、エネルギー蓄積部材に、エネルギー蓄積部材によって蓄積されたエネルギーを放出させて、注射器本体に対するストッパー部材の格納を支援する、第２の機械的状態と、を有するように構成されていてもよい。係止部材は、トリガ部分を備え、このトリガ部分は、プランジャ部材本体の内部容積の外側に延在し、注射器本体に動作可能に連結することで、プランジャ部材及び相互連結したストッパー部材が注射器本体に対して所定の挿入位置に到達するときに、エネルギー蓄積部材が自動的に解放され得るように構成されている。所定の挿入位置は、ストッパーが注射器本体に対して完全な挿入状態で位置付けられる位置であり得る。エネルギー蓄積部材は、ばねであってもよい。ばねは、ステンレス鋼、炭素鋼、ベリリウム銅合金、ニッケルチタン合金、クロムシリコン合金、及びコバルトニッケル合金から成る群から選択される材料を含み得る。ばねは、エラストマー性ポリマーを含み得る。エラストマー性ポリマーは、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択され得る。エネルギー蓄積部材は、中実ペレット部材を含んでもよい。中実ペレット部材は、スチレン系ポリマー、コポリエステルポリマー、ポリウレタン、ポリアミド、ポリオレフィンブレンド、ポリオレフィン合金、ポリオレフィンプラストマー、ポリオレフィンプラストマー、及びゴムから成る群から選択される、エラストマー性ポリマーであり得る。ばねは、単一の概して螺旋形状のコイルを含んでもよい。ばねは、複数の概して螺旋形状のコイルを含んでもよい。複数の概して螺旋形状のコイルを含むコイルのうちの少なくとも２つは、同軸上で整列していてもよい。複数の概して螺旋形状のコイルを含むコイルのうちの少なくとも２つは、長手方向に平行に整列していてもよい。同軸上で整列した螺旋形状のコイルも、長手方向に平行に整列し得る。同軸上かつ長手方向に平行に整列している螺旋形状のコイルは、コイルの圧縮時にコイルの干渉を防止するように、互いに対して反対の巻回方向で螺旋状に巻回され得る。本システムは、プランジャの格納が相互連結したストッパー部材及び針を格納し、その結果、針の少なくとも一部が注射器本体の内部薬剤チャンバ中に引き込まれるように構成されていてもよい。プランジャは、注射器本体に対するプランジャの手動挿入及び格納制御を促進するように構成されている近位サムパッドを備えてもよい。プランジャは、ストッパー部材中に螺旋状に挿入され、かかる挿入によりストッパー部材に連結するように構成されている、プランジャ遠位端ねじ接合部を備え得る。プランジャ部材は、プランジャ部材の表面に位置付けられた複数のラチェット機構を備えてもよく、このラチェット機構は、プランジャ部材が注射器本体に対して所定の位置に最初に挿入された後で、注射器本体に対するプランジャ部材の再挿入を防止するように構成されていてもよい。所定の位置は、ストッパー部材が注射器本体に対してプランジャ部材によって完全に挿入されている位置へと前進した位置であり得る。本システムは、プランジャ部材と注射器本体との間で動作可能に連結する係止部材を更に備え、この係止部は、ラチェット機構に係合可能な少なくとも１つのラチェット歯、及び注射器本体のハンドル部分に係合可能な近位接合部を備える。本システムは、注射器本体に連結し、係止部材のトリガ部分に、プランジャ部材の少なくとも一部を通して画定されたトリガ係合ウィンドウを通して係合するように構成されている、トリガ係合部材を更に備えてもよい。本システムは、ストッパーが内部薬剤チャンバに挿入されるときに真空荷重が生じるように、ストッパー部材を注射器本体の内部薬剤チャンバ内にカプセル化するように構成されている近位封止部を更に備えてもよい。本システムは、プランジャ部材及び注射器本体に動作可能に連結する制動部材を更に備えてもよく、この制動部材は、注射器本体に対するプランジャ部材の挿入を促進するが、制動部材が制動解除構成の第２のモードに配置されるまで、第１のモードにおいて注射器本体に対するプランジャ部材の格納に抵抗するように構成されている。制動部材は、プレートアパーチャー制動部を備えてもよい。プレートアパーチャー制動部は、一片の板金を含んでもよく、それを通してアパーチャーが形成されている。本システムは、プランジャが注射器本体に対して完全に挿入された後で、注射器本体に対するプランジャの格納を促進するように構成されている、ばね部材を更に備えてもよい。プレートアパーチャー制動部は、ばね部材の少なくとも一部の可塑性変形を誘導することによって、第１のモードから第２のモードに切り替わるように構成されていてもよい。プランジャ部材の格納は、第２のモードにおいて格納始動荷重の適用を通して促進され得る。格納始動荷重は、制動部材に動作可能に連結したばね部材によって適用されてもよい。格納開始荷重は、プランジャ部材と注射器本体との間で連結したばね部材によって適用されてもよい。ばね部材は、コイルばね、板ばね、及びエラストマーばね要素から成る群から選択され得る。ばね部材は、コイルばね、板ばね、及びエラストマーばね要素から成る群から選択され得る。真空荷重は、プランジャを注射器本体に対して少なくとも部分的に格納するのに十分であり得る。プランジャの格納は、針の少なくとも一部が注射器本体の内部薬剤チャンバ中に引き込まれるように、相互連結したストッパー部材及び針を格納してもよい。本システムは、少なくとも針の尖った遠位端を一時的に収納及び保護すると同時に、ユーザーによる設置時に、針の尖った近位端を、注射器本体との接合のために整列させるようにも構成されている、内部容積を画定する針被覆部材を更に備えてもよい。針被覆部材は、少なくとも１つのスナップオーバー式戻り止め接合部によって針に着脱可能に連結し得る。針被覆部材は、少なくとも２つのスナップオーバー式戻り止め接合部によって針に着脱可能に連結し得る。スナップオーバー式戻り止め接合部は、戻り止めがねじり荷重によって機械的に克服されるまで、針の軸と実質的に整列している軸を中心とした針被覆部材の回転を防止するように配向されてもよい。ナップオーバー式戻り止め接合部は、戻り止めが軸荷重によって機械的に克服されるまで、針に対する針被覆部材の軸方向運動を防止するように配向されてもよい。針被覆部材の内部容積は、針及び注射器本体が手動で相互連結されるときに、針の尖った近位端を注射器本体に対して誘導するように構成されている、複数の内向きの放射状の突出表面を備えていて
もよい。薬剤チャンバは、チャンバの長さによって画定されてもよく、針は、チャンバの長さ以上である針の長さによって画定される。本システムは、注射器本体の近位端に連結した延長部材を更に備えてもよく、この延長部材は、プランジャ部材に動作可能に連結し、針が内部薬剤チャンバ及び延長部材によって画定される容積中に完全に引き込まれるときに、針の少なくとも一部を収納するように構成され得る。本システムは、注射器本体の近位端に連結した延長部材を更に備えてもよく、この延長部材は、プランジャ部材に動作可能に連結し、ストッパーがそれが少なくとも部分的に内部薬剤チャンバを出る程度に引き込まれる場合に、ストッパー部材を収容するように構成され、この延長部材は、ストッパー部材の延長チャンバ中への引き込みの際に遠位表面に直接隣接して位置付けられる流体収容表面を備え、この流体収容表面は、薬剤の残留液滴を収容するように構成され、それらが流体収容表面によって収容されるようになるまで、ストッパー部材の遠位表面に連結したままであり得る。プランジャ部材は、プランジャ係止部材が非係止状態にあるときに、操作者によって手動で格納されるように構成されていてもよい。針の遠位端は、内部薬剤チャンバ内に構造的にカプセル化されるようになってもよい。針の遠位端は、針ドア部材によって構造的にカプセル化されるようになってもよく、この針ドア部材は、注射器本体に移動可能に連結し、針ドア部材が注射器本体に対する針の挿入を促進する第１の状態と、針ドア部材が注射器本体に対する針の挿入を防止する第２の状態と、を有するように構成され得る。
【００２８】
別の実施形態は、注射のためのシステムを対象とし、本システムは、内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、近位端が、注射器本体の遠位針接合部に着脱可能に連結し、プランジャ係止部材を係止状態から非係止状態に転換するために、プランジャ部材の注射器本体に対する操作の際に内部薬剤チャンバ中に少なくとも部分的に格納可能であり、プランジャ係止部材が、注射器本体とプランジャ部材との間で摺動可能かつ回転可能に相互連結することで、プランジャ部材の注射器部材に対する実質的に完全な挿入の際に、係止状態から非係止状態に変換し、かつプランジャ部材がストッパー部材を完全挿入位置に挿入することを可能にするために、プランジャ係止部材が、軸方向に移動し、回転もする、針と、を備え、内部薬剤チャンバの内容物の実質的に全ては、針から放出され得る。
【００２９】
別の実施形態は、注射のためのシステムを対象とし、本システムは、内部薬剤チャンバを画定する注射器本体及び遠位針接合部；薬剤を薬剤チャンバ内に収容するために内部薬剤チャンバに挿入されるように構成されているストッパー部材；近位操作インターフェースを使用してストッパー部材を注射器本体に対して挿入するために手動で操作されるように構成されているプランジャ部材；プランジャ部材を通して画定される内腔内に配設されるばね部材；近位端及び遠位端を有する針であって、近位端が、注射器本体の遠位針接合部に着脱可能に連結し、プランジャ係止部材を係止状態から非係止状態に転換するために、プランジャ部材の注射器本体に対する操作の際に内部薬剤チャンバ中に少なくとも部分的に格納可能であり、プランジャ係止部材が、注射器本体とプランジャ部材との間で相互連結する、針、を備え；プランジャ係止部材は、実質的にプランジャ部材の内腔内に配設され、ばね部材が、係止状態において、非係止状態にあるときよりも圧縮されるように、ばね部材に連結し、近位操作インターフェースは、非係止状態におけるプランジャ部材格納速度を制御するために、手動の係合を促進するように構成されている。
【００３０】
別の実施形態は、注射のためのシステムを対象とし、本システムは、内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び尖った遠位端を有する針であって、近位端が、注射器本体の遠位針接合部に着脱可能に連結し、プランジャ係止部材を係止状態から非係止状態に転換するために、プランジャ部材の注射器本体に対する操作の際に内部薬剤チャンバ中に少なくとも部分的に格納可能であり、プランジャ係止部材が、注射器本体とプランジャ部材との間で相互連結する、針、を備え；プランジャ係止部材は、実質的にプランジャ部材によって画定される内腔内に配設され；非係止状態において、プランジャ部材が、プランジャ部材注射器本体の移動を防止するように構成されているプランジャ係止部材を備える１つ以上の歯様構造によって、注射器本体に対して再挿入されるのを少なくとも部分的に防止する。
【００３１】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材に連結し、ストッパー部材を注射器本体に対して挿入するように構成されている、プランジャ部材；ならびに近位端及び遠位端を有する針であって、近位端が、ストッパー部材中に少なくとも部分的に挿入されることで、ストッパー部材の格納の際に、針をストッパーと共に近位に引っ張って、内部薬剤チャンバ内に少なくとも部分的に収容するように構成されているアンカー幾何形状を備える、針、を備え；ストッパー部材は、ねじ式近位接合部を画定し、プランジャ部材は、ストッパー部材のねじ式近位接合部中に螺旋状に連結するように構成されている遠位ねじ式接合部を有し、遠位ねじ式接合部がストッパー部材のねじ式近位接合部に対して意図的に小さいことで、かかる螺旋状の連結の際に、ストッパー部材の外側幾何形状は、ストッパー部材とプランジャ部材の遠位ねじ式接合部との間の螺旋状の相互連結により実質的に増加しない。
【００３２】
別の実施形態は、注射のためのシステムを対象とし、本システムは、近位端及び遠位端を有し、内部薬剤チャンバを画定する注射器本体；薬剤を薬剤チャンバ内に収容するために内部薬剤チャンバに挿入されるように構成されているストッパー部材；ストッパー部材を注射器本体に対して移動させるために手動で操作されるように構成されている近位接合部を備える、プランジャ部材；尖った遠位端を有する針；ならびに注射器本体の近位端に連結しているフランジ延長部材であって、プランジャ部材に動作可能に連結し、プランジャ部材の注射器本体に対する挿入を引き起こすのに必要な軸方向の圧縮スロー距離を減少させる、注射器本体のための近位操作インターフェースを提供するように構成されている、フランジ延長部材、を備える。
【００３３】
別の実施形態は、注射のためのシステムを対象とし、本システムは、近位端及び遠位端を有し、チャンバの長さを有する内部薬剤チャンバを画定する注射器本体；薬剤を薬剤チャンバ内に収容するために内部薬剤チャンバに挿入されるように構成されているストッパー部材；ストッパー部材を注射器本体に対して移動させるために手動で操作されるように構成されている近位接合部を備える、プランジャ部材；尖った遠位端を有し、チャンバの長さ以上である針の長さによって画定される針；ならびに注射器本体の近位端に連結した延長部材であって、プランジャ部材に動作可能に連結し、針が内部薬剤チャンバ及び延長部材によって画定される容積中に完全に引き込まれるときに、針の少なくとも一部を収納するように構成されている、延長部材、を備える。
【００３４】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；近位接合部を備え、ストッパー部材を注射器本体に対して挿入するために手動で操作されるように構成されている、プランジャ部材；ならびに近位端及び遠位端を有する針であって、近位端が、ストッパー部材中に少なくとも部分的に挿入されることで、ストッパー部材の格納の際に、針をストッパーと共に近位に引っ張って、内部薬剤チャンバ内に少なくとも部分的に収容するように構成されているアンカー幾何形状を備える、針；注射器本体の近位端に連結し、プランジャ部材の近位接合部に対する注射器本体のための近位操作インターフェースを提供するように構成されている、フランジ部材、を備え；フランジ部材は、意図的に脱連結が困難であるために、プランジャ部材と注射器本体との間の移動可能な連結を保持する連結機構と組み立てられるように構成されている、２つ以上の部品の組立体を備える。
【００３５】
別の実施形態は、注射のためのシステムを対象とし、本システムは、内部薬剤チャンバを画定し、遠位に位置付けられたねじ式ルアーロック接続具に固定して連結する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；ならびに近位端及び遠位端を有する針であって、針近位端が、針連結部材を使用してルアーロック接続具に連結し、針連結部材が、ルアーロック接続具に対してラチェット連結係合を含むことで、針連結部材が、第１の方向の回転によってルアーロック接続具上に容易にねじ込まれ得るが、第１の方向と反対の第２の方向の回転による脱連結は防止され得るようにする、針、を備える。
【００３６】
別の実施形態は、注射のためのシステムを対象とし、本システムは、内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針であって、近位端が、ストッパー部材中に少なくとも部分的に挿入されることで、ストッパー部材の格納の際に、針をストッパーと共に近位に引っ張って、内部薬剤チャンバ内に少なくとも部分的に収容するように構成されているアンカー幾何形状を備える、針；針上の第１の既知の場所に連結する第１のイメージングマーカー；針上の第２の既知の場所に連結する第２のイメージングマーカー；ならびに第１及び第２のイメージングマーカーの位置を検出することで、針の配向を全体座標システムに対して決定し得るように構成されている、イメージングシステム、を備える。
【００３７】
別の実施形態は、注射のためのシステムを対象とし、本システムは、近位端及び遠位端を有し、内部薬剤チャンバを画定する注射器本体；薬剤を薬剤チャンバ内に収容するために内部薬剤チャンバに挿入されるように構成されているストッパー部材であって、薬剤チャンバ内の薬剤と直接接触するように構成されている遠位表面を備える、ストッパー部材；ストッパー部材を注射器本体に対して移動させるために手動で操作されるように構成されている近位接合部を備える、プランジャ部材；尖った遠位端を有する針；ならびに注射器本体の近位端に連結した延長部材であって、延長部材が、プランジャ部材に動作可能に連結し、ストッパーがそれが少なくとも部分的に内部薬剤チャンバを出る程度に引き込まれる場合に、ストッパー部材を収容するように構成され、延長部材が、ストッパー部材の延長チャンバ中への引き込みの際に遠位表面に直接隣接して位置付けられる流体収容表面を備え、流体収容表面が、薬剤の残留液滴を収容するように構成され、それらが流体収容表面によって収容されるようになるまで、ストッパー部材の遠位表面に連結したままであり得る、延長部材、を備える。
【００３８】
本発明の別の実施形態は、凍結乾燥形態で提供されてもよい注射可能な薬剤を患者に投与するための格納可能な安全注射システムを対象とする。本システムは、針格納機構の不注意による始動を防止し、同時に、凍結乾燥した薬剤成分を、本注射システムの注射器本体内に収納され得る希釈成分で戻すかまたはそれと組み合わせるための機構を備えてもよい。本システムは、深さ止めを備えてもよく、この深さ止めは、格納機構の係止部の移動を一時的に防止することによって、針格納機構の不注意による始動を防止するように構成されているバイアルアダプター構成要素に取り付けられる。
【００３９】
本発明の別の実施形態は、凍結乾燥形態で提供されてもよい注射可能な薬剤を患者に投与するための格納可能な安全注射器注射システムを対象とし、凍結乾燥形態の薬剤は最初はバイアル中に収容されてもよく、注射器本体の薬剤チャンバ内に収容されている希釈剤が、手動による振とうまたは撹拌などによって、凍結乾燥した薬剤と確実に混合され得るように、バイアルを、格納可能な安全注射器注射システムを備える注射器本体に連結するために、アダプターを提供してもよい。凍結乾燥した薬剤のバイアルアダプターは、所定の荷重及び／またはトルクで解放して、バイアルアダプター及び注射器本体が適切に連結したことを示すように構成されているクラッチ機構を備えてもよい。クラッチ機構は、注射器本体ルアーロックリングの過大なトルキングを防止し、それにより、振とうまたは撹拌の際にバイアルアダプターの注射器本体からの脱係合を引き起こし得るリングの損傷または緩みを防止するように構成され得る。バイアルアダプターは、細長い形状を含んでもよく、これは、注射器本体を、注射器本体の一部に連結するかまたはそれらを含む指操作フランジ構成要素に取り付けてもよい細長いバイアルアダプター形状の一部によって少なくとも部分的にカプセル化することによって、注射器本体と凍結乾燥した薬剤のバイアルとの間の連結を強化するように構成されている。本システムは、針被覆部または遮蔽部を備えてもよく、これは、注射針部材の１つ以上の部分を単離し、針部材の一部を注射器本体に対して連結位置へと誘導し、針を所定のトルク荷重ウィンドウ内で注射器本体のルアーロックアダプターに取り付けるためにクラッチ機構を提供するように構成されている。針被覆部または遮蔽部は、所定の最大トルク荷重が達成されるまで解放しないように構成され得る。バイアルアダプター、針組立体、及び希釈剤を充填した安全注射用注射器本体は、一実施形態ではキットしてエンドユーザーに提示されてもよい。本システムは、近位機構を備えてもよく、この近位機構は、格納が所望されるまで格納機構の係止部材が移動するのを防止することによって、針部材格納機構の不注意による始動を防止するように構成されている。
【００４０】
本発明の別の実施形態は、注射器本体の遠位部分に対して針突刺構成で取り付けられた針を持つ格納可能な安全注射用注射器システムを対象とする。突刺針組立体、針係止機構、及びプランジャ構造は、注射器本体と動作可能に連結してもよく、プランジャ構造は、針格納機構の始動の前に、総投与量の薬剤が注射器本体の薬剤チャンバから放出されることを確実にすることを支援するために、所定の軸方向のコンプライアンスを有する。針格納機構の始動を制御するための係止機構は、針組立体構成要素の１つ以上の部分の中に画定される１つ以上の機構から離れてまたはそれに対して移動して、針を注射器本体に対して格納するために格納メカニズムを解放するように構成されている１つ以上の要素を備えてもよい。
【００４１】
本発明の別の実施形態は、凍結乾燥形態で提供され、デュアルチャンバ注射器本体の形態で操作者に提示される注射可能な薬剤を患者に投与するための格納可能な安全針注射器注射システムを対象とし、これにおいては、凍結乾燥した薬剤成分などの第１の薬剤成分と、希釈液などの第２の薬剤成分との両方が、同じ注射器本体内に収納され、これらは、プランジャを完全に挿入して混合した薬剤を針部材遠位先端を通して患者へと注射する前に、本システムのプランジャ構成要素を操作することによって、患者への注射に備えて混合され得る。本システムは、２つの構成要素を、針の一部を通して及び／またはプランジャ先端若しくはストッパー組立体の一部の周囲で、一方の構成要素を他方へと送達することによって混合するように構成されていてもよい。一実施形態では、バイパス幾何形状を注射器本体中に創出して、一方の構成要素がプランジャ先端またはストッパー組立体の一部の周囲をプランジャ組立体の注射器本体に対する所定の長手方向の相対的位置で通過することを促進してもよい。
【００４２】
本発明の別の実施形態は、注射可能な薬剤を患者に投与するための格納可能な安全針注射器注射システムを対象とし、格納機構は、針部材を、プランジャ組立体の領域の中に実質的にまたは完全に格納するように構成されている。針部材は、それがプランジャ組立体の遠位端にてコンプライアントプランジャ先端またはストッパーを通して格納された後で、プランジャ組立体収納部の内径の中に格納されるように構成されていてもよい。カートリッジ型構成を利用して注射を実施してもよく、これにおいては、再利用可能な収納部、ペン型収納部構成、または自己注射器構成が、格納可能な安全針注射器注射システムの周囲に装備される。
【００４３】
本発明の前述の実施形態及び他の実施形態を、以下の発明を実施するための形態において記載する。
【図面の簡単な説明】
【００４４】
【図１Ａ】従来の注射用シリンジ構成の様々な態様を例示する。
【図１Ｂ】従来の注射用シリンジ構成の様々な態様を例示する。
【図２Ａ】従来の注射用シリンジ構成の様々な態様を例示する。
【図２Ｂ】従来の注射用シリンジ構成の様々な態様を例示する。
【図３】従来の注射用シリンジ構成の様々な態様を例示する。
【図４Ａ】従来の注射用シリンジ構成の様々な態様を例示する。
【図４Ｂ】従来の注射用シリンジ構成の様々な態様を例示する。
【図５Ａ】従来の注射用シリンジ構成の様々な態様を例示する。
【図５Ｂ】従来の注射用シリンジ構成の様々な態様を例示する。
【図５Ｃ】従来の注射用シリンジ構成の様々な態様を例示する。
【図６Ａ】遠位針先端が使用後に保護されている構成へと引き込まれ得る安全注射システム構成の様々な態様を例示する。
【図６Ｂ】遠位針先端が使用後に保護されている構成へと引き込まれ得る安全注射システム構成の様々な態様を例示する。
【図６Ｃ】遠位針先端が使用後に保護されている構成へと引き込まれ得る安全注射システム構成の様々な態様を例示する。
【図６Ｄ】遠位針先端が使用後に保護されている構成へと引き込まれ得る安全注射システム構成の様々な態様を例示する。
【図６Ｅ】遠位針先端が使用後に保護されている構成へと引き込まれ得る安全注射システム構成の様々な態様を例示する。
【図６Ｆ】遠位針先端が使用後に保護されている構成へと引き込まれ得る安全注射システム構成の様々な態様を例示する。
【図６Ｇ】遠位針先端が使用後に保護されている構成へと引き込まれ得る安全注射システム構成の様々な態様を例示する。
【図６Ｈ】遠位針先端が使用後に保護されている構成へと引き込まれ得る安全注射システム構成の様々な態様を例示する。
【図６Ｉ】遠位針先端が使用後に保護されている構成へと引き込まれ得る安全注射システム構成の様々な態様を例示する。
【図６Ｊ】遠位針先端が使用後に保護されている構成へと引き込まれ得る安全注射システム構成の様々な態様を例示する。
【図６Ｋ】遠位針先端が使用後に保護されている構成へと引き込まれ得る安全注射システム構成の様々な態様を例示する。
【図６Ｌ】遠位針先端が使用後に保護されている構成へと引き込まれ得る安全注射システム構成の様々な態様を例示する。
【図６Ｍ】遠位針先端が使用後に保護されている構成へと引き込まれ得る安全注射システム構成の様々な態様を例示する。
【図６Ｎ】遠位針先端が使用後に保護されている構成へと引き込まれ得る安全注射システム構成の様々な態様を例示する。
【図６Ｏ】遠位針先端が使用後に保護されている構成へと引き込まれ得る安全注射システム構成の様々な態様を例示する。
【図６Ｐ】遠位針先端が使用後に保護されている構成へと引き込まれ得る安全注射システム構成の様々な態様を例示する。
【図６Ｑ】遠位針先端が使用後に保護されている構成へと引き込まれ得る安全注射システム構成の様々な態様を例示する。
【図６Ｒ】遠位針先端が使用後に保護されている構成へと引き込まれ得る安全注射システム構成の様々な態様を例示する。
【図６Ｓ】遠位針先端が使用後に保護されている構成へと引き込まれ得る安全注射システム構成の様々な態様を例示する。
【図７Ａ】遠位針先端が使用後に保護されている構成へと引き込まれ得る安全注射システム構成の様々な態様を例示する。
【図７Ｂ】遠位針先端が使用後に保護されている構成へと引き込まれ得る安全注射システム構成の様々な態様を例示する。
【図７Ｃ】遠位針先端が使用後に保護されている構成へと引き込まれ得る安全注射システム構成の様々な態様を例示する。
【図７Ｄ】遠位針先端が使用後に保護されている構成へと引き込まれ得る安全注射システム構成の様々な態様を例示する。
【図７Ｅ】遠位針先端が使用後に保護されている構成へと引き込まれ得る安全注射システム構成の様々な態様を例示する。
【図７Ｆ】遠位針先端が使用後に保護されている構成へと引き込まれ得る安全注射システム構成の様々な態様を例示する。
【図７Ｇ】遠位針先端が使用後に保護されている構成へと引き込まれ得る安全注射システム構成の様々な態様を例示する。
【図７Ｈ】遠位針先端が使用後に保護されている構成へと引き込まれ得る安全注射システム構成の様々な態様を例示する。
【図７Ｉ】遠位針先端が使用後に保護されている構成へと引き込まれ得る安全注射システム構成の様々な態様を例示する。
【図７Ｊ】遠位針先端が使用後に保護されている構成へと引き込まれ得る安全注射システム構成の様々な態様を例示する。
【図８Ａ】遠位に配設された有鍵針及び係止部材接合部を利用して、安全な位置への格納のために針を制御可能に解放し得る、安全注射システムの様々な態様を例示する。
【図８Ｂ】遠位に配設された有鍵針及び係止部材接合部を利用して、安全な位置への格納のために針を制御可能に解放し得る、安全注射システムの様々な態様を例示する。
【図８Ｃ】遠位に配設された有鍵針及び係止部材接合部を利用して、安全な位置への格納のために針を制御可能に解放し得る、安全注射システムの様々な態様を例示する。
【図８Ｄ】遠位に配設された有鍵針及び係止部材接合部を利用して、安全な位置への格納のために針を制御可能に解放し得る、安全注射システムの様々な態様を例示する。
【図８Ｅ】遠位に配設された有鍵針及び係止部材接合部を利用して、安全な位置への格納のために針を制御可能に解放し得る、安全注射システムの様々な態様を例示する。
【図８Ｆ】遠位に配設された有鍵針及び係止部材接合部を利用して、安全な位置への格納のために針を制御可能に解放し得る、安全注射システムの様々な態様を例示する。
【図８Ｇ】遠位に配設された有鍵針及び係止部材接合部を利用して、安全な位置への格納のために針を制御可能に解放し得る、安全注射システムの様々な態様を例示する。
【図８Ｈ】遠位に配設された有鍵針及び係止部材接合部を利用して、安全な位置への格納のために針を制御可能に解放し得る、安全注射システムの様々な態様を例示する。
【図８Ｉ】遠位に配設された有鍵針及び係止部材接合部を利用して、安全な位置への格納のために針を制御可能に解放し得る、安全注射システムの様々な態様を例示する。
【図８Ｊ】遠位に配設された有鍵針及び係止部材接合部を利用して、安全な位置への格納のために針を制御可能に解放し得る、安全注射システムの様々な態様を例示する。
【図８Ｋ】遠位に配設された有鍵針及び係止部材接合部を利用して、安全な位置への格納のために針を制御可能に解放し得る、安全注射システムの様々な態様を例示する。
【図８Ｌ】遠位に配設された有鍵針及び係止部材接合部を利用して、安全な位置への格納のために針を制御可能に解放し得る、安全注射システムの様々な態様を例示する。
【図８Ｍ】遠位に配設された有鍵針及び係止部材接合部を利用して、安全な位置への格納のために針を制御可能に解放し得る、安全注射システムの様々な態様を例示する。
【図８Ｎ】遠位に配設された有鍵針及び係止部材接合部を利用して、安全な位置への格納のために針を制御可能に解放し得る、安全注射システムの様々な態様を例示する。
【図８Ｏ】遠位に配設された有鍵針及び係止部材接合部を利用して、安全な位置への格納のために針を制御可能に解放し得る、安全注射システムの様々な態様を例示する。
【図８Ｐ】遠位に配設された有鍵針及び係止部材接合部を利用して、安全な位置への格納のために針を制御可能に解放し得る、安全注射システムの様々な態様を例示する。
【図９Ａ】注射器本体の薬剤チャンバの遠位端に隣接して配設された有鍵針及び係止部材接合部を利用して、安全な位置への格納のために針を制御可能に解放し得る、安全注射システムの様々な態様を例示する。
【図９Ｂ】注射器本体の薬剤チャンバの遠位端に隣接して配設された有鍵針及び係止部材接合部を利用して、安全な位置への格納のために針を制御可能に解放し得る、安全注射システムの様々な態様を例示する。
【図９Ｃ】注射器本体の薬剤チャンバの遠位端に隣接して配設された有鍵針及び係止部材接合部を利用して、安全な位置への格納のために針を制御可能に解放し得る、安全注射システムの様々な態様を例示する。
【図１０Ａ】片持式係止機構を利用して、安全な位置への格納のために針を制御可能に解放し得る、安全注射システムの様々な態様を例示する。
【図１０Ｂ】片持式係止機構を利用して、安全な位置への格納のために針を制御可能に解放し得る、安全注射システムの様々な態様を例示する。
【図１０Ｃ】片持式係止機構を利用して、安全な位置への格納のために針を制御可能に解放し得る、安全注射システムの様々な態様を例示する。
【図１０Ｄ】片持式係止機構を利用して、安全な位置への格納のために針を制御可能に解放し得る、安全注射システムの様々な態様を例示する。
【図１０Ｅ】片持式係止機構を利用して、安全な位置への格納のために針を制御可能に解放し得る、安全注射システムの様々な態様を例示する。
【図１０Ｆ】片持式係止機構を利用して、安全な位置への格納のために針を制御可能に解放し得る、安全注射システムの様々な態様を例示する。
【図１０Ｇ】片持式係止機構を利用して、安全な位置への格納のために針を制御可能に解放し得る、安全注射システムの様々な態様を例示する。
【図１０Ｈ】片持式係止機構を利用して、安全な位置への格納のために針を制御可能に解放し得る、安全注射システムの様々な態様を例示する。
【図１０Ｉ】片持式係止機構を利用して、安全な位置への格納のために針を制御可能に解放し得る、安全注射システムの様々な態様を例示する。
【図１０Ｊ】片持式係止機構を利用して、安全な位置への格納のために針を制御可能に解放し得る、安全注射システムの様々な態様を例示する。
【図１０Ｋ】片持式係止機構を利用して、安全な位置への格納のために針を制御可能に解放し得る、安全注射システムの様々な態様を例示する。
【図１０Ｌ】片持式係止機構を利用して、安全な位置への格納のために針を制御可能に解放し得る、安全注射システムの様々な態様を例示する。
【図１１Ａ】連結部材の一部を制御可能に妨害して、安全な位置への格納のために針を解放し得る、安全注射システムの様々な態様を例示する。
【図１１Ｂ】連結部材の一部を制御可能に妨害して、安全な位置への格納のために針を解放し得る、安全注射システムの様々な態様を例示する。
【図１１Ｃ】連結部材の一部を制御可能に妨害して、安全な位置への格納のために針を解放し得る、安全注射システムの様々な態様を例示する。
【図１１Ｄ】連結部材の一部を制御可能に妨害して、安全な位置への格納のために針を解放し得る、安全注射システムの様々な態様を例示する。
【図１２Ａ】連結部材の一部を制御可能に拡張して、安全な位置への格納のために針を解放し得る、安全注射システムの様々な態様を例示する
【図１２Ｂ】連結部材の一部を制御可能に拡張して、安全な位置への格納のために針を解放し得る、安全注射システムの様々な態様を例示する
【図１２Ｃ】連結部材の一部を制御可能に拡張して、安全な位置への格納のために針を解放し得る、安全注射システムの様々な態様を例示する
【図１２Ｄ】連結部材の一部を制御可能に拡張して、安全な位置への格納のために針を解放し得る、安全注射システムの様々な態様を例示する
【図１２Ｅ】連結部材の一部を制御可能に拡張して、安全な位置への格納のために針を解放し得る、安全注射システムの様々な態様を例示する
【図１２Ｆ】連結部材の一部を制御可能に拡張して、安全な位置への格納のために針を解放し得る、安全注射システムの様々な態様を例示する
【図１２Ｇ】連結部材の一部を制御可能に拡張して、安全な位置への格納のために針を解放し得る、安全注射システムの様々な態様を例示する
【図１２Ｈ】連結部材の一部を制御可能に拡張して、安全な位置への格納のために針を解放し得る、安全注射システムの様々な態様を例示する
【図１２Ｉ】連結部材の一部を制御可能に拡張して、安全な位置への格納のために針を解放し得る、安全注射システムの様々な態様を例示する
【図１２Ｊ】連結部材の一部を制御可能に拡張して、安全な位置への格納のために針を解放し得る、安全注射システムの様々な態様を例示する
【図１２Ｋ】連結部材の一部を制御可能に拡張して、安全な位置への格納のために針を解放し得る、安全注射システムの様々な態様を例示する
【図１２Ｌ】連結部材の一部を制御可能に拡張して、安全な位置への格納のために針を解放し得る、安全注射システムの様々な態様を例示する
【図１２Ｍ】連結部材の一部を制御可能に拡張して、安全な位置への格納のために針を解放し得る、安全注射システムの様々な態様を例示する
【図１２Ｎ】連結部材の一部を制御可能に拡張して、安全な位置への格納のために針を解放し得る、安全注射システムの様々な態様を例示する
【図１２Ｏ】連結部材の一部を制御可能に拡張して、安全な位置への格納のために針を解放し得る、安全注射システムの様々な態様を例示する
【図１３Ａ】安全注射システム及びその部分の様々な態様を例示する。
【図１３Ｂ】安全注射システム及びその部分の様々な態様を例示する。
【図１３Ｃ】安全注射システム及びその部分の様々な態様を例示する。
【図１３Ｄ】安全注射システム及びその部分の様々な態様を例示する。
【図１３Ｅ】安全注射システム及びその部分の様々な態様を例示する。
【図１３Ｆ】安全注射システム及びその部分の様々な態様を例示する。
【図１３Ｇ】安全注射システム及びその部分の様々な態様を例示する。
【図１３Ｈ】安全注射システム及びその部分の様々な態様を例示する。
【図１３Ｉ】安全注射システム及びその部分の様々な態様を例示する。
【図１３Ｊ】安全注射システム及びその部分の様々な態様を例示する。
【図１４Ａ】安全注射システム及びその部分の様々な態様を例示する。
【図１４Ｂ】安全注射システム及びその部分の様々な態様を例示する。
【図１４Ｃ】安全注射システム及びその部分の様々な態様を例示する。
【図１４Ｄ】安全注射システム及びその部分の様々な態様を例示する。
【図１４Ｅ】安全注射システム及びその部分の様々な態様を例示する。
【図１４Ｆ】安全注射システム及びその部分の様々な態様を例示する。
【図１４Ｇ】安全注射システム及びその部分の様々な態様を例示する。
【図１４Ｈ】安全注射システム及びその部分の様々な態様を例示する。
【図１５】図６Ａ〜１２Ｏを参照して説明するものなどの安全注射構成を利用して注射手順を実施するためのプロセスを例示する。
【図１６】図６Ａ〜１２Ｏを参照して説明するものなどの安全注射構成を利用して注射手順を実施するためのプロセスを例示する。
【図１７】図６Ａ〜１２Ｏを参照して説明するものなどの安全注射構成を利用して注射手順を実施するためのプロセスを例示する。
【図１８Ａ】図６Ａ〜１２Ｏを参照して説明するものなどの安全注射構成を利用して注射手順を実施するためのプロセスを例示する。
【図１８Ｂ】図６Ａ〜１２Ｏを参照して説明するものなどの安全注射構成を利用して注射手順を実施するためのプロセスを例示する。
【図１９】図６Ａ〜１２Ｏを参照して説明するものなどの安全注射構成を利用して注射手順を実施するためのプロセスを例示する。
【図２０】図６Ａ〜１２Ｏを参照して説明するものなどの安全注射構成を利用して注射手順を実施するためのプロセスを例示する。
【図２１】図６Ａ〜１２Ｏを参照して説明するものなどの安全注射構成を利用して注射手順を実施するためのプロセスを例示する。
【図２２】図６Ａ〜１２Ｏを参照して説明するものなどの安全注射構成を利用して注射手順を実施するためのプロセスを例示する。
【図２３】図６Ａ〜１２Ｏを参照して説明するものなどの安全注射構成を利用して注射手順を実施するためのプロセスを例示する。
【図２４】図６Ａ〜１２Ｏを参照して説明するものなどの安全注射構成を利用して注射手順を実施するためのプロセスを例示する。
【図２５】図６Ａ〜１２Ｏを参照して説明するものなどの安全注射構成を利用して注射手順を実施するためのプロセスを例示する。
【図２６】図６Ａ〜１２Ｏを参照して説明するものなどの安全注射構成を利用して注射手順を実施するためのプロセスを例示する。
【図２７】図６Ａ〜１２Ｏを参照して説明するものなどの安全注射構成を利用して注射手順を実施するためのプロセスを例示する。
【図２８】図６Ａ〜１２Ｏを参照して説明するものなどの安全注射構成を利用して注射手順を実施するためのプロセスを例示する。
【図２９】図６Ａ〜１２Ｏを参照して説明するものなどの安全注射構成を利用して注射手順を実施するためのプロセスを例示する。
【図３０】図６Ａ〜１２Ｏを参照して説明するものなどの安全注射構成を利用して注射手順を実施するためのプロセスを例示する。
【図３１】図６Ａ〜１２Ｏを参照して説明するものなどの安全注射構成を利用して注射手順を実施するためのプロセスを例示する。
【図３２】図６Ａ〜１２Ｏを参照して説明するものなどの安全注射構成を利用して注射手順を実施するためのプロセスを例示する。
【図３３】図６Ａ〜１２Ｏを参照して説明するものなどの安全注射構成を利用して注射手順を実施するためのプロセスを例示する。
【図３４】図６Ａ〜１２Ｏを参照して説明するものなどの安全注射構成を利用して注射手順を実施するためのプロセスを例示する。
【図３５】図６Ａ〜１２Ｏを参照して説明するものなどの安全注射構成を利用して注射手順を実施するためのプロセスを例示する。
【図３６】図６Ａ〜１２Ｏを参照して説明するものなどの安全注射構成を利用して注射手順を実施するためのプロセスを例示する。
【図３７】図６Ａ〜１２Ｏを参照して説明するものなどの安全注射構成を利用して注射手順を実施するためのプロセスを例示する。
【図３８Ａ】遠位針先端が使用後に保護されている構成へと引き込まれ得る安全注射システム構成の様々な態様を例示する。
【図３８Ｂ】遠位針先端が使用後に保護されている構成へと引き込まれ得る安全注射システム構成の様々な態様を例示する。
【図３８Ｃ】遠位針先端が使用後に保護されている構成へと引き込まれ得る安全注射システム構成の様々な態様を例示する。
【図３９Ａ】プランジャ及び／または針格納機構が、格納機構の始動なくプランジャの移動を促進するために、一時的に迂回するかまたは無効になり得る、安全注射システム構成の様々な態様を例示する。
【図３９Ｂ】プランジャ及び／または針格納機構が、格納機構の始動なくプランジャの移動を促進するために、一時的に迂回するかまたは無効になり得る、安全注射システム構成の様々な態様を例示する。
【図４０Ａ】プランジャ及び／または針格納機構が、格納機構の始動なくプランジャの移動を促進するために、一時的に迂回するかまたは無効になり得る、安全注射システム構成の様々な態様を例示する。
【図４０Ｂ】プランジャ及び／または針格納機構が、格納機構の始動なくプランジャの移動を促進するために、一時的に迂回するかまたは無効になり得る、安全注射システム構成の様々な態様を例示する。
【図４０Ｃ】プランジャ及び／または針格納機構が、格納機構の始動なくプランジャの移動を促進するために、一時的に迂回するかまたは無効になり得る、安全注射システム構成の様々な態様を例示する。
【図４１Ａ】プランジャ及び／または針格納機構が、格納機構の始動なくプランジャの移動を促進するために、一時的に迂回するかまたは無効になり得る、安全注射システム構成の様々な態様を例示する。
【図４１Ｂ】プランジャ及び／または針格納機構が、格納機構の始動なくプランジャの移動を促進するために、一時的に迂回するかまたは無効になり得る、安全注射システム構成の様々な態様を例示する。
【図４１Ｃ】プランジャ及び／または針格納機構が、格納機構の始動なくプランジャの移動を促進するために、一時的に迂回するかまたは無効になり得る、安全注射システム構成の様々な態様を例示する。
【図４１Ｄ】プランジャ及び／または針格納機構が、格納機構の始動なくプランジャの移動を促進するために、一時的に迂回するかまたは無効になり得る、安全注射システム構成の様々な態様を例示する。
【図４１Ｅ】プランジャ及び／または針格納機構が、格納機構の始動なくプランジャの移動を促進するために、一時的に迂回するかまたは無効になり得る、安全注射システム構成の様々な態様を例示する。
【図４１Ｆ】プランジャ及び／または針格納機構が、格納機構の始動なくプランジャの移動を促進するために、一時的に迂回するかまたは無効になり得る、安全注射システム構成の様々な態様を例示する。
【図４２】図４１Ｆに示す構造のクローズアップ図である。
【図４３Ａ】クラッチ式バイアルアダプター構成の様々な態様を例示する。
【図４３Ｂ】クラッチ式バイアルアダプター構成の様々な態様を例示する。
【図４３Ｃ】クラッチ式バイアルアダプター構成の様々な態様を例示する。
【図４３Ｄ】クラッチ式バイアルアダプター構成の様々な態様を例示する。
【図４３Ｅ】クラッチ式バイアルアダプター構成の様々な態様を例示する。
【図４３Ｆ】クラッチ式バイアルアダプター構成の様々な態様を例示する。
【図４３Ｇ】クラッチ式バイアルアダプター構成の様々な態様を例示する。
【図４３Ｈ】クラッチ式バイアルアダプター構成の様々な態様を例示する。
【図４４Ａ】注射の準備を支援するために安定器組立体を利用する、安全な混合及び注射システムの様々な態様を例示する。
【図４４Ｂ】注射の準備を支援するために安定器組立体を利用する、安全な混合及び注射システムの様々な態様を例示する。
【図４４Ｃ】注射の準備を支援するために安定器組立体を利用する、安全な混合及び注射システムの様々な態様を例示する。
【図４４Ｄ】注射の準備を支援するために安定器組立体を利用する、安全な混合及び注射システムの様々な態様を例示する。
【図４４Ｅ】注射の準備を支援するために安定器組立体を利用する、安全な混合及び注射システムの様々な態様を例示する。
【図４４Ｆ】注射の準備を支援するために安定器組立体を利用する、安全な混合及び注射システムの様々な態様を例示する。
【図４４Ｇ】注射の準備を支援するために安定器組立体を利用する、安全な混合及び注射システムの様々な態様を例示する。
【図４４Ｈ】注射の準備を支援するために安定器組立体を利用する、安全な混合及び注射システムの様々な態様を例示する。
【図４４Ｉ】注射の準備を支援するために安定器組立体を利用する、安全な混合及び注射システムの様々な態様を例示する。
【図４４Ｊ】注射の準備を支援するために安定器組立体を利用する、安全な混合及び注射システムの様々な態様を例示する。
【図４４Ｋ】注射の準備を支援するために安定器組立体を利用する、安全な混合及び注射システムの様々な態様を例示する。
【図４４Ｌ】注射の準備を支援するために安定器組立体を利用する、安全な混合及び注射システムの様々な態様を例示する。
【図４５Ａ】過大なトルキングを防止するように構成されている針及び針被覆部係合構成の様々な態様を例示する。
【図４５Ｂ】過大なトルキングを防止するように構成されている針及び針被覆部係合構成の様々な態様を例示する。
【図４５Ｃ】過大なトルキングを防止するように構成されている針及び針被覆部係合構成の様々な態様を例示する。
【図４５Ｄ】過大なトルキングを防止するように構成されている針及び針被覆部係合構成の様々な態様を例示する。
【図４６】キット構成を例示する。
【図４７Ａ】片持式係止機構を利用して、安全な位置への格納のために針を制御可能に解放し得る、安全注射システムの様々な態様を例示する。
【図４７Ｂ】片持式係止機構を利用して、安全な位置への格納のために針を制御可能に解放し得る、安全注射システムの様々な態様を例示する。
【図４７Ｃ】片持式係止機構を利用して、安全な位置への格納のために針を制御可能に解放し得る、安全注射システムの様々な態様を例示する。
【図４７Ｄ】片持式係止機構を利用して、安全な位置への格納のために針を制御可能に解放し得る、安全注射システムの様々な態様を例示する。
【図４７Ｅ】片持式係止機構を利用して、安全な位置への格納のために針を制御可能に解放し得る、安全注射システムの様々な態様を例示する。
【図４７Ｆ】片持式係止機構を利用して、安全な位置への格納のために針を制御可能に解放し得る、安全注射システムの様々な態様を例示する。
【図４７Ｇ】片持式係止機構を利用して、安全な位置への格納のために針を制御可能に解放し得る、安全注射システムの様々な態様を例示する。
【図４８Ａ】安全注射構成の様々な態様を示し、この構成としては、「針突刺」型注射システムとして利用し得る構成が挙げられるが、これに限定されない。
【図４８Ｂ】安全注射構成の様々な態様を示し、この構成としては、「針突刺」型注射システムとして利用し得る構成が挙げられるが、これに限定されない。
【図４８Ｃ】安全注射構成の様々な態様を示し、この構成としては、「針突刺」型注射システムとして利用し得る構成が挙げられるが、これに限定されない。
【図４８Ｄ】安全注射構成の様々な態様を示し、この構成としては、「針突刺」型注射システムとして利用し得る構成が挙げられるが、これに限定されない。
【図４８Ｅ】安全注射構成の様々な態様を示し、この構成としては、「針突刺」型注射システムとして利用し得る構成が挙げられるが、これに限定されない。
【図４８Ｆ】安全注射構成の様々な態様を示し、この構成としては、「針突刺」型注射システムとして利用し得る構成が挙げられるが、これに限定されない。
【図４８Ｇ】安全注射構成の様々な態様を示し、この構成としては、「針突刺」型注射システムとして利用し得る構成が挙げられるが、これに限定されない。
【図４８Ｈ】安全注射構成の様々な態様を示し、この構成としては、「針突刺」型注射システムとして利用し得る構成が挙げられるが、これに限定されない。
【図４８Ｉ】安全注射構成の様々な態様を示し、この構成としては、「針突刺」型注射システムとして利用し得る構成が挙げられるが、これに限定されない。
【図４８Ｊ】安全注射構成の様々な態様を示し、この構成としては、「針突刺」型注射システムとして利用し得る構成が挙げられるが、これに限定されない。
【図４８Ｋ】安全注射構成の様々な態様を示し、この構成としては、「針突刺」型注射システムとして利用し得る構成が挙げられるが、これに限定されない。
【図４９Ａ】安全注射構成の様々な態様を示し、この構成としては、「針突刺」型注射システムとして利用し得る構成が挙げられるが、これに限定されない。
【図４９Ｂ】安全注射構成の様々な態様を示し、この構成としては、「針突刺」型注射システムとして利用し得る構成が挙げられるが、これに限定されない。
【図４９Ｃ】安全注射構成の様々な態様を示し、この構成としては、「針突刺」型注射システムとして利用し得る構成が挙げられるが、これに限定されない。
【図５０Ａ】安全注射構成の様々な態様を示し、この構成としては、「針突刺」型注射システムとして利用し得る構成が挙げられるが、これに限定されない。
【図５０Ｂ】安全注射構成の様々な態様を示し、この構成としては、「針突刺」型注射システムとして利用し得る構成が挙げられるが、これに限定されない。
【図５０Ｃ】安全注射構成の様々な態様を示し、この構成としては、「針突刺」型注射システムとして利用し得る構成が挙げられるが、これに限定されない。
【図５０Ｄ】安全注射構成の様々な態様を示し、この構成としては、「針突刺」型注射システムとして利用し得る構成が挙げられるが、これに限定されない。
【図５０Ｅ】安全注射構成の様々な態様を示し、この構成としては、「針突刺」型注射システムとして利用し得る構成が挙げられるが、これに限定されない。
【図５０Ｆ】安全注射構成の様々な態様を示し、この構成としては、「針突刺」型注射システムとして利用し得る構成が挙げられるが、これに限定されない。
【図５０Ｇ】安全注射構成の様々な態様を示し、この構成としては、「針突刺」型注射システムとして利用し得る構成が挙げられるが、これに限定されない。
【図５０Ｈ】安全注射構成の様々な態様を示し、この構成としては、「針突刺」型注射システムとして利用し得る構成が挙げられるが、これに限定されない。
【図５０Ｉ】安全注射構成の様々な態様を示し、この構成としては、「針突刺」型注射システムとして利用し得る構成が挙げられるが、これに限定されない。
【図５０Ｊ】安全注射構成の様々な態様を示し、この構成としては、「針突刺」型注射システムとして利用し得る構成が挙げられるが、これに限定されない。
【図５０Ｋ】安全注射構成の様々な態様を示し、この構成としては、「針突刺」型注射システムとして利用し得る構成が挙げられるが、これに限定されない。
【図５０Ｌ】安全注射構成の様々な態様を示し、この構成としては、「針突刺」型注射システムとして利用し得る構成が挙げられるが、これに限定されない。
【図５０Ｍ】安全注射構成の様々な態様を示し、この構成としては、「針突刺」型注射システムとして利用し得る構成が挙げられるが、これに限定されない。
【図５０Ｎ】安全注射構成の様々な態様を示し、この構成としては、「針突刺」型注射システムとして利用し得る構成が挙げられるが、これに限定されない。
【図５０Ｏ】安全注射構成の様々な態様を示し、この構成としては、「針突刺」型注射システムとして利用し得る構成が挙げられるが、これに限定されない。
【図５０Ｐ】安全注射構成の様々な態様を示し、この構成としては、「針突刺」型注射システムとして利用し得る構成が挙げられるが、これに限定されない。
【図５１Ａ】安全注射構成の様々な態様を示し、この構成としては、「針突刺」型注射システムとして利用し得る構成が挙げられるが、これに限定されない。
【図５１Ｂ】安全注射構成の様々な態様を示し、この構成としては、「針突刺」型注射システムとして利用し得る構成が挙げられるが、これに限定されない。
【図５１Ｃ】安全注射構成の様々な態様を示し、この構成としては、「針突刺」型注射システムとして利用し得る構成が挙げられるが、これに限定されない。
【図５１Ｄ】安全注射構成の様々な態様を示し、この構成としては、「針突刺」型注射システムとして利用し得る構成が挙げられるが、これに限定されない。
【図５１Ｅ】安全注射構成の様々な態様を示し、この構成としては、「針突刺」型注射システムとして利用し得る構成が挙げられるが、これに限定されない。
【図５１Ｆ】安全注射構成の様々な態様を示し、この構成としては、「針突刺」型注射システムとして利用し得る構成が挙げられるが、これに限定されない。
【図５１Ｇ】安全注射構成の様々な態様を示し、この構成としては、「針突刺」型注射システムとして利用し得る構成が挙げられるが、これに限定されない。
【図５１Ｈ】安全注射構成の様々な態様を示し、この構成としては、「針突刺」型注射システムとして利用し得る構成が挙げられるが、これに限定されない。
【図５２Ａ】安全注射構成の様々な態様を示し、この構成としては、「針突刺」型注射システムとして利用し得る構成が挙げられるが、これに限定されない。
【図５２Ｂ】安全注射構成の様々な態様を示し、この構成としては、「針突刺」型注射システムとして利用し得る構成が挙げられるが、これに限定されない。
【図５２Ｃ】安全注射構成の様々な態様を示し、この構成としては、「針突刺」型注射システムとして利用し得る構成が挙げられるが、これに限定されない。
【図５２Ｄ】安全注射構成の様々な態様を示し、この構成としては、「針突刺」型注射システムとして利用し得る構成が挙げられるが、これに限定されない。
【図５２Ｅ】安全注射構成の様々な態様を示し、この構成としては、「針突刺」型注射システムとして利用し得る構成が挙げられるが、これに限定されない。
【図５２Ｆ】安全注射構成の様々な態様を示し、この構成としては、「針突刺」型注射システムとして利用し得る構成が挙げられるが、これに限定されない。
【図５２Ｇ】安全注射構成の様々な態様を示し、この構成としては、「針突刺」型注射システムとして利用し得る構成が挙げられるが、これに限定されない。
【図５２Ｈ】安全注射構成の様々な態様を示し、この構成としては、「針突刺」型注射システムとして利用し得る構成が挙げられるが、これに限定されない。
【図５３Ａ】安全注射構成の様々な態様を示し、この構成としては、「針突刺」型注射システムとして利用し得る構成が挙げられるが、これに限定されない。
【図５３Ｂ】安全注射構成の様々な態様を示し、この構成としては、「針突刺」型注射システムとして利用し得る構成が挙げられるが、これに限定されない。
【図５４Ａ】安全注射構成の様々な態様を例示し、この構成としては、混合して使用直前に注射可能な溶液を形成するように設計されている薬剤成分を利用し得る構成が挙げられるが、これに限定されない。
【図５４Ｂ】安全注射構成の様々な態様を例示し、この構成としては、混合して使用直前に注射可能な溶液を形成するように設計されている薬剤成分を利用し得る構成が挙げられるが、これに限定されない。
【図５４Ｃ】安全注射構成の様々な態様を例示し、この構成としては、混合して使用直前に注射可能な溶液を形成するように設計されている薬剤成分を利用し得る構成が挙げられるが、これに限定されない。
【図５４Ｄ】安全注射構成の様々な態様を例示し、この構成としては、混合して使用直前に注射可能な溶液を形成するように設計されている薬剤成分を利用し得る構成が挙げられるが、これに限定されない。
【図５４Ｅ】安全注射構成の様々な態様を例示し、この構成としては、混合して使用直前に注射可能な溶液を形成するように設計されている薬剤成分を利用し得る構成が挙げられるが、これに限定されない。
【図５４Ｆ】安全注射構成の様々な態様を例示し、この構成としては、混合して使用直前に注射可能な溶液を形成するように設計されている薬剤成分を利用し得る構成が挙げられるが、これに限定されない。
【図５４Ｇ】安全注射構成の様々な態様を例示し、この構成としては、混合して使用直前に注射可能な溶液を形成するように設計されている薬剤成分を利用し得る構成が挙げられるが、これに限定されない。
【図５４Ｈ】安全注射構成の様々な態様を例示し、この構成としては、混合して使用直前に注射可能な溶液を形成するように設計されている薬剤成分を利用し得る構成が挙げられるが、これに限定されない。
【図５４Ｉ】安全注射構成の様々な態様を例示し、この構成としては、混合して使用直前に注射可能な溶液を形成するように設計されている薬剤成分を利用し得る構成が挙げられるが、これに限定されない。
【図５４Ｊ】安全注射構成の様々な態様を例示し、この構成としては、混合して使用直前に注射可能な溶液を形成するように設計されている薬剤成分を利用し得る構成が挙げられるが、これに限定されない。
【図５４Ｋ】安全注射構成の様々な態様を例示し、この構成としては、混合して使用直前に注射可能な溶液を形成するように設計されている薬剤成分を利用し得る構成が挙げられるが、これに限定されない。
【図５４Ｌ】安全注射構成の様々な態様を例示し、この構成としては、混合して使用直前に注射可能な溶液を形成するように設計されている薬剤成分を利用し得る構成が挙げられるが、これに限定されない。
【図５４Ｍ】安全注射構成の様々な態様を例示し、この構成としては、混合して使用直前に注射可能な溶液を形成するように設計されている薬剤成分を利用し得る構成が挙げられるが、これに限定されない。
【図５４Ｎ】安全注射構成の様々な態様を例示し、この構成としては、混合して使用直前に注射可能な溶液を形成するように設計されている薬剤成分を利用し得る構成が挙げられるが、これに限定されない。
【図５４Ｏ】安全注射構成の様々な態様を例示し、この構成としては、混合して使用直前に注射可能な溶液を形成するように設計されている薬剤成分を利用し得る構成が挙げられるが、これに限定されない。
【図５４Ｐ】安全注射構成の様々な態様を例示し、この構成としては、混合して使用直前に注射可能な溶液を形成するように設計されている薬剤成分を利用し得る構成が挙げられるが、これに限定されない。
【図５５Ａ】安全注射構成の様々な態様を例示し、この構成としては、混合して使用直前に注射可能な溶液を形成するように設計されている薬剤成分を利用し得る構成が挙げられるが、これに限定されない。
【図５５Ｂ】安全注射構成の様々な態様を例示し、この構成としては、混合して使用直前に注射可能な溶液を形成するように設計されている薬剤成分を利用し得る構成が挙げられるが、これに限定されない。
【図５５Ｃ】安全注射構成の様々な態様を例示し、この構成としては、混合して使用直前に注射可能な溶液を形成するように設計されている薬剤成分を利用し得る構成が挙げられるが、これに限定されない。
【図５５Ｄ】安全注射構成の様々な態様を例示し、この構成としては、混合して使用直前に注射可能な溶液を形成するように設計されている薬剤成分を利用し得る構成が挙げられるが、これに限定されない。
【図５５Ｅ】安全注射構成の様々な態様を例示し、この構成としては、混合して使用直前に注射可能な溶液を形成するように設計されている薬剤成分を利用し得る構成が挙げられるが、これに限定されない。
【図５５Ｆ】安全注射構成の様々な態様を例示し、この構成としては、混合して使用直前に注射可能な溶液を形成するように設計されている薬剤成分を利用し得る構成が挙げられるが、これに限定されない。
【図５５Ｇ】安全注射構成の様々な態様を例示し、この構成としては、混合して使用直前に注射可能な溶液を形成するように設計されている薬剤成分を利用し得る構成が挙げられるが、これに限定されない。
【図５５Ｈ】安全注射構成の様々な態様を例示し、この構成としては、混合して使用直前に注射可能な溶液を形成するように設計されている薬剤成分を利用し得る構成が挙げられるが、これに限定されない。
【図５５Ｉ】安全注射構成の様々な態様を例示し、この構成としては、混合して使用直前に注射可能な溶液を形成するように設計されている薬剤成分を利用し得る構成が挙げられるが、これに限定されない。
【図５５Ｊ】安全注射構成の様々な態様を例示し、この構成としては、混合して使用直前に注射可能な溶液を形成するように設計されている薬剤成分を利用し得る構成が挙げられるが、これに限定されない。
【図５６Ａ】安全注射構成の様々な態様を例示し、この構成としては、混合して使用直前に注射可能な溶液を形成するように設計されている薬剤成分を利用し得る構成が挙げられるが、これに限定されない。
【図５６Ｂ】安全注射構成の様々な態様を例示し、この構成としては、混合して使用直前に注射可能な溶液を形成するように設計されている薬剤成分を利用し得る構成が挙げられるが、これに限定されない。
【図５６Ｃ】安全注射構成の様々な態様を例示し、この構成としては、混合して使用直前に注射可能な溶液を形成するように設計されている薬剤成分を利用し得る構成が挙げられるが、これに限定されない。
【図５６Ｄ】安全注射構成の様々な態様を例示し、この構成としては、混合して使用直前に注射可能な溶液を形成するように設計されている薬剤成分を利用し得る構成が挙げられるが、これに限定されない。
【図５６Ｅ】安全注射構成の様々な態様を例示し、この構成としては、混合して使用直前に注射可能な溶液を形成するように設計されている薬剤成分を利用し得る構成が挙げられるが、これに限定されない。
【図５６Ｆ】安全注射構成の様々な態様を例示し、この構成としては、混合して使用直前に注射可能な溶液を形成するように設計されている薬剤成分を利用し得る構成が挙げられるが、これに限定されない。
【図５７Ａ】安全注射構成の様々な態様を例示し、この構成としては、混合して使用直前に注射可能な溶液を形成するように設計されている薬剤成分を利用し得る構成が挙げられるが、これに限定されない。
【図５７Ｂ】安全注射構成の様々な態様を例示し、この構成としては、混合して使用直前に注射可能な溶液を形成するように設計されている薬剤成分を利用し得る構成が挙げられるが、これに限定されない。
【図５７Ｃ】安全注射構成の様々な態様を例示し、この構成としては、混合して使用直前に注射可能な溶液を形成するように設計されている薬剤成分を利用し得る構成が挙げられるが、これに限定されない。
【図５８Ａ】安全注射構成の様々な態様を例示し、この構成としては、混合して使用直前に注射可能な溶液を形成するように設計されている薬剤成分を利用し得る構成が挙げられるが、これに限定されない。
【図５８Ｂ】安全注射構成の様々な態様を例示し、この構成としては、混合して使用直前に注射可能な溶液を形成するように設計されている薬剤成分を利用し得る構成が挙げられるが、これに限定されない。
【図５８Ｃ】安全注射構成の様々な態様を例示し、この構成としては、混合して使用直前に注射可能な溶液を形成するように設計されている薬剤成分を利用し得る構成が挙げられるが、これに限定されない。
【図５８Ｄ】安全注射構成の様々な態様を例示し、この構成としては、混合して使用直前に注射可能な溶液を形成するように設計されている薬剤成分を利用し得る構成が挙げられるが、これに限定されない。
【図５８Ｅ】安全注射構成の様々な態様を例示し、この構成としては、混合して使用直前に注射可能な溶液を形成するように設計されている薬剤成分を利用し得る構成が挙げられるが、これに限定されない。
【図５８Ｆ】安全注射構成の様々な態様を例示し、この構成としては、混合して使用直前に注射可能な溶液を形成するように設計されている薬剤成分を利用し得る構成が挙げられるが、これに限定されない。
【図５８Ｇ】安全注射構成の様々な態様を例示し、この構成としては、混合して使用直前に注射可能な溶液を形成するように設計されている薬剤成分を利用し得る構成が挙げられるが、これに限定されない。
【図５９Ａ】安全注射構成の様々な態様を例示し、この構成としては、針格納機構が実質的にプランジャ収納部内に収納され得る構成が挙げられるが、これに限定されない。
【図５９Ｂ】安全注射構成の様々な態様を例示し、この構成としては、針格納機構が実質的にプランジャ収納部内に収納され得る構成が挙げられるが、これに限定されない。
【図５９Ｃ】安全注射構成の様々な態様を例示し、この構成としては、針格納機構が実質的にプランジャ収納部内に収納され得る構成が挙げられるが、これに限定されない。
【図５９Ｄ】安全注射構成の様々な態様を例示し、この構成としては、針格納機構が実質的にプランジャ収納部内に収納され得る構成が挙げられるが、これに限定されない。
【図５９Ｅ】安全注射構成の様々な態様を例示し、この構成としては、針格納機構が実質的にプランジャ収納部内に収納され得る構成が挙げられるが、これに限定されない。
【図５９Ｆ】安全注射構成の様々な態様を例示し、この構成としては、針格納機構が実質的にプランジャ収納部内に収納され得る構成が挙げられるが、これに限定されない。
【図５９Ｇ】安全注射構成の様々な態様を例示し、この構成としては、針格納機構が実質的にプランジャ収納部内に収納され得る構成が挙げられるが、これに限定されない。
【図５９Ｈ】安全注射構成の様々な態様を例示し、この構成としては、針格納機構が実質的にプランジャ収納部内に収納され得る構成が挙げられるが、これに限定されない。
【図５９Ｉ】安全注射構成の様々な態様を例示し、この構成としては、針格納機構が実質的にプランジャ収納部内に収納され得る構成が挙げられるが、これに限定されない。
【図５９Ｊ】安全注射構成の様々な態様を例示し、この構成としては、針格納機構が実質的にプランジャ収納部内に収納され得る構成が挙げられるが、これに限定されない。
【図５９Ｋ】安全注射構成の様々な態様を例示し、この構成としては、針格納機構が実質的にプランジャ収納部内に収納され得る構成が挙げられるが、これに限定されない。
【図５９Ｌ】安全注射構成の様々な態様を例示し、この構成としては、針格納機構が実質的にプランジャ収納部内に収納され得る構成が挙げられるが、これに限定されない。
【図６０Ａ】安全注射構成の様々な態様を例示し、この構成としては、針格納機構が実質的にプランジャ収納部内に収納され得る構成が挙げられるが、これに限定されない。
【図６０Ｂ】安全注射構成の様々な態様を例示し、この構成としては、針格納機構が実質的にプランジャ収納部内に収納され得る構成が挙げられるが、これに限定されない。
【図６０Ｃ】安全注射構成の様々な態様を例示し、この構成としては、針格納機構が実質的にプランジャ収納部内に収納され得る構成が挙げられるが、これに限定されない。
【図６０Ｄ】安全注射構成の様々な態様を例示し、この構成としては、針格納機構が実質的にプランジャ収納部内に収納され得る構成が挙げられるが、これに限定されない。
【図６０Ｅ】安全注射構成の様々な態様を例示し、この構成としては、針格納機構が実質的にプランジャ収納部内に収納され得る構成が挙げられるが、これに限定されない。
【図６０Ｆ】安全注射構成の様々な態様を例示し、この構成としては、針格納機構が実質的にプランジャ収納部内に収納され得る構成が挙げられるが、これに限定されない。
【図６０Ｇ】安全注射構成の様々な態様を例示し、この構成としては、針格納機構が実質的にプランジャ収納部内に収納され得る構成が挙げられるが、これに限定されない。
【図６０Ｈ】安全注射構成の様々な態様を例示し、この構成としては、針格納機構が実質的にプランジャ収納部内に収納され得る構成が挙げられるが、これに限定されない。
【図６０Ｉ】安全注射構成の様々な態様を例示し、この構成としては、針格納機構が実質的にプランジャ収納部内に収納され得る構成が挙げられるが、これに限定されない。
【図６０Ｊ】安全注射構成の様々な態様を例示し、この構成としては、針格納機構が実質的にプランジャ収納部内に収納され得る構成が挙げられるが、これに限定されない。
【図６０Ｋ】安全注射構成の様々な態様を例示し、この構成としては、針格納機構が実質的にプランジャ収納部内に収納され得る構成が挙げられるが、これに限定されない。
【図６０Ｌ】安全注射構成の様々な態様を例示し、この構成としては、針格納機構が実質的にプランジャ収納部内に収納され得る構成が挙げられるが、これに限定されない。
【図６１Ａ】安全注射構成の様々な態様を例示し、この構成としては、針格納機構が実質的にプランジャ収納部内に収納され得る構成が挙げられるが、これに限定されない。
【図６１Ｂ】安全注射構成の様々な態様を例示し、この構成としては、針格納機構が実質的にプランジャ収納部内に収納され得る構成が挙げられるが、これに限定されない。
【図６１Ｃ】安全注射構成の様々な態様を例示し、この構成としては、針格納機構が実質的にプランジャ収納部内に収納され得る構成が挙げられるが、これに限定されない。
【図６１Ｄ】安全注射構成の様々な態様を例示し、この構成としては、針格納機構が実質的にプランジャ収納部内に収納され得る構成が挙げられるが、これに限定されない。
【図６１Ｅ】安全注射構成の様々な態様を例示し、この構成としては、針格納機構が実質的にプランジャ収納部内に収納され得る構成が挙げられるが、これに限定されない。
【図６１Ｆ】安全注射構成の様々な態様を例示し、この構成としては、針格納機構が実質的にプランジャ収納部内に収納され得る構成が挙げられるが、これに限定されない。
【図６１Ｇ】安全注射構成の様々な態様を例示し、この構成としては、針格納機構が実質的にプランジャ収納部内に収納され得る構成が挙げられるが、これに限定されない。
【図６１Ｈ】安全注射構成の様々な態様を例示し、この構成としては、針格納機構が実質的にプランジャ収納部内に収納され得る構成が挙げられるが、これに限定されない。
【図６１Ｉ】安全注射構成の様々な態様を例示し、この構成としては、針格納機構が実質的にプランジャ収納部内に収納され得る構成が挙げられるが、これに限定されない。
【図６１Ｊ】安全注射構成の様々な態様を例示し、この構成としては、針格納機構が実質的にプランジャ収納部内に収納され得る構成が挙げられるが、これに限定されない。
【図６１Ｋ】安全注射構成の様々な態様を例示し、この構成としては、針格納機構が実質的にプランジャ収納部内に収納され得る構成が挙げられるが、これに限定されない。
【図６１Ｌ】安全注射構成の様々な態様を例示し、この構成としては、針格納機構が実質的にプランジャ収納部内に収納され得る構成が挙げられるが、これに限定されない。
【図６１Ｍ】安全注射構成の様々な態様を例示し、この構成としては、針格納機構が実質的にプランジャ収納部内に収納され得る構成が挙げられるが、これに限定されない。
【図６１Ｎ】安全注射構成の様々な態様を例示し、この構成としては、針格納機構が実質的にプランジャ収納部内に収納され得る構成が挙げられるが、これに限定されない。
【図６１Ｏ】安全注射構成の様々な態様を例示し、この構成としては、針格納機構が実質的にプランジャ収納部内に収納され得る構成が挙げられるが、これに限定されない。
【図６１Ｐ】安全注射構成の様々な態様を例示し、この構成としては、針格納機構が実質的にプランジャ収納部内に収納され得る構成が挙げられるが、これに限定されない。
【図６１Ｑ】安全注射構成の様々な態様を例示し、この構成としては、針格納機構が実質的にプランジャ収納部内に収納され得る構成が挙げられるが、これに限定されない。
【図６１Ｒ】安全注射構成の様々な態様を例示し、この構成としては、針格納機構が実質的にプランジャ収納部内に収納され得る構成が挙げられるが、これに限定されない。
【図６１Ｓ】安全注射構成の様々な態様を例示し、この構成としては、針格納機構が実質的にプランジャ収納部内に収納され得る構成が挙げられるが、これに限定されない。
【発明を実施するための形態】
【００４５】
図６Ａ〜６Ｂを参照すると、薬剤チャンバ（４０）を画定する従来の市販の充填済み注射器本体（３４）を持つ安全注射システムの２つの直交図（ｏｒｔｈｏｇｏｎａｌ  ｖｉｅｗ）が示され、ストッパー部材（３６）は、薬剤チャンバの近位側を閉塞し、一方で、遠位針先端（４８）が露出して注射の準備ができている状態で示される針組立体（４６）は、操作者によるプランジャ組立体（４４）の注射器本体（３４）に対する挿入に供される、薬剤のチャンバ（４０）からの遠位の排出を制御する。針組立体（４６）は、ルアー接合部（１４）を使用して、針部材の近位端（５０）がルアー接合部（１４）を通って薬剤チャンバ（４０）へと延在した状態で注射器本体（３４）に着脱可能に連結する。強制的に連結すると（即ち、精密なスナップ適合により）脱連結が困難であるように構成されている２つの嵌め合い側部を備えるフランジ連結組立体（５６）は、注射器本体（３４）の近位端に適合し、プランジャ組立体（４４）に、それが注射器本体（３４）に対して挿入または格納されるときに、摺動可能な接合を提供する
【００４６】
図６Ｃは、図６Ａに示すものなどの構成の展開図を例示し、これには、露出した遠位針先端（４８）を覆って保護的に連結するように構成されている針被覆部材（６２）も追加されている。針組立体（４６）は、近位針部分（５０）と遠位針部分（４８）との間で連結する針ハブ部材（５８）を備える。フランジ連結組立体（５６）の２つの嵌め合い部分（５２、５４）は、分解して、かつそれらが連結し得る従来の注射器本体（３４）のフランジ幾何形状（３８）に隣接して示す。２つの嵌め合い部分の大きい方（５４）は、以下で更に説明する通り、内側に突出し、係止構成と接合するように機能する係止停止機構を備える。プランジャ組立体（４４）は、従来のストッパー部材（３６）を備えるコンプライアント材料（即ち、ブチルゴム材料など）の中にねじ込まれるように構成されているねじ式接合部（６０）に連結するプランジャハブ部材（６４）を備える。
【００４７】
図６Ｄは、プランジャ収納部材（７０）を特徴とするプランジャ組立体（４４）の展開図を例示し、このプランジャ収納部材（７０）は、サムパッドなどのプランジャ操作インターフェース（１２８）、以下に記載の係止回転収納機構（１２４）、及びプランジャ収納部材（７０）内で同軸上に配設されて所望のばね定数性能を提供するように構成されている示される２つのばね部材（６６、６８）などの１つ以上のエネルギー蓄積部材を収納するように画定される内部チャンバを特徴とする。ばね部材（６６、６８）は、係止ハブ部材（７２）に対して荷重を提供するように構成され、この係止ハブ部材（７２）は、以下に記載のように、プランジャ収納部材（７０）に対する制御された解放のための係止部材（７４）に回転可能に連結する。解放時、係止ハブ部材（７２）は、以下で更に詳細に説明するように、フランジ連結部材（５２）の係止停止機構に対して押して、ストッパー（３６）を近位に格納する。
【００４８】
図６Ｅ〜６Ｋは、針ハブ組立体（５８）を持たない既に示した針組立体（４６）の要素を備える針棘組立体（７６）の態様を例示する。図６Ｅを参照すると、針棘組立体（７６）の遠位部分（４８）は、注射部材（７８）上に形成された尖った皮下注射針先端を備える。近位部分（５０）も、遠位部分を形成する連結部材（８０）中に形成される尖った先端を備える。遠位レリーフ幾何形状（１１０）が中に形成されている中空接合部材（８２）が連結部材を管状注射部材（７８）に連結させる。これらの要素は、図６Ｇ〜６Ｉにおいてより大きく拡大して断面で示す。特に、図６Ｉのクローズアップ断面図を参照すると、注射部材（７８）、連結部材（８０）、及び中空接合部材（８２）の相互連結が示されている。これらの要素は、締まりばめ、溶接、及び／または接着を用いて共にまとめられてもよい。示す実施形態における連結部材（８４）の最近位端は、「ハープーン」型幾何形状を備え、この幾何形状は、それが接合し得るコンプライアント部材、例えば、ストッパー部材の一部に穿刺しそれを握持するように構成されている。図６Ｊ及び６Ｋは、連結部材の様々な態様のクローズアップ図を例示し、この連結部材は、例えば、レーザー切断、エッチング、及び／または機械加工技法を使用して、薄い板金構成要素から形成され得る。ハープーン幾何形状の反対側の連結部材（８０）の端部は、僅かなばね荷重によって接合部材（８２）中に締まりばめされるように構成されている、繋ぎ接合部（８６）を備えてもよい。
【００４９】
図６Ｌ〜６Ｓを参照すると、針棘組立体（７６；注射部材（７８）、接合部材（８２）、及び連結部材（８０）を備える）及び針ハブ組立体を備える針組立体（４６）は、複数の内向きの放射状突出表面（８８）を特徴とし得る針被覆部（６２）内に形成される内部チャンバ中に挿入されてもよく、内向きの放射状突出表面（８８）は、針組立体（４６）の針被覆部（６２）に対する整列を維持することで、針組立体を針被覆部内に予測通りに収納したままにし得、かつ針組立体を予測通りに注射器本体に連結させ得るように構成されている。図６Ｍは、針ハブ組立体（５８）の一実施形態の展開図を示し、この針ハブ組立体（５８）は、針棘組立体（７６）を少なくとも一時的にかつ少なくとも部分的に収納すると同時に、針棘組立体（７６）が露出し再使用されるかまたは危険となる可能性がある、遠位針端部（４８）の針ハブ組立体（５８）を越えた針棘組立体（７６）の再挿入を防止する構成へと制御可能に変換するように構成されている。全体が参照により本明細書に組み込まれる米国特許出願第６１／８４１，７０２号に記載のものと同様に、針ハブ組立体は、２つの屈曲可能なアーム（９８）を有する連結部材（９６）を備えてもよく、この屈曲可能なアーム（９８）は、摺動可能なドア部材（９４）と接合して、図６Ｌのように組み立てたときに、針棘組立体（７６）が、近位収納部（９２）を通過し、封止Ｏリング（１０８）を通過し、連結部材（９６）に形成されたアパーチャー（１００）を通過し、２つのアーム（９８）の間を通り、摺動可能なドア部材（９４）に形成されたアパーチャー（１０２）を通過し、遠位収納部（９０）を通過するように構成されている。針棘組立体（７６）が針収納組立体（５８）に対して近位に移動するとき、注射部材（７８）の遠位部分（４８）が摺動可能なドア部材（９４）のアパーチャー（１０２）を通過するとすぐに、ドア部材（９４）の側部の傾斜した接合幾何形状（１０６）に対して屈曲した状態にあるアーム（９８）の荷重により、摺動可能なドア部材（１０６）が針棘（７６）の長手方向軸に対して直交して摺動するかまたはずれて、窪みまたは陥没（ドアを通過する明らかなアパーチャーまたは通路ではない）を特徴とするドア部材（９４）の部分（１０４）を、続いてかかる針先端（４８）を針ハブ組立体（５８）を越えて挿入しようとする場合に、針先端（４８）の通路に配置する（換言すると、ここでドア（９４）は、針ハブ組立体（５８）を通過し切る更なる再挿入を阻止する）。
【００５０】
図６Ｎ〜６Ｓは、針組立体（４６）の針被覆部材（６２）との接合を例示する。示す実施形態では、複数のラグ接合機構（１１２）が針ハブ組立体（５８）の外部表面中に形成され、これは挿入（１１４）及び転動（１１６）の両方のための戻り止め接合機構を持つ複数の「Ｌ形状」スロット（１１３）と接合するように構成され、それにより、針組立体（４６）が、針被覆部材中に挿入され、針被覆部及び針組立体（４６）の軸方向の整列を維持するように、針ハブ組立体（５８）に係合する複数の内向きの放射状突出表面（８８）によって誘導され、その後、針ハブ組立体ラグ接合機構（１１２）は、「Ｌ形状」スロット（１１３）を通して挿入されるかまたはねじられるときに、戻り止め接合機構（１１４、１１６）にスナップオーバーされ得る。かかる針被覆部（６２）と針組立体（４６）との比較的頑丈な連結は、針組立体（４６）の注射器本体（３４）への手動による連結を支援するように構成されており、これは、針被覆部（６２）戻り止め接合機構（即ち、ねじり用に１つ、挿入／格納要に１つ）が手動で克服された後で、近位部分（５０）が、内向きの放射状突出表面（８８）の支援により、主題の注射器本体（３４）のルアーアダプター（１４）中に真っすぐ誘導されるからである。一実施形態では、戻り止め接合幾何形状は、回転抵抗性の戻り止めを通過し針被覆部（６２）を除去して針を露出させるのに求められる回転荷重が、針組立体が注射器本体に回転によって十分に連結したことを確実にするのに求められる回転荷重以上であるように、具体的に構成されている（即ち、幾何学的なサイズ決定及び公差）。かかる構成により、針が針被覆部（６２）から除去される前に、針組立体が実際に注射器本体に十分に連結していることを更に確認することができる。この一連の回転及び軸による戻り止めは、本明細書で例示及び記載するものなどの格納可能な針及びハブ組立体と共に、または従来の（即ち、格納不可能な針及びハブ組立体上の）注射システムと共に使用され得る。
【００５１】
図７Ａ〜７Ｊを参照すると、安全注射システムのための様々な例示的プロセスステップが示される。図７Ａ及び７Ｂを参照すると、完全な安全注射システムが、針被覆部が針組立体の遠位部分（４８）を覆った状態で示される。図７Ｂの断面図は、ばね部材（６６、６８）が、係止部材（７４）によって定位置に保たれながら係止ハブ部材（７２）によって保持される蓄積されたポテンシャルエネルギー構成で圧縮されることを示す。図７Ｃ及び７Ｄを参照すると、針被覆部（６２）が、針遠位部分（４８）を患者に対して注射の準備ができている構成で露出するために除去されている（即ち、ねじった後で針ハブ組立体に対して引っ張って、上記の２つの保持戻り止め機構を克服することなどによって）。図７Ｅ及び７Ｆを参照すると、注射器本体（３４）に連結するフランジ連結組立体（５６）の指による捕捉と組み合わせた近位プランジャ接合部（１２８）の親指による押し下げなどにりプランジャ（７０）及びストッパー（３６）を注射器本体（３４）に対して操作することによって、薬剤チャンバ（４０）の内容物が針（４８）遠位先端（４８）からほぼ完全に放出されている。図７Ｆの断面図に示すように、ストッパー（３６）挿入スロー距離の僅かな部分（９９）は、ストッパー（３６）及びプランジャ（７０）の完全挿入まで残る。ばね部材（６６、６８）は、係止部材（７４）によって保持されるとき、蓄積されたポテンシャルエネルギー構成に留まる。図７Ｇ及び７Ｈを参照すると、ストッパー部材（３６）が注射器本体（３４）に対して完全に挿入された直後であり、針（５０）の近位端のハープーン幾何形状によって穿刺され、それによりストッパー（３６）及び針（５０）が連結している。係止部材（７４）は、フランジ連結組立体（５６）の係止停止機構（１２６）と接合しており、それにより係止部材（７４）が示すように回転することで（プランジャ収納部材７０の係止回転収納機構１２４によって提供されるレリーフによって促進される）、それが係止接合機構（１２２）から脱連結となり、係止ハブ部材（７２）を解放して、ばね部材（６６、６８）の蓄積されたポテンシャルエネルギーを使用してプランジャ収納部（７０）とフランジ連結組立体（５６）の係止停止機構（１２６）との間に圧縮荷重を適用するようにし、それにより、針の遠位部分（４８）が７Ｉ〜７Ｊに示すように注射器本体（３４）の薬剤チャンバ（４０）内に安全に収納されるように、プランジャ収納部（７０）、ストッパー部材（３６）、相互連結するようになった針組立体（４８、５０）が、プランジャ収納部（７０）と共に近位に引っ張られる。加えて、針を、その遠位部分（４８）が外側に露出され得るように前進させるいずれの更なる試みも、上記のような針ハブ組立体（５８）内の摺動可能なドア部材（９４）の閉鎖によって無効となる。
【００５２】
飛んで図１３Ａ〜１４Ｈを参照すると、図１３Ａ〜１４Ｈの構成にある注射器本体（３４）が図６Ａ〜７Ｊのものよりも著しく短いことを除いて、図６Ａ〜７Ｊを参照して説明したものと同様の構成が示されている。例えば、１つの変形では、図６Ａ〜７Ｊの実施形態の注射器本体は、市販の３ミリメートルの注射器本体であり得、図１３Ａ〜１４Ｈの注射器本体は、市販の１ミリメートルの注射器本体であり得、これは、針組立体の長さ未満である薬剤チャンバの長さを有することで、注射器本体の薬剤チャンバの保護管理内に少なくとも部分的に位置付けられることで、鋭利物の危険性または再使用の防止という目的を困難にする。図１３Ｇ〜１３Ｊに示すように、図６Ａ〜７Ｊの実施形態のものと同様の安全機能性は、フランジ連結組立体（５６、嵌め合い構成要素５２及び５４）の伸長した長さ寸法（１３０）を使用して達成してもよく、この長さ寸法（１３０）は、針の遠位先端（４８）を注射器本体（３４）の領域の中に配置することができるように注射器本体（３４）の近位側を越えて格納する必要があり得る針／プランジャ相互連結組立体の近位部分を収めるように構成される。図１３Ｇ及び１３Ｈを参照すると、これまでに薬剤チャンバ（４０）内に収容された薬剤の残りの液滴が近傍を出てしまうのを防止するために、ウィッキング表面機構及び幾何形状（１３２）が、ストッパーが注射器本体（３４）からフランジ連結組立体（５６）内に形成される内部容積中に引き込まれるときに通過する表面に形成されている。図１４Ａ〜１４Ｈは、図７Ａ〜７Ｊのものと同等である注射システムプロセスを例示し、図１４Ａ〜１４Ｂは、針被覆部（６２）が定位置にある使用の準備ができた組立体を示し；図１４Ｃ〜１４Ｄは、針被覆部が除去され、針遠位先端（４８）が露出している使用の準備ができた組立体を例示し；図１４Ｅ〜１４Ｆは、針部材の近位部分（５０）がストッパー部材（３６）中に穿刺しそれに連結している完全なストッパー部材（３６）の挿入を示し、またばね部材（６６、６８）がプランジャ／ストッパー／針組立体の格納を自由に引き起こすように（かかる格納は図１４Ｇ及び１４Ｈに示す）係止停止機構（１２６）によって回転する係止部材（７４）も示し、これにおいては、ストッパー部材（３６）は、ストッパー部材（３６）及び針の近位部分（５０）がフランジ連結組立体（５６）内に形成された内部容積内に収容されるときに、いずれの残留している薬剤の液滴もそこに収容するように、ウィッキング表面機構及び幾何形状（１３２）を越えて格納されており；摺動可能なドア部材（９４）は、注射器本体（３４）に対する針部材の遠位部分（４８）のいかなる再挿入も防止するように、阻止位置に移動している。上記のように、フランジ連結組立体の長さを伸ばして、注射器本体に対して様々な長さの針部材を収めることができる。図１４Ｇ〜１４Ｈに例示する構成は、再挿入が阻止され得るように、摺動可能なドア部材（９４）を越えて針の遠位端（４８）を引き込むのにちょうど十分な長さを有し、更なるフランジ連結組立体（５６）の長さ（１３０）を、針遠位先端（４９）をストッパー（３６）及びプランジャ（７０）の格納時に注射器本体（３４）の領域内に十分に配置するために、他の変形に含めてもよい。
【００５３】
図６Ａ〜７Ｊ及び１３Ａ〜１４Ｈを参照して上に記載した実施形態がばね格納構成を特徴とする一方で、他の実施形態は、ばね金物類を避け、手動手段による格納（プランジャ操作インターフェース１２８に対する格納するための引っ張りなどによって）、または真空によって支援される格納構成、例えば、参照の出願によって組み込まれている前述の構成に記載のものを特徴としてもよく、それにより、手動のストッパー挿入中に真空荷重が注射器本体（３４）の領域内において生じ、これを、それが針組立体の一部に沿って安全構成へと引っ張るときに、同じストッパーの格納中の支援に使用することができる。
【００５４】
図８Ａ〜１２Ｏを参照すると、様々な安全注射システム構成が針／注射器本体接合構成について例示され、この針／注射器本体接合構成は、かかる構成の各々において、針の一部が注射器本体（３４）の従来の遠位テーパ構造（１４４）（即ち、ルアーテーパなど）によって支持されるか、またはその中に「突刺される」ということに起因して、「針突刺」構成と称され得る。これらの構成は、針が注射用途のために「突刺され」、その後、前述の構成のものに多少類似した様式で、格納、安全な貯蔵、及び再使用防止のために、これらの突刺された相互連結から制御可能に解放され得ることを例示する。
【００５５】
図８Ａ〜８Ｐを参照すると、針を突刺構成へと制御可能に連結し、針を突刺構成から解放するための様々な態様が示される。図８Ａに示すように、針組立体（１３８）は、カニューレ様の幾何形状を有する遠位端（１４０）及び尖った遠位先端（１５２）を備えてもよい。放射状に突出している係止表面機構（１４８）は、遠位針部分（１４０）中に形成されるか、またはそれに固定して連結してもよく、示すように遠位に配設された係止部材（１４６）を有する注射器本体に対する突刺構成からの針の連結及び解放において、キーイング機能を行うように構成されてもよく、ここでは、有鍵接合により、放射状に突出している係止表面機構（１４８）を使用して針を注射器本体に対して「ロックイン」または「ロック解除」することが可能となり、これについては以下で更に詳細に記載する。針組立体（１３８）は、遠位針部分（１４０）の近位端に連結する封止部材（１３４）及び荷重板（１３６）を更に備えてもよく、これらに、近位針部材（１４２）の遠位端が連結点（１５２）にて固定して連結する。これらの部材を、図８Ｄ〜８Ｇにおいて非連結形態で示す。針組立体の近位端（１４２）は、ハープーン近位端機構（８４）を持つねじった板金片を備え、このねじりは、相対的旋回を防止または拘束しながら近位端をコンプライアント部材中に挿入または穿刺するときに、ねじりモーメント荷重が蓄積されるように意図的に構成され、かかる回転の拘束の解放時に、モーメント荷重が相対的転動運動を創出し、これを利用して、有鍵接合をロック解除することができる。換言すると、図８Ｈ〜８Ｊを参照すると、係止部材（１４６）は、遠位針部材（１４０）がそれを通して位置付けられ得るように構成され、放射状に突出している係止表面機構（１４８）は、係止部材と放射状に突出している係止表面機構（１４８）との間の格納運動が防止される第１の位置（１５４）にあるか、係止部材が放射状に突出している係止表面機構（１４８）の係止部材を通した軸方向の除去／引き込みを収めるように構成されている第２の位置（１５６）に転動するかのいずれかである。故に、針組立体（１３８）を市販の注射器本体（３４）に対して突刺位置に組み立てるために、針組立体（１３８）は、封止部材（１３４）が注射器本体（３４）の薬剤チャンバ（４０）の内側の遠位壁に対して着座するまで、図８Ｋに示すように、薬剤チャンバ（４０）を通して挿入されてもよく、その後、係止部材は、放射状に突出している係止表面機構（１４８）を含む針の遠位部分（１４０）及び針組立体の上に挿入されてもよく、放射状に突出している係止表面機構（１４８）が、まず適合させたアパーチャーまたは孔を通過し（即ち、上記の第２の位置において、図８Ｉ中の１５６の位置で）、係止部材（１４６）を通過し、その後、回転して放射状に突出している係止表面機構（１４８）をロック位置に（即ち、上記の第１の位置において、図８Ｉ中の１５４の位置で、針部材が係止部材１４６に対して引き込まれることができないように）再配置するように、係止部材に対して挿入され回転してもよい。かかる動作は、例えば図８Ｎ〜８Ｐで更に例示する。図８Ｍに示すように、針組立体を注射器本体及び相互連結した係止部材（１４６）に対してロック解除するために、針組立体の注射器本体（３４）に向けた挿入の組み合わせた荷重パラダイムを、放射状に突出している係止表面機構（１４８）を上記の第２の位置に回転して転がすための回転運動と併せて利用してもよく、これにおいては、放射状に突出している係止表面機構（１４８）は、係止部材（１４６）を越えて引き込まれ得る。故に、一実施形態では、プランジャ部材（７０）がストッパー部材（３６）を針部材のねじった近位端（１４２）上に押しつけることは、３つのことを達成し、その３つとは、放射状に突出している係止表面機構（１４８）を係止部材（１４６）に対してねじるためのモーメント荷重を構築すること、放射状に突出している係止表面機構（１４８）を係止部材（１４６）に対して押すこと、及び上記のようなばね荷重、真空、または手動の格納手段を使用して安全位置へと格納され得るように、近位針（１４２）のハープーン機構を穿刺してストッパー部材（３６）との連結関係に至らせること、である  
【００５６】
図９Ａ〜９Ｃを参照すると、別の有鍵針の突刺／非突刺構成が例示され、これにおいては、近位針部分（１６６）は、キーイング機構（１７６）を備える遠位部分を有し、これは、注射器本体（３４）の内径に封止するように構成されている封止部材（１６８）と膨張リング（１７２）との間に位置付けられる荷重板（１７０）を通して形成されるスロット（１７４）を通してロック可能に／ロック解除可能に接合し得る。ストッパー及びプランジャと接合するときのロック及びロック解除動作は、上記のものと同様であってもよく、有鍵接合は、図８Ａ〜８Ｐの実施形態のように、注射器本体（３４）に対して外側ではなく内側に位置付けられる。
【００５７】
図１０Ａ〜１０Ｌは、市販の注射器本体（３４）に対する針組立体のための別の突刺／非突刺構成を例示し、これにおいては、近位側が針組立体（１８０）に対して自由に回転または屈曲する、針組立体（１８０）の遠位部分（１８２）に遠位に固定して取り付けられる片持式係止機構（１９２）を、挿入荷重のみによる（即ち、前述の構成のように、ねじりまたはモーメント荷重なしの）制御された非係止に使用してもよい。図１０Ａ〜１０Ｅは、針組立体が、患者の組織に進入する間に軸方向に荷重されるときに格納されないように構成されている位置で係止された、使用の準備ができている注射システムを例示し、図１０Ｆに示すように、これは、かかる構成において、片持式係止機構（１９２）の近位端（１９６）が、係止部材のノーズピース（１９０）中に形成された陥凹（１９４）の中に捕捉されることに起因する。図１０Ｇの展開図ならびに図１０Ｈ及び１０Ｉの詳細図に示すように、針組立体（１８０）は、遠位針部分（１８２）、近位針部分（１８４）、針センタリングブッシュ（２０２）、封止部材（１８６；コンプライアンスを増加させるために、図１０Ｊ及び１０Ｋに示すようにリブ及び／または他のレリーフ幾何形状（２０４）を有するように構成されてもよい）、及び図１０Ｇに示すようにプランジャ部材（７０）に連結するストッパー（３６）と接合するように構成されている荷重板（１８６）を備えてもよい。係止部材ノーズピース（１９０）、閉塞要素（２０１）、及びキャップ部材（２００）も、図１０Ｇに示す。システム組立体において、針組立体（１８０）は、注射器本体（３４）の遠位端（１４４）及び係止機構（１９２）の近位端（１９６）を通してねじ込まれた針遠位端（１８２）が露出した状態で（付勢されて格納のために「同じ高さの」構成へと針遠位端１８２に向けて屈曲することが好ましい）、図１０Ｇに示すように、市販の注射器本体（３４）を通して挿入されてもよく、その後、係止機構（１９２）の遠位端（１９６）が外向きに屈曲し、係止部材ノーズピース（１９０）の陥凹（１９４）に適合してもよく、針遠位部分（１８２）を覆う閉塞要素（２０１）及びキャップ部材（２００）のねじ込みが続き、結果、図１０Ｆに示す構築がもたらされる。プランジャを完全挿入してストッパー部材を荷重板（１８８）に対して押す際に、針組立体（１８０）は、係止機構（１９２）の遠位端（１９６）が陥凹（１９４）から出て来て、針部材（１８２）に対して同じ高さの位置へとスナップによりはめ込むことを可能にするのにちょうど十分なように挿入され、これが、上記のようなばね荷重機構、真空荷重支援、または手動の格納などによって、針組立体（１８０）を注射器本体（３４）に対して安全位置へと引き込む。針遠位部分（１８２）の遠位先端を閉塞部材（２０１）を越えて格納することで、閉塞部材（２０１）は、かかる閉塞部材（２０１）を再整列させて、針遠位部分（１８２）のこの閉塞部材（２０１）を越えた再挿入を可能にすることが極めて困難となるように、閉塞部材（２０１）を収容する小さいコンパートメントの内側の周囲で自由に移動／再配向できるように構成され、故に、閉塞部材（２０１）は、遠位針通路を機能的に閉塞し、針の再露出を防止することにおいて前述の摺動可能なドア部材（９４）に多少類似して機能する。
【００５８】
図１１Ａ〜１１Ｄを参照すると、別の実施形態では、１つ以上の構造部材及び／または封止部材が、針を、突刺構成から、それを安全位置に引き込み得る非突刺構成へと解放するように改変されてもよい。図１１Ａに示すように、針組立体は、遠位部分（２１８）と、薬剤の患者への注射中に、針組立体を突刺構成に固定して保持し、その後、ストッパー部材（３６）及びプランジャ（７０）の注射器本体（３４）に対する完全挿入位置にて、１つ以上の封止部材及び／または構造部材（２０８、２０６）の把握を解放することで、針部材が近位に引き込まれて、１つ以上の封止部材及び／または構造部材（２０８、２０６）を後にするように構成されている、１つ以上の封止部材及び／または構造部材（２０８、２０６）に連結する近位部分（２１６）と、を備えてもよい。図１１Ｂに示す断面図において示すように、針は、突刺構成にあり、注射の準備ができている。図１１Ｃに示すように、ストッパー部材（３６）が注射器本体（３４）に対して完全に挿入された状態では、封止部材（２０８）は無傷のままであるが、針組立体の一部は、封止／把握部分２１２などの複合体安定化部材（２０６；ここではコンプライアント封止／把握部分２１２及びより剛性の構造部分２１０を備える）の一部を破砕または切断し、それにより針を安定化部材（２０６）に対して軸方向に解放することで、針が、上記のようなばね荷重機構、真空荷重支援、または手動の格納などによって、注射器本体（３４）に対して安全位置へと格納され得るようにする（例えば、図１１Ｄに示すように）。
【００５９】
図１２Ａ〜１２Ｏを参照すると、図１１Ａ〜１１Ｄのものに多少類似している実施形態が例示され、これにおいては、封止／把握グロメット部材（２２２）が、針組立体（２２４）に連結するスペーサー／拡張器組立体（２３２）の拡張器部分（２３４）によって拡張され、この拡張により、グロメットは、針組立体（２２４）を患者注射使用のための「突刺」型の構成に保持する把握安定化構成から、針組立体（２２４）が、上記のようにばね荷重機構、真空荷重支援、または手動の格納などによって、図１２Ｍ〜１２Ｏのように注射器本体（３４）に対して安全位置に引き込まれ得る「非突刺」構成へと変換する。図１２Ａ、１２Ｃ、及び１２Ｄ〜１２Ｆは、使用の準備ができている安全注射システムを例示し、図１２Ａは、使用前の針を覆う保護用針キャップ（２２０）も示す。図１２Ｂ、１２Ｅ、及び１２Ｆに示すように、ハープーン構成（８４）を特徴とする近位端（２２６）、患者への注射のための尖った遠位端（２２８）、及び近位端と遠位端とを連結するための連結輪（２３０）を備える針組立体（２２４）は、連結輪（２４０）によって拡張管（２３４）に連結したスペーサー部材（２３８）を特徴とするスペーサー／拡張器組立体（２３２）を通して挿入されてもよく、このスペーサーは、スナップリング（２３６）を使用して注射器本体（３４）の遠位端（１４４）に対して固定して保持されてもよく、針組立体は、図１２Ｆにおいて「２２３」と標識する場所の周囲の針部材の近位部分（２２６）へのグロメット部材（２２２）の把握がない場合、スペーサー／拡張器組立体（２３２）の内側を通して摺動可能である。この把握は、実質的に従来の組織内注射の荷重に耐えるのに十分であるように構成され、故に、針を注射器本体（３４）に対して「突刺」構成に配置する。図１２Ｇ〜１２Ｉは、プランジャ及びストッパーが、注射内腔（２４４）を通して薬剤を患者へと注射するために挿入されることを例示する。図１２Ｊ〜１２Ｌを参照すると、図１２Ｌで詳細に示すようなプランジャ及びストッパー（３６）の完全着座構成への更なる挿入荷重により、拡張管（２３４）は、それまでは把握領域（即ち、図１２Ｆ中では）であった部分を横切って前進し、針が、図１２Ｍ〜１２Ｏに示すように、上記のようにばね荷重機構、真空荷重支援、または手動の格納によって、注射器本体（３４）に対する安全位置へとスペーサー／拡張器組立体及び注射器本体に対して自由に格納されるようにする。
【００６０】
これらの実施形態の様々な構成要素のための好適なポリマー材料としては、アセタール、ポリカーボネート、ポリ塩化ビニル、ポリプロピレン、ポリスチレン、ＡＢＳ、ナイロン、ガラス充填ナイロン、ガラス充填アセタール、ＰＥＥＫ、ガラス充填ＰＥＥＫ、カーボンファイバー充填ＰＥＥＫ、ＣＯＣ（環状オレフィンコポリマー）、ＣＯＰ（環状オレフィンポリマー）、ＰＥＩ（Ｕｌｔｅｍ）、ガラス充填ＰＥＩ、及びＰＥＫＫ、ならびにこれらのコポリマーが挙げられるが、これらに限定されない。
【００６１】
プランジャ挿入部材などの構造に好適な構造用金属としては、ステンレス鋼、クロムコーティングした鋼、真鍮、ニッケル、及びチタン、ならびにこれらの合金が挙げられるが、これらに限定されない。
【００６２】
好適な針部材のサイズは、約３４ゲージ／６ミリメートル長〜約２０ゲージ／２．５インチ長の範囲である。
【００６３】
図１５〜３７を参照すると、図６Ａ〜１２Ｏを参照して記載するものなどの安全注射構成を利用して注射手順を実施するためのプロセスが例示される。
【００６４】
図１５を参照すると、１つの方法は、（３０２）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；及び近位端及び遠位端を有する針であって、近位端が、アンカー幾何形状を備える、針、を備える注射用組立体を提供すること；ならびに（３０４）ストッパー部材の格納の際に、針をストッパーと共に近位に引っ張って、内部薬剤チャンバ内に少なくとも部分的に収容するように、針のアンカー幾何形状をストッパー部材中に少なくとも部分的に挿入すること、を含み得る。
【００６５】
図１６を参照すると、１つの方法は、（３０６）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針；及び注射器本体及び針に動作可能に連結する連結部材、を備える注射用組立体を提供すること；ならびに（３０８）連結部材を、針が注射器本体に着脱可能に連結する第１の状態と、針が注射器本体に対して自由に格納できる第２の状態との間で移動させること；ならびに（３１０）連結部材を、針が注射器本体に対する更なる挿入から機械的に防止される第３の状態へと移動させること、を含み得る。
【００６６】
図１７を参照すると、１つの方法は、（３１２）内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；及び近位端及び遠位端を有する針であって、近位端が、ストッパー部材の完全に挿入された位置への格納の際に、ストッパー部材に連結することで、ストッパー部材の格納の際に、針をストッパーと共に近位に引っ張って、内部薬剤チャンバ内に収容するように構成されている、針、を備える注射用組立体を提供すること；ならびに（３１４）針が、内部薬剤チャンバ中へと、針の遠位端が内部薬剤チャンバ内に収容される位置に格納される際に、針を、注射器本体の長手方向軸と整列させないことで、針が内部薬剤チャンバから出て再挿入されることを防止するようにすること；ならびに（３１６）針が注射器本体の長手方向軸と整列しなくなった後で、針を注射器本体に対して再挿入しようとする際に、針を、塑性的に変形するように（針の少なくとも１つの部分を屈曲させることなどによって）構成すること、を含み得る。
【００６７】
図１８Ａを参照すると、１つの方法は、（３１８）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った遠位端を有する針；及び注射器本体に移動可能に連結する針ドア部材、を備える注射用組立体を提供すること；ならびに（３２０）針ドア部材を、針ドア部材が注射器本体に対する針の挿入を促進する第１の状態から、針ドア部材が注射器本体に対する針の挿入を防止する第２の状態へと移動させること；ならびに（３２２）針ドア部材を、針の長手方向軸に対して平面（針の長手方向軸に対して実質的に垂直である平面など）で摺動可能に移動させること、を含み得る。
【００６８】
図１８Ｂを参照すると、１つの方法は、（３１８）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った遠位端を有する針；及び注射器本体に移動可能に連結する針ドア部材、を備える注射用組立体を提供すること；ならびに（３２０）針ドア部材を、針ドア部材が注射器本体に対する針の挿入を促進する第１の状態から、針ドア部材が注射器本体に対する針の挿入を防止する第２の状態へと移動させること；ならびに（３２４）針ドア部材を針の長手方向軸に対して回転させること（針の長手方向軸と実質的に交差するかまたは交差しない回転軸を中心とした回転など）、を含み得る。
【００６９】
図１９を参照すると、１つの方法は、（３２６）内部薬剤チャンバを画定する注射器本体、及びルアーテーパを画定する遠位針接合部；薬剤を薬剤チャンバ内に収容するために内部薬剤チャンバに挿入されるように構成され、近位端及び遠位端を有する、ストッパー部材；ストッパー部材を注射器本体に対して挿入するために手動で操作されるように構成されているプランジャ部材；及び遠位針接合部に着脱可能に連結し、内部薬剤チャンバを封止するように構成されている、薬剤キャップ、を備える注射用組立体を提供すること；ならびに（３２８）薬剤キャップを除去すること；ならびに（３３０）針を注射器本体に着脱可能に連結することであって、針が、近位端及び遠位端を有し、近位端が、薬剤キャップが除去された後でルアーテーパの外側表面に着脱可能に連結するように構成されている連結部分と、ストッパー部材の注射器本体に対する引き込みの際に、針が注射器本体に対して引き込まれ得るように、ストッパー部材に連結するように構成されている格納部分と、を備える、連結すること、を含み得る。
【００７０】
図２０を参照すると、１つの方法は、（３３２）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った近位端及び遠位端を有する針；及び少なくとも針の尖った遠位端を一時的に収納及び保護するように構成されている内部容積を画定する針被覆部材、を備える注射用組立体を提供すること；ならびに（３３４）針被覆部材を利用して、針の尖った近位端を、注射器本体との接合のために、これら２つがユーザーによって接合されるときに、整列させること、を含み得る。
【００７１】
図２１を参照すると、１つの方法は、（３３６）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った近位端及び遠位端を有する針；及び少なくとも針の尖った遠位端を一時的に収納及び保護するように構成されている内部容積を画定する針被覆部材、を備える注射用組立体を提供すること；ならびに（３３８）針被覆部材及び針を、少なくとも１つのスナップオーバー式戻り止め接合部、例えば、針及び針被覆部の相対的回転を防止するように配向された１つの戻り止め接合部、及び針及び針被覆部の相対的挿入／格納を防止するように配向された１つの戻り止め接合部によって、着脱可能に連結すること；ならびに（３４０）針被覆部材を使用して、針の尖った近位端を、注射器本体との接合のために、これら２つがユーザーによって接合されるときに、整列させること、を含み得る。
【００７２】
図２２を参照すると、１つの方法は、（３４２）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；及び近位端及び遠位端、及びそれらの間に画定される気泡排出内腔を有する針であって、気泡排出内腔が、針の中へと画定され、薬剤チャンバの遠位端に直接隣接して位置付けられる入口ポートを備える、針、を備える注射用組立体を提供すること；ならびに（３４４）薬剤チャンバ内の気泡を、薬剤チャンバへの針の近位端の突出の度合いに関わらず、ストッパー部材の挿入によって放出すること、を含み得る。
【００７３】
図２３を参照すると、１つの方法は、（３４６）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；及び尖った近位端及び遠位端を有する針；近位端及び遠位端を有し、薬剤チャンバ内に封止可能に配設されている遠位封止要素であって、針近位端に解放可能に連結することで、封止された接合部がそれらの間に提供されるようにする、遠位封止要素、を備える注射用組立体を提供すること；ならびに（３４８）第１の連結モードにおいて、針の尖った近位端を、遠位封止要素が針近位端を把持するように、少なくとも部分的に遠位封止要素を通して位置付けること；ならびに（３５０）第２の解放モードにおいて、拡張要素を使用して、針が遠位封止要素から解放可能となるように、遠位封止要素と針の尖った近位端との間の接合部を拡張すること；ならびに（３５２）ストッパー部材の格納の際に、針をストッパーと共に近位に引っ張って、内部薬剤チャンバ内に少なくとも部分的に収容するように、尖った針近位端をストッパー部材に連結すること（尖った針近位端が、ストッパー部材中に少なくとも部分的に挿入されるように構成されているアンカー幾何形状を備えるようにすることなどによって）；ならびに（３５４）プランジャを注射器本体に対して前進させて、薬剤を内部薬剤チャンバから針の遠位端を通して強制的に放出すること、を含み得る。
【００７４】
図２４を参照すると、１つの方法は、（３５６）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；尖った近位端及び遠位端を有する針；針の近位端の少なくとも一部の周囲に着脱可能に連結し、針の近位端を、それから離れて拡張されるまで把持するように構成されている、遠位封止要素；及び針近位端に連結する拡張要素、を備える注射用組立体を提供すること；ならびに（３５８）遠位封止要素を針の前記近位端から離して拡張して、針を、遠位封止要素の拡張要素に向けた前進によって遠位封止要素から解放すると同時に、拡張要素及び相互連結した針が、注射器本体に対して実質的に不動のままであること；ならびに（３６０）ストッパー部材の格納の際に、針をストッパーと共に近位に引っ張って、内部薬剤チャンバ内に少なくとも部分的に収容するように、尖った針近位端をストッパー部材に連結すること（尖った針近位端が、ストッパー部材中に少なくとも部分的に挿入されるように構成されているアンカー幾何形状を備えるようにすることなどによって）；ならびに（３６２）プランジャを注射器本体に対して前進させて、薬剤を内部薬剤チャンバから針の遠位端を通して強制的に放出すること、を含み得る。
【００７５】
図２５を参照すると、１つの方法は、（３６４）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針であって、近位端が、注射器本体の遠位端に連結する、針；及び注射器本体に動作可能に連結し、少なくとも針の遠位端が通過し得る内腔を画定する針鞘であって、針鞘が、針の近位端に向けて圧縮されて、注射のために針の遠位端を露出する、第１の状態と、針鞘が、針遠位端を越えて前方に前進して、針を実質的に被覆し、針の遠位端との接触を防止する、第２の状態と、を有するように構成され、第１の状態において、ストッパー部材が注射器本体に対して所定の位置（ストッパー部材が注射器本体に対して最大前進位置に前進する位置など；この所定の位置にて、プランジャが、針に対して、鞘保持要素を解放し得る荷重を適用し得る）に前進するまで針鞘を第１の位置に保持する鞘保持要素がない場合、エネルギー蓄積部材（ばねなど）が圧縮されて針鞘を付勢し、第２の状態へと前方に弾く、針鞘、を備える注射用組立体を提供すること；ならびに（３６６）ストッパー部材を、注射器本体に対して所定の位置へと前進させて、針鞘を、針遠位端を越えて前方に前進させること；ならびに（３６８）針鞘が注射器本体に対する所定の軸方向延長位置を過ぎて第２の状態に前進するのを抑制するために鞘制限部材を使用すること、を含み得る。
【００７６】
図２６を参照すると、１つの方法は、（３７０）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針であって、近位端が、注射器本体の遠位端に連結する、針；及び注射器本体に動作可能に連結し、少なくとも針の遠位端が通過し得る内腔を画定する伸縮式針鞘であって、伸縮式針鞘が、針鞘が、針の近位端に向けて伸縮自在に圧縮されて、注射のために針の遠位端を露出する、第１の状態と、針鞘が、針遠位端を越えて前方に伸縮自在に前進して、針を実質的に被覆し、針の遠位端との接触を防止する、第２の状態と、を有するように構成され、第１の状態において、ストッパー部材が注射器本体に対して所定の位置（ストッパー部材が注射器本体に対して最大前進位置に前進する位置など；この所定の位置にて、プランジャが、針に対して、鞘保持要素を解放し得る荷重を適用し得る）に前進するまで針鞘を第１の位置に保持する鞘保持要素がない場合、エネルギー蓄積部材（ばねなど）が圧縮されて針鞘を付勢し、第２の状態へと前方に弾く、針鞘、を備える注射用組立体を提供すること；ならびに（３７２）ストッパー部材を、注射器本体に対して所定の位置へと前進させて、針鞘を、針遠位端を越えて前方に伸縮自在に前進させること；ならびに（３７４）針鞘が注射器本体に対する所定の軸方向延長位置を過ぎて第２の状態に前進するのを抑制するために鞘制限部材を使用すること、を含み得る。
【００７７】
図２７を参照すると、１つの方法は、（３７６）内部薬剤チャンバを画定する注射器本体、及び内部薬剤チャンバに流体連結している内部表面を画定するルアーテーパを備える遠位接合部；薬剤を薬剤チャンバ内に収容するために内部薬剤チャンバに挿入されるように構成されているストッパー部材；及びストッパー部材を注射器本体に対して挿入するために手動で操作されるように構成されているプランジャ部材、を備える注射用組立体を提供すること；（３７８）近位端及び遠位端を有する針を、針の近位端が注射器本体のルアーテーパの内部表面に着脱可能に取り付けられるように注射器本体に連結すること；ならびに（３８０）プランジャを注射器本体に対して前進させて、薬剤を内部薬剤チャンバから針の遠位端を通して強制的に放出すること、を含み得る。
【００７８】
図２８を参照すると、１つの方法は、（３８２）内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されている、プランジャ部材；近位端及び遠位端を有する針であって、近位端が、注射器本体の遠位針接合部に着脱可能に取り付けられる、針；ならびに針と遠位針接合部との間で動作可能に連結している針封止部であって、針の外部表面と遠位針接合部との間の流体流動を防止するように構成されている、針封止部、を備える注射用組立体を提供すること；ならびに（３８４）針を、少なくとも１つの放射状に突出している係止機構に連結することであって、係止機構が、機械的係止部と接合して、係止構成で注射器に対する針の軸方向運動を防止し、非係止構成で注射器本体に対して針の針の運動を促進するように構成されている、連結すること；ならびに（３８６）プランジャを注射器本体に対して前進させて、薬剤を内部薬剤チャンバから針の遠位端を通して強制的に放出すること、を含み得る。
【００７９】
図２９を参照すると、１つの方法は、（３８８）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；及び近位端及び遠位端を有する針であって、近位端が、プランジャ部材中に少なくとも部分的に挿入されることで、プランジャ部材の格納の際に、針を近位に引っ張って、内部薬剤チャンバ内に少なくとも部分的に収容するように構成されているアンカー幾何形状を備える、針、を備える注射用組立体を提供すること；ならびに（３９０）針を内部薬剤チャンバ内に少なくとも部分的に収容したままにするように、プランジャ部材を格納すること；ならびに（３９２）注射器本体に対して完全に挿入された位置への挿入の際に、針を格納するためにプランジャ部材が格納され得る間に、ストッパーが定位置に留まるように、ストッパーをプランジャ部材に着脱可能に連結すること、を含み得る。
【００８０】
図３０を参照すると、１つの方法は、（３９４）内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；及び近位端及び遠位端を有する針であって、近位端が、注射器本体の遠位針接合部に着脱可能に連結し、内部薬剤チャンバ中に少なくとも部分的に格納可能である、針、を備える注射用組立体を提供すること；ならびに（３９６）プランジャ係止部材を係止状態から非係止状態に転換するために、プランジャ部材を注射器本体に対して操作することであって、プランジャ係止部材が、注射器本体とプランジャ部材との間で相互連結し、これにおいて、プランジャ係止部材が、実質的にプランジャ部材によって画定される内腔内に配設される、操作すること、を含み得る。
【００８１】
図３１を参照すると、１つの方法は、（３９８）内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；及び近位端及び遠位端を有する針であって、近位端が、注射器本体の遠位針接合部に着脱可能に連結し、内部薬剤チャンバ中に少なくとも部分的に格納可能である、針、を備える注射用組立体を提供すること；ならびに（４００）プランジャ係止部材を係止状態から非係止状態に転換するために、プランジャ部材を注射器本体に対して操作することであって、プランジャ係止部材が、注射器本体とプランジャ部材との間で摺動可能かつ回転可能に相互連結することで、プランジャ部材の注射器部材に対する実質的に完全な挿入の際に、プランジャ係止部材が、軸方向に移動し、また回転もして、係止状態から非係止状態に変換し、かつプランジャ部材がストッパー部材を、内部薬剤チャンバの内容物の実質的に全てが針から放出され得る完全挿入位置に挿入することを可能にする、操作すること、を含み得る。
【００８２】
図３２を参照すると、１つの方法は、（４０２）内部薬剤チャンバを画定する注射器本体及び遠位針接合部；薬剤を薬剤チャンバ内に収容するために内部薬剤チャンバに挿入されるように構成されているストッパー部材；近位操作インターフェースを使用してストッパー部材を注射器本体に対して挿入するために手動で操作されるように構成されているプランジャ部材；プランジャ部材を通して画定される内腔内に配設されるばね部材；近位端及び遠位端を有する針であって、近位端が、注射器本体の遠位針接合部に着脱可能に連結し、内部薬剤チャンバ中に少なくとも部分的に格納可能である、針、を備える注射用組立体を提供すること；ならびに（４０４）プランジャ係止部材を係止状態から非係止状態に転換するために、プランジャ部材を注射器本体に対して操作することであって、プランジャ係止部材が、注射器本体とプランジャ部材との間で相互連結する、操作すること、を含んでもよく；プランジャ係止部材は、実質的にプランジャ部材の内腔内に配設され、ばね部材が、係止状態において、非係止状態にあるときよりも圧縮されるように、ばね部材に連結し、近位操作インターフェースは、非係止状態におけるプランジャ部材格納速度を制御するために、手動の係合を促進するように構成されている。
【００８３】
図３３を参照すると、１つの方法は、（４０６）内部薬剤チャンバを画定する注射器本体及び遠位針接合部；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；及び近位端及び尖った遠位端を有する針であって、近位端が、注射器本体の遠位針接合部に着脱可能に連結し、内部薬剤チャンバ中に少なくとも部分的に格納可能である、針、を備える注射用組立体を提供すること；ならびに（４０８）プランジャ係止部材を係止状態から非係止状態に転換するために、プランジャ部材を注射器本体に対して操作することであって、プランジャ係止部材が、注射器本体とプランジャ部材との間で相互連結する、操作すること、を含んでもよく；プランジャ係止部材は、実質的にプランジャ部材によって画定される内腔内に配設され；非係止状態において、プランジャ部材は、プランジャ部材注射器本体の移動を防止するように構成されているプランジャ係止部材を備える１つ以上の歯様構造によって、注射器本体に対して再挿入されるのを少なくとも部分的に防止する。
【００８４】
図３４を参照すると、１つの方法は、（４１０）内部薬剤チャンバを画定する注射器本体；薬剤を薬剤チャンバ内に収容するために内部薬剤チャンバに挿入されるように構成されているストッパー部材；ストッパー部材に連結し、ストッパー部材を注射器本体に対して挿入するように構成されている、プランジャ部材；近位端及び遠位端を有する針であって、近位端が、ストッパー部材中に少なくとも部分的に挿入されるように構成されているアンカー幾何形状を備える、針、を備える注射用組立体を提供すること；ならびに（４１２）針をストッパーと共に近位に引っ張って、内部薬剤チャンバ内に少なくとも部分的に収容するために、ストッパー部材を格納することを含んでもよく；ストッパー部材は、ねじ式近位接合部を画定し、プランジャ部材は、ストッパー部材のねじ式近位接合部中に螺旋状に連結するように構成されている遠位ねじ式接合部を有し、遠位ねじ式接合部がストッパー部材のねじ式近位接合部に対して意図的に小さいことで、かかる螺旋状の連結の際に、ストッパー部材の外側幾何形状は、ストッパー部材とプランジャ部材の遠位ねじ式接合部との間の螺旋状の相互連結により実質的に増加しない。
【００８５】
図３５を参照すると、１つの方法は、（４１４）近位端及び遠位端を有し、チャンバの長さを有する内部薬剤チャンバを画定する注射器本体；薬剤を薬剤チャンバ内に収容するために内部薬剤チャンバに挿入されるように構成されているストッパー部材；ストッパー部材を注射器本体に対して移動させるために手動で操作されるように構成されている近位接合部を備える、プランジャ部材；尖った遠位端を有し、チャンバの長さ以上である針の長さによって画定される針；及び注射器本体の近位端に連結し、プランジャ部材に動作可能に連結する、延長部材、を備える注射用組立体を提供すること；ならびに（４１６）針を内部薬剤チャンバ及び延長部材によって画定される容積中に完全に引き込むこと；ならびに（４１８）針の少なくとも一部を延長部材内に収納すること、を含み得る。
【００８６】
図３６を参照すると、１つの方法は、（４２０）内部薬剤チャンバを画定する注射器本体；薬剤を薬剤チャンバ内に収容するために内部薬剤チャンバに挿入されるように構成されているストッパー部材；ストッパー部材を注射器本体に対して挿入するために手動で操作されるように構成されているプランジャ部材；近位端及び遠位端を有する針であって、近位端が、ストッパー部材中に少なくとも部分的に挿入されることで、ストッパー部材の格納の際に、針をストッパーと共に近位に引っ張って、内部薬剤チャンバ内に少なくとも部分的に収容するように構成されているアンカー幾何形状を備える、針；針上の第１の既知の場所に連結する第１のイメージングマーカー（金属ビーズ、金属リング、及び放射線放出ビーコンなど）；及び針上の第２の既知の場所に連結する第２のイメージングマーカー（金属ビーズ、金属リング、及び放射線放出ビーコン）、を備える注射用組立体を提供すること；ならびに（４２２）イメージングシステムを利用して、第１及び第２のイメージングマーカーの位置を検出することで、針の配向を全体座標システムに対して決定し得ること、を含み得る。
【００８７】
図３７を参照すると、１つの方法は、（４２４）近位端及び遠位端を有し、内部薬剤チャンバを画定する注射器本体；薬剤を薬剤チャンバ内に収容するために内部薬剤チャンバに挿入されるように構成されているストッパー部材であって、薬剤チャンバ内の薬剤と直接接触するように構成されている遠位表面を備える、ストッパー部材；ストッパー部材を注射器本体に対して移動させるために手動で操作されるように構成されている近位接合部を備える、プランジャ部材；尖った遠位端を有する針；及び注射器本体の近位端に連結する延長部材であって、プランジャ部材に動作可能に連結し、ストッパーがそれが少なくとも部分的に内部薬剤チャンバを出る程度に引き込まれる場合に、ストッパー部材を収容するように構成されている、延長部材、を備える注射用組立体を提供すること；ならびに（４２６）ストッパー部材の少なくとも一部を延長部材中に引き込むこと；ならびに（４２８）薬剤の残留液滴を収容するように構成され、それらが、ストッパー部材の延長チャンバ中への引き込みの際に遠位表面に直接隣接して位置付けられる流体収容表面（残留液滴を保持するように構成されている１つ以上の溝付き幾何形状を画定し、かつ／または残留液滴を保持するように構成されている１つ以上の穿孔を画定するもの）によって収容されるようになるまで、ストッパー部材の遠位表面に連結したままであり得る、薬剤の残留液滴を収容すること、を含んでもよく、吸収性部材が流体収容表面に流体連結してもよく、この吸収性部材は、残留液滴を吸収し保持するように構成されている。
【００８８】
図３８Ａ〜３８Ｃを参照すると、図３８Ａ〜３８Ｃの実施形態が屈曲形状の針部材（５０４）に固定して連結する機械的阻止部材（５０６）の使用によって注射器本体（３４）の遠位端（１４４）に着脱可能に連結することを除いて、図８Ａ〜８Ｐを参照して記載するものと多少類似した針突刺構成で、針組立体（５０２）が注射器本体（３４）に着脱可能に連結する実施形態が示される。図３８Ａを参照すると、使用（即ち、薬剤の患者への注射）の準備ができている構成で、針組立体が、阻止部材（５０６）及び注射器本体（３４）端部（１４４）の遠位表面（５１６）の機械的接合によって、定位置に保持されている。プランジャ（図示せず）が完全に挿入されるとき、それは、ばね部材（５１０）（ここでは所望のばね定数を提供するための星形構成）に対する圧縮荷重を示し、これは、最終的には、屈曲した針部材（５０４）を、阻止部材（５０６）を注射器本体（３４）端部（１４４）の遠位表面（５１６）から脱連結するのに十分に大きい距離で、注射器本体（３４）端部（１４４）に対して遠位に挿入することで、屈曲した針部材（５０４）がその無荷重位置へと自由に偏向することを可能にし、それにより、阻止部材が注射器本体（３４）端部（１４４）のアパーチャーを通して自由に滑動することで、針が上記のハープーン接合などによってプランジャの格納と共に格納され得るようにし、このハープーン接合においては、針部材のハープーン形状（８４）の近位端（５１２）が、プランジャ部材中に穿刺及び連結することで、針部材の遠位先端（５１４）がプランジャ部材によって安全構成へと引き込まれ得、それにより遠位先端（５１４）が注射器本体（３４）によって遮蔽されるようにする。図３８Ｃは、前述の構成要素の展開図を例示する。
【００８９】
図３９Ａ〜４１Ｆを参照すると、プランジャが、上記の針を引き込む係止機構を起動することなく、注射器本体に対して完全にまたはほぼ完全に挿入されることを可能にする構成が提示される。これは、まず薬剤チャンバ（４０）の内容物をプランジャ部材の挿入によって放出し、次に、プランジャ部材を格納して薬剤チャンバを再充填し、最後にプランジャ部材を挿入して患者への注射を実施し、その後に針の格納が望まれることが有用であるシナリオにおいて有用であり得る。１つのかかるシナリオは、凍結乾燥したまたはフリーズドライの薬剤の使用を伴う。ある特定の凍結乾燥した薬剤のシナリオでは、薬剤の一部分は、バイアル中の粉末形態で供給され、一方で薬剤の別の部分は、充填済み注射器本体などの中の液体形態で供給される。図３９Ａ〜４１Ｆを参照して本明細書で記載する構成を利用して、上記のように、ａ）注射器本体を外部の凍結乾燥した薬剤のバイアルに連結し；ｂ）プランジャ部材の注射器本体に対する挿入によって、注射器本体の薬剤チャンバの液体内容物を外部の凍結乾燥した薬剤のバイアルに注射することを促進して、液体内容物と粉末内容物とが外部バイアル中で組み合わされかつ／または混合され得るようにし；ｃ）混合された薬剤内容物をプランジャの格納によって外部バイアルから注射器本体の薬剤チャンバへと導入することを促進し；ｄ）外部バイアルの注射器本体からの脱連結、及び注射針組立体のその場所における連結を促進し；ｅ）薬剤チャンバの混合された薬剤内容物の針を通した患者への注射、続く注射器本体に対する安全構成への針の格納を促進し得る。簡単な言葉にすると、かかる構成により、プランジャは、格納が所望されるまで（概して、実際の注射を打って薬剤を薬剤チャンバから針部材を通して患者へと放出した後）、自動針格納機構を起動することなく挿入及び格納されることができる。
【００９０】
図３９Ａ〜３９Ｂを参照すると、バイアルアダプター組立体（５１８）が示され、このバイアルアダプター組立体（５１８）は、関連の薬剤へのアクセスを得るために外部薬剤バイアルの封止を通して穿刺するように構成されている尖った薬剤回収インターフェース（５２２）に連結した外部バイアルアダプターキャップ（５２０）を備える。組立体（５１８）の近位端は、注射器組立体の同様の接合部に着脱可能に連結するように構成されているルアー接合部（５２４）を備え、プランジャ挿入停止部材（５２６）がルアー接合部（５２４）を通して固定して連結し、このプランジャ挿入停止部材（５２６）は、関連する注射器組立体のプランジャの完全挿入を防止することで、関連する係止機構の完全機能を防止し、これを受けて上記のようにプランジャの格納を防止するように構成されている。図４０Ａ〜４０Ｃを参照すると、バイアルアダプター組立体（５１８）がルアー接合部を使用して針組立体の遠位端に連結し、針組立体のプランジャ（３６）がプランジャ／針格納機構を始動することなく挿入されること（図４０Ｂに示す通り）を可能にする、順序が例示される。次に、プランジャを格納して組み合わせた薬剤を注射器本体（３４）の薬剤チャンバ（４０）中に取り込んだ後、図４０Ｃに示すように、バイアルアダプター組立体（５１８）を除去して針組立体（４６）で置き換えることで、組み合わせた薬剤を患者に注射し、続いて該当する格納機構を使用して上記のプランジャ及び針部材を格納し得るようにする。
【００９１】
図４１Ａ〜４１Ｆを参照すると、別の実施形態においては、プランジャの注射器本体に対する完全挿入を阻止して格納の始動を防止するのではなく、図３９Ａ〜４０Ｃを参照して上で記載したように、格納の始動は、係止／格納構成部品の移動を防止すること（即ち、係止部材７４のプランジャ収納部７０または係止部回転収納機構１２４に対する回転を防止すること）によって一時的に防止されてもよい。図４１Ａ〜４１Ｃは、図７Ｂのものと同様であるが、最初の挿入の際に係止部材（７４）のプランジャ収納部７０または係止部回転収納機構１２４に対する回転を防止するように構成されている係止部回転阻止部材（５３２）を備える異なる近位接合部組立体（５２８）を伴う組立体の異なって拡大した図を例示する。図４１Ｄを参照すると、係止部回転阻止部材（５３２）が係止部材（７４）に向けて遠位に延在している接近図が示され、完全挿入により、この係止部回転阻止部材（５３２）が、係止部回転収納機構１２４中に適合して係止部材（７４）の回転を防止することで、プランジャ格納機構が起動するのを防止する。近位接合部組立体（５２８）の外側収納部材（５３０）が注射器本体またはプランジャ収納部（７０）に対して張力をかけられるとき、係止部回転阻止部材（５３２）に固定して連結するばね板（５３４）は、外側収納部材（５３０）に対して移動可能に連結する構成へと移動し、これが、係止部回転阻止部材（５３２）の運動を促進し、この運動は、それが係止部材（７４）のプランジャ収納部７０または係止部回転収納機構１２４に対する回転のための機械的阻止となるのを防止するのに十分なものである。換言すると、ばね板（５３４）が外側収納部材（５３０）に対して移動可能に連結した構成に移動した後で、例えば図７Ａ〜７Ｊに関係して上に記載したように、係止機構ならびにプランジャ部材（３６）及び針部材のばね（６８）を介した完全挿入が動作する。図４１Ｅ及び４１Ｆは、ばね板（５３４）が外側収納部材（５３０）に対して移動可能に連結した構成へと移動する前に、外側収納部材の内部に対して係合するように構成されている複数のばね部材（５３６）を持つばね板（５３４）を例示するために、外側収納部材を除去して示す。図４２は、図４１Ｆに例示する構造の一部の接近図を例示する。
【００９２】
図４３Ａ〜４３Ｈを参照すると、バイアルアダプター組立体構成の様々な態様が例示され、ここでは、クラッチ式ルアー構成が、注射準備中の注射器本体（３４）に対するバイアルアダプター及び関連するバイアルの過大なトルキングを防止する。図４３Ａ及び４３Ｂを参照すると、バイアルアダプター組立体が、着脱可能な封止（５５４）を特徴とするカプセル化収納部または被覆部（５５２）中でもたらされ得る。図４３Ｃ及び４３Ｄを参照すると、被覆部を除去してバイアルアダプター組立体（５５６）が可視となっており、これは、図４３Ｅ及び４３Ｆに示すように、標準的なバイアル（５６０）の外部機構とのスナップ適合を提供するように構成されているバイアル連結キャップ（５２１）を備える。尖った薬剤回収接合部（５２２）は、バイアル（５６０）上の一体型封止中に穿刺して、バイアル（５６０）内の薬剤へのアクセスを持つ連結した注射器本体を提供するように構成されている。別のバイアルアダプター構成は、図３９Ａ〜３９Ｂを参照して上に記載され、これは、バイアルアダプター連結キャップ（５２０、例えば図３９Ｂを参照されたい）に対して実質的に固定されるルアー接合部（５２４）を持つ。図４３Ａ〜４３Ｈに例示するバイアルアダプター組立体（５５６）は、バイアルアダプター連結キャップ（５２１）に対するクラッチ式の回転式連結接合部（５５８）を持つルアー接合部（５２４）を特徴とし、これは、注射器本体（３４、例えば図４３Ｈを参照されたい）に対するバイアルアダプターキャップ（５２１）の過大なトルキング、例えば、注射器本体（３４）に連結し得るルアーロックリングまたは適合（１４）を横切って通過し得るトルクを防止するように構成されている。選ばれたガラスまたはプラスチックの本体を持つ注射器本体の場合、ルアーロックリングまたは適合（１４、１８）は、注射器本体の雄ルアー機構にスナップ適合接続を介して連結してもよい。デバイスを注射器に組み立てる間のリングの過大なトルキングにより、ルアーロックリングが注射器本体に対してねじれ、かかるねじれにより、ルアーロックリングのスナップ適合接続が緩むことで、今後のデバイスの注射器本体への確実な取り付けが阻まれ得る。図４３Ｇに示すように、一実施形態では、複数のクラッチランプ接合機構（５６２）がバイアルアダプターキャップ（５２１）の内部表面に形成され、ルアー接合部材の外周にある複数の突出機構と係合することで、所定の量のトルクが接合部にて適用された後で、突出機構がクラッチランプ接合機構（５６２）上を移動することになり、接合部が次のランプ／突出接合部が係合するようになるまで、効率的に前方に惰性で回転するのを可能にするように構成される。この係合がクラッチ構成を提供し、それにより、最大トルクが達成された後、接合部が転動し、次のランプ／突出部接合構成への更なる前進が達成されるまで、トルクを効果的に解放する。トルクがかかる所定の最大値を超えるのを防止することは、注射器本体のルアー組立体と注射器本体自体との間の圧入接合などの組立体全体の他の部分の偶発的な除去または破砕を防止すると考えられる。
【００９３】
図４４Ａ〜４４Ｌを参照すると、安定化構成の様々な態様が例示され、これらは、様々な構成要素の組み立てを、それらが空間において急速に振動するときに、機械的に安定化するように設計されている安定器組立体を特徴とする（例えば、粉末を注射前に液体と混合する必要があり得る凍結乾燥した薬剤を特徴とするものなどの多成分注射薬剤構成を参照して上に記載したように、操作者の手を使用して、中に収容され得る薬剤を混合するためにかかる構成要素を振ることが望ましい場合など）。図４４Ａを参照すると、示す安定器組立体（５７０）の遠位端は、例えば図４３Ｃ及び４３Ｄにおいて取り上げるものに非常に酷似し得るバイアルアダプター連結キャップ部分（５６８）を備え、これは、主要管状シャフト部分（５７６）に固定して連結し、この主要管状シャフト部分（５７６）は、注射器本体（３４）を視認し得るようにそれを通して画定される１つ以上の可視化ウィンドウ（５６６）を有し得る。示す安定化組立体（５７０）の近位端は、フランジ連結組立体（５６）上の１つ以上の連結機構（５７３）にねじ込み可能に連結するように構成されている回転式連結接合部（５７２）を備える。１つ以上の連結機構（５７３）は、適切な接続が達成されたときに触知性及び／または可聴指示を操作者に提供するために、回転式のスナップオーバー式戻り止め（５７５）を備えてもよい。戻り止め（５７５）に必要なばね力を創出するために、安定器組立体（５７２）の近位端は、安定器組立体のシャフトをねじ式接合部（５７２）に隣接した領域において軸方向に延在可能にするために、切り取り部分（例えば図４４Ｉを参照されたい）を画定し得る。他の回転式戻り止め構成を、このバイアルアダプターデバイスにおいて用いてもよい。針組立体及び針被覆部を参照して本明細書に記載のものなどの放射状に突出している戻り止めも、この連結接合部に適用し得る。一実施形態では、バイアル安定器（５７０）と注射器本体（３４）との間のねじ込み可能に連結した接合部も、接続が適当に行われないときに、操作者に指示するように構成されてもよい。操作者が接続部を共にねじ留めし、戻り止めをスナップオーバーしない場合、ねじ込み式接続のねじピッチは、バイアル安定器（５７０）を注射器から後退して押し出すのに十分大きく構成され得る。これは、接合部を再接続するように操作者に示す。図４４Ｉに示すように、バイアルアダプター連結キャプ部分（５６８）の遠位端は、組立体がテーブルなどの平坦な表面に配置されるときに転動することを防止するように、長円形または非円形のフランジ幾何形状（５７８）を有してもよい。図４４Ｂ（ならびに図４４Ｃ及び４４Ｄの断面図）は、係合した薬剤バイアル（５６０）を持つ組立体、及び注射器本体（３４）を、その構成要素を損傷または偶発的に脱連結することなく手で安全に振とうされるように設計されている実質的に安定した構成で例示する。可撓性封止構成要素（５７４）は可撓性接合を提供し、これは、連結係合によって圧縮されるかまたは膨張して、流体をバイアル（５６０）と注射器本体（３４）との間に通し得る。あるいは、バイアル安定器連結キャップ部分（５６８）と注射器（３４）との間の封止は、６パーセントルアーテーパ接続などのルアーテーパ接続を使用することによって獲得され得る。図４４Ｅ（及び断面図４４Ｆ）、４４Ｉ、及び４４Ｊは、安定器組立体実施形態の他の視野を例示する。典型的な組立体の様々な構成要素を示すために、図４４Ｈは別の組み立てた図を提供し、図４４Ｇは展開図を例示し、図４４Ｋは断面図を例示する。図４４Ｌは、図４４Ｋの断面図の一部のクローズアップ図を例示し、一実施形態において、ナイロンなどのポリマー材料（５８０）の薄層が、針部分がプランジャ先端（３６）を通して穿刺する位置にて定位置に留まり得ることを例示する。この追加の量の材料（５８０）を利用して、かかる針構成要素の押し通しに必要とされる荷重を強化し、加えてプランジャ先端（３６）の遠位端から出た／離れた針の引き戻しに対する抵抗性を強化し得る。
【００９４】
図４５Ａを参照すると、針被覆部（６２）及び針組立体（４６）は、上記と同様であるが、機械的接合部の幾何形状においてある特定の機構を追加して例示される。示す実施形態では、針被覆部（６２）及び針組立体（４６）は、挿入及び回転によって接合されてもよい。図４５Ｂに示す針組立体（４６）及び針被覆部（６２）は、輸送または貯蔵に好適であり得る構成を例示し、ここでは、遠位収納ラグ（１１２）が回転式戻り止め（５８２）と大型の軸式戻り止め（５８１）との間に捕らえられることで、針が収納部内に収容され、回転式戻り止め（５８２）がスナップオーバーされるまで概して取り外されないようにする。使用中、示す針組立体（４６）実施形態は、回転トルクを針に相互連結する針被覆部の外部に適用し、同時に、注射器を動かさずに保持するかまたは拮抗荷重をかけて（ｃｏｕｎｔｅｒｌｏａｄｉｎｇ）針被覆部（６２）に適用されたトルクに拮抗することによって、注射器組立体のルアーロック接合部（１４）に連結してもよい。図４５Ｂ〜４５Ｄに示すように、戻り止めを安定位置に誘導し、過大なトルキングを防止するために、機械的拘束エンベロープが戻り止め接合機構（５８１、５８２、５８４、５８６）により効果的に創出される。機械的拘束エンベロープの１つの側は、最低量のトルクが針被覆部に相互連結した針によってルアー接合部に適用されるとスナップオーバーする回転式戻り止め（５８２）によって画定される。針被覆部は、この回転式戻り止めがスナップオーバーするまで針から除去することができないことが意図されている。この針被覆部内の針の閉じ込めは、操作者が、最低量のトルクが針から相互連結した針被覆部を介してルアーロック接合部に適用されるまで、針を露出させることを禁止し、漏出のない頑丈な機械的連結を確実にする。機械的拘束エンベロープの第２の側は、第２の回転式戻り止め（５８６）によって画定され、この第２の回転式戻り止め（５８６）は、最大トルクに達すると針被覆部を針から脱連結させるように構成されている。この第２の回転式戻り止めは、針及び針被覆部の長手方向軸に対して角度のある表面を有し、これは、遠位収納ラグ（１１２）と接触すると、針被覆部に軸方向の力を与え、針被覆部を針から取り外す。機械的拘束エンベロープの第３の側は、より小さい軸による戻り止め（５８４）によって提供される。この軸による戻り止めは、針が第１の戻り止め（５８２）にスナップオーバーすると、遠位収納部（１１２）上のラグに遭遇する。軸による戻り止めは、針被覆部が自由に針から落ちることを防止するのに十分な軸方向の力を提供すると同時に、操作者が注射を行う準備ができたときに、ユーザーが針から針被覆部を外すことを可能にすることが意図されている。図４５Ｂ〜４５Ｄのクローズアップ図を参照すると、この実施形態では、針組立体（４６）の遠位収納部（９０）の外側から突出するラグ接合機構（１１２）は、針被覆部（６２）に対する適切な挿入位置に挿入された後で、転動して、まず第１の回転式戻り止め接合機構（５８２）を渡り、その後、特定のラグ接合機構が、第１の回転式戻り止め接合機構（５８２）と、第２の（５８６）及び軸による戻り止め接合機構（５８４）との間に閉じ込められて（図４５Ｃに示す通り）、使用／注射に対して針を露出させるために、本質的に被覆部の針からの除去に好適な捕らわれて安定した構成にあるようにする。接合部が過大にトルキングされる場合には、ラグ接合機構（１１２）が、ランプ様幾何形状を有するように構成されている第３の回転式戻り止め接合機構（５８６）に対して促され、この幾何形状が、針組立体遠位収納部（９０）を、針被覆部（６２）に対して安定した連結構成から離れる方向に近位に押すことになる。
【００９５】
図４６はキット組立体（５９０）を例示し、ここでは、注射用組立体（３４、５６、４４）が安定器組立体（５７０）及び１つ以上の針／針被覆部組立体（６２／４６）と共に梱包され得る。図４６中の注射器組立体は、上で示したばね格納型注射器の手動格納型である。この手動格納型注射器のプランジャロッドは、一度針が注射器中に格納されると再前進を防止するために、係止部を有してもよい。この手動格納型注射器の指フランジ（５６）は、バイアルアクセスデバイス（５７０）への接続のためのねじ式接合部を有する。この指フランジは、片面であることが意図され、図４４Ｇに示すように、多部品クラムシェルの代わりにその面からスナップオンされる。
【００９６】
図４７Ａ〜４７Ｇを参照すると、注射の前に混合する必要がある薬剤を参照して上で説明したものなど、近位挿入組立体を利用して、所望のプランジャ挿入及び引き抜き動作が完了するまで安全針構成の引き抜きを防止してもよい。図４７Ａ及び図４７Ｂのクローズアップ図（及び図４７Ｂと同じ組立体の回転させた図である図４７Ｃ）を参照すると、回転阻止接合部（５９２）を利用して、係止接合機構（１２２）が針引き込み機構に係合するのを防止するために、係止部材（７４）の回転を一時的に阻止または防止してもよい。図４７Ｄ（及び図４７Ｅの回転させた図）を参照すると、フランジ連結組立体（５６）と近位操作インターフェース（５９４）との間の十分な相対的圧縮荷重の際に、傾斜した近位幾何形状を持つ接合部材（５９８）を利用して一対の連結アーム（６００、６０１）を強制的に開放してもよく、かかる力が、操作者にばね様の抵抗性を提供する。接合部材（５９８）の運動により、近位操作インターフェース（５９４）を収納部（５９６）に対して僅かに近位に引くことで、連結アーム（６０２、６０３）の第２のセットが別の傾斜したインターフェース上で（かかる強制が操作者にばね様の抵抗性を提供する）及び安定しロックされた位置へと引かれ、それにより、図４７Ｆ（及び回転させた視野である図４７Ｇ）に示すように、回転阻止接合部（５９２）が、それが係止部材（７４）の回転動作にそれ以上干渉しないように近位に引かれ、かつ針引き込み機構を有効にする。フランジ連結組立体（５６）の近位操作インターフェース（５９４）に対する強制的な荷重の後で近位操作インターフェース（５９４）を収納部（５９６）に対して考えた上で意図的に引くことなく、針引き込み機構が有効になることはない。
【００９７】
図４８Ａ〜５３Ｂを参照すると、「針突刺」構成と称され得る安全注射構成の様々な態様が例示され、この「針突刺」という呼称は、ユーザーへの提示の際に、この種類の注射器または注射用組立体の針部分の注射用端部が、概して既に注射器本体（３４）に対して連結または「突刺されて」いることに関係する。換言すると、針組立体の１つ以上の部分が使用場所にて（即ち、使用の直前に）注射器本体（３４）に着脱可能に連結し得る上記の様々な構成に対して、針突刺構成においては、針は既に注射器本体（３４）に連結し、注射のための位置にあり、その後、保護構成に安全に引き込まれ得る。上記の非突刺構成からの近位金物要素の多くは、共通の例示要素及びその標識から明らかなように、針突刺構成において利用してもよい。
【００９８】
図４８Ａ〜４８ｋを参照すると、１つの針突刺構成が例示され、これにおいては、ユーザーへの提示の際に、針連結用組立体（６０６；これは近位収納部分６０８及び遠位収納部分６１０を備える）、針遠位先端（４８）、針接合部材（８３、例えば図４８Ｄを参照されたい）、及び針近位端（５０）を備える、針組立体が、針被覆部材（６３）の除去の後で注射の準備ができている位置に装着され、この針被覆部材（６３）は、貯蔵中に針遠位先端（４８）と接合するためにエラストマー性封止材料をその内側表面に備えてもよい。図４８Ｄ及び４８Ｅを参照すると、針接合部材（８３）は、ネックダウンまたは放射状に減少する部分（１１１）を有するように構成され、これは、係止部材（６１２）及び移動式阻止部材（６１４）と接合するように構成されることで、注射中は、針遠位先端（４８）、針接合部材（８３）、及び針近位端（５０）は注射器本体（３４）に対する位置に固定されたままであるが、プランジャ組立体（４４）のフランジ連結組立体（５６）に対する完全挿入の後は（即ち、注射器本体３４の薬剤チャンバ４０内に収容され得る薬剤の全放出後は）、移動式阻止部材（６１４）が遠位収納部分（６１０）に対して前進し、それにより、係止部材（６１２）の複数の（例示は２つの）片持式係止部材（６１６）が移動式阻止部材（６１４）によってどかされて、針遠位端（４８）、接合部材（８３）、及び近位端（５０）が、それらの連結を通して（即ち、近位端が、上記のように、プランジャ組立体ばね構成がそれと関連する係止機構によって始動した後でプランジャ組立体４４内でばねによって近位に引かれるプランジャ先端３６を通して穿刺されることによって）格納されるのを可能にすることで、針遠位端（４８）を安全に注射器本体（３４）内に配置するようにする。換言すると、片持式係止部材（６１６）は、それらが完全なプランジャ挿入において移動式阻止部材（６１４）によって押されてどかされるまで、注射中に針遠位端（４８）の位置を保持し、その後、針が自由に引き込まれ、プランジャ組立体（４４）内ばね引き込み機構が起動して引き込みをもたらした。図４８Ｃを参照すると、最初の組み立て時には（即ち、工場または処理施設においてであって、「針突刺」構成での現場ではない）、近位収納組立体（６０８）は、注射器本体の製造時に注射器本体中に形成された、注射器本体の僅かに陥凹のある放射状部分（６０２）上にスナップ適合するように（即ち、近位収納組立体を備えるかまたはそれに連結するスナップリング要素６０４を使用して）構成されている。図４８Ｆは、動作中のかかる構築の断面図を例示し、図４８Ｇ〜４８Ｉは、針部分（４８、８３、５０、１１１）に対する係止部材（６１２）及び片持式部材（６１６）をより直接的に可視化するための部分的なワイヤフレーム直交図を例示する。図４８Ｊ〜４８Ｋを参照すると、一実施形態では、プランジャ組立体の少なくとも１つの伸長部分は、陥凹のある幾何形状（７１）を備えてもよく、これは、制限された量の軸方向コンプライアンスを提供して、操作者がプランジャ組立体（４４）を注射器本体（３４）及びフランジ連結組立体（５６）中に／に対して軸方向にもう少し先に押すことを可能にし、格納機構が、プランジャ先端（３６）の完全挿入の際に、針を格納するモードへとその中の係止機構によって完全に切り替わることを確実にするように構成されている。
【００９９】
図４９Ａ〜４９Ｃを参照すると、別の実施形態において、近位収納部分（６２２）及び遠位収納部分（６２４）を備える針連結用組立体（６２０）は、針組立体（４８、８３、５０）を中心として移動可能に連結し、注射のために針を軸方向に固定した位置で保持するように構成され、次いで、プランジャ先端（３６）の完全挿入後に、複数の回転式部材（６２８）の各々が、遠位格納部の内部表面と接合することによって、回転（６３０）へと促されて、回転式部材（６２８）の突出部分（６３２）を回転させて針接合部材（８３）のネックダウン部分（１１１）との係合から外すことにより、上記のように、針接合部材（８３）の軸方向運動を可能にし、相互連結した針遠位先端（４８）及び近位端（５０）が安全位置への格納をもたらすことを可能する。
【０１００】
図５０Ａ〜５０Ｐを参照すると、移動式阻止部材（６３６）を利用して、係止部材（６３４）をどかし、針遠位部分（４８）の安全位置への軸方向の格納を可能にする、別の実施形態が示される。図５０Ａ〜５０Ｅは、使用中の一連の構成の例示し、図５０Ｆ、５０Ｈ、５０Ｊ、５０Ｌ、及び５０Ｎは、それぞれ、５０Ａ〜５０Ｅに対応する断面図を例示し、図５０Ｇ、５０Ｉ、５０Ｋ、５０Ｍ、５０Ｏ、及び５０Ｐは、それぞれ、図５０Ｆ、５０Ｈ、５０Ｊ、５０Ｌ、及び５０Ｎの接近断面図である。
【０１０１】
図５０Ａは、針キャップ（６３）が定位置にあり、針連結用組立体（６３８）に連結して、使用の準備ができている組立体の提示を例示する。図５０Ｂは、針キャップ（６３）を除去し、注射の準備ができている、同じ組立体を例示する。図５０Ｆ及び５０Ｇの断面図に示すように、係止構造（５３４）は、針接合部材（８３）の陥凹のある部分またはネックダウン部分（１１１）に対して係合して、注射中に針の遠位先端（４８）の一時的な軸方向の固定を提供する。図５０Ｂ、５０Ｃ、及び５０Ｄは、プランジャ部材（３６）を注射器本体（３４）に対して前進させることによる注射（即ち、患者への）を例示する。図５０Ｄ及び関係する断面図（図５０Ｌ及び５０Ｍ）は、プランジャ部材（３６）が注射器本体（３４）中に完全に着座し、移動式阻止部材（６３６）が遠位に前進したことによる完全な注射を例示し、それにより、移動式阻止部材（６３６）の機構が係止部材（６３４）を針接合部材（８３、１１１）から離して押すことで、図５０Ｅ及び関係する断面図に示すように、針接合部材（８３）が注射器本体（３４）に対して軸方向に移動して安全位置へと近位に格納することを可能し、その後、係止部材（６３４）が、閉塞形状に飛び込んで、針遠位先端（４８）の更なる挿入を防止するように構成されている。移動式阻止部材（６３６）の遠位先端分は、外部視点から遠位に可視化されて注射器が利用されたことを確認してもよい。図５０Ｐは、針連結用組立体（６３８）がスナップリング（６０４）適合（即ち、注射器本体３４の僅かに放射状の階段状陥凹のある部分と接合する）を使用して注射器本体（３４）に連結し得ることを例示する。
【０１０２】
図５１Ａ〜５１Ｈを参照すると、別の安全注射用針突刺実施形態が順番に例示され、それぞれ図５１Ｂ、５１Ｄ、５１Ｆ、及び５１Ｈは、接近断面図である。図５１Ａを参照すると、針突刺型注射器組立体は、キャップを除去して使用の準備ができた状態である。針連結用組立体（６５４）内の係止構造（６５２）は、針接合部材（８３）を、陥凹のある部分／ネックダウン部分（１１１）との機械的な接合によって、軸方向に固定した場所で保持する。図５１Ｃ及び５１Ｄは、プランジャ先端（３６）の軸方向の前進による注射を例示する。図５１Ｅ及び５１Ｆを参照すると、プランジャ先端（３６）の注射器本体（３４）に対する完全挿入により、移動式阻止部材（６５６）が係止部材（６５２）をどかし、それにより、針接合部材（８３）が自由になって注射器本体（３４）に対して軸方向に移動し、針遠位部分（４８）の更なる挿入が阻止される安全位置へと格納される。再び、針連結用組立体（６５４）は、スナップリングを使用するスナップ適合によって、注射器本体に接合し得る。
【０１０３】
図５２Ａ〜５２Ｈを参照すると、別の安全注射用針突刺実施形態が順番に例示され、それぞれ図５２Ｂ、５２Ｄ、５２Ｆ、及び５２Ｈは、接近断面図である。図５２Ａを参照すると、針突刺型注射器組立体は、キャップを除去して使用の準備ができた状態である。針連結用組立体（６７２）内の係止構造（６７０）は、針接合部材（８３）を、陥凹のある部分／ネックダウン部分（１１１）との機械的な接合によって、軸方向に固定した場所で保持する。図５２Ｃ及び５２Ｄは、プランジャ先端（３６）の軸方向の前進による注射を例示する。図５２Ｅ及び５２Ｆを参照すると、プランジャ先端（３６）の注射器本体（３４）に対する完全挿入により、移動式阻止部材（６７４）が係止部材（６７０）をどかし、それにより、針接合部材（８３）が自由になって注射器本体（３４）に対して軸方向に移動し、針遠位部分（４８）の更なる挿入が阻止される安全位置へと格納される。再び、針連結用組立体（６７２）は、スナップリング（６０４）を使用するスナップ適合によって、注射器本体に接合し得る。
【０１０４】
図５３Ａ〜５３Ｂを参照すると、針近位端（５０）をプランジャ先端（３６）に軸により連結するための１つの構成は、図５３Ａに示すように、コンプライアントブチルゴムまたは他の材料と、ポリマーの薄層（６８２）などのより硬質の材料の薄層との両方を通した穿刺によることを上に記載した。図５３Ｂは代替的な構成を例示し、これにおいては、プランジャ組立体が２つ以上の片持式部材（６８４、６８６）を備えるように構成され、片持式部材（６８４、６８６）が、圧縮方向に比較的容易に横断され（即ち、針近位端５０による穿刺運動中に）、軸方向の張力運動における脱連結が比較的困難である（即ち、針遠位先端を安全構成に引くためのプランジャ組立体からの針格納荷重によって）ように構成されている。
【０１０５】
図５４Ａ〜５８Ｇを参照すると、多成分薬剤の注射を促進するように設計されている構成の様々な態様が例示され、これにおいては、患者への送達の直前に２つ以上の薬剤成分が組み合わされて注射用混合物または溶液を形成する。１つの変形においては、希釈液（２５２）を、上で考察したように、粉末形態などの実質的に非液体の形態（２５４）である、フリーズドライまたは凍結乾燥した薬物成分などの薬品と、注射の直前に組み合わせてもよい。図５４Ａ〜５８Ｇを参照して本明細書に記載する構成は、デュアルチャンバ構成に関し、これにおいては、同じ注射器本体（３４）内の２つ以上のチャンバを利用して、注射用溶液を運搬、混合、及び注射する。
【０１０６】
図５４Ａ〜５４Ｐを参照すると、１つの変形の様々な態様が示され、これにおいては、２つのチャンバが注射器本体（３４）の内部の２つの部分の間でストッパー部材（３６）によって形成されることで、遠位部分がエアギャップまたはガスギャップ及び非液体薬剤（２５４）を収容し、ストッパー部材（３６）の反対側の近位部分が、第２のストッパー部材（３２）によって近位に収容される希釈液（２５２）を収容する。断面図を図５４Ｂに示す。図５４Ｃ、及び図５４Ｄ中の関連する断面図を参照すると、針連結用組立体の様々な構成要素（ここでは、いわゆる「突刺」針連結用組立体６０６が例示されるが、ルアー連結及び突刺構成を含む上記の他の針組立体を利用してもよい）。ラグ機構（２５８）は、例えば、図５４Ａに示すように、針連結用組立体（６０６）の針被覆部材（６５）への連結を支援するように構成されている。小型のＯリングを針シャフトの周囲の封止部材（２６０）として利用してもよく、一方で、より大型のＯリングを注射器本体（３４）／針連結用組立体（６０６）接合部における封止部材（２６２）として利用してもよい。あるいは、小型のＯリング（２６０）及び大型のＯリング（２６２）を組み合わせて、Ｏリング封止機能の両方を行う単一の封止部としてもよい。近位に位置する混合ポート（２７０）は、希釈液の進入を可能にし、より遠位に位置する混合アパーチャー（２６６）から放出されるように構成され、内腔プラグ（２６８）は、針内腔を意図的に閉塞して、図５４Ｍを参照して記載したものなどの条件下で、近位混合ポート（２７０）から遠位混合アパーチャー（２６６）への流動経路を創出する。図５４Ｅ〜５４Ｊを参照すると、いくつかの近位幾何形状構成を持つ好適な針組立体の様々な態様が例示される。図５４Ｅを参照すると、近位ハープーン接合部（８４）は、ストッパー部材（３２、３６）中に穿刺し、それと連結するか、またはプランジャロッド中の連結機構（プランジャ格納係止機構など；好適なプランジャ格納係止機構は、例えば、図５５Ｇの実施形態、要素７０４を参照して例示する）と連結するように構成され、図５４Ｆは、スパイク型ハープーン連結接合部（８５）を例示し、これは、両方のストッパー部材（３２、３６）を貫通し、プランジャロッド中の係止機構と連結して、注射が患者に行われた後の針部材の格納中に、互いに対する２つのストッパーの相互接続を強化するように構成されている。図５４Ｇ及び接近詳細図５４Ｉは、注射器（３４）の近位部分から遠位部分への液体の移送中の、穿刺されたストッパー部材との連結を強化し保持するように構成されている摩擦隆起機構（２８４）を例示する。摩擦隆起機構（２８４、２８６）の遠位である区域は、ストッパー部材（３２、３６）が薬物溶液の注射中に遠位に移動する時に摩擦を増大させるために、外径が減少していてもよい。図５４Ｈ及び接近詳細図５４Ｊは、穿刺されたストッパー部材との連結を強化し保持するように構成されている三角形の摩擦機構（２８６）を例示する。図５４Ｋ〜５４Ｐは、上記のものなどのデュアルチャンバを利用する注射手順のための一連の動作を例示する。図５４Ｋを参照すると、注射用組立体は安全構成にあり、組立体はこの構成で注射患者ケアシナリオへと発送または持ち込まれてもよく、非液体薬物成分（２５４）は希釈液成分（２５２）から隔離され、これらは両方ともストッパー部材（３６）の反対側で注射器本体の中にある。図５４Ｌは、遠位ストッパー部材（３６）及び近位ストッパー部材（３２）を注射器本体（３４）に対して前進させる、プランジャ組立体（４４）の最初の挿入運動を例示する。図５４Ｍを参照すると、針組立体の近位端を遠位ストッパー部材（３６）を横切って穿刺するのに十分な更なる前進により、流体経路が注射器本体（３４）の２つの以前は隔離されていたチャンバ間に形成されることで、希釈流体（２５２）が近位混合ポートに流入し、より遠位の混合アパーチャーを出て、非液体薬剤成分（２５４）に到達するようになる。図５４Ｎは、ストッパー部材（３６、３２）が互いに直接隣接するまで更に挿入することにより、希釈剤（２５２）と以前は非液体であった成分（２５４）とが混合して薬剤溶液（２７２）を形成する。図５４Ｎを参照すると、こうして混合した溶液の注射の準備ができた組立体（２７２）により、針被覆部材（６３）が図５４Ｏに示すように除去されてもよく、患者は露出した針遠位端（４８）によって注射を受け得る。図５４Ｏに示すプランジャ組立体（４４）及び関連するストッパー組立体（３６、３２）の完全な陥没／挿入により、上記のように、また本明細書で図５４Ｐに示すように、針が注射器本体（３４）内の安全位置に格納され得る。
【０１０７】
既存の凍結乾燥製造プロセスは、注射器チャンバの内部で薬物の凍結乾燥（フリーズドライ）を行い、この注射器チャンバは、ストッパーにより薬物の近位で封止され、注射器の遠位先端が開放することで、薬物が注射器の先端の内径（「ＩＤ」）を通して凍結乾燥プロセスに露出する。この既存のプロセスでは概して、伝統的な糊付けされた突刺針の使用は可能ではなく、これは、針が、糊硬化プロセスにより凍結乾燥の前に定位置にある必要があるためである。伝統的な２５ゲージ〜３４ゲージの突刺針のＩＤは、約０．０１０インチ〜０．００３インチであり、概して、妥当な時間内での凍結乾燥を可能にするには断面が小さすぎる。図５４Ａ〜Ｇに示す突刺針組立体は、先端のＩＤが凍結乾燥を可能にする約０．０４０インチであるルアーテーパ先端の注射器を使用する。図５４Ａ〜５８Ｇの突刺針は、凍結乾燥が行われ、薬物容器を封止し、既存の凍結乾燥製造プロセスの使用を可能にした後で、スナップ適合によって注射器に取り付けられる。
【０１０８】
図５５Ａ〜５５Ｈを参照すると、実施形態の様々な態様が例示され、これにおいては、拡大した遠位周面（２７４）を持つ概して円筒形のストッパーは、静止時に注射器本体（３４）の２つのサブチャンバを分けるが、概して円筒形のストッパー（２７４）が近位に引かれるときには、近位流体構成要素（２７６）の周囲を通過することを可能にし（図５５Ｇは通過流２７６を示す接近断面図を示す）、それにより、拡大した遠位周面（２７４）によってその可撓性の遠位部分の有効径を減少させるように構成される。故に、図５５Ｃを参照すると、概して円筒形のストッパー（２７４）が近位ストッパー部材（３２）と直接接合するように、概して円筒形のストッパー（２７４）が近位に最後まで引かれることで（簡略化したプランジャ組立体４５を例示目的で図５５Ａ〜５５Ｈに示すが、他の実施形態では、描出要素４４を参照して上に記載したものなどの格納組立体を利用してもよい）、それまで２つのストッパー部材（２７４、３２）の間に収容されていた流体が、概して円筒形のストッパー（２７４）の反対側に前進して、非液体の凍結乾燥した薬物成分などの概して円筒形のストッパー（２７４）のかかる反対側に収容され得る薬剤要素と組み合わされるようになる。接近断面図５５Ｇ及び５５Ｈを参照すると、様々な実施形態で上に記載したように、注射器本体（３４）に対して自動的に引き込むように構成されているプランジャ組立体を使用して患者に注射した後で、針の注射器本体（３４）への引き込みを促進するために、かかる注射が完了した後で（即ち、プランジャ組立体が注射器本体に対して完全に挿入された後で）、針組立体が連結し得る（ハープーン様の近位針接合部５０、８４などによって）ストッパー（近位の３２；遠位の３６、２７４、または２８０）の一方または両方とプランジャ組立体（４５）との間の連結を強化することが望ましくあり得る。図５５Ｇ及び５５Ｈの実施形態を参照すると、１つ以上のネックダウンまたは鋸歯状機構（７０２）がプランジャ組立体（４５）に沿って位置付けられてもよく、それにより、図５５Ｈに示すように、注射前の薬物混合のための概して円筒形のストッパー（２７４）の引き込み（２４６）の際に、１つ以上の係止部材（７０４）が鋸歯状機構に飛び込んで、プランジャ組立体を注射器本体（３４）に対する位置にロックすることで、２つのストッパー部材（２７４、３２）がかかる係止／鋸歯（７０４／７０２）接合によって共に連結するようにする。かかるプランジャ格納によって誘発される薬剤成分の混合が完了すると、混合された薬剤溶液は、その後、図５５Ｅに示すように、針被覆部材（６３）を除去しプランジャ組立体（４５）を前進させることによって注射され得、概して円筒形のストッパー（２７４）は、遠位周面が、遠位に押されるときに注射器本体（３４）の内部に対して封止されるように構成される（即ち、この独特なストッパーは、注射器本体内に収容され、プランジャ組立体４５によって移動させられる一方向弁のようなものである）。プランジャ組立体（４５）及び関連するストッパー組立体（２７４、３２）の完全な陥没／挿入により、上記のように、針が注射器本体（３４）内の安全位置に格納され得る。
【０１０９】
図５５Ｉ及び５５Ｊを参照すると、代替的な変形が示され、これにおいては、ストッパー（２８８）は、それを通して形成される弁を備え、この弁は、ストッパー（２８８）に取り付けられているプランジャ組立体を注射器本体（３４）に対して引くかまたは引き込む（２４６）ことによって開放され得る。図５５Ｉを参照すると、プランジャ組立体（４５）によりストッパー（２８８）に適用される荷重が実質的にない状態または押圧荷重では、流体がストッパー（２８８）を横切って通過することはできない。図５５Ｊを参照すると、注射器本体（３４）に対してプランジャ組立体（４５）に適用される格納または引き込み（２４６）荷重により、通路（２９８）が、近位ストッパー部分（２９４）の過渡的変形に起因して主要な遠位ストッパー本体（２８９）と遠位ストッパー部分（２９６）との間で開放し、それにより、薬剤流体が、ストッパー（２８８）を横切って１つ以上の近位チャネルまたは内腔（２９２）を通り、開放した通路（２９８）を横切り、遠位チャネル（２９０）を出て流れる（３００、３０１）ようになり、材料の構造係数、及び近位ストッパー部分（２９４）などの機構の幾何形状は、この流体通路を、プランジャ組立体（４５）の注射器本体（３４）に対する格納／引き込み（２４６）中に開放し、かかる荷重下にないときに閉鎖するように特別に選択され得る。
【０１１０】
図５６Ａ〜５６Ｆを参照すると、混合した溶液の注射中の挿入摩擦を最低限に抑えるために、概して円筒形のストッパー（２７４）を、それが引き込まれて薬剤成分の混合を完了した後で、物理的に収容することが望ましくあり得る。図５６Ａ〜５６Ｃに示すように、完全格納の際に、概して円筒形のストッパー（２７４）がストッパー収容カップ（２７８）内に物理的に収容されることで、プランジャ組立体（４５）の挿入の際に、近位ストッパー部材（３２）のみが注射中に封止機能を提供しながら、概して円筒形のストッパー（２７４）はストッパー収容カップ（２７８）内に収容されたままであるようにする。図５６Ｆに示すように、プランジャ組立体（４５）及び関連するストッパー組立体（２７４、３２）の完全な陥没／挿入により、上記のように、針が注射器本体（３４）内の安全位置に格納され得る。
【０１１１】
図５７Ａ〜５７Ｃは、図５６Ａ〜５６Ｆのものと同様の構成の態様を例示するが、遠位ストッパー部材が、複数の周辺が広がった「拭き取り」縁部（２８０）を持つ概して円筒形のストッパー組立体を備えて、遠位に（即ち、遠位針先端に向かって）押されるときに封止効果を促進し、かつ近位に引き込まれるときにかかるストッパー組立体（２８０）の周囲の流体通過も促進する点が異なる。図５７Ｃを参照すると、ストッパー組立体（２８０）の遠位表面（７０６）は、注射器本体（３４）の内側の遠位端の接合面（７０８）と緊密に合致するように外形が形成されて、注射が行われた後でチャンバ中に残留しているいずれの薬物も最低限に抑えることで正確な薬剤用量を確実にする。
【０１１２】
図５８Ａ〜５８Ｇを参照すると、別のデュアルチャンバ実施形態が例示され、これにおいては、図５４Ａ〜５４Ｐの実施形態のように、混合を促進するために針の一部を通した選択的な流体通過を可能にするのではなく、注射器本体（３４）構成が、バイパス通路（２８２）を特徴とし、このバイパス通路（２８２）は、特定の注射器本体構成中に形成され、遠位ストッパー部材（３６）を図５８Ｃに示すものなどの位置に挿入する際に、バイパス通路（２８２）によって加圧流体が遠位ストッパー部材（３６）を迂回し、プランジャ組立体（４４）及び関連するストッパー組立体（３６、３２）の更なる挿入を使用して注射され得る混合された薬剤溶液（２７２）を形成するために、それまで隔離されていた他の薬剤成分（２７４）にアクセスできるように位置付けられ、これは、図５８Ｄ〜５８Ｆに示す通りである。例えば、図５５Ｇの実施形態を参照して上で記載したように、ストッパー（３２、３６）を互いに連結した状態にして、自動的に格納するプランジャ組立体（４４）に直接連結する近位ストッパー部材（３２）だけでなく遠位ストッパー部材（３６）の自動引き込みも促進することで、遠位ストッパー部材（３６）または両方のストッパー部材（３６、３２）に連結し得る針組立体が、適切なときに少なくとも部分的に注射器本体内で安全位置へと引き込まれるのを確実にすることが望ましくあり得る。図５８Ａ及び５８Ｂを参照すると、示す遠位ストッパー部材（３６）は、近位のハープーン様連結部材（７０８）を特徴とし、これは、２つのストッパー部材（３６、３２）が互いに対して促されるとき、例えば、図５８Ｆに示す注射中に、近位ストッパー部材（３２）中に穿刺するかまたはそれに連結するように構成されている。図５８Ｇに示すように、プランジャ組立体（４４）及び関連するストッパー組立体（３６、３２）を完全に陥没／挿入して薬剤溶液（２７２）を患者に報放出した後、針は、上記のように、注射器本体（３４）内の安全位置に格納され得る。
【０１１３】
図５９Ａ〜６１Ｓを参照すると、安全針格納金物類の大部分がプランジャ収納部の中に存在する様々な実施形態が例示される。例えば、図５９Ａ〜５９Ｌの実施形態を参照すると、安全注射構成は、適切なときに近位針端部（５０）によって貫通されて針の格納を支援するように構成されているプランジャ先端（３６）を装備した従来の注射器本体（３４）を備え、このプランジャ先端（３６）は、一連の使用における適当なときに針を格納するように構成されている以下に記載のような組立体の様々な他の部分によって占有される内部容積を画定するプランジャ収納部材（６９）によってプランジャ操作インターフェース（１２８）に連結する。針突刺係止構成を参照して上に記載したものと同様の針連結用組立体（６０６）が例示の実施形態に含まれ、他の実施形態は、注射器本体（３４）に連結するルアー型針組立体を備えてもよく、これは上記の通りである。示す型の注射器本体（３４）は、従来の小径フランジ（３３）幾何形状を備え、これは、操作者の親指がプランジャ操作インターフェース（１２８）と接合している間に、例えば、操作者の人差し指と中指との間で操作または接合されてもよい。図５９Ａ及び５９Ｂは、遠位針先端（４８）を機械的に隔離するために針被覆部（６３）が定位置にある利用前の組立体を示す。図５９Ｃを参照すると、針被覆部（６３）が除去され、組立体は患者への注射の準備ができている。図５９Ｄを参照すると、遠位針端部（４８）が患者の組織構造中に挿入または穿刺された後、プランジャ操作インターフェース（１２８）が注射器本体（３４）から離れて短時間引かれて、針遠位先端（４８）が血管などの望ましくない組織構造部分内に静止しないことを確認するために「吸引」またはチェックし得る。例えば、遠位針先端（４８）が血管内に静止している場合、プランジャ先端（３６）を僅かに引き出すと、患者の血液の小さい印が薬剤チャンバ（４０）内に現れる可能性があり、操作者はこれを見て、遠位針先端（４８）を再度位置付けることができる。
【０１１４】
図５９Ｅを参照して、所望の遠位針先端部分が確認されると、プランジャ操作インターフェース（１２８）が注射器本体（３４）に対して挿入され、薬剤が、薬剤チャンバ（４０）から針先端（４８）を通り患者へと放出される。図５９Ｆは、図５９Ｅの構成の断面図を例示する。図５９Ｇを参照すると、プランジャ先端（３６）が注射器本体（３４）中に完全に着座すると、近位針端部（５０）がプランジャ先端（３６）を通して穿刺され、同時に、プランジャ先端（３６）を備える材料の弾性変形が、製造及び組み立て公差に起因する注射器本体及び他の構成要素の幾何学的変化を請け合いながら、プランジャ先端が注射器本体の底部に達して薬剤の全てを放出し、ばねを起動して針を格納することを可能にする。図５９Ｈを参照すると、図５３Ｂを参照して記載したもの（６８４、６８６）と同様の針格納機構（７１２）は、プランジャ先端（３６）中に穿刺し、それによって捕捉された後の近位針先端（５０）の引き抜きを防止するように構成されている。プランジャ先端（３６）の完全挿入により、針係止部（６１６）は、図５９Ｈに示すように、針本体に対するそのそれまでの接合位置（１１１）に着座しなくなることで、針の格納を可能にするように構成され、それに付随して、図５９Ｇ／５９Ｈから図５９Ｉ／５９Ｊへの進行に示すように、近位針端部（５０）は、非係止部材（７１０）またはロッドに直接当接するかまたはそれに対して圧縮されるように構成され、この非係止部材（７１０）またはロッドは、回転式係止部材（７１４）を２つの状態のいずれかに位置付けるかまたは構成することを可能にするように構成される。図５９Ｇ及び関連する断面図５９Ｈに示す回転式係止部材（７１４）の第１の構成は、「係止」条件であり、ここでは、回転式係止部材（７１４）は、非係止部材（７１０）の近位側を更に備える近位近位機構によって、図５９Ｈに示す位置に保持される。この係止条件において、ばねなどの圧縮されたエネルギー蓄積部材（７１８）によって生成された荷重は、係止部材（７１４）の幾何学的状態によって反発されて、エネルギー蓄積部材（７１８）の圧縮状態を維持する。図５９Ｉ及び関連する断面図５９Ｊに示す回転式係止部材（７１４）の第２の構成は、「非係止」条件と称されてもよく、これにおいては、非係止部材（７１０）は、針近位端（５０）から荷重によってより近位に移動して、回転式係止部材（７１４）を自由に回転させる。この第２の構成において、図５９Ｊに示すように、回転式係止部材（７１４）が回転してロック接合ウィンドウ（７１６）から出ることで、圧縮されたエネルギー蓄積部材（７１８）によって生成された荷重が回転式係止部材（７１４）によって反発され、エネルギー蓄積部材（７１８）が、図５９Ｋ及び関連する断面図５９Ｌに示すように、長手方向に自由に拡張することにより、プランジャ先端（３６）を近位に押し、これが針を格納する。図５９Ｊを参照すると、非係止構成において、非係止部材（７１０）は近位に移動し、回転式係止部材（７１４）は、係止位置から回転するように構成され、この係止位置において、回転式係止部材（７１４）はロック接合ウィンドウ（７１６）内に着座し、この係止部分の接合により、ばねを備え得る蓄積構成にあるエネルギー蓄積部材（７１８）が非係止位置へと維持され、この非係止位置において、図５９Ｉ、及び図５９Ｊの断面図に示すように、回転式係止部材（７１４）がロック接合ウィンドウから僅かに出て回転して、エネルギー蓄積部材（７１８）中に蓄積されたポテンシャルエネルギーが解放されるときに、エネルギー蓄積部材（７１８）を解放して、プランジャ先端（３６）を右に加速させ移動させることにより、針遠位先端（４８）が注射器本体（３４）内に安全にカプセル化された状態になるように、図５９Ｋ、及び図５９Ｌの断面図に示す通り、相互連結した近位針先端（５０）をそれと共に引く。上記のように、この構成に入ると、針組立体（６０６）は、好ましくは、遠位針先端（４８）の注射器本体（３４）に対するいずれの更なる再挿入も防止するように構成され、換言すると、針先端の再露出は、かかる安全構成を用いて防止される。図５９Ｍを参照すると、一実施形態では、プランジャ先端（３６）は固体であり、針近位端（５０）の離断を促進するために、いずれの事前に形成された貫通孔も有しない。示すように、例えば、図５９Ｌにおいて、針のプランジャ先端（３６）を通した完全格納は、針がプランジャ先端に貫入することを必要する。針近位端（５０）に対する「グリップ」を失わずに針をプランジャ先端（３６）を通して引くために、プランジャ先端（３６）を通る針の貫入力は、概して、近位針先端（５０）のプランジャ先端（３６）を通した穿刺によって近位針先端（５０）と針保持機構（７１２）との間に形成された接合部によって提供される「グリップ」荷重を超過しないように十分に低い必要がある。一実施形態では、実験により、針組立体とプランジャ先端との間の貫入力は、プランジャ先端（３６）の製造にゴムが使用されるかエラストマー材料が使用されるかによって、約１〜約４ｌｂｆであることが示された。針がエラストマー性プランジャ先端（３６）を通して引かれるときの抵抗性を更に最低限に抑えるために、一実施形態では、図５９Ｍに示すように、面取りした幾何形状（７３４）を針接合部材（８３）の近位幾何形状側に創出することが望ましい。
【０１１５】
図５９Ｇ及び５９Ｈを参照して上で考察したように、図５９Ａ〜５９Ｍの実施形態では、プランジャ先端（３６）を備えるエラストマー材料を利用して、製造、組み立て、温度、または他の因子に起因して存在し得る僅かな幾何学的公差への対処を支援する。使用中、操作者は、プランジャ先端（３６）を挿入し続けるのに必要な挿入荷重の増大によって、プランジャ先端（３６）の注射器本体（３４）に対する完全挿入位置が達成されていくのを感じる。操作者は、かかる増大する挿入抵抗荷重に対するかかる挿入を「カチッ」という音が聞こえるまで続けるように訓練されていてもよく、この音は、針係止機構が起動し、それにより、針が格納され得るように針を注射器本体に対して長手方向に解放したことを知らせるものである。図６０Ａ〜６０Ｌの実施形態を参照すると、かかる幾何学的公差への対応のためにプランジャ先端（３６）のエラストマー性コンプライアンスのみに頼るのではなく、連結部材（７２２）をプランジャ先端（３６）とプランジャ収納部（６７）との間で移動可能に相互連結させて、ある特定の挿入荷重が得られるまで間隙（７２０、例えば図６０Ｆに示す通り）が保持されるようにし、その後、この間隙（７２０）は、図６０Ｇ及び関連する断面図６０Ｈに示すように、連結部材（７２２）の近位端がプランジャ収納部（６７）に対して右に摺動することによって閉鎖されて、間隙を排除する。図６０Ａ及び６０Ｂは、保護キャップ（６３）が遠位針先端（４８）を隔離している、使用の準備ができたかかる注射用組立体を例示する。図６０Ｃは、保護キャップ（６３）が除去され、注射の準備ができている状態を例示する。図６０Ｄは、上記のような吸引ステップを例示し、これにおいては、プランジャは、針の場所を確認するために、患者に対して後方に引かれてもよい。
【０１１６】
故に、使用中、プランジャ先端（３６）の注射器本体（３４）に対する完全挿入の際に、いくつかのことが起きる。針係止（６１６）機構が非係止となって針の格納を可能にし；図６０Ｉ及び関連する断面図６０Ｊに示すように、挿入荷重閾値を超過したことで、連結部材（７２２）が間隙（７２０）を潰し、捕捉機構（７１２）による針近位端（５０）の完全な捕捉を可能にし、非係止部材（７１０）に当接する針近位端（５０）からの圧縮荷重により、回転式係止部材（７１４）がプランジャ収納部材（６７）中に画定されたロック接合ウィンドウ（７１６）に対して係止位置から出て自由に回転できるようになり；図６０Ｋ及び関連する断面図６０Ｌは、遠位針先端（４８）が注射器本体（３４）内に収容されるように針が格納された後の組立体の状態を例示する。
【０１１７】
図６１Ａ〜６１Ｓを参照すると、別の実施形態では、図５９Ａ〜５９Ｌまたは６０Ａ〜６０Ａのものと同様であるが注射器本体フランジ（３３）を持たない構成を、図６１Ｃ、６１Ｆ、６１Ｉ、６１Ｌ、６１Ｏ、及び６１Ｒに示すものなどの「ペン」または「再使用」収納インターフェースと共に利用してもよい。図６１Ａを参照すると、図５９Ａのものと同様の安全注射構成を示すが、図６１Ａの実施形態は、近位フランジ（図５９Ａの要素３３）を組み込まず、手動操作インターフェース（図５９Ａの要素１２８）ではなく、ペンまたは再使用収納構成のプランジャ連結部材（７３０）遠位端と接合するように構成されている近位端（１２９）を有するプランジャ収納部（６９）を有する、注射器本体（３４）を有することを除く。図６１Ｂは、図６１Ａの構成の断面図を例示する。図６１Ｃの組立図に示すように、図６１Ａの構成は、ペンまたは再使用収納組立体内に少なくとも一時的に収納されてもよく；示すペンまたは再使用収納組立体は、遠位収納部分（７２６）を備え、これは、中の注射構成要素を可視化するために、それを通したウィンドウ（７２４）を画定し；近位収納部分（７２８）は、プランジャ連結部材（７３０）に移動可能に連結し、その遠位部分は、プランジャ収納部（６９）近位端（１２９）に着脱可能に連結し；プランジャ操作インターフェース（７３２）は、プランジャ連結部材（７３０）の近位端に連結する。図６１Ｄ、６１Ｅ、及び６１Ｆは、保護用針キャップ（６３）を除去し、針遠位先端（４８）の注射の準備ができている、それぞれ、図６１Ａ、６１Ｂ、及び６１Ｃと同様の構成を例示する。図６１Ｇ、６１Ｊ、及び６１Ｍ（ならびにそれぞれ、注射用組立体断面図６１Ｈ、６１Ｋ、及び６１Ｎ、ならびにペンまたは再使用収納組立体統合断面図６１Ｉ、６１Ｌ、及び６１Ｏ）を参照すると、注射用組立体は、ユーザーによる手動操作が、注射用組立体ではなく、注射用組立体に少なくとも一時的に連結するペンまたは再使用収納部に向けられることを除いて、図５９Ｅ／５９Ｆ、５９Ｇ／５９Ｈ、及び５９Ｉ／５９Ｊに関して記載のように操作される。プランジャ先端（３６）の完全挿入の際、針は、非係止となり、プランジャ先端（３６）によって近位に捕捉され、図６１Ｐ、６１Ｑ、及び６１Ｒに示すように、近位回転式係止部材（７１４）の荷重により針の格納が起こり、図６１Ｓに示すように、安全に使用され、使い捨てられる注射用組立体カートリッジが残る。図６１Ｈ及び６１Ｉを参照すると、ガラス材料から構築されるものなどの注射器本体（３４）は、上記の突刺針組立体（６０６）などの突刺針組立体の取り付けのために、一端にルアーテーパを備えてもよい。代替的実施形態では、カートリッジ注射器本体を利用してもよく、これは、薬剤をガラスカートリッジの内部に封止するためにゴム封止及びアルミニウムクリンプから成る、薬剤バイアル用のものと同様のガラスフランジ構成を有する。かかる実施形態では、図６１Ｉに示すものと同様の針構成は、ガラスフランジとスナップオーバーして、薬剤をカートリッジ内に封止してもよく、アルミニウムクリンプは、プラスチックの針収納部で置き換えてもよい。
【０１１８】
上述のように、図５９Ａ〜６１Ｓの構成は、本明細書で詳述する突刺針針収納／係止構成を使用して例示されるが、かかる構成はまた、ルアー型連結及び関連する金物類を利用してもよく、これも本明細書で詳述する。ある特定の状況では、針突刺構成は、記載の実施形態の糊／接着剤を含まない性質、接着剤を含まない突刺連結構成には処理中の温度に対する制限がさほどない場合があることにより「焼き付ける」ことができるシリコーンフィルム、また、前述の突刺連結構成が、突刺連結に対してであってもルアー型注射器本体を利用し、タングステンを含まないロッドを使用して完了し得るため、好ましくは、針アパーチャーを形成するためにタングステンのピンへの露出がない、前述の針突刺連結構成のタングステンを含まない性質などの特性のために、望ましくあり得る。
【０１１９】
本発明の様々な例示的実施形態が本明細書に記載される。これらの例は、非限定的な意味で参照される。これらは、本発明のより広範に適用可能な態様を例示するために提供されるものである。様々な変更が記載の発明に成されてもよく、等価物が本発明の趣旨及び範囲から逸脱することなく置き換えられてもよい。加えて、多くの改変を行って、特定の状況、材料、組成物、プロセス、プロセス行為（複数可）またはステップ（複数可）を、本発明の目的（複数可）、趣旨、または範囲に適合させてもよい。更に、本明細書に記載及び例示の個々の変形の各々は、本発明の範囲または趣旨から逸脱することなく、他のいくつかの実施形態のいずれかの特徴から容易に分けることができるか、またはそれらと組み合わせることができる、別個の構成要素及び機構を有することが、当業者には理解されるであろう。かかる改変の全ては、本開示に関連する特許請求の範囲内であることが意図されている。
【０１２０】
主題の診断または介入手順を実行するための記載のデバイスのいずれも、かかる介入の実施における使用のための梱包された組み合わせとして提供され得る。これらの供給「キット」は、使用説明書を更に含んでもよく、かかる目的に一般的に採用される滅菌トレーまたは容器に梱包されてもよい。
【０１２１】
本発明は、主題のデバイスを使用して行われ得る方法を含む。本方法は、かかる好適なデバイスを提供する行為を含み得る。かかる準備は、エンドユーザーによって行われ得る。換言すると、「提供する」行為は、単に、エンドユーザーが、主題の方法において必須のデバイスを提供するために、獲得する、アクセスする、臨む、位置付ける、セットアップする、始動させる、電源を入れる、または行動することを必要とするのみである。本明細書で挙げる方法は、挙げた事象を論理的に可能ないずれの順序で実行してもよく、事象を挙げた順序で実行してもよい。
【０１２２】
本発明の例示的態様は、材料選択及び製造についての詳細と共に上に記載した。本発明の他の詳細については、上で参照した特許及び出版物に関連して理解され得、同様に、当業者には概して既知であるか、または理解され得る。例えば、当業者であれば、１つ以上の滑らかなコーティング（例えば、ポリビニルピロリドン系組成物などの親水性ポリマー、テトラフルオロエチレンなどのフルオロポリマー、親水性ゲル、またはシリコーン）を、器具類の他の部分または近隣の組織構造に対するかかる物体の低摩擦性操作または前進を促進するために、所望の場合、例えば、移動可能に連結した部品の比較的大きい界面などのデバイスの様々な部分に関連して使用してもよいことを理解するであろう。本発明の方法に基づく態様に関しても、一般的または論理的に採用される更なる行為という点で、同じことが当てはまり得る。
【０１２３】
加えて、本発明は、任意選択で様々な機構を組み込むいくつかの例を参照して記載されたが、本発明は、本発明の各変形に関して企図されるとして記載されるかまたは示されるものに限定されない。様々な変更が記載の発明に成されてもよく、等価物（本明細書に引用されているか、またはある程度の簡潔性のために含まれていないか）が本発明の趣旨及び範囲から逸脱することなく置き換えられてもよい。加えて、値の範囲が提供される場合には、その範囲の上限と下限との間のあらゆる介在値、及びその記述される範囲内のいずれの他の記述された値または介在値も、本発明に包含されることを理解されたい。
【０１２４】
また、記載する発明の変形のいずれの他の機構も、独立して、または本明細書に記載の機構のうちの任意の１つ以上と組み合わせて、示され特許請求され得ることが企図されている。単数の物品への参照は、複数の同じ物品が存在する可能性を含む。より具体的には、本明細書及びこれに関連する特許請求の範囲において使用される場合、単数形「ａ」、「ａｎ」、「前記（ｓａｉｄ）」、及び「ｔｈｅ」は、別途具体的に述べられない限り、複数の指示対象を含む。換言すると、これらの冠詞の使用は、上記の説明及び本開示に関連する特許請求の範囲において、対象の物品のうちの「少なくとも１つ」を考慮に入れている。かかる特許請求の範囲は、いずれの任意選択の要素も除外して作成されている場合があることを更に記しておく。このため、この記述は、特許請求の範囲の要素の列挙に関連する、「単に」、「のみ」、及び同様のものなどの排他的な語の使用、または「否定的な」制限の使用について、先行する記載として働くように意図されている。
【０１２５】
かかる排他的な語を使用することなく、本開示に関連する特許請求の範囲における「備える（ｃｏｍｐｒｉｓｉｎｇ）」という用語は、所与の数の要素がかかる特許請求の範囲に列挙されているか、または機構の追加がかかる特許請求の範囲に示される要素の性質を変容させるものと見なされ得るかに関わらず、任意の追加の要素を含むことを考慮に入れている。本明細書で具体的に定義されている場合を除き、本明細書で使用される全ての技術的及び科学的用語は、特許請求の範囲の有効性を維持しながら、可能な限り幅広く一般に理解されている意味で付与されるものである。
【０１２６】
本発明の幅は、提供する例及び／または対象の明細書に限定されるべきではなく、本開示に関連する特許請求の範囲の言語の範囲によってのみ限定される。
【図１Ａ】
2020203158.tif 000003
【図１Ｂ】
2020203158.tif 000004
【図２Ａ】
2020203158.tif 000005
【図２Ｂ】
2020203158.tif 000006
【図３】
2020203158.tif 000007
【図４Ａ】
2020203158.tif 000008
【図４Ｂ】
2020203158.tif 000009
【図５Ａ】
2020203158.tif 000010
【図５Ｂ】
2020203158.tif 000011
【図５Ｃ】
2020203158.tif 000012
【図６Ａ】
2020203158.tif 000013
【図６Ｂ】
2020203158.tif 000014
【図６Ｃ】
2020203158.tif 000015
【図６Ｄ】
2020203158.tif 000016
【図６Ｅ】
2020203158.tif 000017
【図６Ｆ】
2020203158.tif 000018
【図６Ｇ】
2020203158.tif 000019
【図６Ｈ】
2020203158.tif 000020
【図６Ｉ】
2020203158.tif 000021
【図６Ｊ】
2020203158.tif 000022
【図６Ｋ】
2020203158.tif 000023
【図６Ｌ】
2020203158.tif 000024
【図６Ｍ】
2020203158.tif 000025
【図６Ｎ】
2020203158.tif 000026
【図６Ｏ】
2020203158.tif 000027
【図６Ｐ】
2020203158.tif 000028
【図６Ｑ】
2020203158.tif 000029
【図６Ｒ】
2020203158.tif 000030
【図６Ｓ】
2020203158.tif 000031
【図７Ａ】
2020203158.tif 000032
【図７Ｂ】
2020203158.tif 000033
【図７Ｃ】
2020203158.tif 000034
【図７Ｄ】
2020203158.tif 000035
【図７Ｅ】
2020203158.tif 000036
【図７Ｆ】
2020203158.tif 000037
【図７Ｇ】
2020203158.tif 000038
【図７Ｈ】
2020203158.tif 000039
【図７Ｉ】
2020203158.tif 000040
【図７Ｊ】
2020203158.tif 000041
【図８Ａ】
2020203158.tif 000042
【図８Ｂ】
2020203158.tif 000043
【図８Ｃ】
2020203158.tif 000044
【図８Ｄ】
2020203158.tif 000045
【図８Ｅ】
2020203158.tif 000046
【図８Ｆ】
2020203158.tif 000047
【図８Ｇ】
2020203158.tif 000048
【図８Ｈ】
2020203158.tif 000049
【図８Ｉ】
2020203158.tif 000050
【図８Ｊ】
2020203158.tif 000051
【図８Ｋ】
2020203158.tif 000052
【図８Ｌ】
2020203158.tif 000053
【図８Ｍ】
2020203158.tif 000054
【図８Ｎ】
2020203158.tif 000055
【図８Ｏ】
2020203158.tif 000056
【図８Ｐ】
2020203158.tif 000057
【図９Ａ】
2020203158.tif 000058
【図９Ｂ】
2020203158.tif 000059
【図９Ｃ】
2020203158.tif 000060
【図１０Ａ】
2020203158.tif 000061
【図１０Ｂ】
2020203158.tif 000062
【図１０Ｃ】
2020203158.tif 000063
【図１０Ｄ】
2020203158.tif 000064
【図１０Ｅ】
2020203158.tif 000065
【図１０Ｆ】
2020203158.tif 000066
【図１０Ｇ】
2020203158.tif 000067
【図１０Ｈ】
2020203158.tif 000068
【図１０Ｉ】
2020203158.tif 000069
【図１０Ｊ】
2020203158.tif 000070
【図１０Ｋ】
2020203158.tif 000071
【図１０Ｌ】
2020203158.tif 000072
【図１１Ａ】
2020203158.tif 000073
【図１１Ｂ】
2020203158.tif 000074
【図１１Ｃ】
2020203158.tif 000075
【図１１Ｄ】
2020203158.tif 000076
【図１２Ａ】
2020203158.tif 000077
【図１２Ｂ】
2020203158.tif 000078
【図１２Ｃ】
2020203158.tif 000079
【図１２Ｄ】
2020203158.tif 000080
【図１２Ｅ】
2020203158.tif 000081
【図１２Ｆ】
2020203158.tif 000082
【図１２Ｇ】
2020203158.tif 000083
【図１２Ｈ】
2020203158.tif 000084
【図１２Ｉ】
2020203158.tif 000085
【図１２Ｊ】
2020203158.tif 000086
【図１２Ｋ】
2020203158.tif 000087
【図１２Ｌ】
2020203158.tif 000088
【図１２Ｍ】
2020203158.tif 000089
【図１２Ｎ】
2020203158.tif 000090
【図１２Ｏ】
2020203158.tif 000091
【図１３Ａ】
2020203158.tif 000092
【図１３Ｂ】
2020203158.tif 000093
【図１３Ｃ】
2020203158.tif 000094
【図１３Ｄ】
2020203158.tif 000095
【図１３Ｅ】
2020203158.tif 000096
【図１３Ｆ】
2020203158.tif 000097
【図１３Ｇ】
2020203158.tif 000098
【図１３Ｈ】
2020203158.tif 000099
【図１３Ｉ】
2020203158.tif 000100
【図１３Ｊ】
2020203158.tif 000101
【図１４Ａ】
2020203158.tif 000102
【図１４Ｂ】
2020203158.tif 000103
【図１４Ｃ】
2020203158.tif 000104
【図１４Ｄ】
2020203158.tif 000105
【図１４Ｅ】
2020203158.tif 000106
【図１４Ｆ】
2020203158.tif 000107
【図１４Ｇ】
2020203158.tif 000108
【図１４Ｈ】
2020203158.tif 000109
【図１５】
2020203158.tif 000110
【図１６】
2020203158.tif 000111
【図１７】
2020203158.tif 000112
【図１８Ａ】
2020203158.tif 000113
【図１８Ｂ】
2020203158.tif 000114
【図１９】
2020203158.tif 000115
【図２０】
2020203158.tif 000116
【図２１】
2020203158.tif 000117
【図２２】
2020203158.tif 000118
【図２３】
2020203158.tif 000119
【図２４】
2020203158.tif 000120
【図２５】
2020203158.tif 000121
【図２６】
2020203158.tif 000122
【図２７】
2020203158.tif 000123
【図２８】
2020203158.tif 000124
【図２９】
2020203158.tif 000125
【図３０】
2020203158.tif 000126
【図３１】
2020203158.tif 000127
【図３２】
2020203158.tif 000128
【図３３】
2020203158.tif 000129
【図３４】
2020203158.tif 000130
【図３５】
2020203158.tif 000131
【図３６】
2020203158.tif 000132
【図３７】
2020203158.tif 000133
【図３８Ａ】
2020203158.tif 000134
【図３８Ｂ】
2020203158.tif 000135
【図３８Ｃ】
2020203158.tif 000136
【図３９Ａ】
2020203158.tif 000137
【図３９Ｂ】
2020203158.tif 000138
【図４０Ａ】
2020203158.tif 000139
【図４０Ｂ】
2020203158.tif 000140
【図４０Ｃ】
2020203158.tif 000141
【図４１Ａ】
2020203158.tif 000142
【図４１Ｂ】
2020203158.tif 000143
【図４１Ｃ】
2020203158.tif 000144
【図４１Ｄ】
2020203158.tif 000145
【図４１Ｅ】
2020203158.tif 000146
【図４１Ｆ】
2020203158.tif 000147
【図４２】
2020203158.tif 000148
【図４３Ａ】
2020203158.tif 000149
【図４３Ｂ】
2020203158.tif 000150
【図４３Ｃ】
2020203158.tif 000151
【図４３Ｄ】
2020203158.tif 000152
【図４３Ｅ】
2020203158.tif 000153
【図４３Ｆ】
2020203158.tif 000154
【図４３Ｇ】
2020203158.tif 000155
【図４３Ｈ】
2020203158.tif 000156
【図４４Ａ】
2020203158.tif 000157
【図４４Ｂ】
2020203158.tif 000158
【図４４Ｃ】
2020203158.tif 000159
【図４４Ｄ】
2020203158.tif 000160
【図４４Ｅ】
2020203158.tif 000161
【図４４Ｆ】
2020203158.tif 000162
【図４４Ｇ】
2020203158.tif 000163
【図４４Ｈ】
2020203158.tif 000164
【図４４Ｉ】
2020203158.tif 000165
【図４４Ｊ】
2020203158.tif 000166
【図４４Ｋ】
2020203158.tif 000167
【図４４Ｌ】
2020203158.tif 000168
【図４５Ａ】
2020203158.tif 000169
【図４５Ｂ】
2020203158.tif 000170
【図４５Ｃ】
2020203158.tif 000171
【図４５Ｄ】
2020203158.tif 000172
【図４６】
2020203158.tif 000173
【図４７Ａ】
2020203158.tif 000174
【図４７Ｂ】
2020203158.tif 000175
【図４７Ｃ】
2020203158.tif 000176
【図４７Ｄ】
2020203158.tif 000177
【図４７Ｅ】
2020203158.tif 000178
【図４７Ｆ】
2020203158.tif 000179
【図４７Ｇ】
2020203158.tif 000180
【図４８Ａ】
2020203158.tif 000181
【図４８Ｂ】
2020203158.tif 000182
【図４８Ｃ】
2020203158.tif 000183
【図４８Ｄ】
2020203158.tif 000184
【図４８Ｅ】
2020203158.tif 000185
【図４８Ｆ】
2020203158.tif 000186
【図４８Ｇ】
2020203158.tif 000187
【図４８Ｈ】
2020203158.tif 000188
【図４８Ｉ】
2020203158.tif 000189
【図４８Ｊ】
2020203158.tif 000190
【図４８Ｋ】
2020203158.tif 000191
【図４９Ａ】
2020203158.tif 000192
【図４９Ｂ】
2020203158.tif 000193
【図４９Ｃ】
2020203158.tif 000194
【図５０Ａ】
2020203158.tif 000195
【図５０Ｂ】
2020203158.tif 000196
【図５０Ｃ】
2020203158.tif 000197
【図５０Ｄ】
2020203158.tif 000198
【図５０Ｅ】
2020203158.tif 000199
【図５０Ｆ】
2020203158.tif 000200
【図５０Ｇ】
2020203158.tif 000201
【図５０Ｈ】
2020203158.tif 000202
【図５０Ｉ】
2020203158.tif 000203
【図５０Ｊ】
2020203158.tif 000204
【図５０Ｋ】
2020203158.tif 000205
【図５０Ｌ】
2020203158.tif 000206
【図５０Ｍ】
2020203158.tif 000207
【図５０Ｎ】
2020203158.tif 000208
【図５０Ｏ】
2020203158.tif 000209
【図５０Ｐ】
2020203158.tif 000210
【図５１Ａ】
2020203158.tif 000211
【図５１Ｂ】
2020203158.tif 000212
【図５１Ｃ】
2020203158.tif 000213
【図５１Ｄ】
2020203158.tif 000214
【図５１Ｅ】
2020203158.tif 000215
【図５１Ｆ】
2020203158.tif 000216
【図５１Ｇ】
2020203158.tif 000217
【図５１Ｈ】
2020203158.tif 000218
【図５２Ａ】
2020203158.tif 000219
【図５２Ｂ】
2020203158.tif 000220
【図５２Ｃ】
2020203158.tif 000221
【図５２Ｄ】
2020203158.tif 000222
【図５２Ｅ】
2020203158.tif 000223
【図５２Ｆ】
2020203158.tif 000224
【図５２Ｇ】
2020203158.tif 000225
【図５２Ｈ】
2020203158.tif 000226
【図５３Ａ】
2020203158.tif 000227
【図５３Ｂ】
2020203158.tif 000228
【図５４Ａ】
2020203158.tif 000229
【図５４Ｂ】
2020203158.tif 000230
【図５４Ｃ】
2020203158.tif 000231
【図５４Ｄ】
2020203158.tif 000232
【図５４Ｅ】
2020203158.tif 000233
【図５４Ｆ】
2020203158.tif 000234
【図５４Ｇ】
2020203158.tif 000235
【図５４Ｈ】
2020203158.tif 000236
【図５４Ｉ】
2020203158.tif 000237
【図５４Ｊ】
2020203158.tif 000238
【図５４Ｋ】
2020203158.tif 000239
【図５４Ｌ】
2020203158.tif 000240
【図５４Ｍ】
2020203158.tif 000241
【図５４Ｎ】
2020203158.tif 000242
【図５４Ｏ】
2020203158.tif 000243
【図５４Ｐ】
2020203158.tif 000244
【図５５Ａ】
2020203158.tif 000245
【図５５Ｂ】
2020203158.tif 000246
【図５５Ｃ】
2020203158.tif 000247
【図５５Ｄ】
2020203158.tif 000248
【図５５Ｅ】
2020203158.tif 000249
【図５５Ｆ】
2020203158.tif 000250
【図５５Ｇ】
2020203158.tif 000251
【図５５Ｈ】
2020203158.tif 000252
【図５５Ｉ】
2020203158.tif 000253
【図５５Ｊ】
2020203158.tif 000254
【図５６Ａ】
2020203158.tif 000255
【図５６Ｂ】
2020203158.tif 000256
【図５６Ｃ】
2020203158.tif 000257
【図５６Ｄ】
2020203158.tif 000258
【図５６Ｅ】
2020203158.tif 000259
【図５６Ｆ】
2020203158.tif 000260
【図５７Ａ】
2020203158.tif 000261
【図５７Ｂ】
2020203158.tif 000262
【図５７Ｃ】
2020203158.tif 000263
【図５８Ａ】
2020203158.tif 000264
【図５８Ｂ】
2020203158.tif 000265
【図５８Ｃ】
2020203158.tif 000266
【図５８Ｄ】
2020203158.tif 000267
【図５８Ｅ】
2020203158.tif 000268
【図５８Ｆ】
2020203158.tif 000269
【図５８Ｇ】
2020203158.tif 000270
【図５９Ａ】
2020203158.tif 000271
【図５９Ｂ】
2020203158.tif 000272
【図５９Ｃ】
2020203158.tif 000273
【図５９Ｄ】
2020203158.tif 000274
【図５９Ｅ】
2020203158.tif 000275
【図５９Ｆ】
2020203158.tif 000276
【図５９Ｇ】
2020203158.tif 000277
【図５９Ｈ】
2020203158.tif 000278
【図５９Ｉ】
2020203158.tif 000279
【図５９Ｊ】
2020203158.tif 000280
【図５９Ｋ】
2020203158.tif 000281
【図５９Ｌ】
2020203158.tif 000282
【図６０Ａ】
2020203158.tif 000283
【図６０Ｂ】
2020203158.tif 000284
【図６０Ｃ】
2020203158.tif 000285
【図６０Ｄ】
2020203158.tif 000286
【図６０Ｅ】
2020203158.tif 000287
【図６０Ｆ】
2020203158.tif 000288
【図６０Ｇ】
2020203158.tif 000289
【図６０Ｈ】
2020203158.tif 000290
【図６０Ｉ】
2020203158.tif 000291
【図６０Ｊ】
2020203158.tif 000292
【図６０Ｋ】
2020203158.tif 000293
【図６０Ｌ】
2020203158.tif 000294
【図６１Ａ】
2020203158.tif 000295
【図６１Ｂ】
2020203158.tif 000296
【図６１Ｃ】
2020203158.tif 000297
【図６１Ｄ】
2020203158.tif 000298
【図６１Ｅ】
2020203158.tif 000299
【図６１Ｆ】
2020203158.tif 000300
【図６１Ｇ】
2020203158.tif 000301
【図６１Ｈ】
2020203158.tif 000302
【図６１Ｉ】
2020203158.tif 000303
【図６１Ｊ】
2020203158.tif 000304
【図６１Ｋ】
2020203158.tif 000305
【図６１Ｌ】
2020203158.tif 000306
【図６１Ｍ】
2020203158.tif 000307
【図６１Ｎ】
2020203158.tif 000308
【図６１Ｏ】
2020203158.tif 000309
【図６１Ｐ】
2020203158.tif 000310
【図６１Ｑ】
2020203158.tif 000311
【図６１Ｒ】
2020203158.tif 000312
【図６１Ｓ】
2020203158.tif 000313